(57)【要約】      （修正有）【課題】ヒトを含む哺乳動物における腫瘍細胞成長及び増殖の診断及び治療のための組成物及び方法の提供。【解決手段】ヒト腫瘍細胞に由来するＰＲＯ５７２５ポリペプチドをコードする塩基配列、該配列の増幅方法、該ポリペプチドを生産する方法、該ポリペプチドのモノクローナル抗体、及び該抗体の生産方法を開示する。さらに、該塩基配列及び該ポリペプチドを利用する或る種の癌の診断及び治療（予防を含む）の方法についても開示する。【選択図】なし【特許請求の範囲】
【請求項１】
ＰＲＯ５７２５ポリペプチドに結合する単離された抗体。
【請求項２】
前記ポリペプチドに特異的に結合する請求項１に記載の抗体。
【請求項３】
前記ポリペプチドを発現する細胞の死を誘発する請求項１に記載の抗体。
【請求項４】
前記細胞が前記ポリペプチドを同じ組織型の正常細胞に比較して過剰に発現する癌細胞である請求項３に記載の抗体。
【請求項５】
モノクローナル抗体である請求項１に記載の抗体。
【請求項６】
非ヒトの相補性決定領域（ＣＤＲ）又はヒトフレームワーク領域（ＦＲ）を含む請求項５に記載の抗体。
【請求項７】
標識された請求項１に記載の抗体。
【請求項８】
抗体断片又は一本鎖抗体である請求項１に記載の抗体。
【請求項９】
製薬的に許容される担体と混合された請求項１に記載の抗体を含む物質の組成物。
【請求項１０】
前記抗体の治療的有効量を含有する請求項９に記載の組成物。
【請求項１１】
細胞毒性又は化学治療薬をさらに含有する請求項９に記載の組成物。
【請求項１２】
請求項１に記載の抗体をコードする単離された核酸分子。
【請求項１３】
請求項１２に記載の核酸分子を含むベクター。
【請求項１４】
請求項１３に記載のベクターを含む宿主細胞。
【請求項１５】
ＰＲＯ５７２５ポリペプチドに結合する抗体の製造方法において、請求項１４に記載の宿主細胞を前記抗体を発現させるのに十分な条件下で培養し、細胞培地から前記抗体を回収することを含んでなる方法。
【請求項１６】
ＰＲＯ５７２５ポリペプチドのアンタゴニスト。
【請求項１７】
前記アンタゴニストが腫瘍細胞成長を阻害する請求項１６に記載のアンタゴニスト。
【請求項１８】
ＰＲＯ５７２５ポリペプチド、又はその補体をコードする核酸配列にハイブリッド形成する単離された核酸分子。
【請求項１９】
前記ハイブリッド形成が緊縮性ハイブリッド形成及び洗浄条件下である請求項１８に記載の単離された核酸分子。
【請求項２０】
ＰＲＯ５７２５ポリペプチドを含有すると推測される試料中で前記ポリペプチドの存在を測定する方法において、当該試料を抗−ＰＲＯ５７２５抗体に暴露し、前記抗体の前記試料中の前記ポリペプチドへの結合を測定することを含んでなる方法。
【請求項２１】
前記試料が、ＰＲＯ５７２５ポリペプチドを含むと推測される細胞を含有する請求項２０に記載の方法。
【請求項２２】
前記細胞が癌細胞である請求項２１に記載の方法。
【請求項２３】
哺乳動物において腫瘍を診断する方法において、（ａ）哺乳動物から得た組織細胞の試験試料中、及び（ｂ）同じ細胞型の知られた正常組織細胞の対照試料中におけるＰＲＯ５７２５ポリペプチドをコードする遺伝子の発現レベルを検出することを含んでなり、対照試料に比較した試験試料における高いレベルが、当該試験組織細胞を得た哺乳動物における腫瘍の存在を示す方法。
【請求項２４】
哺乳動物において腫瘍を診断する方法において、（ａ）抗−ＰＲＯ５７２５抗体を哺乳動物から得た組織細胞の試験試料と接触させ、そして（ｂ）前記抗体と試験試料中のＰＲＯ５７２５ポリペプチドとの間の複合体の形成を検出することを含んでなり、複合体の形成が前記哺乳動物における腫瘍の存在を示す方法。
【請求項２５】
前記抗体が検出可能に標識された請求項２４に記載の方法。
【請求項２６】
前記組織細胞の試験試料が、腫瘍性細胞成長又は増殖を有すると推測される個体から得られる請求項２４に記載の方法。
【請求項２７】
抗−ＰＲＯ５７２５抗体及び担体を適切な包装内に含んでなる癌診断用キット。
【請求項２８】
前記抗体が、ＰＲＯ５７２５ポリペプチドを含有することが推測される試料中のそれらの存在を検出するために用いられるという説明書をさらに具備する請求項２７に記載のキット。
【請求項２９】
腫瘍細胞の成長の阻害剤であって、ＰＲＯ５７２５ポリペプチドの生物学的活性を阻害する薬剤の有効量を含んでなり、それによりＰＲＯ５７２５ポリペプチドを発現すると考えられる腫瘍細胞の成長を阻害する阻害剤。
【請求項３０】
前記腫瘍細胞が、同じ組織型の正常細胞に比較して前記ポリペプチドを過剰発現する請求項２９に記載の阻害剤。
【請求項３１】
前記薬剤が、抗−ＰＲＯ５７２５抗体である請求項２９又は３０に記載の阻害剤。
【請求項３２】
前記抗−ＰＲＯ５７２５抗体が細胞死を誘発する請求項３１に記載の阻害剤。
【請求項３３】
放射線処理、あるいは細胞毒性薬又は化学治療薬を用いた処理と組み合わせて使用される請求項２９ないし３２に記載の阻害剤。
【請求項３４】
腫瘍細胞の成長の阻害剤であって、ＰＲＯ５７２５ポリペプチドの発現を阻害する薬剤の有効量を含んでなり、それによりＰＲＯ５７２５ポリペプチドを発現すると考えられる腫瘍細胞の成長を阻害する阻害剤。
【請求項３５】
前記腫瘍細胞が、同じ組織型の正常細胞に比較して前記ポリペプチドを過剰発現する請求項３３又は３４に記載の阻害剤。
【請求項３６】
前記薬剤が、ＰＲＯ５７２５ポリペプチドをコードする核酸にハイブリッド形成するアンチセンスオリゴヌクレオチド、又はその補体である請求項３４に記載の阻害剤。
【請求項３７】
放射線処理、あるいは細胞毒性薬又は化学治療薬を用いた処理と組み合わせて使用される請求項３４ないし３６に記載の阻害剤。
【請求項３８】
容器；
当該容器上のラベル；及び
当該容器内に収容された活性剤を含有する組成物とを具備し、当該組成物が腫瘍細胞の成長を阻害するのに有効であり、容器上のラベルが当該組成物は前記腫瘍細胞中で同じ組織型の正常細胞に比較してＰＲＯ５７２５ポリペプチドの過剰発現を特徴とする状態の治療に有効であることを表示する製造品。
【請求項３９】
前記活性剤が、前記ＰＲＯ５７２５ポリペプチドの生物学的活性及び／又は発現を阻害する請求項３８に記載の製造品。
【請求項４０】
前記活性剤が抗−ＰＲＯ５７２５抗体である請求項３９に記載の製造品。
【請求項４１】
前記活性剤が、アンチセンスオリゴヌクレオチドである請求項３９に記載の製造品。
【請求項４２】
ＰＲＯ５７２５ポリペプチドの生物学的又は免疫学的活性を阻害する化合物を同定する方法において、候補化合物を前記ポリペプチドと、２つの成分が相互作用するのに十分な条件下及び時間に接触させ、前記ポリペプチドの生物学的又は免疫学的活性が阻害されるか否かを測定することを含んでなる方法。
【請求項４３】
前記候補化合物が、抗−ＰＲＯ５７２５抗体である請求項４２に記載の方法。
【請求項４４】
前記候補化合物又は前記ＰＲＯ５７２５ポリペプチドが固体支持体に固定化される請求項４２に記載の方法。
【請求項４５】
非固定化成分が検出可能に標識される請求項４４に記載の方法。
【請求項４６】
ＰＲＯ５７２５ポリペプチドの活性を阻害する化合物を同定する方法において、（ａ）細胞とスクリーニングすべき候補化合物とを、ＰＲＯ５７２５ポリペプチドの存在下で、前記ポリペプチドによって通常誘発される細胞性反応の誘発に適した条件下で接触させ、そして（ｂ）前記細胞性反応の誘発を測定して試験化合物が有効なアンタゴニストか否かを決定することを含んでなり、前記細胞性反応の誘発を欠くことが前記化合物が有効なアンタゴニストであることを示す方法。
【請求項４７】
ＰＲＯ５７２５ポリペプチドを発現する細胞で前記ポリペプチドの発現を阻害する化合物を同定する方法において、前記細胞を化合物と接触させ、前記ポリペプチドの発現が阻害されるか否かを測定することを含んでなる方法。
【請求項４８】
前記候補化合物がアンチセンスオリゴヌクレオチドである請求項４７に記載の方法。
【請求項４９】
Ｆｉｇ３８（配列番号：３８）に示すアミノ酸配列からなる群から選択されるアミノ酸配列をコードするヌクレオチド配列と少なくとも８０％の核酸配列同一性を持つ単離された核酸。
【請求項５０】
Ｆｉｇ３７（配列番号：３７）に示すヌクレオチド配列からなる群から選択されるヌクレオチド配列と少なくとも８０％の核酸配列同一性を持つ単離された核酸。
【請求項５１】
Ｆｉｇ３７（配列番号：３７）に示すヌクレオチド配列の全長コード化配列からなる群から選択されるヌクレオチド配列と少なくとも８０％の核酸配列同一性を持つ単離された核酸。
【請求項５２】
ＡＴＣＣ登録番号ＰＴＡ−２５６の下で寄託されたＤＮＡの全長コード化配列と少なくとも８０％の核酸配列同一性を持つ単離された核酸。
【請求項５３】
請求項４９から５２のいずれか一項に記載の核酸を含むベクター。
【請求項５４】
当該ベクターで形質転換された宿主細胞によって認識されるコントロール配列に作用可能に結合した請求項５３に記載のベクター。
【請求項５５】
請求項５３に記載のベクターを含む宿主細胞。
【請求項５６】
前記細胞がＣＨＯ細胞である請求項５５に記載の宿主細胞。
【請求項５７】
前記細胞が大腸菌である請求項５５に記載の宿主細胞。
【請求項５８】
前記細胞が酵母菌細胞である請求項５５に記載の宿主細胞。
【請求項５９】
前記細胞がバキュウロウイルス感染昆虫細胞である請求項５５に記載の宿主細胞。
【請求項６０】
ＰＲＯ５７２５ポリペプチドの製造方法において、請求項５５に記載の宿主細胞を前記ポリペプチドを発現させるのに十分な条件下で培養し、細胞培地から前記ポリペプチドを回収することを含んでなる方法。
【請求項６１】
Ｆｉｇ３８（配列番号：３８）に示すアミノ酸配列からなる群から選択されるアミノ酸配と少なくとも８０％のアミノ酸配列同一性を持つ単離されたポリペプチド。
【請求項６２】
Ｆｉｇ３８（配列番号：３８）に示すアミノ酸配列からなる群から選択されるアミノ酸配列と比較した場合、少なくとも８０％ポジティブのスコアをつけられる単離されたポリペプチド。
【請求項６３】
ＡＴＣＣ登録番号ＰＴＡ−２５６の下で寄託されたＤＮＡの全長コード化配列によってコードされるアミノ酸配列と少なくとも８０％のアミノ酸配列同一性を持つ単離されたポリペプチド。
【請求項６４】
異種アミノ酸配列に結合した請求項６１から６３のいずれか一項に記載のポリペプチドを含んでなるキメラ分子。
【請求項６５】
異種アミノ酸配列がエピトープタグ配列である請求項６４に記載のキメラ分子。
【請求項６６】
異種アミノ酸配列が免疫グロブリンのＦｃ領域である請求項６４に記載のキメラ分子。
【請求項６７】
請求項６１から６３のいずれか一項に記載のポリペプチドに特異的に結合する抗体。
【請求項６８】
前記抗体がモノクローナル抗体、ヒト化抗体又は一本鎖抗体である請求項６７に記載の抗体。
【請求項６９】
（ａ）Ｆｉｇ３８（配列番号：３８）に示すポリペプチドであって付随するシグナルペプチドを欠くものをコードするヌクレオチド配列；
（ｂ）Ｆｉｇ３８（配列番号：３８）に示すポリペプチドの細胞外ドメインであってそれに付随するシグナルペプチドを持つものをコードするヌクレオチド配列；又は
（ｃ）Ｆｉｇ３８（配列番号：３８）に示すポリペプチドの細胞外ドメインであってそれに付随するシグナルペプチドを欠くものをコードするヌクレオチド配列
と少なくとも８０％の核酸配列同一性を持つ単離された核酸。
【請求項７０】
（ａ）Ｆｉｇ３８（配列番号：３８）に示すポリペプチドであって付随するシグナルペプチドを欠くもの；
（ｂ）Ｆｉｇ３８（配列番号：３８）に示すポリペプチドの細胞外ドメインであってそれに付随するシグナルペプチドを持つもの；又は
（ｃ）Ｆｉｇ３８（配列番号：３８）に示すポリペプチドの細胞外ドメインであってそれに付随するシグナルペプチドを欠くもの
と少なくとも８０％のアミノ酸配列同一性を持つ単離されたポリペプチド。
【発明の詳細な説明】
【０００１】
（発明の分野）
本発明は、腫瘍の診断及び治療のための組成物及び方法に関する。
【０００２】
（発明の背景）
悪性腫瘍（癌）は、米国において心臓疾患に続き第２の主要な死亡原因である（Ｂｏｒｉｎｇ等，  ＣＡ  Ｃａｎｃｅｌ  Ｊ．  Ｃｌｉｎ．，  ４３：  ７  ［１９９３］）。
癌は、正常な組織から誘導されて腫瘍実体を形成する異常な、又は腫瘍形成性の細胞数の増加、これらの腫瘍形成性腫瘍細胞による隣接組織の侵襲、及び最終的に血液やリンパ系を介して局所のリンパ節及び離間部位に拡散（転移）する悪性細胞の生成を特徴とする。癌性状態においては、正常細胞が成長しない条件下で細胞が増殖する。癌自体は、異なる侵襲及び攻撃性の程度で特徴付けられる広範な種々の形態で顕現する。
遺伝子発現の交互変化は制御不能な細胞成長及び脱分化に強く関連しており、全ての癌に共通する特徴である。或る種の良く研究されたゲノムが、通常は腫瘍抑制遺伝子と呼ばれ、正常には悪性細胞成長又は或る種の優性遺伝子、例えば悪性成長を促進する用に作用するオンコジーンの過剰発現を防止するように作用する劣性遺伝子発現の現象を示すことが見出された。これらの遺伝子変化は、凝集して十分な腫瘍形成性フェノタイプを示す形質の幾つかが移入される原因であることが明らかとなった（Ｈｕｎｔｅｒ，  Ｃｅｌｌ  ６４：  １１２９  ［１９９１］；  Ｂｉｓｈｏｐ，  Ｃｅｌｌ  ６４：  ２３５−２４８  ［１９９１］）。
【０００３】
癌細胞における遺伝子（例えばオンコジーン）過剰発現の良く知られたメカニズムは遺伝子増幅である。これは、祖先細胞の染色体において特定遺伝子の多重コピーが生成されるプロセスである。このプロセスは、遺伝子を含む染色体の領域の計画性のない複製、次いで複製されたセグメントが染色体へ戻る再組換えを含む（Ａｌｉｔａｌｏ等，  Ａｄｖ．  Ｃａｎｃｅｒ  Ｒｅｓ．  ４７：  ２３５−２８１  ［１９８６］）。遺伝子増幅に平行する遺伝子の過剰発現は、即ち作成されるコピーの数に比例すると考えられている。
成長因子及び成長因子レセプターをコードするプロトオンコジーンは、乳癌を含む、様々なヒトの悪性腫瘍の原因に重要な役割を担っていることが確認されている。例えば、表皮成長因子レセプター（ＥＧＦＲ）に関連した１８５−ｋｄの膜貫通糖タンパク質レセプター（ｐ１８５ＨＥＲ２、ＨＥＲ２）をコードするヒトＥｒｂＢ２遺伝子（ｅｒｂＢ２、ｈｅｒ２としても知られている、又はｃ−ｅｒｂＢ−２）は、ヒトの乳癌の約２５％〜３０％で過剰発現されていることが見出されている（Ｓｌａｍｏｎ等，  Ｓｃｉｅｎｃｅ  ２３５：１７７−１８２［１９８７］；Ｓｌａｍｏｎ等，  Ｓｃｉｅｎｃｅ  ２４４：７０７−７１２［１９８９］）。
【０００４】
プロトオンコジーンの遺伝子増幅は、典型的には癌のより悪性の形態に含まれる事象であり、臨床的結果の予言者として作用しうることが報告されている（Ｓｃｈｗａｂ等，  Ｇｅｎｅｓ  Ｃｈｒｏｍｏｓｏｍｅ  Ｃａｎｃｅｒ  １，  １８１−１９３  ［１９９０］；  Ａｌｉｔａｌｏ等，  上掲）。即ち、ｅｒｂＢ２の過剰発現は、特に腋窩のリンパ節を含む一次疾患を持つ患者において、不完全な予後の前兆と共通して見なされており（Ｓｌａｍｏｎ等，  ［１９８７］及び［１９８９］，  上掲；  Ｒａｖｄｉｎ及びＣｈａｍｎｅｓｓ，  Ｇｅｎｅ  １５９：  １９−２７  ［１９９５］；  及びＨｙｎｅｓ及びＳｔｅｒｎ，  Ｂｉｏｃｈｅｍ  Ｂｉｏｐｈｙｓ  Ａｃｔａ  １１９８：  １６５−１８４  ［１９９４］）、ホルモン療法及びＣＭＦ（シクロホスファミド、メトトレキセート、及びフルオロウラシル）を含む化学治療薬に対する感受性又は耐性と関連付けられていた（Ｂａｓｅｌｇａ等，  Ｏｎｃｏｌｏｇｙ  １１  （３  Ｓｕｐｐｌ  １）：  ４３−４８  ［１９９７］）。しかしながら、ｅｒｂＢ２過剰発現と不完全な予後との関連にも関わらず、ＨＥＲ２−ポジティブな患者のタキサンでの処理に臨床的に反応する可能性は、ＨＥＲ２−ネガティブ患者の３倍も大きかった（上掲）。組換えヒト化抗−ＥｒｂＢ２（抗−ＨＥＲ２）モノクローナル抗体（マウス抗−ＥｒｂＢ２抗体４Ｄ５のヒト化型、ｒｈｕＭＡｂ  ＨＥＲ２又はＨｅｒｃｅｐｔｉｎ（商品名）と呼ばれる）は、広範な従来の抗癌治療を受けたＥｒｂＢ２を過剰発現する転移性乳癌を持つ患者で臨床的に活性である。（Ｂａｓｅｌｇａ等，  Ｊ．  Ｃｌｉｎ．  Ｏｎｃｏｌ．  １４：  ７３７−７４４［１９９６］）。
上記に照らして遺伝子増幅に関連する腫瘍の診断及び治療に有用な新規な方法及び組成物を同定することに明らかな興味がある。
【０００５】
（発明の概要）
１．  実施態様
本発明は、ヒトを含む哺乳動物における腫瘍細胞成長及び増殖の診断及び治療のための組成物及び方法に関する。本発明は、腫瘍細胞のゲノムにおいて増幅される遺伝子の同定に基づく。このような遺伝子増幅は、遺伝子産物の同じ組織型の正常細胞と比較して過剰な発現に関連し、腫瘍形成に寄与すると予測される。従って、増幅された遺伝子にコードされるタンパク質は、或る種の癌の診断及び治療（予防を含む）に有用であると考えられ、腫瘍治療の予後の予言者として作用する。
一実施態様では、本発明は、ここでＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドと命名されるポリペプチドに結合する単離された抗体に関する。一態様では、単離された抗体は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドに特異的に結合する。他の態様では、これらの抗体は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドを発現する細胞の死を誘発する。多くの場合、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドを発現する細胞は、当該ポリペプチドを同じ組織型の正常細胞に比較して過剰に発現する腫瘍細胞である。さらに他の態様では、抗体はモノクローナル抗体であり、それは好ましくは非ヒトの相補性決定領域（ＣＤＲ）及びヒトフレームワーク領域（ＦＲ）残基を有する。抗体は、標識されていても固体支持体上に固定化されていてもよい。さらに他の態様では、抗体は抗体断片、一本鎖抗体、又はヒト化抗体であって、好ましくはＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドに特異的に結合する。
【０００６】
他の実施態様では、本発明は、製薬的に許容される担体と混合された、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドに、好ましくは特異的に、結合する抗体を含む物質の組成物に関する。一態様では、この物質の組成物は治療的有効量の抗体を含有する。他の態様では、この組成物は、更なる活性成分を含有し、それらは、例えば更なる抗体又は細胞毒性又は化学治療薬であってよい。好ましくは、この組成物は無菌である。
さらなる実施態様では、本発明は、抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ２０６、抗−ＰＲＯ２６４、抗−ＰＲＯ３１３、抗−ＰＲＯ３４２、抗−ＰＲＯ５４２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体をコードする単離された核酸分子、及びそのような核酸分子を含むベクター及び組換え宿主細胞に関する。
またさらなる実施態様では、本発明は抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ２０６、抗−ＰＲＯ２６４、抗−ＰＲＯ３１３、抗−ＰＲＯ３４２、抗−ＰＲＯ５４２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体の製造方法に関し、当該方法は、その抗体をコードする核酸分子で形質転換した宿主細胞を当該抗体を発現させるのに十分な条件下で培養し、細胞培地から抗体を回収することを含んでなる。
さらに本発明は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの生物学的及び／又は免疫学的機能又は活性の一又は複数を阻害するＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドのアンタゴニストに関する。
【０００７】
さらなる実施態様では、本発明は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチド、又はその補体をコードする核酸配列にハイブリッド形成する単離された核酸分子に関する。単離された核酸分子は、好ましくはＤＮＡであり、ハイブリッド形成は好ましくは緊縮性ハイブリッド形成及び洗浄条件下で起こる。このような核酸分子は、ここで同定される増幅された遺伝子のアンチセンス分子として作用でき、また翻って各増幅遺伝子の転写及び／又は翻訳の変調において、又は増幅反応におけるアンチセンスプライマーとしての用途が見出される。さらに、このような配列は、リボザイム（ｒｉｂｏｚｙｍｅ）及び／又は三重螺旋配列の一部として使用することができ、それは翻って増幅遺伝子の調節において使用してもよい。
他の実施態様では、本発明は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドを含有すると推測される試料中でＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの存在を測定する方法を提供し、当該方法は、当該試料を抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ２０６、抗−ＰＲＯ２６４、抗−ＰＲＯ３１３、抗−ＰＲＯ３４２、抗−ＰＲＯ５４２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体に暴露し、当該抗体の試料中のＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドへの結合を測定することを含んでなる。他の実施態様では、本発明は、細胞中でのＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの存在を測定する方法を提供し、当該方法は、当該細胞を抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ２０６、抗−ＰＲＯ２６４、抗−ＰＲＯ３１３、抗−ＰＲＯ３４２、抗−ＰＲＯ５４２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体に接触させ、抗体の細胞への結合を測定することを含んでなる。
【０００８】
さらに他の実施態様では、本発明は、哺乳動物において腫瘍を診断する方法に関し、（ａ）哺乳動物から得た組織細胞の試験試料中、及び（ｂ）同じ細胞型の知られた正常組織細胞の対照試料中におけるＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドをコードする遺伝子の発現レベルを検出することを含んでなり、対照試料に比較した試験試料における高いレベルが、当該試験組織細胞を得た哺乳動物における腫瘍の存在を示す。
他の実施態様では、本発明は、哺乳動物において腫瘍を診断する方法に関し、（ａ）抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体を哺乳動物から得た組織細胞の試験試料と接触させ、そして（ｂ）抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体と試験試料中のＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドとの間の複合体の形成を検出することを含んでなり、複合体の形成が前記哺乳動物における腫瘍の存在を示す。測定は定性的でも定量的でもよく、同じ細胞型の知られた正常組織細胞の対照試料における複合体形成の監視と比較して実施してもよい。試験試料中の複合体形成量の増加が、試験試料を得た哺乳動物における腫瘍の存在を示す。抗体は、好ましくは検出可能な標識を担持する。複合体形成は、例えば、光学顕微鏡、フローサイトメトリー、蛍光定量法、又はこの分野で公知の他の技術によって監視できる。
試験試料は通常、腫瘍性細胞成長又は増殖（例えば癌性細胞）を有すると推測される個体から得る。
【０００９】
他の実施態様では、本発明は、抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体及び担体（例えばバッファー）を適切な包装内に含んでなる癌診断用キットに関する。このキットは、好ましくは当該抗体が、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０を含有することが推測される試料中のそれらの存在をを検出するために用いられるという説明書を具備する。
さらに他の実施態様では、本発明は腫瘍細胞の成長を阻害する方法に関し、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドを発現する腫瘍細胞を、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの生物学的及び／又は免疫学的活性及び／又は発現を阻害する薬剤の有効量に暴露することを含んでなり、それにより当該腫瘍細胞の成長が阻害される。この薬剤は、好ましくは抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体、小さな有機及び無機分子、ペプチド、リンペプチド、アンチセンス又はリボザイム分子、又は三重螺旋分子である。特別な態様では、薬剤、例えば抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体は細胞死を誘発する。さらなる態様では、腫瘍細胞には、放射線処理、細胞毒性薬又は化学治療薬がさらに施される。
【００１０】
さらなる実施態様では、本発明は、
容器；
当該容器上のラベル；及び
当該容器内に収容された活性剤を含有する組成物とを具備し、当該組成物が腫瘍細胞の成長を阻害するのに有効であり、容器上のラベルが当該組成物は前記腫瘍細胞中で同じ組織型の正常細胞に比較してＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの過剰発現を特徴とする状態の治療に有効であることを表示する製造品に関する。特別な態様では、組成物中の活性剤は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの活性及び／又は発現を阻害する薬剤である。好ましい態様では、活性剤は抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体又はアンチセンスオリゴヌクレオチドである。
【００１１】
また本発明は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの生物学的又は免疫学的活性を阻害する化合物を同定する方法を提供し、候補化合物をＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドと、２つの成分が相互作用するのに十分な条件下及び時間で接触させ、前記ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの生物学的及び／又は免疫学的活性が阻害されるか否かを測定することを含んでなる。特別な態様では、候補化合物又はＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドのいずれかが固体支持体上に固定化される。他の態様では、非固定化成分が検出可能な標識を担持している。好ましい態様では、この方法は、（ａ）細胞とスクリーニングすべき候補化合物とを、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの存在下で、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドによって通常誘発される細胞性反応の誘発に適した条件下で接触させ、そして（ｂ）前記細胞性反応の誘発を測定して試験化合物が有効なアンタゴニストか否かを決定することを含んでなる。
他の実施態様では、本発明はＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドを発現する細胞で前記ポリペプチドの発現を阻害する化合物を同定する方法を提供し、当該方法は、細胞を候補化合物と接触させ、前記ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの発現が阻害されるか否かを測定することを含んでなる。好ましい態様では、この方法は、（ａ）細胞とスクリーニングすべき候補化合物とを、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの発現に適した条件下でで接触させ、（ｂ）前記ポリペプチド発現の阻害を測定する工程を具備する。
【００１２】
Ｂ．  さらなる実施態様
本発明の他の実施態様では、当該発明は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドをコードする核酸配列を含む単離された核酸分子を提供する。
一態様では、単離された核酸分子は、（ａ）ここに開示する全長アミノ酸配列、ここに開示するシグナルペプチドを欠くアミノ酸配列、ここに開示するシグナルペプチド有又は無の膜貫通タンパク質の細胞外ドメイン、又はここに開示する全長アミノ酸配列の特に同定された他の断片を持つＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドをコードするＤＮＡ分子、又は（ｂ）（ａ）のＤＮＡ分子の補体に対して、少なくとも約８０％の配列同一性、好ましくは少なくとも約８１％の配列同一性、より好ましくは少なくとも約８２％の配列同一性、より好ましくは少なくとも約８３％の配列同一性、より好ましくは少なくとも約８４％の配列同一性、より好ましくは少なくとも約８５％の配列同一性、より好ましくは少なくとも約８６％の配列同一性、より好ましくは少なくとも約８７％の配列同一性、より好ましくは少なくとも約８８％の配列同一性、より好ましくは少なくとも約８９％の配列同一性、より好ましくは少なくとも約９０％の配列同一性、より好ましくは少なくとも約９１％の配列同一性、より好ましくは少なくとも約９２％の配列同一性、より好ましくは少なくとも約９３％の配列同一性、より好ましくは少なくとも約９４％の配列同一性、より好ましくは少なくとも約９５％の配列同一性、より好ましくは少なくとも約９６％の配列同一性、より好ましくは少なくとも約９７％の配列同一性、より好ましくは少なくとも約９８％の配列同一性、そして、より好ましくは少なくとも約９９％の配列同一性を有するヌクレオチド配列を含む。
【００１３】
他の態様では、単離された核酸分子は、（ａ）ここに開示する全長ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドｃＤＮＡコード化配列、ここに開示するシグナルペプチドを欠くＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドのコード化配列、ここに開示するシグナルペプチド有又は無の膜貫通ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの細胞外ドメインのコード化配列、又はここに開示する全長アミノ酸配列の特に同定された他の断片のコード化配列を持つＤＮＡ分子、又は（ｂ）（ａ）のＤＮＡ分子の補体に対して、少なくとも約８０％の配列同一性、好ましくは少なくとも約８１％の配列同一性、より好ましくは少なくとも約８２％の配列同一性、より好ましくは少なくとも約８３％の配列同一性、より好ましくは少なくとも約８４％の配列同一性、より好ましくは少なくとも約８５％の配列同一性、より好ましくは少なくとも約８６％の配列同一性、より好ましくは少なくとも約８７％の配列同一性、より好ましくは少なくとも約８８％の配列同一性、より好ましくは少なくとも約８９％の配列同一性、より好ましくは少なくとも約９０％の配列同一性、より好ましくは少なくとも約９１％の配列同一性、より好ましくは少なくとも約９２％の配列同一性、より好ましくは少なくとも約９３％の配列同一性、より好ましくは少なくとも約９４％の配列同一性、より好ましくは少なくとも約９５％の配列同一性、より好ましくは少なくとも約９６％の配列同一性、より好ましくは少なくとも約９７％の配列同一性、より好ましくは少なくとも約９８％の配列同一性、そして、より好ましくは少なくとも約９９％の配列同一性を有するヌクレオチド配列を含む。
【００１４】
さらなる態様では、本発明は（ａ）ここに開示するＡＴＣＣに寄託されたヒトタンパク質ｃＤＮＡの任意のものにコードされるのと同じ成熟ポリペプチドをコードするＤＮＡ分子、又は（ｂ）（ａ）のＤＮＡ分子の補体に対して、少なくとも約８０％の配列同一性、好ましくは少なくとも約８１％の配列同一性、より好ましくは少なくとも約８２％の配列同一性、より好ましくは少なくとも約８３％の配列同一性、より好ましくは少なくとも約８４％の配列同一性、より好ましくは少なくとも約８５％の配列同一性、より好ましくは少なくとも約８６％の配列同一性、より好ましくは少なくとも約８７％の配列同一性、より好ましくは少なくとも約８８％の配列同一性、より好ましくは少なくとも約８９％の配列同一性、より好ましくは少なくとも約９０％の配列同一性、より好ましくは少なくとも約９１％の配列同一性、より好ましくは少なくとも約９２％の配列同一性、より好ましくは少なくとも約９３％の配列同一性、より好ましくは少なくとも約９４％の配列同一性、より好ましくは少なくとも約９５％の配列同一性、より好ましくは少なくとも約９６％の配列同一性、より好ましくは少なくとも約９７％の配列同一性、より好ましくは少なくとも約９８％の配列同一性、そして、より好ましくは少なくとも約９９％の配列同一性を有するヌクレオチド配列を含む単離された核酸分子に関する。
本発明の他の態様は、膜貫通ドメインが欠失しているか又は膜貫通ドメインが不活性化されているＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドをコードするヌクレオチド配列、又はそのようなコード化ヌクレオチド配列に相補的なヌクレオチド配列を含む単離された核酸分子を提供し、そのようなポリペプチドの膜貫通ドメインはここに開示される。従って、ここに記載されるＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの可溶性細胞外ドメインが考慮される。
【００１５】
他の実施態様はＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドコード化配列の断片、又はその補体に向けられ、それらは、例えば、場合によっては抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ２０６、抗−ＰＲＯ２６４、抗−ＰＲＯ３１３、抗−ＰＲＯ３４２、抗−ＰＲＯ５４２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体に対する結合部位を含むポリペプチドをコードしてもよいＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドのコード化断片のハイブリッド形成プローブとして、又はアンチセンスオリゴヌクレオチドプローブとしての用途が見いだされる。このような核酸断片は、通常は少なくとも約２０ヌクレオチド長、好ましくは少なくとも約３０ヌクレオチド長、より好ましくは少なくとも約４０ヌクレオチド長、より好ましくは少なくとも約５０ヌクレオチド長、より好ましくは少なくとも約６０ヌクレオチド長、より好ましくは少なくとも約７０ヌクレオチド長、より好ましくは少なくとも約８０ヌクレオチド長、より好ましくは少なくとも約９０ヌクレオチド長、より好ましくは少なくとも約１００ヌクレオチド長、より好ましくは少なくとも約１１０ヌクレオチド長、より好ましくは少なくとも約１２０ヌクレオチド長、より好ましくは少なくとも約１３０ヌクレオチド長、より好ましくは少なくとも約１４０ヌクレオチド長、より好ましくは少なくとも約１５０ヌクレオチド長、より好ましくは少なくとも約１６０ヌクレオチド長、より好ましくは少なくとも約１７０ヌクレオチド長、より好ましくは少なくとも約１８０ヌクレオチド長、より好ましくは少なくとも約１９０ヌクレオチド長、より好ましくは少なくとも約２００ヌクレオチド長、より好ましくは少なくとも約２５０ヌクレオチド長、より好ましくは少なくとも約３００ヌクレオチド長、より好ましくは少なくとも約３５０ヌクレオチド長、より好ましくは少なくとも約４００ヌクレオチド長、より好ましくは少なくとも約４５０ヌクレオチド長、より好ましくは少なくとも約５００ヌクレオチド長、より好ましくは少なくとも約６００ヌクレオチド長、より好ましくは少なくとも約７００ヌクレオチド長、より好ましくは少なくとも約８００ヌクレオチド長、より好ましくは少なくとも約９００ヌクレオチド長、より好ましくは少なくとも約１０００ヌクレオチド長であり、ここで「約」という語の内容は参照する長さのプラス又はマイナス１０％のヌクレオチド配列長を指すことを意味する。ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドコード化ヌクレオチド配列の新規な断片は、多くの良く知られた配列アラインメントプログラムの任意のものを用いてＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドコード化ヌクレオチド配列と他の公知のヌクレオチド配列とを整列させ、いずれのＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドコード化ヌクレオチド配列断片が新規であるかを決定することにより、日常的な手法で同定してもよい。このようなＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドコード化ヌクレオチド配列は全てここで考慮される。また、これらのヌクレオチド分子断片、好ましくは抗−ＰＲＯ６５５、抗−ＰＲＯ３６４又は抗−ＰＲＯ３４４抗体に対する結合部位を含むＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチド断片によってコードされるＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチド断片、好ましくは抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ２０６、抗−ＰＲＯ２６４、抗−ＰＲＯ３１３、抗−ＰＲＯ３４２、抗−ＰＲＯ５４２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体に対する結合部位を含むＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチド断片も考慮される。
【００１６】
他の実施態様では、本発明は、上記で特定された単離された核酸配列の任意のものにコードされる単離されたＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドを提供する。
或る態様では、本発明は、ここに開示する全長アミノ酸配列、ここに開示するシグナルペプチドを欠くアミノ酸配列、ここに開示するシグナルペプチド有又は無の膜貫通タンパク質の細胞外ドメイン、又はここに開示する全長アミノ酸配列の特に同定された他の断片を持つＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドに対して少なくとも約８０％の配列同一性、好ましくは少なくとも約８１％の配列同一性、より好ましくは少なくとも約８２％の配列同一性、より好ましくは少なくとも約８３％の配列同一性、より好ましくは少なくとも約８４％の配列同一性、より好ましくは少なくとも約８５％の配列同一性、より好ましくは少なくとも約８６％の配列同一性、より好ましくは少なくとも約８７％の配列同一性、より好ましくは少なくとも約８８％の配列同一性、より好ましくは少なくとも約８９％の配列同一性、より好ましくは少なくとも約９０％の配列同一性、より好ましくは少なくとも約９１％の配列同一性、より好ましくは少なくとも約９２％の配列同一性、より好ましくは少なくとも約９３％の配列同一性、より好ましくは少なくとも約９４％の配列同一性、より好ましくは少なくとも約９５％の配列同一性、より好ましくは少なくとも約９６％の配列同一性、より好ましくは少なくとも約９７％の配列同一性、より好ましくは少なくとも約９８％の配列同一性、そして、より好ましくは少なくとも約９９％の配列同一性を有するアミノ酸配列を含む単離されたＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドに関する。
【００１７】
さらなる態様では、本発明は、ここに開示するＡＴＣＣに寄託されたヒトタンパク質ｃＤＮＡの任意のものにコードされるアミノ酸配列に対して少なくとも約８０％の配列同一性、好ましくは少なくとも約８１％の配列同一性、より好ましくは少なくとも約８２％の配列同一性、より好ましくは少なくとも約８３％の配列同一性、より好ましくは少なくとも約８４％の配列同一性、より好ましくは少なくとも約８５％の配列同一性、より好ましくは少なくとも約８６％の配列同一性、より好ましくは少なくとも約８７％の配列同一性、より好ましくは少なくとも約８８％の配列同一性、より好ましくは少なくとも約８９％の配列同一性、より好ましくは少なくとも約９０％の配列同一性、より好ましくは少なくとも約９１％の配列同一性、より好ましくは少なくとも約９２％の配列同一性、より好ましくは少なくとも約９３％の配列同一性、より好ましくは少なくとも約９４％の配列同一性、より好ましくは少なくとも約９５％の配列同一性、より好ましくは少なくとも約９６％の配列同一性、より好ましくは少なくとも約９７％の配列同一性、より好ましくは少なくとも約９８％の配列同一性、そして、より好ましくは少なくとも約９９％の配列同一性を有するアミノ酸配列を含む単離されたＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドに関する。
【００１８】
さらなる態様では、本発明は、ここに開示する全長アミノ酸配列、ここに開示するシグナルペプチドを欠くアミノ酸配列、ここに開示するシグナルペプチド有又は無の膜貫通タンパク質の細胞外ドメイン、又はここに開示する全長アミノ酸配列の特に同定された他の断片を持つＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドと比較したときに、少なくとも約８０％ポジティブ、好ましくは少なくとも約８１％ポジティブ、より好ましくは少なくとも約８２％ポジティブ、より好ましくは少なくとも約８３％ポジティブ、より好ましくは少なくとも約８４％ポジティブ、より好ましくは少なくとも約８５％ポジティブ、より好ましくは少なくとも約８６％ポジティブ、より好ましくは少なくとも約８７％ポジティブ、より好ましくは少なくとも約８８％ポジティブ、より好ましくは少なくとも約８９％ポジティブ、より好ましくは少なくとも約９０％ポジティブ、より好ましくは少なくとも約９１％ポジティブ、より好ましくは少なくとも約９２％ポジティブ、より好ましくは少なくとも約９３％ポジティブ、より好ましくは少なくとも約９４％ポジティブ、より好ましくは少なくとも約９５％ポジティブ、より好ましくは少なくとも約９６％ポジティブ、より好ましくは少なくとも約９７％ポジティブ、より好ましくは少なくとも約９８％ポジティブ、そして、より好ましくは少なくとも約９９％ポジティブのスコアとされるアミノ酸配列を含む単離されたＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドに関する。
【００１９】
特別な実施態様では、本発明は、Ｎ−末端シグナル配列及び／又は開始メチオニンを持たず、上記したようなアミノ酸配列をコードするヌクレオチド配列によってコードされる単離されたＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドを提供する。それらを製造する方法もここに記載され、それらの方法は、適当なコード化核酸分子を含むベクターを含む宿主細胞をＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの発現に適した条件下で培養し、培養培地からＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドを回収することを含む。
本発明の他の態様は、膜貫通ドメインの欠失した又は膜貫通ドメインが不活性化された、単離されたＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドを提供する。それらを製造する方法もここに記載され、それらの方法は、適当なコード化核酸分子を含むベクターを含む宿主細胞をＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの発現に適した条件下で培養し、培養培地からＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドを回収することを含む。
【００２０】
さらに他の実施態様では、本発明は、ここで同定される天然ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドのアゴニストに関する。特別な実施態様では、アゴニストは抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ２０６、抗−ＰＲＯ２６４、抗−ＰＲＯ３１３、抗−ＰＲＯ３４２、抗−ＰＲＯ５４２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体又は小分子である。
さらなる実施態様では、本発明は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドのアゴニストを同定する方法に関し、それは、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドを候補分子と接触させ、前記ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドによって媒介される生物学的活性を監視することを含む。好ましくは、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドは天然ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドである。
【００２１】
さらに他の実施態様では、本発明は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチド、又はここに記載するＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドのアンタゴニスト、又は抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ２０６、抗−ＰＲＯ２６４、抗−ＰＲＯ３１３、抗−ＰＲＯ３４２、抗−ＰＲＯ５４２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体を、担体と組み合わせて含有する物質の組成物に関する。場合によっては、担体は製薬的に許容される担体である。
本発明の他の実施態様は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチド、又は上記したようなそのアンタゴニスト、又は抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ２０６、抗−ＰＲＯ２６４、抗−ＰＲＯ３１３、抗−ＰＲＯ３４２、抗−ＰＲＯ５４２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体の、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチド、そのアンタゴニスト又は抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ２０６、抗−ＰＲＯ２６４、抗−ＰＲＯ３１３、抗−ＰＲＯ３４２、抗−ＰＲＯ５４２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体に起因する状態の治療において有用な医薬の調製のための使用に向けられる。
【００２２】
本発明の他の実施態様では、本発明は、ここに記載するポリペプチドの任意のものをコードするＤＮＡを含むベクターを提供する。そのようなベクターの任意のものを含む宿主細胞も提供される。例として、宿主細胞はＣＨＯ細胞、大腸菌、又はバキュウロウイルス感染昆虫細胞であってよい。ここに記載する任意のポリペプチドの製造方法がさらに提供され、それは、宿主細胞を所望のポリペプチドの発現に適した条件下で培養し、細胞培地から所望のポリペプチドを回収することを含む。
他の実施態様では、本発明は、異種ポリペプチド又はアミノ酸配列に融合した、ここに記載する任意のポリペプチドを含んでなるキメラ分子を提供する。そのようなキメラ分子の例は、エピトープタグ配列又は免疫グロブリンのＦｃ領域に融合したここに記載の任意のポリペプチドを含む。
他の実施態様では、本発明は、上記又は下記のポリペプチドの任意のものに特異的に結合する抗体を提供する。場合によっては、抗体はモノクローナル抗体、ヒト化抗体、抗体断片又は一本鎖抗体である。
さらに他の実施態様では、本発明は、ゲノム及びｃＤＮＡヌクレオチド配列又はアンチセンスプローブの単離に有用なオリゴヌクレオチドプローブを提供し、それらのプローブは上記又は下記のヌクレオチド配列の任意のものから誘導されうる。
【００２３】
（好適な実施態様の詳細な説明）
Ｉ．定義
「遺伝子増幅」及び「遺伝子複製」なる語句は交換可能に用いられ、遺伝子又は遺伝子断片の複数のコピーが特定の細胞又は細胞系で生成されるプロセスを意味する。複製された領域（増幅されたＤＮＡの伸展）は、しばしば「単位複製配列」と呼ばれる。通常は、生成されるメッセンジャーＲＮＡ（ｍＲＮＡ）の量、即ち遺伝子発現レベルも、発現された特定遺伝子の作成されたコピー数に比例して増加する。
ここで用いられる「腫瘍」は、悪性又は良性に関わらず、全ての腫瘍形成細胞成長及び増殖、及び全ての前癌性及び癌性細胞及び組織を意味する。
「癌」及び「癌性」という用語は、典型的には調節されない細胞成長を特徴とする、哺乳動物における生理学的状態を指すか記述する。癌の例には、これらに限定されるものではないが、腺癌、リンパ腫、芽細胞腫、肉腫、及び白血病が含まれる。このような癌のより特定の例には、乳癌、前立腺癌、大腸癌、扁平上皮細胞癌、小細胞肺癌、非小細胞肺癌、胃腸癌、膵臓癌、神経膠芽細胞腫、子宮頸管癌、卵巣癌、肝臓癌、膀胱癌、肝細胞腫、結腸直腸癌、子宮体癌、唾液腺癌、腎臓癌、肝臓癌、産卵口癌、甲状腺癌、肝癌及び様々な種類の頭部及び頸部の癌が含まれる。
「治療」とは、疾患の病理の進展阻止又は変更の本発明で実施される介入である。従って、「治療」は治療的処置及び予防的又は保護的手段の両方を指す。治療が必要なものは、既に疾患に罹っているもの並びに疾患が防止されるべきものを含む。腫瘍（例えば、癌）治療では、治療薬は直接的に腫瘍細胞の病理を低下させてもよいし、又は腫瘍細胞を他の治療媒介物、例えば放射線及び／又は化学治療に対してより敏感にしてもよい。
癌の「病理」は、患者の良好な生存を危うくさせる全ての現象を含む。これは、限定されるものではないが、異常又は制御不能な細胞成長、転移、隣接細胞の正常機能の阻害、サイトカイン又は他の分泌生成物の異常レベルでの放出、炎症又は免疫反応の抑制又は悪化などを含む。
【００２４】
治療の目的とされる「哺乳動物」は、哺乳類に分類される任意の動物を意味し、ヒト、家畜用及び農場用動物、動物園、スポーツ、又はペット動物、例えばイヌ、ウマ、ネコ、ウシ、ブタ、ヒツジなどを含む。好ましくは、哺乳動物はヒトである。
ここで用いられる「担体」は製薬的に許容される担体、賦形剤、又は安定化剤を含み、それらは、用いられる用量及び濃度でそれに暴露される細胞又は哺乳動物に対して非毒性である。生理学的に許容される担体は、ｐＨ緩衝水溶液であることが多い。生理学的に許容される担体の例は、リン酸塩、クエン酸塩、及び他の有機酸バッファー；アスコルビン酸を含む酸化防止剤；低分子量（約１０残基未満）のポリペプチド；タンパク質、例えば血清アルブミン、ゼラチン、または免疫グロブリン；ポリビニルピロリドン等の親水性ポリマー、グリシン、グルタミン、アスパラギン、アルギニン又はリジン等のアミノ酸；グルコース、マンノース又はデキストラン等の単糖類、二糖類及び他の炭水化物；ＥＤＴＡ等のキレート化剤；マンニトール又はソルビトール等の糖アルコール；ナトリウム等の自己形成対イオン；及び／又はＴＷＥＥＮ（商品名）、ポリエチレングリコール（ＰＥＧ）、及びＰＬＵＲＯＮＩＣＳ（商品名）等の非イオン性界面活性剤を含む。
一又は複数のさらなる治療薬「と組み合わせて」の投与は、同時（一時）及び任意の順序での連続投与を含む。
ここで用いられる「細胞毒性薬」なる用語は、細胞の機能を阻害又は抑制する及び／又は細胞破壊を生ずる物質を意味する。この用語は、放射性同位体（例えば、Ｉ１３１、Ｉ１２５、Ｙ９０及びＲｅ１８６）、化学治療薬、及び細菌、真菌、植物又は動物由来の酵素的活性毒素といった毒素、又はその断片を含むとされる。
【００２５】
「化学治療薬」は、癌の治療に有用な化合物である。化学治療薬の例は、アドリアマイシン、ドキソルビシン、エピルビシン、５−フルオロウラシル、シトシンアラビノシド（「Ａｒａ−Ｃ」）、シクロホスファミド、チオテパ、ブスルファン、サイトキシン、タキソイド、例えばパクリタキセル（Ｔａｘｏｌ（商品名），  Ｂｒｉｓｔｏｌ−Ｍｙｅｒｓ  Ｓｑｕｉｂｂ  Ｏｎｃｏｌｏｇｙ，  Ｐｒｉｎｃｅｔｏｎ，  ＮＪ）及びドキセタキセル（Ｔａｘｏｔｅｒｅ（商品名），  Ｒｈｏｎｅ−Ｐｏｕｌｅｎｃ  Ｒｏｒｅｒ，  Ａｎｔｏｎｙ，  Ｆｒａｎｃｅ）、トキソテール、メトトレキセート、シスプラチン、メルファラン、ビンブラスチン、ブレオマイシン、エトポシド、イフォスファミド、マイトマイシンＣ、マイトキサントロン、ビンクリスチン、ビノレルビン、カルボプラチン、テニポシド、ダウノマイシン、カルミノマイシン、アミノプテリン、ダクチノマイシン、マイトマイシン、エスペラマイシン（米国特許第４，６７５，１８７号）、５−ＦＵ、６−チオグアニン、６−メルカプトプリン、アクチノマイシンＤ、ＶＰ−１６、クロランブシル、メルファラン、及び他の関連するナイトロジェンマスタードを含む。また、この定義に含まれるのは、タモキシフェン及びオナプリストンなどの腫瘍へのホルモン作用を調節又は阻害するように作用するホルモン様薬剤である。
ここで用いられる際の「成長阻害剤」は、細胞、特にここで同定される任意の遺伝子を過剰発現する癌細胞の成長を、インビトロ又はインビボで阻害する化合物又は組成物を意味する。即ち、成長阻害剤は、Ｓ相でそのような遺伝子を過剰発現する細胞の割合を有意に減少させるものである。成長阻害剤の例は、細胞周期を（Ｓ相以外の位置で）阻害する薬剤、例えばＧ１停止又はＭ相停止を誘発する薬剤を含む。古典的なＭ相ブロッカーは、ビンカス（ビンクリスチン及びビンブラスチン）、タキソール、及びトポＩＩ、例えばドキソルビシン、エピルビシン、ダウノルビシン、エトポシド、及びブレオマイシンを含む。Ｇ１停止させるこれらの薬剤は、Ｓ相停止にも溢流し、例えば、ＤＮＡアルキル化剤、例えば、タモキシフェン、プレドニゾン、ダカルバジン、メクロレタミン、シスプラチン、メトトレキセート、５−フルオロウラシル、及びａｒａ−Ｃである。さらなる情報は、Ｔｈｅ  Ｍｏｌｅｃｕｌａｒ  Ｂａｓｉｓ  ｏｆ  Ｃａｎｃｅｒ，  Ｍｅｎｄｅｌｓｏｈｎ及びＩｓｒａｅｌ，  編，  Ｃｈａｐｔｅｒ  １，  表題「Ｃｅｌｌ  ｃｙｃｌｅ  ｒｅｇｕｒａｔｉｏｎ，  ｏｎｃｏｇｅｎｅ，  ａｎｄ  ａｎｔｉｎｅｏｐｌａｓｔｉｃ  ｄｒｕｇｓ」，  Ｍｕｒａｋａｍｉ等，  （ＷＢ  Ｓａｕｎｄｅｒｓ：  Ｐｈｉｌａｄｅｌｐｈｉａ，  １９９５）、特にｐ１３に見出すことができる。
「ドキソルビシン」はアントラサイクリン抗生物質である。ドキソルビシンの完全な化学名は、（８Ｓ−シス）−１０−［（３−アミノ−２，３，６−トリデオキシ−α−Ｌ−リキソヘキサピラノシル）オキシ］−７，８，９，１０−テトラヒドロ−６，８，１１−トリヒドロキシ−８−（ヒドロキシアセチル）−１−メトキシ−５，１２−ナフタセンジオンである。
【００２６】
「サイトカイン」なる用語は、１つの細胞集団から放出され、他の細胞に細胞間メディエータとして作用するタンパク質の一般用語である。このようなサイトカインの例は、リンホカイン、モノカイン、及び伝統的なポリペプチドホルモンである。サイトカインに含まれるのは、成長ホルモン、例えばヒト成長ホルモン、Ｎ−メチオニルヒト成長ホルモン、及びウシ成長ホルモン；副甲状腺ホルモン；チロキシン；インシュリン；プロインシュリン；レラキシン；プロレラキシン；糖タンパク質、例えば濾胞刺激ホルモン（ＦＳＨ）、甲状腺刺激ホルモン（ＴＳＨ）、及び黄体化ホルモン（ＬＨ）；肝臓成長因子；線維芽成長因子；プロラクチン；胎盤ラクトゲン；腫瘍壊死因子−α及び−β；ミューラー阻害因子；マウス生殖腺刺激ホルモン関連ペプチド；インヒビン；アクチビン；血管内皮成長因子；インテグリン；トロンボポエチン（ＴＰＯ）；ＮＧＦ−β等の神経成長因子；血小板成長因子；ＴＧＦ−α及びＴＧＦ−β等のトランスフォーミング成長因子；インシュリン様成長因子−Ｉ及びＩＩ；エリスロポエチン（ＥＰＯ）；骨誘発因子；インターフェロン−α、−β、及び−γ等のインターフェロン；コロニー刺激因子（ＣＳＦｓ）、例えばマクロファージ−ＣＳＦ（Ｍ−ＣＳＦ）；顆粒球−マクロファージ−ＣＳＦ（ＧＭ−ＣＳＦ）；及び顆粒球−ＣＳＦ（Ｇ−ＣＳＦ）；インターロイキン（ＩＬｓ）、例えばＩＬ−１、ＩＬ−１ａ、ＩＬ−２、ＩＬ−３、ＩＬ−４、ＩＬ−５、ＩＬ−６、ＩＬ−７、ＩＬ−８、ＩＬ−９、ＩＬ−１１、ＩＬ−１２；腫瘍壊死因子、例えばＴＮＦ−α及びＴＮＦ−β；及びＬＩＦ及びキットリガンド（ＫＬ）を含む他のポリペプチド因子である。ここで用いられる際、用語サイトカインは、天然供給源から、又は組換え細胞培養からのタンパク質を含み、天然配列サイトカインの生物学的な活性等価物である。
この出願で用いられる用語「プロドラッグ」は、親薬剤に比較して腫瘍細胞に対する細胞毒性が低く、酵素的に活性化又はより活性な親形態に変換される製薬的活性物質の前駆体又は誘導体形態を意味する。例えば、Ｗｉｌｍａｎ，  「Ｐｒｏｄｒｕｇｓ  ｉｎ  Ｃａｎｃｅｒ  Ｃｈｅｍｏｔｈｅｒａｐｙ」，  Ｂｉｏｃｈｅｍｉｃａｌ  Ｓｏｃｉｅｔｙ  Ｔｒａｎｓａｃｔｉｏｎｓ，  １４，  ｐｐ．  ３７５−３８２，  ６１５ｔｈ  Ｍｅｅｔｉｎｇ，  Ｂｅｌｆａｓｔ  （１９８６），及びＳｔｅｌｌａ  等，  「Ｐｒｏｄｒｕｇｓ：  Ａ  Ｃｈｅｍｉｃａｌ  Ａｐｐｒｏａｃｈ  ｔｏ  Ｔａｒｇｅｔｅｄ  Ｄｒｕｇ  Ｄｅｌｉｖｅｒｙ」、Ｄｉｒｅｃｔｅｄ  Ｄｒｕｇ  ｄｅｌｉｖｅｒｙ，  Ｂｏｒｃｈａｒｄｔ等（編），  ｐｐ．１４７−−２６７，  Ｈｕｍａｎ  Ｐｒｅｓｓ  （１９８５）参照。本発明のプロドラッグは、これらに限られないが、ホスファート含有プロドラッグ、チオホスファート含有プロドラッグ、スルファート含有プロドラッグ、ペプチド含有プロドラッグ、Ｄ−アミノ酸変性プロドラッグ、グリコシル化プロドラッグ、β−ラクタム含有プロドラッグ、任意に置換されたフェノキシアセトアミド含有プロドラッグ又は任意に置換されたフェニルアセトアミド含有プロドラッグ、より活性のある細胞毒のない薬剤に転換可能な５−フルオロシトシン及び他の５−フルオロウリジンプロドラッグを含む。限定するものではないが、本発明で使用されるプロドラッグ形態に誘導体化可能な細胞毒性薬の例には、前記の化学療法剤が含まれるが、これらに限られない。
【００２７】
ここに開示されるポリペプチド又はそのアンタゴニストの「有効量」とは、腫瘍性細胞成長、腫瘍成長又は癌細胞成長の阻害に関しては、標的細胞の成長を或る程度阻害できる量である。この用語は、標的細胞の成長阻害、細胞分裂停止及び／又は細胞毒性効果及び／又はアポトーシスを誘起することのできる量を含む。腫瘍性細胞成長、腫瘍成長又は癌細胞成長の阻害の目的のためのＰＲＯポリペプチドアンタゴニストの「有効量」は、経験的に日常的手法で決定できる。
「治療的有効量」は、腫瘍の治療に関しては、次の効果：（１）遅延化及び完全な成長停止を含む、腫瘍成長の或る程度の阻害；（２）腫瘍細胞数の減少；（３）腫瘍サイズの縮小；（４）腫瘍細胞の末梢器官への浸潤の阻害（即ち、減少、遅延化又は完全な停止）；（５）転移の阻害（即ち、減少、遅延化又は完全な停止）；（６）抗腫瘍免疫反応の促進、これは、腫瘍の退行又は拒絶をもたらしてもよいが、必ずしも必要ではない；及び／又は（７）疾患に伴う徴候の１つ又は複数の或る程度の軽減の１つ又は複数を誘起することのできる量を意味する。腫瘍の治療の目的のためのＰＲＯポリペプチドアンタゴニストの「治療的有効量」は、経験的に日常的手法で決定できる。
ＰＲＯアンタゴニストの「成長阻害量」は、細胞、特に腫瘍、例えば癌細胞の成長をインビトロ又はインビボで阻害できる量である。腫瘍性細胞成長の阻害の目的のためのＰＲＯアンタゴニストの「成長阻害量」は、経験的に日常的手法で決定できる。
ＰＲＯアンタゴニストの「細胞毒性量」は、細胞、特に腫瘍、例えば癌細胞をインビトロ又はインビボで破壊できる量である。腫瘍性細胞成長の阻害の目的のためのＰＲＯアンタゴニストの「細胞毒性量」は、経験的に日常的手法で決定できる。
【００２８】
ここで使用される際の「ＰＲＯポリペプチド」及び「ＰＲＯ」という用語は、直後に数値符号がある場合に種々のポリペプチドを指し、完全な符号（例えば、ＰＲＯ／数字）は、ここに記載する特定のポリペプチド配列を意味する。ここで使用される「ＰＲＯ／数字ポリペプチド」及び「ＰＲＯ／数字」であって、「数字」がここで使用される実際の数値符号として与えられる用語は、天然配列ポリペプチド及び変異体（ここで更に詳細に定義する）を含む。ここに記載されるＰＲＯポリペプチドは、ヒト組織型又は他の供給源といった種々の供給源から単離してもよく、組換え又は合成方法によって調製してもよい。
「天然配列ＰＲＯポリペプチド」は、天然由来の対応するＰＲＯポリペプチドと同一のアミノ酸配列を有するポリペプチドを含んでいる。このような天然配列ＰＲＯポリペプチドは、自然から単離することもできるし、組換え又は合成手段により生産することもできる。「天然配列ＰＲＯポリペプチド」という用語には、特に、特定のＰＲＯポリペプチドの自然に生じる切断又は分泌形態（例えば、細胞外ドメイン配列）、自然に生じる変異形態（例えば、選択的にスプライシングされた形態）及びそのポリペプチドの自然に生じる対立遺伝子変異体が含まれる。本発明の種々の実施態様において、天然配列ＰＲＯポリペプチドは、添付の図面に示される全長アミノ酸配列を含む成熟又は全長天然配列ポリペプチドである。開始及び停止コドンは、図において太字又は下線で示した。しかし、添付の図面に開示したＰＲＯポリペプチドは、図面におけるアミノ酸位置１としてここに命名されるメチオニン残基で始まるように示されているが、図面におけるアミノ酸位置１の上流又は下流に位置する他のメチオニン残基をＰＲＯポリペプチドの開始アミノ酸残基として用いることも考えられるし可能でもある。
ＰＲＯポリペプチド「細胞外ドメイン」又は「ＥＣＤ」は、膜貫通及び細胞質ドメインを実質的に有しないＰＲＯポリペプチドの形態を意味する。通常、ＰＲＯポリペプチドＥＣＤは、それらの膜貫通及び／又は細胞質ドメインを１％未満、好ましくはそのようなドメインを０．５％未満しか持たない。本発明のＰＲＯポリペプチドについて同定された任意の膜貫通ドメインは、疎水性ドメインのその型を同定するために当該分野において日常的に使用される基準に従い同定されることが理解されるであろう。膜貫通ドメインの厳密な境界は変わり得るが、最初に同定されたドメインのいずれかの末端から約５アミノ酸を越えない可能性が高い。従って、ＰＲＯポリペプチド細胞外ドメインは、場合によっては、実施例又は明細書で同定されるように膜貫通ドメイン及び／又は細胞外ドメインの境界のいずれかの側から約５を越えないアミノ酸を含んでもよく、シグナルペプチドを伴う又は伴わない、それらのポリペプチド及びそれらをコードする核酸は、本発明で考慮される。
【００２９】
ここに開示する種々のＰＲＯポリペプチドの「シグナルペプチド」の適切な位置は、添付の図面に示す。しかし、注記するように、シグナルペプチドのＣ−末端境界は変化しうるが、ここで最初に定義したようにシグナルペプチドＣ−末端境界のいずれかの側で約５アミノ酸未満である可能性が最も高く、シグナルペプチドのＣ−末端境界は、そのような型のアミノ酸配列成分を同定するのに日常的に使用される基準に従って同定しうる（例えば、Ｎｉｅｌｓｅｎ等，  Ｐｒｏｔ．  Ｅｎｇ．  １０：  １−６  （１９９７）及びｖｏｎ  Ｈｅｉｎｊｅ等，  Ｎｕｃｌ．  Ａｃｉｄｓ．  Ｒｅｓ．  １４：  ４６８３−４６９０  （１９８６））。さらに、幾つかの場合には、分泌ポリペプチドからのシグナルペプチドの切断は完全に均一ではなく、一以上の分泌種をもたらすことも認められる。シグナルペプチドがここに定義されるシグナルペプチドのＣ−末端境界の何れかの側の約５アミノ酸未満内で切断されるこれらの成熟ポリペプチド、及びそれらをコードするポリヌクレオチドは、本発明で考慮される。
「ＰＲＯポリペプチド変異体」とは、上記又は下記に定義されるように、ここに開示される全長天然配列ＰＲＯポリペプチド、ここに開示されたシグナルペプチドを欠く全長天然配列ＰＲＯポリペプチド配列、シグナルペプチド有無のここに開示されたＰＲＯの細胞外ドメイン又はここに開示された全長ＰＲＯポリペプチドの他の断片と、少なくとも約８０％のアミノ酸配列同一性を有する活性ＰＲＯポリペプチドを意味する。このようなＰＲＯポリペプチド変異体には、例えば、全長天然アミノ酸配列のＮ−又はＣ−末端において一又は複数のアミノ酸残基が付加、もしくは欠失されたＰＲＯポリペプチドが含まれる。通常、ＰＲＯポリペプチド変異体は、ここに開示される全長天然アミノ酸配列、ここに開示されたシグナルペプチドを欠く全長天然配列ＰＲＯポリペプチド配列、シグナルペプチド有無のここに開示されたＰＲＯの細胞外ドメイン又はここに開示された全長ＰＲＯポリペプチドの他の断片と、少なくとも約８０％のアミノ酸配列同一性、好ましくは少なくとも約８１％のアミノ酸配列同一性、より好ましくは少なくとも約８２％のアミノ酸配列同一性、より好ましくは少なくとも約８３％のアミノ酸配列同一性、より好ましくは少なくとも約８４％のアミノ酸配列同一性、より好ましくは少なくとも約８５％のアミノ酸配列同一性、より好ましくは少なくとも約８６％のアミノ酸配列同一性、より好ましくは少なくとも約８７％のアミノ酸配列同一性、より好ましくは少なくとも約８８％のアミノ酸配列同一性、より好ましくは少なくとも約８９％のアミノ酸配列同一性、より好ましくは少なくとも約９０％のアミノ酸配列同一性、より好ましくは少なくとも約９１％のアミノ酸配列同一性、より好ましくは少なくとも約９２％のアミノ酸配列同一性、より好ましくは少なくとも約９３％のアミノ酸配列同一性、より好ましくは少なくとも約９４％のアミノ酸配列同一性、より好ましくは少なくとも約９５％のアミノ酸配列同一性、より好ましくは少なくとも約９６％のアミノ酸配列同一性、より好ましくは少なくとも約９７％のアミノ酸配列同一性、より好ましくは少なくとも約９８％のアミノ酸配列同一性、そして、より好ましくは少なくとも約９９％のアミノ酸配列同一性を有している。通常は、ＰＲＯ変異体ポリペプチドは、少なくとも約１０アミノ酸長、より多くは少なくとも約２０アミノ酸長、より多くは少なくとも約３０アミノ酸長、より多くは少なくとも約４０アミノ酸長、より多くは少なくとも約５０アミノ酸長、より多くは少なくとも約６０アミノ酸長、より多くは少なくとも約７０アミノ酸長、より多くは少なくとも約８０アミノ酸長、より多くは少なくとも約９０アミノ酸長、より多くは少なくとも約１００アミノ酸長、より多くは少なくとも約１５０アミノ酸長、より多くは少なくとも約２００アミノ酸長、より多くは少なくとも約３００アミノ酸長、又はそれ以上である。
【００３０】
以下に示すように、表１は、ＡＬＩＧＮ−２配列比較コンピュータプログラムの完全なソースコードを与える。このソースコードは日常的にＵＮＩＸ（登録商標）オペレーティングシステム上での使用委のためにコンパイルされ、ＡＬＩＧＮ−２配列比較コンピュータプログラムを与える。
さらに、表２Ａ−２Ｄは、ＡＬＩＧＮ−２配列比較コンピュータプログラムを使用して％アミノ酸同一性（表２Ａ−２Ｂ）及び％核酸配列同一性（表２Ｃ−２Ｄ）を決定する後述の方法を使用するための仮説的例示を示し、「ＰＲＯ」とは対象とする仮のＰＲＯポリペプチドのアミノ酸配列を意味し、「比較タンパク質」とは対象とする「ＰＲＯ」ポリペプチドと比較されるポリペプチドのアミノ酸配列を意味し、「ＰＲＯ−ＤＮＡ」とは、対象とする仮のＰＲＯ−コード化核酸配列を意味し、「比較ＤＮＡ」とは対象とする「ＰＲＯ−ＤＮＡ」核酸分子と比較される核酸分子のヌクレオチド配列を意味し、「Ｘ」、「Ｙ」、及び「Ｚ」は各々異なる仮のアミノ酸配列、そして「Ｎ」、「Ｌ」及び「Ｖ」は各々異なる仮のヌクレオチド配列を意味する。
【００３１】
2004229504.tif 000002
2004229504.tif 000003
2004229504.tif 000004
2004229504.tif 000005
2004229504.tif 000006
2004229504.tif 000007
2004229504.tif 000008
2004229504.tif 000009
2004229504.tif 000010
2004229504.tif 000011
2004229504.tif 000012
2004229504.tif 000013
2004229504.tif 000014
2004229504.tif 000015
2004229504.tif 000016
2004229504.tif 000017
2004229504.tif 000018
【００３２】
2004229504.tif 000019
2004229504.tif 000020
2004229504.tif 000021
2004229504.tif 000022
【００３３】
ここに定義されるＰＲＯポリペプチドに対してここで同定されている「パーセント（％）アミノ酸配列同一性」は、配列を整列させ、最大のパーセント配列同一性を得るために必要ならば間隙を導入し、如何なる保存的置換も配列同一性の一部と考えないとした、ＰＲＯ配列のアミノ酸残基と同一である候補配列中のアミノ酸残基のパーセントとして定義される。パーセントアミノ酸配列同一性を決定する目的のためのアラインメントは、当業者の技量の範囲にある種々の方法、例えばＢＬＡＳＴ、ＢＬＡＳＴ−２、ＡＬＩＧＮ又はＭｅｇａｌｉｇｎ（ＤＮＡＳＴＡＲ）ソフトウエアのような公に入手可能なコンピュータソフトウエアを使用することにより達成可能である。当業者であれば、比較される配列の全長に対して最大のアラインメントを達成するために必要な任意のアルゴリズムを含む、アラインメントを測定するための適切なパラメータを決定することができる。しかし、ここでの目的のためには、％アミノ酸配列同一性値は、ＡＬＩＧＮ−２プログラム用の完全なソースコードが以下の表１に与えられている配列比較プログラムＡＬＩＧＮ−２を用いても得られる。ＡＬＩＧＮ−２配列比較コンピュータプログラムはジェネンテク社によって作成され、以下の表１に示したソースコードは米国著作権庁，  Ｗａｓｈｉｎｇｔｏｎ  Ｄ．Ｃ．，  ２０５５９に使用者用書類とともに提出され、米国著作権登録番号ＴＸＵ５１００８７の下で登録されている。ＡＬＩＧＮ−２プログラムはジェネンテク社、Ｓｏｕｔｈ  Ｓａｎ  Ｆｒａｎｃｉｓｃｏ，  Ｃａｌｉｆｏｒｎｉａから好適に入手可能であり、また以下の表１に与えたソースコードからコンパイルしてもよい。ＡＬＩＧＮ−２プログラムは、ＵＮＩＸ（登録商標）オペレーティングシステム、好ましくはデジタルＵＮＩＸ  （登録商標）Ｖ４．０Ｄでの使用のためにコンパイルされる。全ての配列比較パラメータは、ＡＬＩＧＮ−２プログラムによって設定され変動しない。
ここでの目的のためには、与えられたアミノ酸配列Ａの、与えられたアミノ酸配列Ｂとの、又はそれに対する％アミノ酸配列同一性（あるいは、与えられたアミノ酸配列Ｂと、又はそれに対して或る程度の％アミノ酸配列同一性を持つ又は含む与えられたアミノ酸配列Ａと言うこともできる）は次のように計算される：
分率Ｘ／Ｙの１００倍
ここで、Ｘは配列アラインメントプログラムＡＬＩＧＮ−２のＡ及びＢのアラインメントによって同一であると一致したスコアのアミノ酸残基の数であり、ＹはＢの全アミノ酸残基数である。アミノ酸配列Ａの長さがアミノ酸配列Ｂの長さと異なる場合、ＡのＢに対する％アミノ酸配列同一性は、ＢのＡに対する％アミノ酸配列同一性とは異なることは理解されるであろう。この方法を用いた％アミノ酸配列同一性の計算の例として、表２Ａと２Ｂは、「比較タンパク質」と称されるアミノ酸配列の「ＰＲＯ」と称されるアミノ酸配列に対する％アミノ酸配列同一性の計算方法を示す。
【００３４】
特に断らない限り、ここで用いられる全ての％アミノ酸配列同一性値は、上記したようにしてＡＬＩＧＮ−２配列比較コンピュータプログラムを用いて得られる。しかしながら、％アミノ酸配列同一性は、配列比較コンピュータプログラムＮＣＢＩ−ＢＬＡＳＴ−２（Ａｌｔｓｃｈｕｌ等，  Ｎｕｃｌｅｉｃ  Ａｃｉｄｓ  Ｒｅｓ．，  ２５：  ３３８９−３４０２  （１９９７））を用いて決定してもよい。ＮＣＢＩ−ＢＬＡＳＴ２配列比較プログラムは、ｈｔｔｐ：／／ｗｗ．ｎｃｂｉ．ｎｌｍ．ｎｉｈ．ｇｏｖからダウンロードできる。ＮＣＢＩ−ＢＬＡＳＴ２は幾つかの検索パラメータを使用し、それら検索パラメータの全ては初期値に設定され、例えば、ｕｎｍａｓｋ＝可、鎖＝全て、予測される発生＝１０、最小低複合長＝１５／５、マルチパスｅ−値＝０．０１、マルチパスの定数＝２５、最終ギャップアラインメントのドロップオフ＝２５、及びスコアリングマトリクス＝ＢＬＯＳＵＭ６２を含む。
アミノ酸配列比較にＮＣＢＩ−ＢＬＡＳＴ２が用いれれる状況では、与えられたアミノ酸配列Ａの、与えられたアミノ酸配列Ｂとの、又はそれに対する％アミノ酸配列同一性（あるいは、与えられたアミノ酸配列Ｂと、又はそれに対して或る程度の％アミノ酸配列同一性を持つ又は含む与えられたアミノ酸配列Ａと言うこともできる）は次のように計算される：
分率Ｘ／Ｙの１００倍
ここで、Ｘは配列アラインメントプログラムＮＣＢＩ−ＢＬＡＳＴ２のＡ及びＢのアラインメントによって同一であると一致したスコアのアミノ酸残基の数であり、ＹはＢの全アミノ酸残基数である。アミノ酸配列Ａの長さがアミノ酸配列Ｂの長さと異なる場合、ＡのＢに対する％アミノ酸配列同一性は、ＢのＡに対する％アミノ酸配列同一性とは異なることは理解されるであろう。
さらに、％アミノ酸配列同一性値は、ＷＵ−ＢＬＡＳＴ−２コンピュータプログラム（Ａｌｔｓｃｈｕｌ等，  Ｍｅｔｈｏｄｓ  ｉｎ  Ｅｎｚｙｍｏｌｏｇｙ  ２６６：  ４６０−４８０  （１９９６））を用いて決定してもよい。殆どのＷＵ−ＢＬＡＳＴ−２検索パラメータは初期値に設定される。初期値に設定されない、即ち調節可能なパラメータは以下の値に設定する：オーバーラップスパン＝１、オーバーラップフラクション＝０．１２５、ワード閾値（Ｔ）＝１１、及びスコアリングマトリクス＝ＢＬＯＳＵＭ６２。ここでの目的のために、％アミノ酸配列同一性値は、（ａ）天然ＰＲＯポリペプチドから誘導された配列を有する対象とするＰＲＯポリペプチドのアミノ酸配列と、対象とする比較アミノ酸配列（即ち、対象とするＰＲＯポリペプチドが比較されるＰＲＯポリペプチド変異体であってもよい配列）との間の、ＷＵ−ＢＬＡＳＴ−２によって決定した一致する同一アミノ酸残基の数を、（ｂ）対象とするＰＲＯポリペプチドの残基の総数で除した商によって決定される。例えば、「アミノ酸配列Ｂに対して少なくとも８０％のアミノ酸配列同一性を持つ又は持っているアミノ酸配列Ａを含んでなるポリペプチド」という表現では、アミノ酸配列Ａが対象とする比較アミノ酸配列であり、アミノ酸配列Ｂが対象とするＰＲＯポリペプチドのアミノ酸配列である。
【００３５】
「ＰＲＯ変異体ポリヌクレオチド」又は「ＰＲＯ変異体核酸配列」とは、下記に定義されるように、活性ＰＲＯポリペプチドをコードする核酸分子であり、ここに開示する全長天然配列ＰＲＯポリペプチド配列、ここに開示するシグナルペプチドを欠いた全長天然配列ＰＲＯポリペプチド配列、シグナルペプチド有無のここに開示するＰＲＯポリペプチドの細胞外ドメイン、又はここに開示する全長ＰＲＯポリペプチド配列の他の任意の断片をコードする核酸配列と少なくとも８０％の配列同一性を有する。通常は、ＰＲＯ変異体ポリペプチドヌクレオチドは、ここに開示する全長天然配列ＰＲＯポリペプチド配列、ここに開示するシグナルペプチドを欠いた全長天然配列ＰＲＯポリペプチド配列、シグナルペプチド有無のここに開示するＰＲＯポリペプチドの細胞外ドメイン、又はここに開示する全長ＰＲＯポリペプチドの他の任意の断片をコードする核酸配列と、少なくとも約８０％の核酸配列同一性、好ましくは少なくとも約８１％の核酸配列同一性、より好ましくは少なくとも約８２％の核酸配列同一性、より好ましくは少なくとも約８３％の核酸配列同一性、より好ましくは少なくとも約８４％の核酸配列同一性、より好ましくは少なくとも約８５％の核酸配列同一性、より好ましくは少なくとも約８６％の核酸配列同一性、より好ましくは少なくとも約８７％の核酸配列同一性、より好ましくは少なくとも約８８％の核酸配列同一性、より好ましくは少なくとも約８９％の核酸配列同一性、より好ましくは少なくとも約９０％の核酸配列同一性、より好ましくは少なくとも約９１％の核酸配列同一性、より好ましくは少なくとも約９２％の核酸配列同一性、より好ましくは少なくとも約９３％の核酸配列同一性、より好ましくは少なくとも約９４％の核酸配列同一性、より好ましくは少なくとも約９５％の核酸配列同一性、より好ましくは少なくとも約９６％の核酸配列同一性、より好ましくは少なくとも約９７％の核酸配列同一性、より好ましくは少なくとも約９８％の核酸配列同一性、そして、より好ましくは少なくとも約９９％の核酸配列同一性を有している。変異体は、天然ヌクレオチド配列を含まない。
通常は、ＰＲＯ変異体ポリヌクレオチドは、少なくとも約３０ヌクレオチド長、より多くは少なくとも約６０ヌクレオチド長、より多くは少なくとも約９０ヌクレオチド長、より多くは少なくとも約１２０ヌクレオチド長、より多くは少なくとも約１５０ヌクレオチド長、より多くは少なくとも約１８０ヌクレオチド長、より多くは少なくとも約２１０ヌクレオチド長、より多くは少なくとも約２４０ヌクレオチド長、より多くは少なくとも約２７０ヌクレオチド長、より多くは少なくとも約３００ヌクレオチド長、より多くは少なくとも約４５０ヌクレオチド長、より多くは少なくとも約６００ヌクレオチド長、より多くは少なくとも約９００ヌクレオチド長、又はそれ以上である。
【００３６】
ここで同定されるＰＲＯコード化核酸配列に対する「パーセント（％）核酸配列同一性」は、配列を整列させ、最大のパーセント配列同一性を得るために必要ならば間隙を導入し、ＰＲＯポリペプチドコード化核酸配列のヌクレオチドと同一である候補配列中のヌクレオチドのパーセントとして定義される。パーセント核酸配列同一性を決定する目的のためのアラインメントは、当業者の知る範囲にある種々の方法、例えばＢＬＡＳＴ、ＢＬＡＳＴ−２、ＡＬＩＧＮ又はＭｅｇａｌｉｇｎ（ＤＮＡＳＴＡＲ）ソフトウエアのような公に入手可能なコンピュータソフトウエアを使用することにより達成可能である。当業者であれば、比較される配列の全長に対して最大のアラインメントを達成するために必要な任意のアルゴリズムを含む、アラインメントを測定するための適切なパラメータを決定することができる。しかし、ここでの目的のためには、％核酸配列同一性値は、以下に記載するように、ＡＬＩＧＮ−２プログラム用の完全なソースコードが表１に与えられている配列比較プログラムＡＬＩＧＮ−２を用いて得られる。ＡＬＩＧＮ−２配列比較コンピュータプログラムはジェネンテク社によって作成され、表１に示したソースコードは米国著作権庁，  Ｗａｓｈｉｎｇｔｏｎ  Ｄ．Ｃ．，  ２０５５９に使用者用書類とともに提出され、米国著作権登録番号ＴＸＵ５１００８７の下で登録されている。ＡＬＩＧＮ−２はジェネンテク社、Ｓｏｕｔｈ  Ｓａｎ  Ｆｒａｎｃｉｓｃｏ，  Ｃａｌｉｆｏｒｎｉａを通して公的に入手可能であり、またＦｉｇ２Ａ−Ｐに与えたソースコードからコンパイルしてもよい。ＡＬＩＧＮ−２プログラムは、ＵＮＩＸ（登録商標）オペレーティングシステム、好ましくはデジタルＵＮＩＸ（登録商標）  Ｖ４．０Ｄでの使用のためにコンパイルされる。全ての配列比較パラメータは、ＡＬＩＧＮ−２プログラムによって設定され変動しない。
【００３７】
ここでの目的のためには、与えられた核酸配列Ｃの、与えられた核酸配列Ｄとの、又はそれに対する％核酸配列同一性（あるいは、与えられた核酸配列Ｄと、又はそれに対して或る程度の％核酸配列同一性を持つ又は含む与えられたアミノ酸配列Ｃと言うこともできる）は次のように計算される：
分率Ｗ／Ｚの１００倍
ここで、Ｗは配列アラインメントプログラムＡＬＩＧＮ−２のＣ及びＤのアラインメントによって同一であると一致したスコアのヌクレオチドの数であり、ＺはＤの全ヌクレオチド数である。核酸配列Ｃの長さが核酸配列Ｄの長さと異なる場合、ＣのＤに対する％核酸配列同一性は、ＤのＣに対する％核酸配列同一性とは異なることは理解されるであろう。この方法を用いた％核酸配列同一性の計算の例として、表２Ｃ−Ｄは、「比較ＤＮＡ」と称される核酸配列の「ＰＲＯ−ＤＮＡ」と称される核酸配列に対する％核酸配列同一性の計算方法を示す。
特に断らない限りは、ここでの全ての％核酸配列同一性値は上記のようにＡＬＩＧＮ−２配列比較コンピュータプログラムを用いて得られる。しかしながら、％核酸配列同一性は、配列比較プログラムＮＣＢＩ−ＢＬＡＳＴ２（Ａｌｔｓｃｈｕｌ等，  Ｎｕｃｌｅｉｃ  Ａｃｉｄｓ  Ｒｅｓ．  ２５：  ３３８９−３４０２  （１９９７））を用いて決定してもよい。ＮＣＢＩ−ＢＬＡＳＴ２配列比較プログラムは、ｈｔｔｐ：／／ｗｗ．ｎｃｂｉ．ｎｌｍ．ｎｉｈ．ｇｏｖからダウンロードできる。ＮＣＢＩ−ＢＬＡＳＴ２は幾つかの検索パラメータを使用し、それら検索パラメータの全ては初期値に設定され、例えば、ｕｎｍａｓｋ＝可、鎖＝全て、予測される発生＝１０、最小低複合長＝１５／５、マルチパスｅ−値＝０．０１、マルチパスの定数＝２５、最終ギャップアラインメントのドロップオフ＝２５、及びスコアリングマトリクス＝ＢＬＯＳＵＭ６２を含む。
【００３８】
配列比較にＮＣＢＩ−ＢＬＡＳＴ２が用いれれる状況では、与えられた核酸配列Ｃの、与えられた核酸配列Ｄとの、又はそれに対する％核酸配列同一性（あるいは、与えられた核酸配列Ｄと、又はそれに対して或る程度の％核酸配列同一性を持つ又は含む与えられた核酸配列Ｃと言うこともできる）は次のように計算される：
分率Ｗ／Ｚの１００倍
ここで、Ｗは配列アラインメントプログラムＮＣＢＩ−ＢＬＡＳＴ２のＣ及びＤのアラインメントによって同一であると一致したスコアのヌクレオチドの数であり、ＺはＤの全ヌクレオチド数である。核酸配列Ｃの長さが核酸配列Ｄの長さと異なる場合、ＣのＤに対する％核酸配列同一性は、ＤのＣに対する％核酸配列同一性とは異なることは理解されるであろう。
さらに、％核酸配列同一性値は、ＷＵ−ＢＬＡＳＴ−２コンピュータプログラム（Ａｌｔｓｃｈｕｌ等，  Ｍｅｔｈｏｄｓ  ｉｎ  Ｅｎｚｙｍｏｌｏｇｙ  ２６６：  ４６０−４８０  （１９９６））を用いて決定してもよい。殆どのＷＵ−ＢＬＡＳＴ−２検索パラメータは初期値に設定される。初期値に設定されない、即ち調節可能なパラメータは以下の値に設定する：オーバーラップスパン＝１、オーバーラップフラクション＝０．１２５、ワード閾値（Ｔ）＝１１、及びスコアリングマトリクス＝ＢＬＯＳＵＭ６２。ここでの目的のために、％核酸配列同一性値は、（ａ）天然配列ＰＲＯポリペプチド−コード化核酸から誘導された配列を有する対象とするＰＲＯポリペプチド−コード化配列の核酸配列と、対象とする比較核酸分子（即ち、対象とするＰＲＯポリペプチド−コード化核酸分子の配列が比較される変異体ポリヌクレオチドであってもよい配列）との間の、ＷＵ−ＢＬＡＳＴ−２によって決定した一致する同一ヌクレオチドの数を、（ｂ）対象とするＰＲＯポリペプチド−コード化核酸のヌクレオチドの総数で除した商によって決定される。例えば、「核酸配列Ｂに対して少なくとも８０％のアミノ酸配列同一性を持つ又は持っている核酸配列Ａを含んでなる単離された核酸分子」という表現では、核酸配列Ａが対象とする比較核酸配列であり、核酸配列Ｂが対象とするＰＲＯポリペプチド−コード化核酸分子の核酸配列である。
【００３９】
他の実施態様では、ＰＲＯ変異体ポリペプチドヌクレオチドは、活性ＰＲＯポリペプチドをコードし、好ましくは緊縮性ハイブリッド形成及び洗浄条件下で、Ｆｉｇ２（配列番号：２）、Ｆｉｇ４（配列番号：４）、Ｆｉｇ６（配列番号：６）、Ｆｉｇ８（配列番号：８）、Ｆｉｇ１０（配列番号：１０）、Ｆｉｇ１２（配列番号：１２）、Ｆｉｇ１４（配列番号：１４）、Ｆｉｇ１６（配列番号：１６）、Ｆｉｇ１８（配列番号：１８）、Ｆｉｇ２０（配列番号：２０）、Ｆｉｇ２２（配列番号：２２）、Ｆｉｇ２４（配列番号：２４）、Ｆｉｇ２６（配列番号：２６）、Ｆｉｇ２８（配列番号：２８）、Ｆｉｇ３０（配列番号：３０）、Ｆｉｇ３２（配列番号：３２）、Ｆｉｇ３４（配列番号：３４）、Ｆｉｇ３６（配列番号：３６）、Ｆｉｇ３８（配列番号：３８）、Ｆｉｇ４０（配列番号：４０）、Ｆｉｇ４２（配列番号：４２）、Ｆｉｇ４４（配列番号：４４）、Ｆｉｇ４６（配列番号：４６）、Ｆｉｇ４８（配列番号：４８）、Ｆｉｇ５０（配列番号：５０）、Ｆｉｇ５２（配列番号：５２）、Ｆｉｇ５４（配列番号：５４）、Ｆｉｇ５６（配列番号：５６）、Ｆｉｇ５８（配列番号：５８）、Ｆｉｇ６０（配列番号：６０）、Ｆｉｇ６２（配列番号：６２）、Ｆｉｇ６４（配列番号：６４）、Ｆｉｇ６６（配列番号：６６）、Ｆｉｇ６８（配列番号：６８）及びＦｉｇ７０（配列番号：７０）に各々示す全長ＰＲＯポリペプチドをコードするヌクレオチド配列にハイブリッド形成する核酸分子である。ＰＲＯ変異体ポリペプチドは、ＰＲＯ変異体ポリヌクレオチドにコードされるものであってもよい。
【００４０】
上記のように実施されるアミノ酸配列同一性比較の文脈における「ポジティブ（陽性）」という用語は、比較された配列において同一であるアミノ酸残基ばかりでなく特性を有するものも含む。対象とするアミノ酸残基に対してポジティブ値をスコアされるアミノ酸残基は、対象とするアミノ酸残基と同一であるか、又は対象とするアミノ酸残基の（下記の表３で特定するように）好ましい置換とされるものである。
ここでの目的のために、与えられたアミノ酸配列Ａの、与えられたアミノ酸配列Ｂとの、又はそれに対する％ポジティブ値（あるいは、与えられたアミノ酸配列Ｂと、又はそれに対して或る程度の％ポジティブを持つ又は含む与えられたアミノ酸配列Ａと言うこともできる）は次のように計算される：
分率Ｘ／Ｙの１００倍
ここで、Ｘは配列アラインメントプログラムＡＬＩＧＮ−２のＡ及びＢのアラインメントによってポジティブであるとのスコアのアミノ酸残基の数であり、ＹはＢの全アミノ酸残基数である。アミノ酸配列Ａの長さがアミノ酸配列Ｂの長さと異なる場合、ＡのＢに対する％ポジティブは、ＢのＡに対する％ポジティブとは異なることは理解されるであろう。
【００４１】
「単離された」とは、ここで開示された種々のポリペプチドを記述するために使用するときは、その自然環境の成分から同定され分離され及び／又は回収されたポリペプチドを意味する。好ましくは、単離されたポリペプチドは、それに天然に付随する全ての成分を伴わない。その自然環境の汚染成分とは、そのポリペプチドの診断又は治療への使用を典型的には妨害する物質であり、酵素、ホルモン、及び他のタンパク質様又は非タンパク質様溶質が含まれる。好ましい実施態様において、ポリペプチドは、（１）スピニングカップシークエネーターを使用することにより、少なくとも１５残基のＮ末端あるいは内部アミノ酸配列を得るのに充分なほど、あるいは、（２）クーマシーブルーあるいは好ましくは銀染色を用いた非還元あるいは還元条件下でのＳＤＳ−ＰＡＧＥによる均一性まで精製される。単離されたポリペプチドには、ＰＲＯポリペプチドの自然環境の少なくとも１つの成分が存在しないため、組換え細胞内のインサイツのタンパク質が含まれる。しかしながら、通常は、単離されたポリペプチドは少なくとも１つの精製工程により調製される。
ＰＲＯポリペプチドをコードする「単離された」核酸分子又は抗−ＰＲＯ抗体をコードする「単離された」核酸は、同定され、ＰＲＯコード化核酸分子又は抗−ＰＲＯコード化核酸の天然源に通常付随している少なくとも１つの汚染核酸分子から分離された核酸分子である。好ましくは、単離された核酸は、それに天然に付随する全ての成分を伴わない。単離されたＰＲＯコード化核酸分子又は抗−ＰＲＯコード化核酸分子は、天然に見出される形態あるいは設定以外のものである。ゆえに、単離された核酸分子は、天然の細胞中に存在するＰＲＯコード化核酸分子又は抗−ＰＲＯコード化核酸分子とは区別される。しかし、ＰＲＯポリペプチド又は抗−ＰＲＯ抗体をコードする単離された核酸分子は、例えば、核酸分子が天然細胞のものとは異なった染色体位置にあるＰＲＯポリペプチドを通常発現する又は抗−ＰＲＯ抗体を発現する細胞に含まれるＰＲＯ核酸分子及び抗−ＰＲＯ核酸分子を含む。
【００４２】
「コントロール配列」という表現は、特定の宿主生物において作用可能に結合したコード配列を発現するために必要なＤＮＡ配列を指す。例えば原核生物に好適なコントロール配列は、プロモーター、場合によってはオペレータ配列、及びリボソーム結合部位を含む。真核生物の細胞は、プロモーター、ポリアデニル化シグナル及びエンハンサーを利用することが知られている。
核酸は、他の核酸配列と機能的な関係にあるときに「作用可能に結合し」ている。例えば、プレ配列あるいは分泌リーダーのＤＮＡは、ポリペプチドの分泌に参画するプレタンパク質として発現されているなら、そのポリペプチドのＤＮＡに作用可能に結合している；プロモーター又はエンハンサーは、配列の転写に影響を及ぼすならば、コード配列に作用可能に結合している；又はリボソーム結合部位は、もしそれが翻訳を容易にするような位置にあるなら、コード配列と作用可能に結合している。一般的に、「作用可能に結合している」とは、結合したＤＮＡ配列が近接しており、分泌リーダーの場合には近接していて読みフェーズにあることを意味する。しかし、エンハンサーは必ずしも近接している必要はない。結合は簡便な制限部位でのライゲーションにより達成される。そのような部位が存在しない場合は、従来の手法に従って、合成オリゴヌクレオチドアダプターあるいはリンカーが使用される。
【００４３】
「抗体」という用語は最も広い意味において使用され、例えば、単一の抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ２０６、抗−ＰＲＯ２６４、抗−ＰＲＯ３１３、抗−ＰＲＯ３４２、抗−ＰＲＯ５４２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０モノクローナル抗体（アンタゴニスト、及び中和抗体を含む）、多エピトープ特異性を持つ抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ２０６、抗−ＰＲＯ２６４、抗−ＰＲＯ３１３、抗−ＰＲＯ３４２、抗−ＰＲＯ５４２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体組成物、一本鎖の抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ２０６、抗−ＰＲＯ２６４、抗−ＰＲＯ３１３、抗−ＰＲＯ３４２、抗−ＰＲＯ５４２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体、及び抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ２０６、抗−ＰＲＯ２６４、抗−ＰＲＯ３１３、抗−ＰＲＯ３４２、抗−ＰＲＯ５４２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体の断片を包含している（下記参照）。ここで使用される「モノクローナル抗体」という用語は、実質的に均一な抗体の集団、すなわち、構成する個々の抗体が、少量存在しうる自然に生じる可能性のある突然変異を除いて同一である集団から得られる抗体を称する。
【００４４】
ハイブリッド形成反応の「緊縮性」は、当業者によって容易に決定され、一般的にプローブ長、洗浄温度、及び塩濃度に依存する経験的な計算である。一般に、プローブが長くなると適切なアニーリングのための温度が高くなり、プローブが短くなると温度は低くなる。ハイブリッド形成は、一般的に、相補的鎖がその融点に近いがそれより低い環境に存在する場合における変性ＤＮＡの再アニールする能力に依存する。プローブとハイブリッド形成可能な配列との間の所望の相同性の程度が高くなると、使用できる相対温度が高くなる。その結果、より高い相対温度は、反応条件をより緊縮性にするが、低い温度は緊縮性を低下させる。さらに、緊縮性は塩濃度に逆比例する。ハイブリッド形成反応の緊縮性の更なる詳細及び説明は、Ａｕｓｕｂｅｌ等，  Ｃｕｒｒｅｎｔ  Ｐｒｏｔｏｃｏｌｓ  ｉｎ  Ｍｏｌｅｃｕｌａｒ  Ｂｉｏｌｏｇｙ，  Ｗｉｌｅｙ  Ｉｎｔｅｒｓｃｉｅｎｃｅ  Ｐｕｂｌｉｓｈｅｒｓ，  （１９９５）を参照のこと。
ここで定義される「緊縮性条件」又は「高度の緊縮性条件」は、（１）洗浄のために低イオン強度及び高温度、例えば、５０℃において０．０１５Ｍの塩化ナトリウム／０．００１５Ｍのクエン酸ナトリウム／０．１％のドデシル硫酸ナトリウムを用いるもの；（２）ハイブリッド形成中にホルムアミド等の変性剤、例えば、４２℃において５０％（ｖ／ｖ）ホルムアミドと０．１％ウシ血清アルブミン／０．１％フィコール／０．１％のポリビニルピロリドン／５０ｍＭのｐＨ６．５のリン酸ナトリウムバッファー、及び７５０ｍＭの塩化ナトリウム、７５ｍＭクエン酸ナトリウムを用いるもの；（３）４２℃における５０％ホルムアミド、５ｘＳＳＣ（０．７５ＭのＮａＣｌ、０．０７５Ｍのクエン酸ナトリウム）、５０ｍＭのリン酸ナトリウム（ｐＨ６．８）、０．１％のピロリン酸ナトリウム、５ｘデンハート液、超音波処理サケ精子ＤＮＡ（５０μｇ／ｍｌ）、０．１％ＳＤＳ、及び１０％のデキストラン硫酸と、４２℃における０．２ｘＳＳＣ（塩化ナトリウム／クエン酸ナトリウム）中の洗浄及び５５℃での５０％ホルムアミド、次いで５５℃におけるＥＤＴＡを含む０．１ｘＳＳＣからなる高緊縮性洗浄を用いるものによって同定される。
「中程度の緊縮性条件」は、Ｓａｍｂｒｏｏｋ等，  Ｍｏｌｅｃｕｌａｒ  Ｃｌｏｎｉｎｇ：  Ａ  Ｌａｂｏｒａｔｏｒｙ  Ｍａｎｕａｌ  （Ｎｅｗ  Ｙｏｒｋ：  Ｃｏｌｄ  Ｓｐｒｉｎｇ  Ｈａｒｂｏｒ  Ｌａｂｏｒａｔｏｒｙ  Ｐｒｅｓｓ，  １９８９に記載されているように同定され、上記の緊縮性より低い洗浄溶液及びハイブリッド形成条件（例えば、温度、イオン強度及び％ＳＤＳ）の使用を含む。中程度の緊縮性条件は、２０％ホルムアミド、５ｘＳＳＣ（１５０ｍＭのＮａＣｌ、１５ｍＭのクエン酸三ナトリウム）、５０ｍＭリン酸ナトリウム（ｐＨ７．６）、５ｘデンハート液、１０％デキストラン硫酸、及び２０ｍｇ／ｍＬの変性剪断サケ精子ＤＮＡを含む溶液中の３７℃での終夜インキュベーション、次いで１ｘＳＳＣ中３７−５０℃でのフィルターの洗浄といった条件である。当業者であれば、プローブ長などの因子に適合させる必要に応じて、どのようにして温度、イオン強度等を調節するかを認識するであろう。
【００４５】
「エピトープタグ」なる用語は、ここで用いられるときは、「タグポリペプチド」に融合したＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドを含んでなるキメラポリペプチドを指す。タグポリペプチドは、その抗体が産生され得るエピトープ、又は幾つかの他の試薬によって同定できるエピトープを提供するに十分な数の残基を有しているが、その長さは対象とするＰＲＯポリペプチドの活性を阻害しないよう充分に短い。また、タグポリペプチドは、好ましくは、抗体が他のエピトープと実質的に交差反応をしないようにかなり独特である。適切なタグポリペプチドは、一般に、少なくとも６のアミノ酸残基、通常は約８〜約５０のアミノ酸残基（好ましくは約１０〜約２０の残基）を有する。
【００４６】
ここで意図している「活性な」及び「活性」とは、天然又は天然発生のＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの生物学的及び／又は免疫学的活性／特性を保持するＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの形態を意味し、「生物学的」活性とは、天然又は天然発生のＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドによって生ずる（阻害性又は刺激性の）生物学的機能であって、天然又は天然発生のＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドが有する抗原性エピトープに対して抗体を生成する能力を除くものを意味し、「免疫学的」活性とは、天然又は天然発生のＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドが有する抗原性エピトープに対して抗体を生成する能力を意味する。
【００４７】
ここに開示されるスクリーニングアッセイによって同定できる抗体又は他のアンタゴニスト分子（例えば、有機又は無機小分子、ペプチド等）の文脈における「生物学的活性」は、それらの分子がここに同定される増幅された遺伝子にコードされるペプチドと結合又は複合体形成する能力、又はコード化ポリペプチドと他の細胞性タンパク質との相互作用を妨害する能力、又はＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの転写又は翻訳を妨害する能力を指す。好ましい生物学的活性は、標的細胞の成長阻害である。他の好ましい生物学的活性は、標的腫瘍細胞の死をもたらす細胞毒性活性である。
ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの文脈における「生物学的活性」という用語は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドが腫瘍形成細胞成長又は制御されない細胞成長を誘発する能力を意味する。
【００４８】
「免疫学的活性」という語は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの少なくとも１つのエピトープとの免疫学的交差反応性を意味する。
ここで用いられる「免疫学的交差反応性」とは、候補ポリペプチドが、この活性を持つＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの定性的生物学的活性を、周知の活性なＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドに対して生じたポリクローナル抗血清と競合的に阻害できることを意味する。そのような抗血清は、例えばヤギ又はウサギに、完全フロイントアジュバント中の周知の活性類似物を皮下注射し、次いで不完全フロイント中で腹膜内又は皮下に追加免疫することにより従来の方法で調製される。免疫学的交差反応性は好ましくは「特異的」であり、これは同定される免疫学的交差反応性分子（例えば抗体）の対応するＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドに対する結合親和性が、その分子の他の任意の知られた天然ポリペプチドに対する結合親和性より有意に高い（好ましくは少なくとも約２倍、より好ましくは少なくとも約４倍、さらにより好ましくは少なくとも約８倍、最も好ましくは少なくとも約１０倍高い）ことを意味する。
【００４９】
「アンタゴニスト」なる用語は最も広い意味で用いられ、ここに開示した天然のＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの生物学的活性又はその転写又は翻訳を全体的又は部分的に阻止、阻害、又は中和する任意の分子を含む。好適なアンタゴニスト分子は特に、アンタゴニスト抗体又は抗体断片、断片、ペプチド、有機小分子、アンチセンス核酸などを含む。ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドのアンタゴニストの同定方法は、候補アンタゴニスト分子と接触させ、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドに通常付随する一又は複数の生物学的活性の変化を測定することを含みうる。
「小分子」は、ここで約５００ダルトン未満の分子量を有すると定義される。
【００５０】
「抗体」（Ａｂｓ）及び「免疫グロブリン」（Ｉｇｓ）は同じ構造的特徴を持つ糖タンパク質である。抗体は特定の抗原に対する特異性を示すが、免疫グロブリンは抗体及び抗原特異性を持たない他の抗体様分子の両方を含む。後者の種類のポリペプチドは、例えば、リンパ系によって低レベルで、ミエローマによって向上したレベルで生産される。「抗体」という用語は最も広い意味で使用され、限定されることなく、無傷のモノクローナル抗体、ポリクローナル抗体、少なくとも２つの無傷の抗体から形成される多重特異的抗体（例えば二重特異的抗体）、及びそれらが所望の生物学的活性を有している限り抗体断片を包含する。
「天然抗体」及び「天然免疫グロブリン」は、通常、２つの同一の軽（Ｌ）鎖及び２つの同一の重（Ｈ）鎖からなる、約１５０，０００ダルトンの異種四量体糖タンパク質である。各軽鎖は一つの共有ジスルフィド結合により重鎖に結合しており、ジスルフィド結合の数は、異なった免疫グロブリンアイソタイプの重鎖の中で変化する。また各重鎖と軽鎖は、規則的に離間した鎖間ジスルフィド架橋を有している。各重鎖は、多くの定常ドメインが続く可変ドメイン（ＶＨ）を一端に有する。各軽鎖は、一端に可変ドメイン（ＶＬ）を、他端に定常ドメインを有し；軽鎖の定常ドメインは重鎖の第一定常ドメインと整列し、軽鎖の可変ドメインは重鎖の可変ドメインと整列している。特定のアミノ酸残基が、軽鎖及び重鎖可変ドメイン間の界面を形成すると考えられている。
【００５１】
「可変」という用語は、可変ドメインのある部位が、抗体の中で配列が広範囲に異なっており、その特定の抗原に対する各特定の抗体の結合性及び特異性に使用されているという事実を意味する。しかしながら、可変性は抗体の可変ドメインにわたって一様には分布していない。軽鎖及び重鎖の可変ドメインの両方の高頻度可変領域又は相補性決定領域（ＣＤＲｓ）と呼ばれる３つ又は４つののセグメントに濃縮される。可変ドメインのより高度に保持された部分はフレームワーク（ＦＲ）領域と呼ばれる。天然の重鎖及び軽鎖の可変ドメインは、β−シート構造を結合し、ある場合にはその一部を形成するループ結合を形成する、ＣＤＲにより連結されたβ−シート配置を主にとる４つ又５つのＦＲ領域をそれぞれ含んでいる。各鎖のＣＤＲは、ＦＲにより近接して結合せしめられ、他の鎖のＣＤＲと共に、抗体の抗原結合部位の形成に寄与している（Ｋａｂａｔ等，  ＮＩＨ  Ｐｕｂｌ．  Ｎｏ．９１−３２４２，  Ｖｏｌ．Ｉ，  ６４７−６６９頁［１９９１］を参照のこと）。定常ドメインは、抗体の抗原への結合に直接関連しているものではないが、種々のエフェクター機能、例えば抗体依存性細胞毒性活性への抗体の関与を示す。
ここで使用される場合、「高頻度可変領域」なる用語は、抗原結合性を生じる抗体のアミノ酸残基を意味する。高頻度可変領域は「相補性決定領域」又は「ＣＤＲ」からのアミノ酸残基（すなわち、軽鎖可変ドメインの残基２４−３４（Ｌ１）、５０−５６（Ｌ２）及び８９−９７（Ｌ３）及び重鎖可変ドメインの３１−３５（Ｈ１）、５０−６５（Ｈ２）及び９５−１０２（Ｈ３）；Ｋａｂａｔら，  Ｓｅｑｕｅｎｃｅｓ  ｏｆ  Ｐｒｏｔｅｉｎｓ  ｏｆ  Ｉｍｍｕｎｏｌｏｇｉｃａｌ  Ｉｎｔｅｒｅｓｔ，５版，  Ｐｕｂｌｉｃ  Ｈｅａｌｔｈ  Ｓｅｒｖｉｃｅ，  Ｎａｔｉｏｎａｌ  Ｉｎｓｔｉｔｕｔｅｓ  ｏｆ  Ｈｅａｌｔｈ，  Ｂｅｔｈｅｓｄａ，  ＭＤ．（１９９１））又は「高頻度可変ループ」からの残基（すなわち、軽鎖可変ドメインの残基２６−３２（Ｌ１）、５０−５２（Ｌ２）及び９１−９６（Ｌ３）及び重鎖可変ドメインの残基２６−３２（Ｈ１）、５３−５５（Ｈ２）及び９６−１０１（Ｈ３）；Ｃｈｏｔｈｉａ及びＬｅｓｋ  Ｊ．Ｍｏｌ．Ｂｉｏｌ．  １９６：９０１−９１７  （１９８７））を含んでなる。「フレームワーク」又は「ＦＲ」残基はここに定義した高頻度可変領域残基以外の可変ドメイン残基である。
【００５２】
「抗体断片」は、未変性の抗体の一部、好ましくは未変性の抗体の抗原結合又は可変領域を含む。抗体断片の例は、Ｆａｂ、Ｆａｂ’、Ｆ（ａｂ’）２、及びＦｖ断片；ダイアボディ（ｄｉａｂｏｄｙ）；直鎖状抗体（Ｚａｐａｔａ等，  Ｐｒｏｔｅｉｎ  Ｅｎｇ．  ８（１０）：  １０５７−１０６２  ［１９９５］）；一本鎖抗体分子；及び抗体断片から形成される多重特異的抗体を含む。
抗体のパパイン消化は、「Ｆａｂ」断片と呼ばれ、各々単一の抗原結合部位を持つ２つの同一な抗原結合断片、及び残りの「Ｆｃ」断片、その名称は容易に結晶化する能力を反映している、を生成する。ペプシン処理により、２つの抗原結合部位を有するが、交差結合抗原であり得るＦ（ａｂ’）２断片が生成される。
「Ｆｖ」は、完全な抗原認識及び結合部位を含む最小抗体断片である。この領域は、緊密に非共有的に結合した１つの重鎖と１つの軽鎖の二量体からなる。この配置では、ＶＨ−ＶＬ二量体の表面における抗原結合部位を決定するために各可変領域の３つのＣＤＲが相互作用する。正確には、６つのＣＤＲが抗体に抗原結合特異性を与える。しかし、単一の可変ドメイン（又は抗原特異的な３つのＣＤＲしか含まないＦｖの半分）でさえも抗原を認識し結合する能力を持つが、結合部位全体よりは親和性が低い。
また、Ｆａｂ断片は軽鎖の定常ドメイン及び重鎖の第１の定常ドメイン（ＣＨ１）も含む。Ｆａｂ断片は、抗体ヒンジ領域からの１つ又は複数のシステインを含む重鎖ＣＨ１ドメインのカルボキシル末端における数個の残基の付加によりＦａｂ断片と相違する。Ｆａｂ’−ＳＨは、ここにおいて、定常ドメインのシステイン残基が遊離のチオール基を持つＦａｂ’の記号である。Ｆ（ａｂ’）２抗体断片は、元々、それらの間にヒンジシステインを持つＦａｂ’断片の対として生成された。抗体断片の他の化学的結合も知られている。
任意の種からの抗体（免疫グロブリン）の「軽鎖」は、それらの定常ドメインのアミノ酸配列に基づいて、カッパ（κ）及びラムダ（λ）と呼ばれる１つ又は２つの明らかに異なる型に分類できる。
それらの重鎖の定常ドメインのアミノ酸配列に基づいて、免疫グロブリンは異なるクラスに分けられる。免疫グロブリンの５つの主要なクラス：ＩｇＡ、ＩｇＤ、ＩｇＥ、ＩｇＧ、及びＩｇＭがあり、これらの幾つかは、更にサブクラス（アイソタイプ）、例えばＩｇＧ１、ＩｇＧ２、ＩｇＧ３、ＩｇＧ４、ＩｇＡ及びＩｇＡ２に分けられる。異なるクラスの免疫グロブリンに対応する重鎖定常ドメインは、各々α、δ、ε、γ、及びμと呼ばれる。異なるクラスの免疫グロブリンのサブユニット構造及び三次元配置は良く知られている。
【００５３】
ここで用いられる「モノクローナル抗体」なる用語は、実質的に均一な抗体の集団、即ち、集団を構成する個々の抗体が少量で存在する自然に起こりうる突然変異以外は同一である集団から得られる抗体を意味する。モノクローナル抗体は高度に特異的であり、単一の抗原部位に向けられている。さらに、典型的に異なる決定基（エピトープ）に対して向けられた異なる抗体を含む従来の（ポリクローナル）抗体とは異なり、各モノクローナル抗体は抗原上の単一の決定基に対して向けられている。それらの特異性に加えて、モノクローナル抗体は、ハイブリドーマ培養によって合成され、他の免疫グロブリンに汚染されない点において有利である。「モノクローナル」という修飾語は、実質的に均一な抗体集団から得られ、任意の特定の方法による抗体の生産を必要とするとは解釈されない抗体の特徴を示す。例えば、本発明に従って使用されるモノクローナル抗体は、Ｋｏｈｌｅｒ等，  Ｎａｔｕｒｅ，  ２５６：  ４９５  ［１９７５］によって最初に記載されたハイブリドーマ法により作成してもよいし、組換えＤＮＡ法（例えば、米国特許第４，８１６，５６７号参照）により作成してもよい。また「モノクローナル抗体」はファージ抗体ライブラリから、例えば、Ｃｌａｃｋｓｏｎ等，  Ｎａｔｕｒｅ，  ３５２：  ６２４−６２８  ［１９９１］及び  Ｍａｒｋｓ等，  Ｊ．  Ｍｏｌ．  Ｂｉｏｌ．，  ２２２：  ５８１−５９７  （１９９１）に記載された技術を用いて単離してもよい。
ここで、モノクローナル抗体は特に、「キメラ」抗体（免疫グロブリン）を含み、それは、重鎖又は軽鎖の一部が特定の種から誘導された又は特定の抗体クラス又はサブクラスに属する抗体の対応する配列と同一又は相同であるが、鎖の残りの部分は他の種から誘導された又は特定の抗体クラス又はサブクラスに属する抗体の対応する配列と同一又は相同である抗体、並びにそれらが所望のお生物学的活性を示す限りにおいてそれらの抗体の断片である（米国特許第４，８１６，５６７号；Ｍｏｒｒｉｓｏｎ等，  Ｐｒｏｃ．  Ｎａｔｌ．  Ａｃａｄ．  Ｓｃｉ．  ＵＳＡ，  ８１：  ６８５１−６８５５  ［１９８４］）。
【００５４】
非ヒト（例えばマウス）抗体の「ヒト化」型は、非ヒト免疫グロブリンから誘導された最小配列を含有する特定のキメラ免疫グロブリン、免疫グロブリン鎖又はそれらの断片（例えば、Ｆｖ、Ｆａｂ、Ｆａｂ’、Ｆ（ａｂ’）２あるいは抗体の他の抗原結合性配列）である。大部分において、ヒト化抗体はヒト免疫グロブリン（レシピエント抗体）であって、そのレシピエントの相補性決定領域（ＣＤＲ）が、マウス、ラット、ヤギなどのヒト以外の種のＣＤＲ（ドナー抗体）に由来する所望の特異性、親和性及び容量を持つ残基で置換されている。ある場合は、ヒト免疫グロブリンのＦｖＦＲ枠残基が対応する非ヒト残基で置換される。さらに、ヒト化抗体は、レシピエント抗体にも、輸入されるＣＤＲ又は枠配列にも見られない残基を含んでもよい。これらの修飾は、抗体の性能をさらに精密かつ最適化するために施される。一般にヒト化抗体は、ＣＤＲ領域の全て又は実質上全てが非ヒト免疫グロブリンのものに対応し、ＦＲ領域の全て又は実質上全てがヒト免疫グロブリン共通配列のものである少なくとも１つ、典型的には２つの可変ドメインの実質的に全部を含有するであろう。また、最適なヒト化抗体は、免疫グロブリン定常領域（Ｆｃ）、典型的にはヒト免疫グロブリンのものの少なくとも一部も含有するであろう。さらなる詳細については、Ｊｏｎｅｓ等，  Ｎａｔｕｒｅ  ３２１：  ５２２  −５２５  （１９８６）；Ｒｅｉｃｈｍａｎｎ等，  Ｎａｔｕｒｅ  ３３２：  ３２３−３２９  （１９８８）；Ｐｒｅｓｔａ，  Ｃｕｒｒ．  Ｏｐ．  ｓｔｒｕｃｔ．  Ｂｉｏｌ．  ２：  ５９３  −５９６  （１９９２）を参照のこと。ヒト化抗体は、抗体の抗原結合領域が、関心のある抗原でマカクザルを免疫化することにより生産された抗体から由来するプリマタイズしたＰＲＩＭＡＴＩＺＥＤ（商品名）抗体を含む。
【００５５】
「一本鎖Ｆｖ」又は「ｓＦｖ」抗体断片は、抗体のＶＨ及びＶＬドメインを含む抗体断片を含み、これらのドメインは単一のポリペプチド鎖に存在する。好ましくは、ＦｖポリペプチドはＶＨ及びＶＬドメイン間にポリペプチドリンカーを更に含み、それはｓＦｖが抗原結合に望まれる構造を形成するのを可能にする。ｓＦｖの概説については、Ｔｈｅ  Ｐｈａｒｍａｃｏｌｏｇｙ  ｏｆ  Ｍｏｎｏｃｌｏｎａｌ  Ａｎｔｉｂｏｄｉｅｓ，  ｖｏｌ．  １１３，  Ｒｏｓｅｎｂｕｒｇ及びＭｏｏｒｅ編，  Ｓｐｒｉｎｇｅｒ−Ｖｅｒｌａｇ，  Ｎｅｗ  Ｙｏｒｋ，  ｐｐ．  ２６９−３１５  （１９９４）のＰｌｕｃｋｔｈｕｎを参照のこと。
「ダイアボディ」なる用語は、二つの抗原結合部位を持つ小さい抗体断片を指し、その断片は同一のポリペプチド鎖（ＶＨ−ＶＬ）内で軽鎖可変ドメイン（ＶＬ）に重鎖可変ドメイン（ＶＨ）が結合している。非常に短いために同一鎖上で二つのドメインの対形成を可能にするリンカーを使用して、ドメインを他の鎖の相補ドメインと強制的に対形成させ、二つの抗原結合部位を創製する。ダイアボディーは、例えば、ＥＰ４０４０９７；ＷＯ９３  ／１１１６１；及びＨｏｌｌｉｎｇｅｒ等，  Ｐｒｏｃ．Ｎａｔｌ．Ａｃａｄ．Ｓｃｉ．  ＵＳＡ  ９０：６４４４−６４４８  （１９９３）に更に詳細に記載されている。
「単離された」抗体とは、その自然環境の成分から同定され分離され又は回収されたものを意味する。その自然環境の汚染成分とは、抗体の診断又は治療への使用を妨害する物質であり、酵素、ホルモン、及び他の非タンパク質様溶質が含まれる。好ましい実施態様において、抗体は、（１）ローリー（Ｌｏｗｒｙ）法によって決定した場合９５重量％以上の、最も好ましくは９９重量％の抗体まで、（２）スピニングカップシークエネーターを使用することにより、少なくとも１５のＮ末端あるいは内部アミノ酸配列の残基を得るのに充分な程度まで、あるいは（３）クーマシーブルーあるいは好ましくは銀染色を用いた還元又は非還元条件下でのＳＤＳ−ＰＡＧＥによる均一性まで精製される。単離された抗体には、組換え細胞内のインサイツの抗体が含まれるが、これは抗体の自然環境の少なくとも１つの成分が存在しないからである。しかしながら、通常は、単離された抗体は少なくとも１つの精製工程により調製される。
【００５６】
「標識」という語は、ここで用いられる場合、抗体に直接的又は間接的に結合して「標識化」抗体を生成する検出可能な化合物又は組成物を意味する。標識はそれ自身によって検出可能でもよく（例えば、放射性同位体標識又は蛍光標識）、あるいは、酵素標識の場合には、検出可能な基質化合物又は組成物の化学的変換を触媒してもよい。検出可能な標識を提供しうる放射性ヌクレオチドは、例えば、Ｉ−１３１、Ｉ−１２３、Ｉ−１２５、Ｙ−９０、Ｒｅ−１８８、Ｒｅ−１８６、Ａｔ−２１１、Ｃｕ−６７、Ｂｉ−２１２、及びＰｄ−１０９を含む。
「固相」とは、本発明の抗体が接着できる非水性マトリクスを意味する。ここに包含される固相の例は、部分的又は全体的にガラス（例えば、孔の制御されたガラス）、ポリサッカリド（例えばアガロース）、ポリアクリルアミド、ポリスチレン、ポリビニルアルコール及びシリコーンで形成されたものを含む。或る実施態様では、前後関係に応じて、固相はアッセイ用プレートのウェル；その他では精製用カラム（例えばアフィニティクロマトグラフィカラム）を含むことができる。また、この用語は、米国特許第４，２７５，１４９号に記載されたような別々の粒子の不連続な固体相も含む。
「リポソーム」は、哺乳動物への薬物（ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチド又はそれらに対する抗体、場合によっては化学治療薬）の送達に有用な、脂質、リン脂質及び／又は界面活性剤を含む種々の型の小さな小胞である。リポソームの成分は、通常は生物学的メンバーの脂質配列に類似した２層構造に配列される。
ここで用いる「イムノアドヘシン」という用語は、免疫グロブリン定常ドメインのエフェクター機能を持つ異種タンパク質（「アドヘシン」）の結合特異性を付与した抗体様分子を指す。構造的には、イムノアドヘシンは抗体の抗原認識及び結合部位以外の所望の結合特異性を持つアミノ酸配列（即ち「異種」）と免疫グロブリン定常ドメイン配列との融合物である。イムノアドヘシン分子のアドへシン部分は、典型的には少なくともレセプター又はリガンドの結合部位を含む近接アミノ酸配列である。イムノアドヘシンの免疫グロブリン定常ドメイン配列は、ＩｇＧ−１、ＩｇＧ−２、ＩｇＧ−３、又はＩｇＧ−４サブタイプ、ＩｇＡ（ＩｇＡ−１及びＩｇＡ−２を含む）、ＩｇＥ、ＩｇＤ又はＩｇＭなどの任意の免疫グロブリンから得ることができる。
【００５７】
ＩＩ．  本発明の組成物と方法
Ａ．全長ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチド
本発明は、本出願でＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドと命名されるポリペプチドをコードする新規に同定され単離された核酸配列を提供する。特に下記の実施例でさらに詳細に説明するように、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドをコードするｃＤＮＡが同定され単離された。別々の発現ラウンドで生成されたタンパク質には異なるＰＲＯ番号が与えられるが、ＵＮＱ番号は全ての与えられたＤＮＡ及びコード化タンパク質に独特であり、変わることはないことを記しておく。しかしながら、単純化のために、本明細書において、ここに開示した全長天然核酸分子にコードされるタンパク質並びに上記のＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の定義に含まれるさらなる天然相同体及び変異体は、それらの起源又は調製形式に関わらず、「ＰＲＯ１９７」、「ＰＲＯ２０７」、「ＰＲＯ２２６」、「ＰＲＯ２３２」、「ＰＲＯ２４３」、「ＰＲＯ２５６」、「ＰＲＯ２６９」、「ＰＲＯ２７４」、「ＰＲＯ３０４」、「ＰＲＯ３３９」、「ＰＲＯ１５５８」、「ＰＲＯ７７９」、「ＰＲＯ１１８５」、「ＰＲＯ１２４５」、「ＰＲＯ１７５９」、「ＰＲＯ５７７５」、「ＰＲＯ７１３３」、「ＰＲＯ７１６８」、「ＰＲＯ５７２５」、「ＰＲＯ２０２」、「ＰＲＯ２０６」、「ＰＲＯ２６４」、「ＰＲＯ３１３」、「ＰＲＯ３４２」、「ＰＲＯ５４２」、「ＰＲＯ７７３」、「ＰＲＯ８６１」、「ＰＲＯ１２１６」、「ＰＲＯ１６８６」、「ＰＲＯ１８００」、「ＰＲＯ３５６２」、「ＰＲＯ９８５０」、「ＰＲＯ５３９」、「ＰＲＯ４３１６」又は「ＰＲＯ４９８０」と呼称する。
下記の実施例に開示するように、周知のクローン：ＤＮＡ３０８６９、ＤＮＡ３４４０５、ＤＮＡ３６９９５、ＤＮＡ４３３２０、ＤＮＡ３８６４９、ＤＮＡ５６５０５、ＤＮＡ４８３０３、ＤＮＡ５０７９８、ＤＮＡ６６４８９、ＤＮＡ８０８９６、ＤＮＡ９６７９１、及びＤＮＡ５８７２５以外は、ｃＤＮＡクローンがＡＴＣＣに寄託されている。これらのクローンの正確なヌクレオチド配列は、この分野で日常的な方法を用いて寄託されたクローンを配列決定することにより容易に決定することができる。予測されるアミノ酸配列は、ヌクレオチド配列から常套的技量を用いて決定できる。ここに記載したＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチド及びコード化核酸について、本出願人は、現時点で入手可能な配列情報と最も良く一致するリーディングフレームであると考えられるものを同定した。
【００５８】
Ｂ．ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０変異体
ここに記載した全長天然配列ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドポリペプチドに加えて、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０変異体も調製できると考えられる。ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０変異体は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ＤＮＡに適当なヌクレオチド変化を導入することにより、及び／又は所望のＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドを合成することにより調製できる。当業者は、グリコシル化部位の数又は位置の変化あるいは膜固着特性の変化などのアミノ酸変化がＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の翻訳後プロセスを変えうることを理解するであろう。
【００５９】
天然全長配列ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０又はここに記載したＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の種々のドメインにおける変異は、例えば、米国特許第５，３６４，９３４号に記載されている保存的及び非保存的変異についての技術及び指針の任意のものを用いてなすことができる。変異は、結果として天然配列ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０と比較してＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０のアミノ酸配列が変化する、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０をコードする一又は複数のコドンの置換、欠失又は挿入であってよい。場合によっては、変異は少なくとも１つのアミノ酸のＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の一又は複数のドメインの任意の他のアミノ酸による置換による。いずれのアミノ酸残基が所望の活性に悪影響を与えることなく挿入、置換又は欠失されるかの指針は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の配列を相同性の知られたタンパク質分子の配列と比較し、相同性の高い領域内でなされるアミノ酸配列変化を最小にすることによって見出される。アミノ酸置換は、一のアミノ酸の類似した構造及び／又は化学特性を持つ他のアミノ酸での置換、例えばロイシンのセリンでの置換、即ち保存的アミノ酸置換の結果とすることができる。挿入及び欠失は、場合によっては１から５のアミノ酸の範囲内とすることができる。許容される変異は、配列においてアミノ酸の挿入、欠失又は置換を系統的に作成し、得られた変異体を全長又は成熟天然タンパク質によって提示された活性について試験することにより決定される。
【００６０】
ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチド断片がここに提供される。このような断片は、例えば、全長天然タンパク質と比較した際に、Ｎ−末端又はＣ−末端で切断されてもよく、又は内部残基を欠いていてもよい。或る種の断片は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの所望の生物学的活性に必須ではないアミノ酸残基を欠いている。ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０断片は、多くの従来技術の任意のものによって調製してよい。所望のペプチド断片は化学合成してもよい。代替的方法は、酵素的消化、例えば特定のアミノ酸残基によって決定される部位のタンパク質を切断することが知られた酵素でタンパク質を処理することにより、あるいは適当な制限酵素でＤＮＡを消化して所望の断片を単離することによるＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０断片の生成を含む。さらに他の好適な技術は、ポリメラーゼ連鎖反応（ＰＣＲ）により、所望のポリペプチド断片をコードするＤＮＡ断片を単離し増幅することを含む。ＤＮＡ断片の所望の末端を決定するオリゴヌクレオチドは、ＰＣＲの５’及び３’プライマーで用いられる。好ましくは、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチド断片は、天然のＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドと少なくとも１つの生物学的及び／又は免疫学的活性を共有する。
【００６１】
特別の実施態様では、対象とする保存的置換を、好ましい置換と題して表３に示す。このような置換が生物学的活性の変化をもたらす場合、表３に例示的置換と名前を付けた又は以下にアミノ酸分類でさらに記載するように、より置換的な変化が導入され生成物がスクリーニングされる。
2004229504.tif 000023
ポリペプチドの機能又は免疫学的同一性の実質的な修飾は、（ａ）置換領域のポリペプチド骨格の構造、例えばシート又は螺旋配置、（ｂ）標的部位の電荷又は疎水性、又は（ｃ）側鎖の嵩を維持しながら、それらの効果において実質的に異なる置換基を選択することにより達成される。天然発生残基は共通の側鎖特性に基づいてグループに分けることができる：
（１）疎水性：ノルロイシン，  ｍｅｔ，  ａｌａ，  ｖａｌ，  ｌｅｕ，  ｉｌｅ；
（２）中性の親水性：ｃｙｓ，  ｓｅｒ，  ｔｈｒ；
（３）酸性：ａｓｐ，  ｇｌｕ；
（４）塩基性：ａｓｎ，  ｇｌｎ，  ｈｉｓ，  ｌｙｓ，  ａｒｇ；
（５）鎖配向に影響する残基：ｇｌｙ，  ｐｒｏ；  及び
（６）芳香族：ｔｒｐ，  ｔｙｒ，  ｐｈｅ。
【００６２】
非保存的置換は、これらの分類の一つのメンバーを他の分類に交換することを必要とするであろう。また、そのように置換された残基は、保存的置換部位、好ましくは残された（非保存）部位に導入されうる。
変異は、オリゴヌクレオチド媒介（部位特異的）突然変異誘発、アラニンスキャンニング、及びＰＣＲ突然変異誘発［Ｃａｒｔｅｒ等，  Ｎｕｃｌ．  Ａｃｉｄｓ  Ｒｅｓ．，  １３：  ４３３１  （１９８６）；  Ｚｏｌｌｅｒ等，  Ｎｕｃｌ．  Ａｃｉｄｓ  Ｒｅｓ．，  １０：  ６４８７  （１９８７）］、カセット突然変異誘発［Ｗｅｌｌｓ等，  Ｇｅｎｅ，  ３４：  ３１５  （１９８５）］、制限的選択突然変異誘発［Ｗｅｌｌｓ等，  Ｐｈｉｌｏｓ．  Ｔｒａｎｓ．  Ｒ．  Ｓｏｃ．  Ｌｏｎｄｏｎ  ＳｅｒＡ，  ３１７：  ４１５  （１９８６）］等のこの分野で知られた方法を用いてなすことができ、又は他の知られた技術をクローニングしたＤＮＡに実施してＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０変異体ＤＮＡを作成することもできる。
また、隣接配列に沿って一又は複数のアミノ酸を同定するのにスキャンニングアミノ酸分析を用いることができる。好ましいスキャンニングアミノ酸は比較的小さく、中性のアミノ酸である。そのようなアミノ酸は、アラニン、グリシン、セリン、及びシステインを含む。アラニンは、ベータ炭素を越える側鎖を排除し変異体の主鎖構造を変化させにくいので、この群の中で典型的に好ましいスキャンニングアミノ酸である［Ｃｕｎｉｎｇｈａｍ及びＷｅｌｌｓ，  Ｓｃｉｅｎｃｅ，  ２４４：  １０８１−１０８５  （１９８９）］。また、アラニンは最もありふれたアミノ酸であるため典型的には好ましい。さらに、それは埋もれた及び露出した位置の両方に見られることが多い［Ｃｒｅｉｇｈｔｏｎ，  Ｔｈｅ  Ｐｒｏｔｅｉｎｓ，  （Ｗ．Ｈ．  Ｆｒｅｅｍａｎ  ＆  Ｃｏ．，  Ｎ．Ｙ．）；  Ｃｈｏｔｈｉａ，  Ｊ．  Ｍｏｌ．  Ｂｉｏｌ．，  １５０：  １  （１９７６）］。アラニン置換が十分な量の変異体を生じない場合は、アイソテリック（ｉｓｏｔｅｒｉｃ）アミノ酸を用いることができる。
【００６３】
Ｃ．ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の修飾
ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の共有結合的修飾は本発明の範囲内に含まれる。共有結合的修飾の一型は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの標的とするアミノ酸残基を、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの選択された側鎖又はＮ−又はＣ−末端残基と反応できる有機誘導体化試薬と反応させることである。二官能性試薬での誘導体化が、例えばＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０を水不溶性支持体マトリクスあるいは抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ２０６、抗−ＰＲＯ２６４、抗−ＰＲＯ３１３、抗−ＰＲＯ３４２、抗−ＰＲＯ５４２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体の精製方法又はその逆で用いるための表面に架橋させるのに有用である。通常用いられる架橋剤は、例えば、１，１−ビス（ジアゾアセチル）−２−フェニルエタン、グルタルアルデヒド、Ｎ−ヒドロキシスクシンイミドエステル、例えば４−アジドサリチル酸、３，３’−ジチオビス（スクシンイミジルプロピオネート）等のジスクシンイミジルエステルを含むホモ二官能性イミドエステル、ビス−Ｎ−マレイミド−１，８−オクタン等の二官能性マレイミド、及びメチル−３−［（ｐ−アジドフェニル）−ジチオ］プロピオイミダート等の試薬を含む。
【００６４】
他の修飾は、グルタミニル及びアスパラギニル残基の各々対応するグルタミル及びアスパルチルへの脱アミノ化、プロリン及びリシンのヒドロキシル化、セリル又はトレオニル残基のヒドロキシル基のリン酸化、リシン、アルギニン、及びヒスチジン側鎖のα−アミノ基のメチル化［Ｔ．Ｅ．  Ｃｒｅｉｇｈｔｏｎ，  Ｐｒｏｔｅｉｎｓ：  Ｓｔｒｕｃｔｕｒｅ  ａｎｄ  Ｍｏｌｅｃｕｌａｒ  Ｐｒｏｐｅｒｔｉｅｓ，  Ｗ．Ｈ．  Ｆｒｅｅｍａｎ  ＆  Ｃｏ．，  Ｓａｎ  Ｆｒａｎｃｉｓｃｏ，  ｐｐ．７９−８６  （１９８３）］、Ｎ−末端アミンのアセチル化、及び任意のＣ−末端カルボキシル基のアミド化を含む。
本発明の範囲内に含まれるＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの共有結合的修飾の他の型は、ポリペプチドの天然グリコシル化パターンの変更を含む。「天然グリコシル化パターンの変更」とは、ここで意図されるのは、天然配列ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０に見られる１又は複数の炭水化物部分の欠失（存在するグリコシル化部位の除去又は化学的及び／又は酵素的手段によるグリコシル化の削除のいずれかによる）、及び／又は天然配列ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０に存在しない１又は複数のグリコシル化部位の付加を意味する。さらに、この文節は、存在する種々の炭水化物部分の性質及び特性の変化を含む、天然タンパク質のグリコシル化における定性的変化を含む。
【００６５】
ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドへのグリコシル化部位の付加はアミノ酸配列の変更を伴ってもよい。この変更は、例えば、１又は複数のセリン又はトレオニン残基の天然配列ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０（Ｏ−結合グリコシル化部位）への付加、又は置換によってなされてもよい。ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０アミノ酸配列は、場合によっては、ＤＮＡレベルでの変化、特に、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドをコードするＤＮＡを予め選択された塩基において変異させ、所望のアミノ酸に翻訳されるコドンを生成させることを通して変更されてもよい。
ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチド上に炭水化物部分の数を増加させる他の手段は、グリコシドのポリペプチドへの化学的又は酵素的結合による。このような方法は、この技術分野において、例えば、１９８７年９月１１日に発行されたＷＯ  ８７／０５３３０、及びＡｐｌｉｎ及びＷｒｉｓｔｏｎ，  ＣＲＣ  Ｃｒｉｔ．  Ｒｅｖ．  Ｂｉｏｃｈｅｍ．，  ｐｐ．  ２５９−３０６  （１９８１）に記載されている。
【００６６】
ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチド上に存在する炭水化物部分の除去は、化学的又は酵素的に、あるいはグルコシル化の標的として提示されたアミノ酸残基をコードするコドンの変異的置換によってなすことができる。化学的脱グリコシル化技術は、この分野で知られており、例えば、Ｈａｋｉｍｕｄｄｉｎ等，  Ａｒｃｈ．  Ｂｉｏｃｈｅｍ．  Ｂｉｏｐｈｙｓ．，  ２５９：５２  （１９８７）により、及びＥｄｇｅ等，  Ａｎａｌ．  Ｂｉｏｃｈｅｍ．，  １１８：  １３１  （１９８１）により記載されている。ポリペプチド上の炭水化物部分の酵素的切断は、Ｔｈｏｔａｋｕｒａ等，  Ｍｅｔｈ．  Ｅｎｚｙｍｏｌ．  １３８：３５０  （１９８７）に記載されているように、種々のエンド及びエキソグリコシダーゼを用いることにより達成される。
ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の共有結合的修飾の他の型は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの、種々の非タンパク質様ポリマー、例えばポリエチレングリコール、ポリプロピレングリコール、又はポリオキシアルキレンの一つへの、米国特許第４，６４０，８３５号；第４，４９６，６８９号；第４，３０１，１４４号；第４，６７０，４１７号；第４，７９１，１９２号又は第４，１７９，３３７号に記載された方法での結合を含む。
また、本発明のＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドは、他の異種ポリペプチド又はアミノ酸配列に融合したＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０を含むキメラ分子を形成する方法で修飾してもよい。
【００６７】
一実施態様では、このようなキメラ分子は、抗−タグ抗体が選択的に結合できるエピトープを提供するタグポリペプチドとＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０との融合を含む。エピトープタグは、一般的にはＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０のアミノ−又はカルボキシル−末端に位置する。このようなＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０のエピトープタグ形態の存在は、タグポリペプチドに対する抗体を用いて検出することができる。また、エピトープタグの提供は、抗−タグ抗体又はエピトープタグに結合する他の型の親和性マトリクスを用いたアフィニティ精製によってＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０を容易に精製できるようにする。種々のタグポリペプチド及びそれら各々の抗体はこの分野で良く知られている。例としては、ポリ−ヒスチジン（ｐｏｌｙ−Ｈｉｓ）又はポリ−ヒスチジン−グリシン（ｐｏｌｙ−Ｈｉｓ−ｇｌｙ）タグ；ｆｌｕ  ＨＡタ���ポリペプチド及びその抗体１２ＣＡ５［Ｆｉｅｌｄ等，  Ｍｏｌ．  Ｃｅｌｌ．  Ｂｉｏｌ．，  ８：２１５９−２１６５  （１９８８）］；ｃ−ｍｙｃタグ及びそれに対する８Ｆ９、３Ｃ７、６Ｅ１０、Ｇ４、Ｂ７及び９Ｅ１０抗体［Ｅｖａｎ等，  Ｍｏｌｅｃｕｌａｒ  ａｎｄ  Ｃｅｌｌｕｌａｒ  Ｂｉｏｌｏｇｙ，  ５：３６１０−３６１６  （１９８５）］；及び単純ヘルペスウイルス糖タンパク質Ｄ（ｇＤ）タグ及びその抗体［Ｐａｂｏｒｓｋｙ等，  Ｐｒｏｔｅｉｎ  Ｅｎｇｉｎｅｅｒｉｎｇ，  ３（６）：５４７−５５３  （１９９０）］を含む。他のタグポリペプチドは、フラッグペプチド［Ｈｏｐｐ等，  ＢｉｏＴｅｃｈｎｏｌｏｇｙ，  ６：１２０４−１２１０  （１９８８）］；ＫＴ３エピトープペプチド［Ｍａｒｔｉｎ等，  Ｓｃｉｅｎｃｅ，  ２５５：１９２−１９４  （１９９２）］；α−チューブリンエピトープペプチド［Ｓｋｉｎｎｅｒ等，  Ｊ．  Ｂｉｏｌ．  Ｃｈｅｍ．，  ２６６：１５１６３−１５１６６  （１９９１）］；及びＴ７遺伝子１０タンパク質ペプチドタグ［Ｌｕｔｚ−Ｆｒｅｙｅｒｍｕｔｈ等，  Ｐｒｏｃ．  Ｎａｔｌ．  Ａｃａｄ．  Ｓｃｉ．  ＵＳＡ，  ８７：６３９３−６３９７  （１９９０）］を含む。
【００６８】
それに換わる実施態様では、キメラ分子はＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の免疫グロブリン又は免疫グロブリンの特定領域との融合を含んでもよい。キメラ分子の二価形態（「イムノアドヘシン」とも呼ばれる）については、そのような融合体はＩｇＧ分子のＦｃ領域であり得る。Ｉｇ融合体は、好ましくはＩｇ分子内の少なくとも１つの可変領域に換えてＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの可溶化（膜貫通ドメイン欠失又は不活性化）形態を含む。特に好ましい実施態様では、免疫グロブリン融合体は、ＩｇＧ分子のヒンジ、ＣＨ２及びＣＨ３、又はヒンジ、ＣＨ１、ＣＨ２及びＣＨ３領域を含む。免疫グロブリン融合体の製造については、１９９５年６月２７日発行の米国特許第５，４２８，１３０号を参照のこと。
【００６９】
Ｄ．ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの調製
以下の説明は、主として、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０核酸を含むベクターで形質転換又は形質移入された細胞を培養することによりＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０を生産する方法に関する。もちろん、当該分野においてよく知られている他の方法を用いてＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０を調製することができると考えられる。例えば、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０配列、又はその一部は、固相技術を用いた直接ペプチド合成によって生産してもよい［例えば、Ｓｔｅｗａｒｔ等，  Ｓｏｌｉｄ−Ｐｈａｓｅ  Ｐｅｐｔｉｄｅ  Ｓｙｎｔｈｅｓｉｓ，  Ｗ．Ｈ．  Ｆｒｅｅｍａｎ  Ｃｏ．，  Ｓａｎ  Ｆｒａｎｃｉｓｃｏ，  ＣＡ  （１９６９）；Ｍｅｒｒｉｆｉｅｌｄ，  Ｊ．  Ａｍ．  Ｃｈｅｍ．  Ｓｏｃ．，  ８５：２１４９−２１５４  （１９６３）参照］。手動技術又は自動によるインビトロタンパク質合成を行ってもよい。自動合成は、例え���、アプライド・バイオシステムズ・ペプチド合成機（Ｆｏｓｔｅｒ  Ｃｉｔｙ，  ＣＡ）を用いて、製造者の指示により実施してもよい。ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の種々の部分は、別々に化学的に合成され、化学的又は酵素的方法を用いて結合させて全長ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０を生産してもよい。
【００７０】
ａ．ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０をコードするＤＮＡの単離
ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０をコードするＤＮＡは、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ｍＲＮＡを保有していてそれを検出可能なレベルで発現すると考えられる組織から調製されたｃＤＮＡライブラリから得ることができる。従って、ヒトＰＲＯ１９７、ヒトＰＲＯ２０７、ヒトＰＲＯ２２６、ヒトＰＲＯ２３２、ヒトＰＲＯ２４３、ヒトＰＲＯ２５６、ヒトＰＲＯ２６９、ヒトＰＲＯ２７４、ヒトＰＲＯ３０４、ヒトＰＲＯ３３９、ヒトＰＲＯ１５５８、ヒトＰＲＯ７７９、ヒトＰＲＯ１１８５、ヒトＰＲＯ１２４５、ヒトＰＲＯ１７５９、ヒトＰＲＯ５７７５、ヒトＰＲＯ７１３３、ヒトＰＲＯ７１６８、ヒトＰＲＯ５７２５、ヒトＰＲＯ２０２、ヒトＰＲＯ２０６、ヒトＰＲＯ２６４、ヒトＰＲＯ３１３、ヒトＰＲＯ３４２、ヒトＰＲＯ５４２、ヒトＰＲＯ７７３、ヒトＰＲＯ８６１、ヒトＰＲＯ１２１６、ヒトＰＲＯ１６８６、ヒトＰＲＯ１８００、ヒトＰＲＯ３５６２、ヒトＰＲＯ９８５０、ヒトＰＲＯ５３９、ヒトＰＲＯ４３１６又はヒトＰＲＯ４９８０ＤＮＡは、実施例に記載されるように、ヒトの組織から調製されたｃＤＮＡライブラリから簡便に得ることができる。またＰＲＯ１９７−、ＰＲＯ２０７−、ＰＲＯ２２６−、ＰＲＯ２３２−、ＰＲＯ２４３−、ＰＲＯ２５６−、ＰＲＯ２６９−、ＰＲＯ２７４−、ＰＲＯ３０４−、ＰＲＯ３３９−、ＰＲＯ１５５８−、ＰＲＯ７７９−、ＰＲＯ１１８５−、ＰＲＯ１２４５−、ＰＲＯ１７５９−、ＰＲＯ５７７５−、ＰＲＯ７１３３−、ＰＲＯ７１６８−、ＰＲＯ５７２５−、ＰＲＯ２０２−、ＰＲＯ２０６−、ＰＲＯ２６４−、ＰＲＯ３１３−、ＰＲＯ３４２−、ＰＲＯ５４２−、ＰＲＯ７７３−、ＰＲＯ８６１−、ＰＲＯ１２１６−、ＰＲＯ１６８６−、ＰＲＯ１８００−、ＰＲＯ３５６２−、ＰＲＯ９８５０−、ＰＲＯ５３９−、ＰＲＯ４３１６−又はＰＲＯ４９８０−コード化遺伝子は、ゲノムライブラリから又は既知の合成方法（例えば、自動化核酸合成）により得ることもできる。
【００７１】
ライブラリは、対象となる遺伝子あるいはその遺伝子によりコードされるタンパク質を同定するために設計されたプローブ（ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドに対する抗体又は少なくとも約２０−８０塩基のオリゴヌクレオチド等）によってスクリーニングできる。選択されたプローブによるｃＤＮＡ又はゲノムライブラリのスクリーニングは、例えばＳａｍｂｒｏｏｋ等，  Ｍｏｌｅｃｕｌａｒ  Ｃｌｏｎｉｎｇ：  Ａ  Ｌａｂｏｒａｔｏｒｙ  Ｍａｎｕａｌ（Ｎｅｗ  Ｙｏｒｋ：  Ｃｏｌｄ  Ｓｐｒｉｎｇ  Ｈａｒｂｏｒ  Ｌａｂｏｒａｔｏｒｙ  Ｐｒｅｓｓ，  １９８９）に記載されている標準的な手順を使用して実施することができる。ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０をコードする遺伝子を単離する他の方法はＰＣＲ法を使用するものである［Ｓａｍｂｒｏｏｋ等，上掲；Ｄｉｅｆｆｅｎｂａｃｈ等，  ＰＣＲ  Ｐｒｉｍｅｒ：Ａ  Ｌａｂｏｒａｔｏｒｙ  Ｍａｎｕａｌ（Ｃｏｌｄ  Ｓｐｒｉｎｇ  Ｈａｒｂｏｒ  Ｌａｂｏｒａｔｏｒｙ  Ｐｒｅｓｓ，  １９９５）］。
下記の実施例には、ｃＤＮＡライブラリのスクリーニング技術を記載している。プローブとして選択されたオリゴヌクレオチド配列は、充分な長さで、疑陽性が最小化されるよう充分に明瞭でなければならない。オリゴヌクレオチドは、スクリーニングされるライブラリ内のＤＮＡとのハイブリッド形成時に検出可能であるように標識されていることが好ましい。標識化の方法は当該分野において良く知られており、３２Ｐ標識されたＡＴＰのような放射線標識、ビオチン化あるいは酵素標識の使用が含まれる。中程度の厳密性及び高度の厳密性を含むハイブリッド形成条件は、上掲のＳａｍｂｒｏｏｋ等に与えられている。
このようなライブラリースクリーニング法において同定された配列は、Ｇｅｎｂａｎｋ等の公共データベース又は個人の配列データベースに寄託され公衆に利用可能とされている周知の配列と比較及びアラインメントすることができる。分子の決定された領域内又は全長に渡っての（アミノ酸又は核酸レベルのいずれかでの）配列同一性は、この分野で知られた、そしてここに記載した方法を用いて決定することができる。
タンパク質コード化配列を有する核酸は、初めてここで開示された推定アミノ酸配列を使用し、また必要ならば、ｃＤＮＡに逆転写されなかったｍＲＮＡの生成中間体及び先駆物質を検出する上掲のＳａｍｂｒｏｏｋ等に記述されているような従来のプライマー伸展法を使用し、選択されたｃＤＮＡ又はゲノムライブラリをスクリーニングすることにより得られる。
【００７２】
ｂ．宿主細胞の選択及び形質転換
宿主細胞を、ここに記載したＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０生産のための発現又はクローニングベクターで形質移入又は形質転換し、プロモーターを誘導し、形質転換体を選択し、又は所望の配列をコードする遺伝子を増幅するために適当に変性された常套的栄養培地で培養する。培養条件、例えば培地、温度、ｐＨ等々は、過度の実験をすることなく当業者が選ぶことができる。一般に、細胞培養の生産性を最大にするための原理、プロトコール、及び実用技術は、Ｍａｍｍａｌｉａｎ  Ｃｅｌｌ  Ｂｉｏｔｅｃｈｎｏｌｏｇｙ：  ａ  Ｐｒａｃｔｉｃａｌ  Ａｐｐｒｏａｃｈ，  Ｍ．Ｂｕｔｌｅｒ編  （ＩＲＬ  Ｐｒｅｓｓ，  １９９１）及びＳａｍｂｒｏｏｋ等，  上掲に見出すことができる。
原核生物細胞形質移入及び真核生物細胞形質移入の方法、例えば、ＣａＣｌ２、ＣａＰＯ４、リポソーム媒介及びエレクトロポレーションは当業者に知られている。用いられる宿主細胞に応じて、その細胞に対して適した標準的な方法を用いて形質転換はなされる。前掲のＳａｍｂｒｏｏｋ等に記載された塩化カルシウムを用いるカルシウム処理又はエレクトロポレーションが、一般的に原核生物に対して用いられる。アグロバクテリウム・トゥメファシエンスによる感染が、Ｓｈａｗ等，  Ｇｅｎｅ，  ２３：３１５  （１９８３）及び１９８９年６月２９日公開のＷＯ  ８９／０５８５９に記載されているように、或る種の植物細胞の形質転換に用いられる。このような細胞壁のない哺乳動物の細胞に対しては、Ｇｒａｈａｍ及びｖａｎ  ｄｅｒ  Ｅｂ，  Ｖｉｒｏｌｏｇｙ，  ５２：４５６−４５７  （１９７８）のリン酸カルシウム沈降法が好ましい。哺乳動物細胞の宿主系形質転換の一般的な態様は米国特許第４，３９９，２１６号に記載されている。酵母菌中への形質転換は、典型的には、Ｖａｎ  ｓｏｌｉｎｇｅｎ等，  Ｊ．  Ｂａｃｔ．，  １３０：９４６  （１９７７）及びＨｓｉａｏ等，  Ｐｒｏｃ．  Ｎａｔｌ．  Ａｃａｄ．  Ｓｃｉ．  ＵＳＡ，  ７６：３８２９  （１９７９）の方法に従って実施される。しかしながら、ＤＮＡを細胞中に導入する他の方法、例えば、核マイクロインジェクション、エレクトロポレーション、無傷の細胞、又はポリカチオン、例えばポリブレン、ポリオルニチン等を用いる細菌プロトプラスト融合もまた用いることもできる。哺乳動物細胞を形質転換するための種々の技術については、Ｋｅｏｗｎ等，  Ｍｅｔｈｏｄｓ  ｉｎ  Ｅｎｚｙｍｏｌｏｇｙ，  １８５：５２７−５３７  （１９９０）及び  Ｍａｎｓｏｕｒ等，  Ｎａｔｕｒｅ，  ３３６：３４８−３５２  （１９８８）を参照のこと。
【００７３】
ここに記載のベクターにＤＮＡをクローニングあるいは発現するために適切な宿主細胞は、原核生物、酵母菌、又は高等真核生物細胞である。適切な原核生物は、限定するものではないが、真正細菌、例えばグラム陰性又はグラム陽性生物体、例えば大腸菌のような腸内細菌科を含む。種々の大腸菌株が公衆に利用可能であり、例えば、大腸菌Ｋ１２株ＭＭ２９４（ＡＴＣＣ３１，４４６）；大腸菌Ｘ１７７６（ＡＴＣＣ３１，５３７）；大腸菌株Ｗ３１１０（ＡＴＣＣ２７，３２５）及びＫ５７７２（ＡＴＣＣ５３，６３５）である。他の好ましい原核動物宿主細胞は、大腸菌、例えば、Ｅ．ｃｏｌｉ、エンテロバクター、エルビニア（Ｅｒｗｉｎｉａ）、クレブシエラ（Ｋｌｅｂｓｉｅｌｌａ）、プロテウス（Ｐｒｏｔｅｕｓ）、サルモネラ、例えば、ネズミチフス菌、セラチア、例えば、セラチアマルセサンス（Ｓｅｒｒａｔｉａ  ｍａｒｃｅｓｃａｎｓ）  、及び赤痢菌、並びに桿菌、例えばバシリスブチリス（Ｂ．  ｓｕｂｔｉｌｉｓ）及びバシリリチェニフォルミス（Ｂ．  ｌｉｃｈｅｎｉｆｏｒｍｉｓ）（例えば、１９８９年４月１２日発行のＤＤ  ２６６，７１０に記載されたバシリリチェニフォルミス４１Ｐ）、シュードモナス、例えば緑膿筋及びストレプトマイセスなどの腸内細菌科を含む。これらの例は限定ではなく例示である。株Ｗ３１１０は、組換えＤＮＡ生産発行のための共通の宿主株であるので一つの特に好ましい宿主又は親宿主である。好ましくは、宿主細胞は最小量のタンパク質分解酵素を分泌する。例えば、株Ｗ３１１０は、細胞に外来のタンパク質をコードする遺伝子における遺伝子変異をするように修飾してもよく、そのような宿主の例としては、完全な遺伝子型ｔｏｎＡを有する大腸菌Ｗ３１１０株１Ａ２；完全な遺伝子型ｔｏｎＡｐｔｒ３を有する大腸菌Ｗ３１１０株９Ｅ４；完全な遺伝子型ｔｏｎＡ  ｐｒｔ３  ｐｈｏＡ  Ｅ１５  （ａｒｇＦ−ｌａｃ）１６９  ｄｅｇＰ  ｏｍｐＴ  ｋａｎｒを有する大腸菌Ｗ３１１０株２７Ｃ７（ＡＴＣＣ  ５５，２４４）；完全な遺伝子型ｔｏｎＡ  ｐｔｒ３  ｐｈｏＡ  Ｅ１５  （ａｌｇＦ−ｌａｃ）１６９  ｄｅｇＰ  ｏｍｐＴ  ｒｂｓ７  ｉｌｖＧ  ｋａｎｒを有する大腸菌Ｗ３１１０株３７Ｄ６；非カナマイシン耐性ｄｅｇＰ欠失変異を持つ３７Ｄ６株である大腸菌Ｗ３１１０株４０Ｂ４；及び１９９０年８月７日発行の米国特許第４，９４６，７８３号に開示された変異周辺質プロテアーゼを有する大腸菌株を含む。あるいは、クローニングのインビトロ法、例えばＰＣＲ又は他の核酸ポリメラーゼポリメラーゼ反応が好ましい。
【００７４】
原核生物に加えて、糸状菌又は酵母菌のような真核微生物は、ＰＲＯ１９７−、ＰＲＯ２０７−、ＰＲＯ２２６−、ＰＲＯ２３２−、ＰＲＯ２４３−、ＰＲＯ２５６−、ＰＲＯ２６９−、ＰＲＯ２７４−、ＰＲＯ３０４−、ＰＲＯ３３９−、ＰＲＯ１５５８−、ＰＲＯ７７９−、ＰＲＯ１１８５−、ＰＲＯ１２４５−、ＰＲＯ１７５９−、ＰＲＯ５７７５−、ＰＲＯ７１３３−、ＰＲＯ７１６８−、ＰＲＯ５７２５−、ＰＲＯ２０２−、ＰＲＯ２０６−、ＰＲＯ２６４−、ＰＲＯ３１３−、ＰＲＯ３４２−、ＰＲＯ５４２−、ＰＲＯ７７３−、ＰＲＯ８６１−、ＰＲＯ１２１６−、ＰＲＯ１６８６−、ＰＲＯ１８００−、ＰＲＯ３５６２−、ＰＲＯ９８５０−、ＰＲＯ５３９−、ＰＲＯ４３１６−又はＰＲＯ４９８０−コード化ベクターのための適切なクローニング又は発現宿主である。サッカロミセス・セレヴィシアは、通常用いられる下等真核生物宿主微生物である。他に、シゾサッカロミセスプロンブ（Ｓｃｈｉｚｏｓａｃｃｈａｒｏｍｙｃｅｓ  ｐｒｏｍｂｅ）（Ｂｅａｃｈ及びＮｕｒｓｅ，  Ｎａｔｕｒｅ，  ２９０：  １４０  ［１９８１］；  １９８５年５月２日発行のＥＰ  １３９，３８３）；クルベロミセスホスツ（Ｋｌｕｖｅｒｏｍｙｃｅｓ  ｈｏｓｔｓ）（米国特許第４，９４３，５２９号；  Ｆｌｅｅｒ等，  Ｂｉｏ／Ｔｅｃｈｎｏｌｏｇｙ，  ９：  ９６８−９７５  （１９９１））、例えばケーラクチス（Ｋ．  ｌａｃｔｉｓ）（ＭＷ９８−８Ｃ，  ＣＢＳ６８３，  ＣＢＳ４５７４；  Ｌｏｕｖｅｎｃｏｕｒｔ等，  Ｊ．  Ｂａｃｔｅｒｉｏｌ．  ７３７  ［１９８３］）、ケーフラギリス（Ｋ．  ｆｒａｇｉｌｉｓ）（ＡＴＣＣ  １２，４２４）、ケーブルガリクス（Ｋ．  ｂｕｌｇａｒｉｃｕｓ）（ＡＴＣＣ  １６，０４５）、ケーウィケラミイ（Ｋ．  ｗｉｃｋｅｒａｍｉｉ）（ＡＴＣＣ  ２４，１７８）、ケーワルチイ（Ｋ．  ｗａｌｔｉｉ）（ＡＴＣＣ  ５６，５００）、ケードロソフィラルム（Ｋ．  ｄｒｏｓｏｐｈｉｌａｒｕｍ）（ＡＴＣＣ  ３６，９０６；  Ｖａｎ  ｄｅｎ  Ｂｅｒｇ等，  Ｂｉｏ／Ｔｅｃｈｎｏｌｏｇｙ，  ８：  １３５  （１９９０））、ケーテモトレランス（Ｋ．  ｔｈｅｍｏｔｏｌｅｒａｎｓ）及びケーマルキシアナス（Ｋ．  ｍａｒｘｉａｎｕｓ）；ヤロウィア（ｙａｒｒｏｗｉａ）（ＥＰ  ４０２，２２６）；ピッチャパストリス（Ｐｉｃｈｉａ  ｐａｓｔｏｒｉｓ）（ＥＰ  １８３，０７０；  Ｓｈｅｅｋｒｉｓｈｎａ等，  Ｊ．  Ｂａｓｉｃ  Ｍｉｃｒｏｂｉｏｌ，  ２８：  ２６５−２７８  ［１９８８］）；カンジダ；トリコデルマレーシア（ｒｅｅｓｉａ）（ＥＰ  ２４４，２３４）；アカパンカビ（Ｃａｓｅ等，  Ｐｒｏｃ．  Ｎａｔｌ．  Ａｃａｄ．  Ｓｃｉ．  ＵＳＡ，  ７６：  ５２５９−５２６３  ［１９７９］）；シュワニオマイセス（ｓｃｈｗａｎｎｉｏｍｙｃｅｓ）、例えばシュワニオマイセスオクシデンタリス（ｏｃｃｉｄｅｎｔａｌｉｓ）（１９９０年１０月３１日発行のＥＰ  ３９４，５３８）；及び糸状真菌、例えば、ニューロスポラ、ペニシリウム、トリポクラジウム（Ｔｏｌｙｐｏｃｌａｄｉｕｍ）（１９９１年１月１０日発行のＷＯ  ９１／００３５７）；及びコウジ菌、例えば偽巣性コウジ菌（Ｂａｌｌａｎｃｅ等，  Ｂｉｏｃｈｅｍ．  Ｂｉｏｐｈｙｓ．  Ｒｅｓ．  Ｃｏｍｍｕｎ．，  １１２：  ２８４−２８９  ［１９８３］；  Ｔｉｌｂｕｒｎ等，  Ｇｅｎｅ，  ２６：  ２０５−２２１  ［１９８３］；  Ｙｅｌｔｏｎ等，  Ｐｒｏｃ．  Ｎａｔｌ．  Ａｃａｄ．  Ｓｃｉ．  ＵＳＡ，  ８１：  １４７０−１４７４  ［１９８４］）及びクロカビ（Ｋｅｌｌｙ及びＨｙｎｅｓ，  ＥＭＢＯ  Ｊ．，  ４：  ４７５−４７９  ［１９８５］）が含まれる。ここで好ましいメチロトロピック（ｍｅｔｈｙｌｏｔｒｏｐｉｃ）酵母は、これらに限られないが、ハンセヌラ（Ｈａｎｓｅｎｕｌａ）、カンジダ、クロエケラ（Ｋｌｏｅｃｋｅｒａ）、ピチア（Ｐｉｃｈｉａ）、サッカロミセス、トルロプシス（Ｔｏｒｕｌｏｐｓｉｓ）、及びロドトルラ（Ｒｈｏｄｏｔｏｒｕｌａ）からなる属から選択されるメタノールで成長可能な酵母を含む。この酵母の分類の例示である特定の種のリストは、Ｃ．  Ａｎｔｈｏｎｙ，  Ｔｈｅ  Ｂｉｏｃｈｅｍｉｓｔｒｙ  ｏｆ  Ｍｅｔｈｙｌｏｔｒｏｐｈｓ，  ２６９  （１９８２）に記載されている。
グリコシル化ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の発現に適切な宿主細胞は、多細胞生物から誘導される。無脊椎動物細胞の例としては、ショウジョウバエＳ２及びスポドスペラＳｆ９等の昆虫細胞並びに植物細胞が含まれる。有用な哺乳動物宿主株化細胞の例は、チャイニーズハムスター卵巣（ＣＨＯ）及びＣＯＳ細胞を含む。より詳細な例は、ＳＶ４０によって形質転換されたサル腎臓ＣＶ１株  （ＣＯＳ−７，  ＡＴＣＣ  ＣＲＬ  １６５１）；ヒト胚腎臓株（２９３又は懸濁培養での増殖のためにサブクローン化された２９３細胞、Ｇｒａｈａｍ等，  Ｊ．  Ｇｅｎ  Ｖｉｒｏｌ．，  ３６：５９  （１９７７））；チャイニーズハムスター卵巣細胞／−ＤＨＦＲ（ＣＨＯ，  Ｕｒｌａｕｂ及びＣｈａｓｉｎ，  Ｐｒｏｃ．  Ｎａｔｌ．  Ａｃａｄ．  Ｓｃｉ．  ＵＳＡ，  ７７：４２１６  （１９８０））；マウスのセルトリ細胞（ＴＭ４，  Ｍａｔｈｅｒ，  Ｂｉｏｌ．  Ｒｅｐｒｏｄ．，  ２３：２４３−２５１  （１９８０））ヒト肺細胞  （Ｗ１３８，  ＡＴＣＣ  ＣＣＬ  ７５）；  ヒト肝細胞  （Ｈｅｐ  Ｇ２，  ＨＢ  ８０６５）；  及びマウス乳房腫瘍細胞  （ＭＭＴ  ０６０５６２，  ＡＴＴＣ  ＣＣＬ５１）を含む。適切な宿主細胞の選択は、この分野の技術常識内にある。
【００７５】
ｃ．複製可能なベクターの選択及び使用
ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０をコードする核酸（例えば、ｃＤＮＡ又はゲノムＤＮＡ）は、クローニング（ＤＮＡの増幅）又は発現のために複製可能なベクター内に挿入される。様々なベクターが公的に入手可能である。ベクターは、例えば、プラスミド、コスミド、ウイルス粒子、又はファージの形態とすることができる。適切な核酸配列が、種々の手法によってベクターに挿入される。一般に、ＤＮＡはこの分野で周知の技術を用いて適当な制限エンドヌクレアーゼ部位に挿入される。ベクター成分としては、一般に、これらに制限されるものではないが、一又は複数のシグナル配列、複製開始点、一又は複数のマーカー遺伝子、エンハンサーエレメント、プロモーター、及び転写終結配列を含む。これらの成分の一又は複数を含む適当なベクターの作成には、当業者に知られた標準的なライゲーション技術を用いる。
ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０は直接的に組換え手法によって生産されるだけではなく、シグナル配列あるいは成熟タンパク質あるいはポリペプチドのＮ−末端に特異的切断部位を有する他のポリペプチドである異種性ポリペプチドとの融合ペプチドとしても生産される。一般に、シグナル配列はベクターの成分であるか、ベクターに挿入されるＰＲＯ１９７−、ＰＲＯ２０７−、ＰＲＯ２２６−、ＰＲＯ２３２−、ＰＲＯ２４３−、ＰＲＯ２５６−、ＰＲＯ２６９−、ＰＲＯ２７４−、ＰＲＯ３０４−、ＰＲＯ３３９−、ＰＲＯ１５５８−、ＰＲＯ７７９−、ＰＲＯ１１８５−、ＰＲＯ１２４５−、ＰＲＯ１７５９−、ＰＲＯ５７７５−、ＰＲＯ７１３３−、ＰＲＯ７１６８−、ＰＲＯ５７２５−、ＰＲＯ２０２−、ＰＲＯ２０６−、ＰＲＯ２６４−、ＰＲＯ３１３−、ＰＲＯ３４２−、ＰＲＯ５４２−、ＰＲＯ７７３−、ＰＲＯ８６１−、ＰＲＯ１２１６−、ＰＲＯ１６８６−、ＰＲＯ１８００−、ＰＲＯ３５６２−、ＰＲＯ９８５０−、ＰＲＯ５３９−、ＰＲＯ４３１６−又はＰＲＯ４９８０−コード化ＤＮＡの一部である。シグナル配列は、例えばアルカリホスファターゼ、ペニシリナーゼ、ｌｐｐあるいは熱安定性エンテロトキシンＩＩリーダーの群から選択される原核生物シグナル配列であってよい。酵母の分泌に関しては、シグナル配列は、酵母インベルターゼリーダー、アルファ因子リーダー（酵母菌属（Ｓａｃｃｈａｒｏｍｙｃｅｓ）及びクルイベロマイシス（Ｋｌｕｙｖｅｒｏｍｙｃｅｓ）α因子リーダーを含み、後者は米国特許第５，０１０，１８２号に記載されている）、又は酸ホスフォターゼリーダー、白体（Ｃ．ａｌｂｉｃａｎｓ）グルコアミラーゼリーダー（１９９０年４月４日発行のＥＰ３６２１７９）、又は１９９０年１１月１５日に公開されたＷＯ  ９０／１３６４６に記載されているシグナルであり得る。哺乳動物細胞の発現においては、哺乳動物シグナル配列は、同一あるいは関連ある種の分泌ポリペプチド由来のシグナル配列並びにウイルス分泌リーダーのようなタンパク質の直接分泌に使用してもよい。
【００７６】
発現及びクローニングベクターは共に一又は複数の選択された宿主細胞においてベクターの複製を可能にする核酸配列を含む。そのような配列は多くの細菌、酵母及びウイルスに対してよく知られている。プラスミドｐＢＲ３２２に由来する複製開始点は大部分のグラム陰性細菌に好適であり、２μプラスミド開始点は酵母に適しており、様々なウイルス開始点（ＳＶ４０、ポリオーマ、アデノウイルス、ＶＳＶ又はＢＰＶ）は哺乳動物細胞におけるクローニングベクターに有用である。
発現及びクローニングベクターは、典型的には、選べるマーカーとも称される選択遺伝子を含む。典型的な選択遺伝子は、（ａ）アンピシリン、ネオマイシン、メトトレキセートあるいはテトラサイクリンのような抗生物質あるいは他の毒素に耐性を与え、（ｂ）栄養要求性欠陥を補い、又は（ｃ）例えばバシリに対する遺伝子コードＤ−アラニンラセマーゼのような、複合培地から得られない重要な栄養素を供給するタンパク質をコードする。
哺乳動物細胞に適切な選べるマーカーの例は、ＤＨＦＲあるいはチミジンキナーゼのように、ＰＲＯ１９７−、ＰＲＯ２０７−、ＰＲＯ２２６−、ＰＲＯ２３２−、ＰＲＯ２４３−、ＰＲＯ２５６−、ＰＲＯ２６９−、ＰＲＯ２７４−、ＰＲＯ３０４−、ＰＲＯ３３９−、ＰＲＯ１５５８−、ＰＲＯ７７９−、ＰＲＯ１１８５−、ＰＲＯ１２４５−、ＰＲＯ１７５９−、ＰＲＯ５７７５−、ＰＲＯ７１３３−、ＰＲＯ７１６８−、ＰＲＯ５７２５−、ＰＲＯ２０２−、ＰＲＯ２０６−、ＰＲＯ２６４−、ＰＲＯ３１３−、ＰＲＯ３４２−、ＰＲＯ５４２−、ＰＲＯ７７３−、ＰＲＯ８６１−、ＰＲＯ１２１６−、ＰＲＯ１６８６−、ＰＲＯ１８００−、ＰＲＯ３５６２−、ＰＲＯ９８５０−、ＰＲＯ５３９−、ＰＲＯ４３１６−又はＰＲＯ４９８０−コード化核酸を取り込むことのできる細胞成分を同定することのできるものである。野生型ＤＨＦＲを用いた場合の好適な宿主細胞は、Ｕｒｌａｕｂ  等により，  Ｐｒｏｃ．  Ｎａｔｌ．  Ａｃａｄ．  Ｓｃｉ．  ＵＳＡ，  ７７：４２１６  （１９８０）に記載されているようにして調製され増殖されたＤＨＦＲ活性に欠陥のあるＣＨＯ株化細胞である。酵母菌中での使用に好適な選択遺伝子は酵母プラスミドＹＲｐ７に存在するｔｒｐ１遺伝子である［Ｓｔｉｎｃｈｃｏｍｂ等，  Ｎａｔｕｒｅ，  ２８２：３９（１９７９）；Ｋｉｎｇｍａｎ等，  Ｇｅｎｅ，  ７：１４１（１９７９）；Ｔｓｃｈｅｍｐｅｒ等，  Ｇｅｎｅ，  １０：１５７（１９８０）］。ｔｒｐ１遺伝子は、例えば、ＡＴＣＣ番号４４０７６あるいはＰＥＰ４−１のようなトリプトファン内で成長する能力を欠く酵母菌の突然変異株に対する選択マーカーを提供する［Ｊｏｎｅｓ，  Ｇｅｎｅｔｉｃｓ，  ８５：１２  （１９７７）］。
【００７７】
発現及びクローニングベクターは、通常、ＰＲＯ１９７−、ＰＲＯ２０７−、ＰＲＯ２２６−、ＰＲＯ２３２−、ＰＲＯ２４３−、ＰＲＯ２５６−、ＰＲＯ２６９−、ＰＲＯ２７４−、ＰＲＯ３０４−、ＰＲＯ３３９−、ＰＲＯ１５５８−、ＰＲＯ７７９−、ＰＲＯ１１８５−、ＰＲＯ１２４５−、ＰＲＯ１７５９−、ＰＲＯ５７７５−、ＰＲＯ７１３３−、ＰＲＯ７１６８−、ＰＲＯ５７２５−、ＰＲＯ２０２−、ＰＲＯ２０６−、ＰＲＯ２６４−、ＰＲＯ３１３−、ＰＲＯ３４２−、ＰＲＯ５４２−、ＰＲＯ７７３−、ＰＲＯ８６１−、ＰＲＯ１２１６−、ＰＲＯ１６８６−、ＰＲＯ１８００−、ＰＲＯ３５６２−、ＰＲＯ９８５０−、ＰＲＯ５３９−、ＰＲＯ４３１６−又はＰＲＯ４９８０−コード化核酸配列に作用可能に結合し、ｍＲＮＡ合成を制御するプロモーターを含む。種々の可能な宿主細胞により認識される好適なプロモーターが知られている。原核生物宿主での使用に好適なプロモーターはβ−ラクタマーゼ及びラクトースプロモーター系［Ｃａｈｎｇ等，  Ｎａｔｕｒｅ，  ２７５：６１５  （１９７８）；  Ｇｏｅｄｄｅｌ等，  Ｎａｔｕｒｅ，  ２８１：５４４  （１９７９）］、アルカリホスファターゼ、トリプトファン（ｔｒｐ）プロモーター系［Ｇｏｅｄｄｅｌ，  Ｎｕｃｌｅｉｃ  Ａｃｉｄｓ  Ｒｅｓ．，  ８：４０５７  （１９８０）；  ＥＰ  ３６，７７６］、及びハイブリッドプロモーター、例えばｔａｃプロモーター［ｄｅＢｏｅｒ  等，  Ｐｒｏｃ．  Ｎａｔｌ．  Ａｃａｄ．  Ｓｃｉ．  ＵＳＡ，  ８０：２１−２５  （１９８３）］を含む。細菌系で使用するプロモータもまたＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０をコードするＤＮＡと作用可能に結合したシャイン−ダルガーノ（Ｓ．Ｄ．）配列を有する。
酵母宿主と共に用いて好適なプロモーター配列の例としては、３−ホスホグリセラートキナーゼ［Ｈｉｔｚｅｍａｎ  等，  Ｊ．  Ｂｉｏｌ．  Ｃｈｅｍ．，  ２５５：２０７３  （１９８０）］又は他の糖分解酵素［Ｈｅｓｓ  等，  Ｊ．  Ａｄｖ．  Ｅｎｚｙｍｅ  Ｒｅｇ．，  ７：１４９  （１９６８）；Ｈｏｌｌａｎｄ，  Ｂｉｏｃｈｅｍｉｓｔｒｙ，  １７：４９００（１９８７）］、例えばエノラーゼ、グリセルアルデヒド−３−リン酸デヒドロゲナーゼ、ヘキソキナーゼ、ピルビン酸デカルボキシラーゼ、ホスホフルクトキナーゼ、グルコース−６−リン酸イソメラーゼ、３−ホスホグリセレートムターゼ、ピルビン酸キナーゼ、トリオセリン酸イソメラーゼ、ホスホグルコースイソメラーゼ、及びグルコキナーゼが含まれる。
【００７８】
他の酵母プロモーターとしては、成長条件によって転写が制御される付加的効果を有する誘発的プロモーターであり、アルコールデヒドロゲナーゼ２、イソチトクロムＣ、酸ホスファターゼ、窒素代謝と関連する分解性酵素、メタロチオネイン、グリセルアルデヒド−３−リン酸デヒドロゲナーゼ、及びマルトース及びガラクトースの利用を支配する酵素のプロモーター領域がある。酵母菌での発現に好適に用いられるベクターとプロモータはＥＰ  ７３，６５７に更に記載されている。
哺乳動物の宿主細胞におけるベクターからのＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０転写は、例えば、ポリオーマウィルス、伝染性上皮腫ウィルス（１９８９年７月５日公開のＵＫ  ２，２１１，５０４）、アデノウィルス（例えばアデノウィルス２）、ウシ乳頭腫ウィルス、トリ肉腫ウィルス、サイトメガロウィルス、レトロウィルス、Ｂ型肝炎ウィルス及びサルウィルス４０（ＳＶ４０）のようなウィルスのゲノムから得られるプロモーター、異種性哺乳動物プロモーター、例えばアクチンプロモーター又は免疫グロブリンプロモーター、及び熱衝撃プロモーターから得られるプロモーターによって、このようなプロモーターが宿主細胞系に適合し得る限り制御される。
【００７９】
より高等の真核生物によるＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０をコードするＤＮＡの転写は、ベクター中にエンハンサー配列を挿入することによって増強され得る。エンハンサーは、通常は約１０から３００塩基対で、プロモーターに作用してその転写を増強するＤＮＡのシス作動要素である。哺乳動物遺伝子由来の多くのエンハンサー配列が現在知られている（グロビン、エラスターゼ、アルブミン、α−フェトプロテイン及びインスリン）。しかしながら、典型的には、真核細胞ウィルス由来のエンハンサーが用いられるであろう。例としては、複製起点の後期側のＳＶ４０エンハンサー（１００−２７０塩基対）、サイトメガロウィルス初期プロモーターエンハンサー、複製起点の後期側のポリオーマエンハンサー及びアデノウィルスエンハンサーが含まれる。エンハンサーは、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０コード化配列の５’又は３’位でベクター中にスプライシングされ得るが、好ましくはプロモーターから５’位に位置している。
また真核生物宿主細胞（酵母、真菌、昆虫、植物、動物、ヒト、又は他の多細胞生物由来の有核細胞）に用いられる発現ベクターは、転写の終結及びｍＲＮＡの安定化に必要な配列も含む。このような配列は、真核生物又はウィルスのＤＮＡ又はｃＤＮＡの通常は５’、時には３’の非翻訳領域から取得できる。これらの領域は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０をコードするｍＲＮＡの非翻訳部分にポリアデニル化断片として転写されるヌクレオチドセグメントを含む。
組換え脊椎動物細胞培養でのＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の合成に適応化するのに適切な他の方法、ベクター及び宿主細胞は、Ｇｅｔｈｉｎｇ等，  Ｎａｔｕｒｅ，  ２９３：６２０−６２５  （１９８１）；  Ｍａｎｔｅｉ等，  Ｎａｔｕｒｅ，  ２８１：４０−４６  （１９７９）；  ＥＰ  １１７，０６０；  及びＥＰ  １１７，０５８に記載されている。
【００８０】
ｄ．遺伝子増幅／発現の検出
遺伝子の増幅及び／又は発現は、ここで提供された配列に基づき、適切に標識されたプローブを用い、例えば、従来よりのサザンブロット法、ｍＲＮＡの転写を定量化するノーザンブロット法［Ｔｈｏｍａｓ，  Ｐｒｏｃ．  Ｎａｔｌ．  Ａｃａｄ．  Ｓｃｉ．  ＵＳＡ，７７：５２０１−５２０５  （１９８０）］、ドットブロット法（ＤＮＡ分析）、又はインサイツハイブリッド形成法によって、直接的に試料中で測定することができる。あるいは、ＤＮＡ二本鎖、ＲＮＡ二本鎖及びＤＮＡ−ＲＮＡハイブリッド二本鎖又はＤＮＡ−タンパク二本鎖を含む、特異的二本鎖を認識することができる抗体を用いることもできる。次いで、抗体を標識し、アッセイを実施することができ、ここで二本鎖は表面に結合しており、その結果二本鎖の表面での形成の時点でその二本鎖に結合した抗体の存在を検出することができる。
あるいは、遺伝子の発現は、遺伝子産物の発現を直接的に定量する免疫学的な方法、例えば細胞又は組織切片の免疫組織化学的染色及び細胞培養又は体液のアッセイによって、測定することもできる。試料液の免疫組織化学的染色及び／又はアッセイに有用な抗体は、モノクローナルでもポリクローナルでもよく、任意の哺乳動物で調製することができる。簡便には、抗体は、天然配列ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドに対して、又はここで提供されるＤＮＡ配列をベースとした合成ペプチドに対して、又はＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ＤＮＡに融合し特異的抗体エピトープをコードする外因性配列に対して調製され得る。
【００８１】
ｅ．ポリペプチドの精製
ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の形態は、培地又は宿主細胞の溶菌液から回収することができる。膜結合性であるならば、適切な洗浄液（例えばトリトン−Ｘ１００）又は酵素的切断を用いて膜から引き離すことができる。ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の発現に用いられる細胞は、凍結融解サイクル、超音波処理、機械的破壊、又は細胞溶解剤などの種々の化学的又は物理的手段によって破壊することができる。
【００８２】
ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０を、組換え細胞タンパク又はポリペプチドから精製することが望ましい。適切な精製手順の例である次の手順により精製される：すなわち、イオン交換カラムでの分画；エタノール沈殿；逆相ＨＰＬＣ；シリカ又はカチオン交換樹脂、例えばＤＥＡＥによるクロマトグラフィー；クロマトフォーカシング；ＳＤＳ−ＰＡＧＥ；硫酸アンモニウム沈殿；例えばセファデックスＧ−７５を用いるゲル濾過；ＩｇＧのような汚染物を除くプロテインＡセファロースカラム；及びＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０のエピトープタグ形態を結合させる金属キレート化カラムである。この分野で知られ、例えば、Ｄｅｕｔｃｈｅｒ，  Ｍｅｔｈｏｄｅｓ  ｉｎ  Ｅｎｚｙｍｏｌｏｇｙ，  １８２  （１９９０）；Ｓｃｏｐｅｓ，  Ｐｒｏｔｅｉｎ  Ｐｕｒｉｆｉｃａｔｉｏｎ：  Ｐｒｉｎｃｉｐｌｅｓ  ａｎｄ  Ｐｒａｃｔｉｃｅ，  Ｓｐｒｉｎｇｅｒ−Ｖｅｒｌａｇ，  Ｎｅｗ  Ｙｏｒｋ  （１９８２）に記載された多くのタンパク質精製方法を用いることができる。選ばれる精製過程は、例えば、用いられる生産方法及び特に生産される特定のＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の性質に依存する。
【００８３】
Ｅ．ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドをコードする遺伝子の腫瘍組織及び細胞系における増幅
本発明はある種の癌細胞で増幅される遺伝子の同定及び特徴付けに基づいている。
原核及び真核生物のゲノムは、２つの一見して矛盾する要件を受ける。一方は、遺伝情報としてのＤＮＡのその最初の形態での保存及び繁殖であり、複数の世代を通して安定な遺伝を確保する。他方では、細胞又は生物が最近の環境変化を採用しなければならない。適応メカニズムは遺伝子物質の質的又は量的改変を含みうる。質的改変は、コード化配列が変化して構造的又は機能的に異なるタンパク質を生ずるＤＮＡ変異を含む。遺伝子増幅は量的改変であり、それにより実際の完全なコード化配列、即ち遺伝子の数が増加し、転写に利用できるテンプレート数の増加、翻訳可能な転写物の数の増加、及び最終的には増幅された遺伝子にコードされるタンパク質の量の増加をもたらす。
遺伝子増幅の現象及びそこに存在するメカニズムは、幾つかの原核及び真核生物細胞培養系でインビトロ実験されている。遺伝子増幅の最も特徴づけられた例は、種々の濃度の細胞毒性薬メトトレキセート（ＭＴＸ）を含有する培地での真核生物細胞の培養を含む。ＭＴＸは葉酸類似物であり酵素デヒドロフォレートレダクターゼ（ＤＨＦＲ）のブロックによりＤＮＡ合成を妨害する。低濃度のＭＴＸに最初に曝露すると殆どの細胞（＆ｇｔ；９９．９％）が死亡する。少量の細胞は生き残り、多量のＤＨＦＲ−ＲＮＡ及びタンパク質を生産することによりＭＴＸ濃度を増加させても成長できる。この過剰生産の基礎は単一のＤＨＦＲ遺伝子の増幅である。遺伝子のさらなるコピーは、小さく過剰な染色体（二重微小）の形態で染色体外コピーとして、又は一体化染色体コピーとして見られる。
【００８４】
遺伝子増幅は、細胞毒性薬（細菌に対する抗生物質及び真核生物に対する化学治療薬）への耐性の進行及び腫瘍形成性形質転換において最も普通に起こる。自発的事象としての又はウイルス又は化学／環境侵襲による真核生物の形質転換は典型的にその細胞の遺伝物質における変化を伴う。ヒト悪性収容で観察される最も通常の遺伝的変化はｐ５３タンパク質の突然変異である。ｐ５３は、定常（Ｇ１）から複製（Ｓ）相への細胞の転移を制御し、ＤＮＡ損傷の存在下でこの転移を防止する。言い換えれば、ｐ５３変異不全の主な結果の一つは、ＤＮＡ損傷の蓄積及び成長、即ち遺伝的変化である。腫瘍形成細胞における遺伝的変化の通常の型は、点変異に加えて、増幅及び全体、構造的改変、例えば転位置である。
ＤＮＡ配列の増幅は、ＤＨＦＲ実験系で例示したように特定の機能的要件を示す。従って、悪性におけるある種のオンコジーンの増幅は悪性形質転換及び形質転換フェノタイプの維持のプロセスにおけるこれらの遺伝子の原因となる役割を示す。この仮説が最近の研究で支持されている。例えば、ｂｃｌ−２タンパク質はある型の非ホジキンリンパ腫において増幅されることが見いだされた。このタンパク質はアポトーシスを阻害して腫瘍形成細胞の蓄積を進行させる。成長因子レセプターの遺伝子ファミリのメンバーが種々の型の癌で増幅されることが見いだされ、これらのレセプターの過剰発現が、腫瘍細胞の制限された量の利用可能な成長因子に対する感受性を低下させる。例としては、アンドロゲン欠乏治療の間の再発前立腺癌におけるアンドロゲンレセプターの増幅、及び乳癌における成長因子レセプター相同体ＥＲＢ２の増幅を含む。最近、細胞間シグナル伝達及び細胞周期進行に含まれる遺伝子が悪性形質転換の間に増幅を受けうる。これは、種々の上皮及びリンパ腫瘍形成におけるｂｃｌ−Ｉ及びｒａｓ遺伝子の増幅によって例示される。
これらの初期の研究は、これらの方法が悪性形質転換に重要な遺伝子の同定が可能であるため、腫瘍形成において増幅されたＤＮＡ配列の同定の可能性を例示する。ＥＲＢ２の場合も、形質転換タンパク質が腫瘍治療のための新規で特異的な標的を示すので、治療的立場からの可能性を示す。
【００８５】
増幅されたゲノム配列を示すのに幾つかの異なる技術を使用できる。癌細胞から調製した染色体展開の古典的な細胞発生分析は、転位置、欠失及び変換といった全体構造変化を同定するには十分である。増幅ゲノム領域は、それらが高いコピー数を含むか染色体外物質として存在する場合にのみ可視化される。細胞発生は特定の腫瘍形成を持つ特定の染色体変化の一貫した関係を示すための第１の技術だが、管理可能なＤＮＡ配列の同定及び単離には不十分である。より最近に開発された技術の競合ゲノムハイブリッド形成（ＣＧＨ）は腫瘍形成におけるゲノム増幅の広範な現象を例示する。腫瘍及び正常ＤＮＡは正常細胞の分裂中期に同時にハイブリッド形成し、腫瘍に高頻度で存在するＤＮＡ配列についての画像分析で全ゲノムをスクリーニングする（ＷＯ  ９３／１８，１８６；  Ｇｒａｙ等，  Ｒａｄｉａｔｉｏｎ  Ｒｅｓ．  １３７：  ２７５−２８９  ［１９９４］）。スクリーニング法として、このタイプの分析は、種々のヒト腫瘍における再発アンプリコン（増幅ＤＮＡの伸展）の多数を明らかにした。ＣＧＨは古典的細胞発生分析よりＤＮＡの増幅伸展の同定において感度が高いが、それは標準的な遺伝子技術によりアンプリコン内のコード化配列の迅速な同定及び単離ができない。
遺伝子増幅の検出に最も感度の良い方法はポリメラーゼ連鎖反応（ＰＣＲ）ベースのアッセイである。これらのアッセイは極めて少量の腫瘍ＤＮＡを出発材料として用い、精巧で感度が良く、配列決定などの更なる分析に利用できるＤＮＡを提供し、高容量スループット分析に適している。
上記のアッセイは相互に排他的ではなく、腫瘍形成における増幅の同定にしばしば組み合わせて使用される。細胞発生分析及びＣＧＨは増幅領域の全ゲノムの概観のためのスクリーニング法を代表し、ＰＣＲベースのアッセイはコード化配列、即ち増幅領域の遺伝子を最終的に同定するのに最も適している。
【００８６】
本発明により、このような遺伝子は定量的ＰＣＲ（Ｓ．  Ｇｅｌｍｉｎｉ等，  Ｃｌｉｎ，  Ｃｈｅｍ．  ４３：  ７５２  ［１９９７］）により、乳、肺、結腸、前立腺、脳、肝臓、腎臓、膵臓、脾臓、精巣、卵巣、子宮など、腫瘍、又は腫瘍細胞系を含む種々の一次腫瘍からのＤＮＡを健常ドナーからのプールしたＤＮＡと比較することにより同定される。定量的ＰＣＲは、Ｔａｑｍａｎ装置（ＡＢＩ）を用いて実施された。遺伝子特異的プライマー及び蛍光発生プローブは、ＤＮＡのコード化配列に基づいて設計される。
ヒト肺癌細胞系は、Ａ５４９（ＳＲＣＣ７６８）、Ｃａｌｕ−１（ＳＲＣＣ７６９）、Ｃａｌｕ−６（ＳＲＣＣ７７０）、Ｈ１５７（ＳＲＣＣ７７１）、Ｈ４４１（ＳＲＣＣ７７２）、Ｈ４６０（ＳＲＣＣ７７３）、ＳＫＭＥＳ−１（ＳＲＣＣ７７４）、ＳＷ９００（ＳＲＣＣ７７５）、Ｈ５２２（ＳＲＣＣ８３２）、及びＨ８１０（ＳＲＣＣ８３３）、を含み、全てＡＴＣＣから入手可能である。原発ヒト肺腫瘍細胞は通常は腺癌、扁平上皮細胞癌、大細胞癌、非−小細胞癌、小細胞癌、及び気管支肺胞癌から誘導され、例えば、ＳＲＣＣ７２４（「ＡｄｅｎｏＣａ」と略記される腺癌）（ＬＴ１）、ＳＲＣＣ７２５（「ＳｑＣＣａ」と略記される扁平上皮細胞癌）（ＬＴ１ａ）、ＳＲＣＣ７２６（腺癌）（ＬＴ２）、ＳＲＣＣ７２７（腺癌）（ＬＴ３）、ＳＲＣＣ７２８（腺癌）（ＬＴ４）、ＳＲＣＣ７２９（扁平上皮細胞癌）（ＬＴ６）、ＳＲＣＣ７３０（腺／扁平上皮細胞癌）（ＬＴ７）、ＳＲＣＣ７３１（腺癌）（ＬＴ９）、ＳＲＣＣ７３２（扁平上皮細胞癌）（ＬＴ１０）、ＳＲＣＣ７３３（扁平上皮細胞癌）（ＬＴ１１）、ＳＲＣＣ７３４（腺癌）（ＬＴ１２）、ＳＲＣＣ７３５（腺／扁平上皮細胞癌）（ＬＴ１３）、ＳＲＣＣ７３６（扁平上皮細胞癌）（ＬＴ１５）、ＳＲＣＣ７３７（扁平上皮細胞癌）（ＬＴ１６）、ＳＲＣＣ７３８（扁平上皮細胞癌）（ＬＴ１７）、ＳＲＣＣ７３９（扁平上皮細胞癌）（ＬＴ１８）、ＳＲＣＣ７４０（扁平上皮細胞癌）（ＬＴ１９）、ＳＲＣＣ７４１（肺細胞癌、「ＬＣＣａ」と略記）（ＬＴ２１）、ＳＲＣＣ８１１（腺癌）（ＬＴ２２）、ＳＲＣＣ２８５（腺癌）（ＬＴ８）、ＳＲＣＣ８８６（腺癌）（ＬＴ２５）、ＳＲＣＣ８８７（扁平上皮細胞癌）（ＬＴ２６）、ＳＲＣＣ８８８（腺−ＢＡＣ癌）（ＬＴ２７）、ＳＲＣＣ８８９（扁平上皮細胞癌）（ＬＴ２８）、ＳＲＣＣ８９０（扁平上皮細胞癌）（ＬＴ２９）、ＳＲＣＣ８９１（腺癌）（ＬＴ３０）、ＳＲＣＣ８９２（扁平上皮細胞癌）（ＬＴ３１）、ＳＲＣＣ８９４（腺癌）（ＬＴ３３）を含む。また、ＳＲＣＣ１１２５［ＨＦ−０００６３１］、ＳＲＣＣ１１２７［ＨＦ−０００６４１］、ＳＲＣＣ１１２９［ＨＦ−０００６４３］、ＳＲＣＣ１１３３［ＨＦ−０００８４０］、ＳＲＣＣ１１３５［ＨＦ−０００８４２］、ＳＲＣＣ１２２７［ＨＦ−００１２９１］、ＳＲＣＣ１２２９［ＨＦ−００１２９３］、ＳＲＣＣ１２３０［ＨＦ−００１２９４］、ＳＲＣＣ１２３１［ＨＦ−００１２９５］、ＳＲＣＣ１２３２［ＨＦ−００１２９６］、ＳＲＣＣ１２３３［ＨＦ−００１２９７］、ＳＲＣＣ１２３５［ＨＦ−００１２９９］、及びＳＲＣＣ１２３６［ＨＦ−００１３００］と称されるヒト肺腫瘍も含まれる。
【００８７】
大腸癌細胞系は、例えば、ＡＴＣＣ細胞系ＳＷ４８０（腺癌、ＳＲＣＣ７７６）、ＳＷ６２０（結腸腺癌のリンパ節転移、ＳＲＣ７７７）、Ｃｏｌｏ３２０（癌、ＳＲＣＣ７７８）、ＨＴ２９（腺癌、ＳＲＣＣ７７９）、ＨＭ７（ＡＴＣＣ大腸腺癌細胞系ＬＳ１７４Ｔの高ムチン産生変異体、ＳＲＣＣ７８０、Ｒｏｂｅｒｔ  Ｗａｒｒｅｎ博士，  ＵＣＳＦから得た）、ＣａＷｉＤｒ（腺癌、ＳＲＣＣ７８１）、ＨＣＴ１１６（癌、ＳＲＣＣ７８２）、ＳＫＣＯ１（腺癌、ＳＲＣＣ７８３）、ＳＷ４０３（腺癌、ＳＲＣＣ７８４）、ＬＳ１７４Ｔ（癌、ＳＲＣＣ７８５）、Ｃｏｌｏ２０５（癌、ＳＲＣＣ８２８）、ＨＣＴ１５（癌、ＳＲＣＣ８２９）、ＨＣＣ２９９８（癌、ＳＲＣＣ８３０）、及びＫＭ１２（癌、ＳＲＣＣ８３１）を含む。原発大腸腫瘍は、ＣＴ２（ＳＲＣＣ７４２）、ＣＴ３（ＳＲＣＣ７４３）、ＣＴ８（ＳＲＣＣ７４４）、ＣＴ１０（ＳＲＣＣ７４５）、ＣＴ１２（ＳＲＣＣ７４６）、ＣＴ１４（ＳＲＣＣ７４７）、ＣＴ１５（ＳＲＣＣ７４８）、ＣＴ１６（ＳＲＣＣ７４９）、ＣＴ１７（ＳＲＣＣ７５０）、ＣＴ１（ＳＲＣＣ７５１）、ＣＴ４（ＳＲＣＣ７５２）、ＣＴ５（ＳＲＣＣ７５３）、ＣＴ６（ＳＲＣＣ７５４）、ＣＴ７（ＳＲＣＣ７５５）、ＣＴ９（ＳＲＣＣ７５６）、ＣＴ１１（ＳＲＣＣ７５７）、ＣＴ１８（ＳＲＣＣ７５８）  、ＣＴ１９（腺癌、ＳＲＣＣ９０６）、ＣＴ２０（腺癌、ＳＲＣＣ９０７）、ＣＴ２１（腺癌、ＳＲＣＣ９０８）、ＣＴ２２（腺癌、ＳＲＣＣ９０９）、ＣＴ２３（腺癌、ＳＲＣＣ９１０）、ＣＴ２４（腺癌、ＳＲＣＣ９１１）、ＣＴ２５（腺癌、ＳＲＣＣ９１２）、ＣＴ２６（腺癌、ＳＲＣＣ９１３）、ＣＴ２７（腺癌、ＳＲＣＣ９１４）、ＣＴ２８（腺癌、ＳＲＣＣ９１５）、ＣＴ２９（腺癌、ＳＲＣＣ９１６）、ＣＴ３０（腺癌、ＳＲＣＣ９１７）、ＣＴ３１（腺癌、ＳＲＣＣ９１８）、ＣＴ３２（腺癌、ＳＲＣＣ９１９）、ＣＴ３３（腺癌、ＳＲＣＣ９２０）、ＣＴ３５（腺癌、ＳＲＣＣ９２１）、及びＣＴ３６（腺癌、ＳＲＣＣ９２２）と称される大腸腺癌を含む。また、ＳＲＣＣ１０５１［ＨＦ−０００４９９］、ＳＲＣＣ１０５２［ＨＦ−０００５３９］、ＳＲＣＣ１０５３［ＨＦ−０００５７５］、ＳＲＣＣ１０５４［ＨＦ−０００６９８］、ＳＲＣＣ１０５９［ＨＦ−０００７５５］、ＳＲＣＣ１０６０［ＨＦ−０００７５６］、ＳＲＣＣ１１４２［ＨＦ−０００７６２］、ＳＲＣＣ１１４４［ＨＦ−０００７８９］、ＳＲＣＣ１１４６［ＨＦ−０００７９５］及びＳＲＣＣ１１４８［ＨＦ−０００８１１］と称されるヒト大腸腫瘍中心も含まれる。
【００８８】
ヒト乳癌細胞系は、例えば、ＨＢＬ１００（ＳＲＣＣ７５９）、ＭＢ４３５ｓ（ＳＲＣＣ７６０）、Ｔ４７Ｄ（ＳＲＣＣ７６１）、ＭＢ４６８（ＳＲＣＣ７６２）、ＭＢ１７５（ＳＲＣＣ７６３）、ＭＢ３６１（ＳＲＣＣ７６４）、ＢＴ２０（ＳＲＣＣ７６５）、ＭＣＦ７（ＳＲＣＣ７６６）及びＳＫＢＲ３（ＳＲＣＣ７６７）、及びＳＲＣＣ１０５７［ＨＦ−０００５４５］と称されるヒト乳房腫瘍中心を含む。また、ＳＲＣＣ１０９４、ＳＲＣＣ１０９５、ＳＲＣＣ１０９６、ＳＲＣＣ１０９７、ＳＲＣＣ１０９８、ＳＲＣＣ１０９９、ＳＲＣＣ１１００及びＳＲＣＣ１１０１と称されるヒト乳房腫瘍、及びＳＲＣ８９３［ＬＴ３２］と称されるヒト乳房−ｍｅｔ−肺−ＮＳ腫瘍も含まれる。
ヒト直腸腫瘍は、ＳＲＣＣ９８１［ＨＦ−０００５５０］及びＳＲＣＣ９８２［ＨＦ−０００５５１］を含む。
ヒト腎臓腫瘍中心は、ＳＲＣＣ９８９［ＨＦ−０００６１１］及びＳＲＣＣ１０１４［ＨＦ−０００６１３］を含む。
ヒト精巣腫瘍中心はＳＲＣＣ１００１［ＨＦ−０００７３３］そして精巣腫瘍辺縁はＳＲＣＣ９９９［ＨＦ−０００７１６］を含む。
ヒト副甲状腺腫瘍はＳＲＣＣ１００２［ＨＦ−０００８３１］及びＳＲＣＣ１００３［ＨＦ−０００８３２］を含む。
ヒトリンパ節腫瘍は、ＳＲＣＣ１００４［ＨＦ−０００８５４］、ＳＲＣＣ１００５［ＨＦ−０００８５５］及びＳＲＣＣ１００６［ＨＦ−０００８５６］を含む。
【００８９】
Ｆ．組織分布
ここでの遺伝子増幅アッセイの結果は、種々のヒト組織でのｍＲＮＡ発現の測定などのさらなる実験により確認できる。
上記したように、種々の組織における遺伝子増幅又は遺伝子発現は、ｍＲＮＡの転写の定量化のための従来のサザンブロット、ノーザンブロット（Ｔｈｏｍａｓ，  Ｐｒｏｃ．  Ｎａｔｌ．  Ａｃａｄ．  Ｓｃｉ．  ＵＳＡ，  ７７：  ５２０１−５２０５  ［１９８０］）、ドットブロット（ＤＮＡ分析）、又はインサイツハイブリッド形成により、ここに提供する配列にもとづいて適切な標識プローブを用いて測定できる。あるいは、ＤＮＡ二重鎖、ＲＮＡ二重鎖、及びＤＮＡ−ＲＮＡハイブリッド二重鎖又はＤＮＡ−タンパク質二重鎖を含む特定の二重鎖を認識する抗体を用いてもよい。
あるいは、種々の組織における遺伝子発現は、遺伝子産物を直接定量化するための、組織断片及び細胞培地又は体液の免疫組織学的染色などの免疫的方法によっても測定できる。免疫組織学的染色又は試料液のアッセイに有用な抗体は、モノクローナルでもポリクローナルでもよく、任意の動物から調製される。便利には、抗体は天然配列ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドに対して、又はここに提供するＤＮＡ配列に基づく合成ペプチドに対して、又はＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチド、ＰＲＯ５３３、ＰＲＯ２１４、ＰＲＯ２４０、ＰＲＯ２１１、ＰＲＯ２３０、ＰＲＯ２６１、ＰＲＯ２４６又はＰＲＯ３１７ＤＮＡ配列に融合し特異的抗体エピトープをコードする細胞外配列に対して調製される。抗体を生成する一般的技術、及びノーザンブロット及びインサイツハイブリッド形成のプロトコールは以下に提供する。
【００９０】
Ｇ．染色体マッピング
与えられた遺伝子の増幅が機能的に関連する場合は、その遺伝子は、腫瘍生存に重要でない隣接ゲノム領域より多く増幅すべきである。これを試験するために、例えば放射性ハイブリッド分析により、遺伝子を特定染色体にマッピングできる。次いで、増幅レベルを特定した位置及び隣接ゲノム領域において測定する。遺伝子がマッピングされたゲノム領域での選択的又は優先的増幅は、観察された遺伝子増幅が腫瘍成長又は生存を促進する可能性と一致する。染色体マッピングはフレームワーク及びエピセンターマッピングの両方を含む。さらなる詳細は、例えば、Ｓｔｅｗａｒｔ等，  Ｇｅｎｏｍｅ  Ｒｅｓｅａｒｃｈ  ７，  ４２２−４３３  （１９９７）を参照。
【００９１】
Ｈ．抗体結合実験
遺伝子増幅実験の結果は、腫瘍（癌）細胞上でのＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの発現を阻害する抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体の能力が試験される抗体結合実験によって更に確認できる。例示的な抗体は、ポリクローナル、モノクローナル、ヒト化、二重特異性、及びへテロ抱合体抗体を含み、その調製は以下に記載する。
抗体結合実験は、競合的結合アッセイ、直接及び間接サンドウィッチアッセイ、及び免疫沈降アッセイなどの既知のアッセイ法で実施してよい。Ｚｏｌａ，  Ｍｏｎｏｃｌｏｎａｌ  Ａｎｔｉｂｏｄｉｅｓ：  Ａ  Ｍａｎｕａｌ  ｏｆ  Ｔｅｃｈｎｉｑｕｅｓ，  ｐｐ．１４７−１５８  （ＣＲＣ  Ｐｒｅｓｓ，  Ｉｎｃ．，  １９８７）。
【００９２】
競合的結合アッセイは、標識標準物の、限られた量の抗体との結合について試験分析物と競合する能力による。試験試料中の（腫瘍細胞で増幅された遺伝子にコードされる）標的タンパク質の量は、抗体に結合し始める標準物の量に逆比例する。結合し始める標準物の量の測定を促進するために、抗体は好ましくは競合の前又は後に固定化し、抗体に結合した標準品及び分析物が未結合で残っている標準物及び分析物から容易に分離できるようにする。
サンドウィッチアッセイは２つの抗体の使用を含み、各々が検出すべきタンパク質の異なる免疫原部分、又はエピトープに結合できる。サンドウィッチアッセイにおいて試験試料分析物は固体支持体上に固定化された第１の抗体に結合し、その後第２の抗体が分析物に結合し、よって不溶性の３成分複合体が形成される。例えば米国特許第４，３７６，１１０号参照。第２の抗体は検出可能部分で標識され（直接サンドウィッチアッセイ）、あるいは検出可能部分で標識された抗−免疫グロブリン抗体を用いて測定してもよい（間接サンドウィッチアッセイ）。例えば、サンドウィッチアッセイの一形態はＥＬＩＳＡアッセイであり、この場合の検出可能部分は酵素である。
免疫組織学のためには、腫瘍試料は新鮮でも凍結したものでもよく、パラフィンに包埋して、例えばホルマリン等の保存剤で固定してもよい。
【００９３】
Ｉ．細胞ベースの腫瘍アッセイ
細胞ベースアッセイ及び腫瘍（例えば、癌）の動物モデルを用いて、遺伝子増幅アッセイに発見を確認し、ここでの遺伝子増幅と腫瘍形成細胞成長の進行及び病理との関係をさらに理解することができる。ここで同定する遺伝子産物の腫瘍又は癌の進行及び病理における役割は、ここで遺伝子を増幅すると同定された一次腫瘍細胞又は細胞系を用いて試験することができる。このような細胞は、例えば、上記した乳、大腸及び肺癌細胞及び細胞系を含む。
異なる方法では、特定の腫瘍に含まれることが知られた細胞型の細胞をここのｃＤＮＡで形質移入し、これらのｃＤＮＡの過剰成長誘発能力を分析する。適当な細胞は、例えば、Ｂ１０４−１−１（ｎｅｕプロトオンコジーンで形質移入された安定なＮＩＨ−３Ｔ３細胞液）及びｒａｓ−形質移入ＮＩＨ−３Ｔ３細胞等の安定な腫瘍細胞系を含み、これらは所望の遺伝子で形質移入し、そして腫瘍形成的成長を監視できる。このような形質移入細胞系は、次いで、形質転換細胞の成長に対する細胞分裂停止又は細胞毒性活性の発揮により、又は抗体依存性細胞性細胞毒性（ＡＤＣＣ）の媒介により、ポリ−又はモノクローナル抗体又は抗体組成物の腫瘍形成細胞成長を阻害する能力を試験するのに使用できる。ここに同定した遺伝子のコード化配列で形質移入した細胞は、さらに、癌治療用の候補薬の同定に使用できる。
さらに、（下記のような）トランスジェニック動物の腫瘍から誘導された一次培地は、ここでの細胞ベースアッセイに使用できるが、安定な細胞系が好ましい。トランスジェニック動物から連続細胞系を誘導する技術はこの分野で良く知られている（Ｓｍａｌｌ等，  Ｍｏｌ．  Ｃｅｌｌ．  Ｂｉｏｌ．  ５，  ６４２−６４８  ［１９８５］参照）。
【００９４】
Ｊ．動物モデル
腫瘍の進行及び原因におけるここに同定される遺伝子の役割を更に理解するために、そして抗体、及び小分子アゴニストを含む天然ポリペプチドの他のアゴニストを含む候補治療薬の有効性を試験するために、種々の良く知られた動物モデルが使用できる。これらのモデルのインビボ性質により、特にヒト患者における反応を予測できる。腫瘍及び癌（例えば、乳癌、大腸癌、前立腺癌、肺癌など）の動物モデルは、非組換え及び組換え（トランスジェニック）動物の両方を含む。非組換え動物モデルは、例えば、齧歯類、例えばマウスモデルを含む。このようなモデルは、標準的な技術、例えば、皮下注射、尾部静脈注射、脾臓移植、腹膜内移植、腎被膜下移植、又はオルトピン（ｏｒｔｈｏｐｉｎ）移植、例えば大腸組織に移植された大腸癌細胞により、腫瘍細胞を同系マウスに導入することにより作成される。（１９９７年９月１８日に発行されたＰＣＴ公報ＷＯ  ９７／３３５５１参照。）
癌遺伝子の研究におそらく最もしばしば用いられる動物種は、免疫不全マウス、特にヌードマウスである。ハイポ／形成不全を持つヌードマウスがヒト腫瘍異種移植の宿主として行動するという観察は、この目的のための広い用途を導いた。常染色体劣性ｎｕ遺伝子が、例えば、ＡＳＷ、Ａ／Ｈｅ、ＡＫＲ、ＢＡＬＢ／ｃ、Ｂ１０．ＬＰ、Ｃ１７、Ｃ３Ｈ、Ｃ５７ＢＬ、Ｃ５７、ＣＢＡ、ＤＢＡ、ＤＤＤ、Ｉ／ｓｔ、ＮＣ、ＮＦＲ、ＮＦＳ、ＮＦＳ／Ｎ、ＮＺＢ、ＮＺＣ、ＮＺＷ、Ｐ、ＲＩＩＩ及びＳＪＬを含むヌードマウスの極めて多数の異なる共通遺伝子系統に導入された。さらに、遺伝的な免疫不全を持つヌードマウス以外の広範な他の動物が生育され、腫瘍異種移植のレシピエントとして用いられた。さらなる詳細については、Ｔｈｅ  Ｎｕｄｅ  Ｍｏｕｓｅ  ｉｎ  Ｏｎｃｏｌｏｇｙ  Ｒｅｓｅａｒｃｈ，  Ｅ．  Ｂｏｖｅｎ  及び  Ｂ．  Ｗｉｎｏｇｒａｄ  編，  ＣＲＣ  Ｐｒｅｓｓ，  Ｉｎｃ．，  １９９１を参照。
【００９５】
これらの動物に導入される細胞は、周知の腫瘍／癌細胞系、例えば上記列挙した腫瘍細胞系、及び、例えばＢ１０４−１−１細胞系（ｎｅｕプロトオンコジーンで形質移入された安定ＮＩＨ−３Ｔ３細胞系）；ｒａｓ−形質移入ＮＩＨ−３Ｔ３細胞：Ｃａｃｏ−２（ＡＴＣＣ  ＨＴＢ−３７）、中程度に良く分化したグレードＩＩヒト大腸腺癌細胞系、ＨＴ−２９（ＡＴＣＣ  ＨＴＢ−３８）から、あるいは腫瘍及び癌から誘導することができる。腫瘍又は癌細胞の試料は、手術を受けている患者から、液体窒素中での凍結及び保存を含む標準的な条件を用いて得ることができる（Ｋａｒｍａｌｉ等，  Ｂｒ．  Ｊ．  Ｃａｎｃｅｒ  ４８，  ６８９−６９６  ［１９８３］）。
腫瘍細胞は、ヌードマウスなどの動物に、種々の手法によって導入できる。マウスの皮下（ｓ．ｃ．）空間は、腫瘍移植に非常に好ましい。腫瘍は、固体ブロックとして、トロチャー（ｔｒｏｃｈａｒ）を用いてニードル生検として、細胞懸濁物としてｓ．ｃ．移植できる。固体ブロック又はトロチャー移植のために、適切な大きさの腫瘍組織断片がｓ．ｃ．空間に導入される。細胞懸濁物は、原発腫瘍又は安定な腫瘍細胞系から新たに調製され、皮下注射される。また腫瘍細胞は、皮下植え込みとして注射することもできる。この位置において、種菌が皮膚結合組織の下層とｓ．ｃ．組織との間に析出される。Ｂｏｖｅｎ及びＷｉｎｏｇｒａｄ  （１９９１），  上掲。
【００９６】
乳癌の動物モデルは、例えば、神経芽腫細胞（それからｎｅｕ癌遺伝子が最初に単離される）、又はｎｅｕ形質移入ＮＩＨ−３Ｔ３細胞をヌードマウスに移植することにより、基本的にはＤｒｅｂｉｎ等，  ＰＮＡＳ  ＵＳＡ  ８３，  ９１２９−９１３３  （１９８６）に記載されているように生成される。
同様に、大腸癌の動物モデルは、大腸癌細胞を動物、例えばヌードマウスに継代し、これらの動物における腫瘍の発現を導くことにより生成される。ヌードマウスにおけるヒト大腸癌の同所性移植モデルは、例えば、Ｗａｎｇ等，  Ｃａｎｃｅｒ  Ｒｅｓｅａｒｃｈ  ５４，  ４７２６−４７２８  （１９９４）及びＴｏｏ等，  Ｃａｎｃｅｒ  Ｒｅｓｅａｒｃｈ  ５５，  ６８１−６８４  （１９９５）に記載されている。このモデルは、いわゆるＡｎｔｉＣａｎｃｅｒ，  Ｉｎｃ．  （ＳａｎＤｉｅｇｏ，  Ｃａｌｉｆｏｒｎｉａ）から市販の「ＭＥＴＡＭＯＵＳＥ」に基づく。
動物に生じた腫瘍は、取り出してインビトロで培養することができる。インビトロ培地からの細胞は、次いで動物に継代することができる。これらの腫瘍は、さらなる試験及び薬物スクリーニングの標的として提供され得る。あるいは、継代から得られる腫瘍は単離でき、継代前細胞及び１又はそれ以上の継代後に単離した細胞のＲＮＡを、対象とする遺伝子の識別可能な発現について分析する。このような継代技術は、周知の腫瘍又は癌細胞系で実施することができる。
例えば、Ｍｅｔｈ  Ａ、ＣＭＳ４、ＣＭＳ５、ＣＭＳ２１、及びＷＥＨＩ−１６４がＢＡＬＢ／ｃ雌マウスの線維肉腫に導入され（ＤｅＬｅｏ等，  Ｊ．  Ｅｘｐ．  Ｍｅｄ．  １４６，  ７２０  ［１９７７］）、それは、種々の抗原の抗−腫瘍活性の研究のための高度に制御可能なモデル系を提供する（Ｐａｌｌａｄｉｎｏ等，  Ｊ．  Ｉｍｍｕｎｏｌ．  １３８，  ４０２３−４０３２  ［１９８７］）。簡便には、腫瘍細胞は細胞培地中でインビトロで成長させる。動物に注射する前に、細胞系は洗浄してバッファー中に約１０ｘ１０６から１０ｘ１０７細胞／ｍｌの細胞密度で懸濁する。次いで動物を１０から１００μｌの細胞懸濁物で皮下感染し、腫瘍が現れるまで１から３週間放置する。
【００９７】
さらに、最も完全に研究された実験的腫瘍の一つであるマウスのルイス肺（３ＬＬ）癌腫は、研究用腫瘍モデルとして用いることができる。この腫瘍モデルにおける有効性は、肺の小細胞癌腫（ＳＣＣＬ）と診断されたヒト患者の治療における有利な効果と相関していた。この腫瘍は、影響を受けたマウスからの腫瘍断片又は培地に残った細胞の注射に際して正常マウスに導入でき（Ｚｕｐｉ等，  Ｂｒ．  Ｊ．  Ｃａｎｃｅｒ  ４１，  ｓｕｐｐｌ．  ４，  ３０９  ［１９８０］）、証拠は、腫瘍がたった一つの細胞の注射から開始され、感染した腫瘍細胞の極めて高い集団が生存することを示している。この腫瘍モデルに関する更なる情報については、Ｚａｃｈａｒｓｋｉ，  Ｈａｅｍｏｓｔａｓｉｓ  １６，  ３００−３２０  ［１９８６］を参照のこと。
移植された腫瘍の動物モデルにおける試験化合物の有効性を評価する一つの方法は、治療前後での腫瘍の大きさを測定することである。伝統的に、移植した腫瘍の大きさは、二又は三次元のスライドキャリパーで測定される。二次元に制限された測定は、腫瘍の大きさを正確に反映せず、従って、通常は数式を用いて対応する容積に換算される。しかしながら、腫瘍の大きさの測定は極めて不正確である。候補薬の治療効果は、治療−誘発性の成長遅延及び特異的な成長遅延としてより良く記述できる。腫瘍成長の記述における他の重要な変数は、腫瘍容積倍加時間である。Ｒｙｇａａｒｄ及びＳｐａｎｇ−Ｔｈｏｍｓｅｎ，  Ｐｒｏｃ．  ６ｔｈ  Ｉｎｔ．  Ｗｏｒｋｓｈｏｐ  ｏｎ  Ｉｍｍｕｎｅ−Ｄｅｆｉｃｉｅｎｔ  Ａｎｉｍａｌｓ，  Ｗｕ及びＳｈｅｎｇ編，  Ｂａｓｅｌ，  １９８９，  ３０１によって報告されたプログラムなどの、腫瘍成長の計算及び記述のためのコンピュータプログラムも利用可能である。しかし、腫瘍に続く壊死及び炎症反応が実際には少なくとも初期に腫瘍の大きさを増大させ得ることを注記しておく。従って、これらの変化は、形態学的方法及びフローサイトメトリー分析を組み合わせて、注意深く監視する必要がある。
【００９８】
組換え（トランスジェニック）動物モデルは、ここに同定された遺伝子のコード部分を、トランスジェニック動物作成のための標準的技術を用いて、対象とする動物のゲノムに導入することにより加工できる。トランスジェニック動物は、「導入遺伝子」又は動物自体又は動物の祖先に出生前段階（例えば胚段階）でゲノムに導入された遺伝物質を有するものである。トランスジェニック操作の標的として提供できる動物は、限定されないが、マウス、ラット、ウサギ、モルモット、ヒツジ、ヤギ、ブタ、及び非−ヒト霊長類、例えばヒヒ、チンパンジー及びサルを含む。これらの動物に導入遺伝子を導入するのにこの分野で知られた技術は、全核マイクロインジェクション（Ｈｏｐｐｅ及びＷａｎｇｅｒ，  米国特許第４，８７３，１９１号）；胚系列へのレトロウイルス媒介遺伝子転移（例えば、Ｖａｎ  ｄｅｒ  Ｐｕｔｔｅｎ等，  Ｐｒｏｃ．  Ｎａｔｌ．  Ａｃａｄ．  Ｓｃｉ．  ＵＳＡ  ８２，  ６１４８−６１５  ［１９８５］）；胚性肝細胞での遺伝子標的化（Ｔｈｏｍｐｓｏｎ等，  Ｃｅｌｌ  ５６，  ３１３−３２１  ［１９８９］）；胚のエレクトロポレーション（Ｌｏ，  Ｍｏｌ．  Ｃｅｌ．  Ｂｉｏｌ．  ３，  １８０３−１８１４  ［１９８３］）；精子媒介遺伝子転移（Ｌａｖｉｔｒａｎｏ等，  Ｃｅｌｌ  ５７，  ７１７−７３  ［１９８９］）を含む。概説のためには、例えば、米国特許第４，７３６，８６６号を参照のこと。
本発明の目的のために、トランスジェニック動物は、その一部にのみ導入遺伝子を有するもの（「モザイク動物」）を含む。導入遺伝子は、単一の導入遺伝子として、又はコンカテマー、例えば頭部と頭部又は頭部と尾部の直列型として組み込まれる。特定の細胞型への導入遺伝子の選択的導入も、例えば、Ｌａｓｋｏ等，  Ｐｒｏｃ．  Ｎａｔｌ．  Ａｃａｄ．  Ｓｃｉ．  ＵＳＡ  ８９，  ６２３２−６３６  （１９９２）の技術に従って可能である。
トランスジェニック動物における導入遺伝子の発現は、標準的技術によって監視できる。例えば、導入遺伝子の組み込みの確認にサザンブロット分析又はＰＣＲ増幅が用いられる。次いで、ｍＲＮＡ発現のレベルは、インサイツハイブリッド形成、ノーザンブロット分析、ＰＣＲ、又は免疫組織化学などの技術を用いて分析できる。動物は、腫瘍又は癌発生の徴候についてさらに試験される。
【００９９】
あるいは、動物の胚性細胞に導入されたＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドをコードする変更ゲノムＤＮＡと、そのポリペプチドをコードする内在性遺伝子との間の相同的組換えによって、ここに同定するＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドをコードする欠陥又は変更遺伝子を有する「ノックアウト」動物を作成することができる。例えば、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドをコードするｃＤＮＡは、確立された技術に従い、当該ポリペプチドをコードするゲノムＤＮＡのクローニングに使用できる。特にＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドをコードするゲノムＤＮＡの一部を欠失したり、組み込みを監視するために使用する選択可能なマーカーをコードする遺伝子等の他の遺伝子で置換することができる。典型的には、ベクターは無変化のフランキングＤＮＡ（５’と３’末端の両方）を数キロベース含む［例えば、相同的組換えベクターについてはＴｈｏｍａｓ  ａｎｄ  Ｃａｐｅｃｃｈｉ，  Ｃｅｌｌ，  ５１：  ５０３  （１９８７）を参照のこと］。ベクターは胚性幹細胞に（例えばエレクトロポレーションによって）導入し、導入されたＤＮＡが内在性ＤＮＡと相同的に組換えられた細胞を選択する［例えば、Ｌｉ等，  Ｃｅｌｌ，６９：９１５  （１９９２）参照］。選択された細胞は次に動物（例えばマウス又はラット）の胚盤胞内に注入され、集合キメラを形成する［例えば、Ｂｒａｄｌｅｙ，  Ｔｅｒａｔｏｃａｒｃｉｎｏｍａｓ  ａｎｄ  Ｅｍｂｒｙｏｎｉｃ  Ｓｔｅｍ  Ｃｅｌｌｓ：  Ａ  Ｐｒａｃｔｉｃａｌ  Ａｐｐｒｏａｃｈ，  Ｅ．  Ｊ．  Ｒｏｂｅｒｔｓｏｎ，  ｅｄ．  （ＩＲＬ，  Ｏｘｆｏｒｄ，  １９８７），  ｐｐ．  １１３−１５２参照］。その後、キメラ性胚を適切な偽妊娠の雌性乳母に移植し、「ノックアウト」動物を作ると言われる。胚細胞に相同的に組換えられたＤＮＡを有する子孫は標準的な技術により同定され、それらを利用して動物の全細胞が相同的に組換えられたＤＮＡを含む動物を繁殖させることができる。ノックアウト動物は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドが不在であることによるある種の病理的状態及び病理的状態の進行に対して防御する能力によって特徴付けられる。
【０１００】
自発的な動物腫瘍の治療におけるここに同定されるポリペプチドに特異的に結合する抗体、及び他の候補薬の有効性も試験できる。このような研究のための適切な標的は、ネコ口腔扁平上皮癌（ＳＣＣ）である。ネコ口腔ＳＣＣは高度に侵襲的な悪性腫瘍で、ネコに最も通常の口腔悪性腫瘍であり、この種に報告される口腔腫瘍の６０％以上を占める。それは、離れた部位には殆ど転移しないが、この転移の低い発生率は単にこの腫瘍を持つネコの短い生存期間を反映しているにすぎない。これらの腫瘍は通常手術できないが、主にネコの口腔の解剖学的形状による。現在では、この腫瘍の有効な治療法は存在しない。研究に入る前に、各々のネコに完全な臨床検査、生体組織検査を施し、コンピュータ断層撮影（ＣＴ）によりスキャンした。舌下口腔扁平上皮細胞腫瘍を持つと診断されたネコは研究から排除した。舌はこの腫瘍のために麻痺し始め、治療がこの腫瘍を殺した後でも、動物は自分で餌を取ることができないであろう。各々のネコを長期に渡って繰り返し治療する。腫瘍の写真を治療期間中の毎日及び引き続く再チェックの時点で撮影した。治療の後、各ねこに再度ＣＴスキャンを施した。ＣＴスキャン及びラジオグラフは、その後８週間ごとに評価した。データは、対照群と比較した生存数、反応性及び毒性における相違について評価した。ポジティブ反応は、腫瘍の縮小、好ましくは生存の質の向上又は生存期間の延長を必要とする。
さらに、他の自発的動物腫瘍、例えばイヌ、ネコ、及びヒヒの線維肉腫、腺癌、リンパ腫、クロンドローマ（ｃｈｒｏｎｄｒｏｍａ）、平滑筋肉腫も試験できる。これらのイヌ及びネコでの乳腺癌は、その発現及び挙動がヒトのものに極めて類似しているので、好ましいモデルである。しかし、このモデルの使用は動物におけるこの型の腫瘍の発生比率によって制限される。
【０１０１】
Ｋ．候補薬についてのスクリーニングアッセイ
候補薬のスクリーニングアッセイは、ここで同定される遺伝子にコードされるポリペプチドと結合又は抱合する化合物、あるいはコード化ポリペプチドと他の細胞性タンパク質との相互作用を阻害する化合物を同定するために設計される。このようなスクリーニングアッセイは、特に小分子候補薬の同定に適したものにする、化学的ライブラリの高スループットスクリーニングに従うアッセイを含む。小分子とは、合成有機又は無機化合物を含むと考え、それらは、ペプチド、好ましくは可溶性ペプチド、（ポリ）ペプチド−免疫グロブリン融合体、特に、限定されないが、ポリ−及びモノクローナル抗体及び抗体断片、一本鎖抗体、抗−イディオタイプ抗体、及びそれらの抗体又は断片のキメラ又はヒト化形、並びにヒト抗体及び抗体断片を含む抗体を含んでいる。アッセイは、種々の形式で実施でき、この分野で良く特徴付けられたタンパク質−タンパク質結合アッセイ、生化学的スクリーニングアッセイ、イムノアッセイ及び細胞ベースのアッセイを含む。
全てのアッセイは、それらが候補薬をここで同定される核酸にコードされるポリペプチドと、それら２成分が相互作用するのに十分な時間接触させることで共通している。
結合アッセイにおいて、相互作用は結合であり、形成された複合体は単離されるか、又は反応混合物中で検出される。特別な実施態様では、ここに同定された遺伝子にコードされるポリペプチドのレセプター即ち候補薬が、共有又は非共有結合により固相、例えばマイクロタイタープレートに固定化される。非共有結合は、一般的に固体表面をポリペプチドの溶液で被覆し乾燥させることにより達成される。あるいは、固定化すべきペプチドに特異的な固定化抗体、例えばモノクローナル抗体を、そのペプチドを固体表面に固着させるために用いることができる。アッセイは、固定化成分、例えば固着成分を含む被覆表面に、検出可能な標識で標識されていてもよい非固定化成分を添加することにより実施される。反応が完了したとき、未反応成分を例えば洗浄により除去し、固体表面に固着した複合体を検出する。最初の非固定化成分が検出可能な標識を有している場合、表面に固定化された標識の検出は複合体形成が起こったことを示す。最初の非固定化成分が標識を持たない場合は、複合体形成は、例えば、固定化された複合体に特異的に結合する標識抗体によって検出できる。
【０１０２】
候補化合物がここで同定される遺伝子にコードされる特定のＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドと相互作用するが結合しない場合、その相互作用は、タンパク質−タンパク質相互作用を検出するために良く知られた方法によってアッセイすることができる。そのようなアッセイは、架橋、同時免疫沈降、及び勾配又はクロマトグラフィカラムを通す同時精製などの伝統的な手法を含む。さらに、タンパク質−タンパク質相互作用は、Ｆｉｅｌｄｓ及び共同研究者等［Ｆｉｅｌｓ及びＳｏｎｇ，  Ｎａｔｕｒｅ（Ｌｏｎｄｏｎ）  ３４０，  ２４５−２４６  （１９８９）；  Ｃｈｉｅｎ等，  Ｐｒｏｃ．Ｎａｔｌ．  Ａｃａｄ．  Ｓｃｉ．  ＵＳＡ  ８８，  ９５７８−９５８２  （１９９１）］に記載された酵母菌ベースの遺伝子系を用いることにより、Ｃｈｅｖｒａｙ及びＮａｔｈａｎｓ［Ｐｒｏｃ．Ｎａｔｌ．  Ａｃａｄ．  Ｓｃｉ．  ＵＳＡ  ８９，  ５７８９−５７９３  （１９９１）］に開示されているように監視することができる。酵母菌ＧＡＬ４などの多くの転写活性化剤は、２つの物理的に別個のモジュラードメインからなり、一方はＤＮＡ結合ドメインとして作用し、他方は転写活性化ドメインとして機能する。以前の文献に記載された酵母菌発現系（一般に「２−ハイブリッド系」と呼ばれる）は、この特性の長所を利用して、２つのハイブリッドタンパク質を用い、一方では標的タンパク質がＧＡＬ４のＤＮＡ結合ドメインに融合し、他方では、候補となる活性化タンパク質が活性化ドメインに融合している。ＧＡＬ１−ｌａｃＺリポーター遺伝子のＧＡＬ４活性化プロモーターの制御下での発現は、タンパク質−タンパク質相互作用を介したＧＡＬ４活性の再構成に依存する。相互作用するポリペプチドを含むコロニーは、β−ガラクトシダーゼに対する色素生産性物質で検出される。２−ハイブリッド技術を用いた２つの特定なタンパク質間のタンパク質−タンパク質相互作用を同定するための完全なキット（ＭＡＴＣＨＭＡＫＥＲ（商品名））は、Ｃｌｏｎｔｅｃｈから商業的に入手可能である。この系は、特定のタンパク質相互作用に含まれるタンパク質ドメインのマッピング、並びにこの相互作用にとって重要なアミノ酸残基の特定にも拡張することができる。
【０１０３】
ここで同定されるＰＲＯ１９７−、ＰＲＯ２０７−、ＰＲＯ２２６−、ＰＲＯ２３２−、ＰＲＯ２４３−、ＰＲＯ２５６−、ＰＲＯ２６９−、ＰＲＯ２７４−、ＰＲＯ３０４−、ＰＲＯ３３９−、ＰＲＯ１５５８−、ＰＲＯ７７９−、ＰＲＯ１１８５−、ＰＲＯ１２４５−、ＰＲＯ１７５９−、ＰＲＯ５７７５−、ＰＲＯ７１３３−、ＰＲＯ７１６８−、ＰＲＯ５７２５−、ＰＲＯ２０２−、ＰＲＯ２０６−、ＰＲＯ２６４−、ＰＲＯ３１３−、ＰＲＯ３４２−、ＰＲＯ５４２−、ＰＲＯ７７３−、ＰＲＯ８６１−、ＰＲＯ１２１６−、ＰＲＯ１６８６−、ＰＲＯ１８００−、ＰＲＯ３５６２−、ＰＲＯ９８５０−、ＰＲＯ５３９−、ＰＲＯ４３１６−又はＰＲＯ４９８０−コード化配列と他の細胞内又は細胞外成分との相互作用を阻害する化合物は、次のように試験することができる：通常は、増幅された遺伝子の生成物及び細胞内又は外成分を含む反応混合物を、条件下で２つの生成物が相互作用及び結合する時間に渡って調製する。試験化合物が結合を阻害する能力を試験するために、反応は試験化合物有り又は無しで実施する。さらに、第３の反応混合物にプラシーボを添加してポジティブ対照としてもよい。混合物中に存在する試験化合物と細胞内又は外成分との結合（複合体形成）は上記のように監視する。対照反応において複合体が形成され、試験化合物を含む反応混合物ではしないことは、試験化合物が試験化合物とその反応パートナーとの相互作用を妨害することを示す。
【０１０４】
アンタゴニストを検定するために、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドを、特定の活性についてスクリーニングする化合物とともに細胞に添加してもよく、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチド存在下で対象とする活性を阻害する当該化合物の能力が、当該化合物がＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドのアンタゴニストであることを示す。あるいは、アンタゴニストは、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチド及び潜在的アンタゴニストを、膜結合ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドレセプター又は組換えレセプターと、競合的阻害アッセイに適した条件下で結合させることにより検出してもよい。ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドは、放射活性等で標識でき、レセプターに結合したＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチド分子の数を潜在的アンタゴニストの有効性を決定するのに使用できる。レセプターをコードする遺伝子は、当業者に知られた多くの方法、例えばリガンドパンニング及びＦＡＣＳソーティングにより同定できる。Ｃｏｌｉｇａｎ等，  Ｃｕｒｒｅｎｔ  Ｐｒｏｔｏｃｏｌｓ  ｉｎ  Ｉｍｍｕｎ．，  １（２）：  Ｃｈａｐｔｅｒ  ５  （１９９１）。好ましくは発現クローニングが用いられ、そこではポリアデニル化ＲＮＡがＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドに反応性の細胞から調製され、このＲＮＡから生成されたｃＤＮＡライブラリがプールに分配され、ＣＯＳ細胞又は他のＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲ��２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドに反応性でない細胞の形質移入に使用される。スライドガラスで成長させた形質移入細胞を標識したＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドに暴露する。ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドは、ヨウ素化又は部位特異的プロテインキナーゼの認識部位の包含を含む種々の手段で標識できる。固定及びインキュベーションの後、スライドにオートラジオグラフ分析を施す。ポジティブプールを同定し、相互作用サブプール化及び再スクリーニング工程を用いてサブプールを調製して再形質移入し、結果的に推定レセプターをコードする単一のクローンを生成する。
【０１０５】
レセプター同定の代替的方法として、標識したＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドをレセプター分子を発現する細胞膜又は抽出調製物に光親和性結合させることができる。架橋材料はＰＡＧＥに溶解させ、Ｘ線フィルムに暴露する。レセプターを含む標識複合体を励起し、ペプチド断片に分離し、タンパク質マイクロ配列決定を施すことができる。マイクロ配列決定から得たアミノ酸配列は、推定レセプターをコードする遺伝子を同定するｃＤＮＡライブラリをスクリーニングする分解性オリゴヌクレオチドプローブの組の設計に用いられる。
アンタゴニストの他の検定では、レセプターを発現する哺乳動物細胞又は膜調製物を、候補化合物の存在下で標識ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドとともにインキュベートする。次いで、この相互作用を促進又は阻止する化合物の能力を測定する。
【０１０６】
潜在的なアンタゴニストのより特別な例は、免疫グロブリンとＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドとの融合体に結合するオリゴヌクレオチド、特に、限られないが、ポリペプチド−及びモノクローナル抗体及び抗体断片、一本鎖抗体、抗−イディオタイプ抗体、及びこれらの抗体又は断片のキメラ又はヒト化形態、並びにヒト抗体及び抗体断片を含む抗体を含んでいる。あるいは、潜在的アンタゴニストは、密接に関連したタンパク質、例えば、レセプターを認識するが効果を与えず、よってＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの作用を競合的に阻害するＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの変異形態であってもよい。
【０１０７】
他の潜在的なＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドアンタゴニストは、アンチセンス技術を用いて調製されたアンチセンスＲＮＡ又はＤＮＡ作成物であり、例えば、アンチセンスＲＮＡ又はＤＮＡは、標的ｍＲＮＡにハイブリッド形成してタンパク質翻訳を妨害することによりｍＲＮＡの翻訳を直接阻止するように作用する。アンチセンス技術は、トリプルへリックス形成又はアンチセンスＤＮＡ又はＲＮＡを通して遺伝子発現を制御するのに使用でき、それらの方法はともに、ポリペプチドヌクレオチドのＤＮＡ又はＲＮＡへの結合に基づく。例えば、ここでの成熟ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドをコードするポリヌクレオチド配列の５’コード化部分は、約１０から４０塩基対長のアンチセンスＲＮＡオリゴヌクレオチドの設計に使用される。ＤＮＡオリゴヌクレオチドは、転写に含まれる遺伝子の領域に相補的であるように設計され（三重螺旋−Ｌｅｅ等，  Ｎｕｃｌ，  Ａｃｉｄ  Ｒｅｓ．，  ６：  ３０７３  （１９７９）；  Ｃｏｏｎｅｙ等，  Ｓｃｉｅｎｃｅ，  ２４１：  ４５６  （１９８８）；  Ｄｅｒｖａｎ等，  Ｓｃｉｅｎｃｅ，  ２５１：  １３６０  （１９９１）参照）、それによりＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの転写及び生成を防止する。アンチセンスＲＮＡオリゴヌクレオチドはインビボでｍＲＮＡにハイブリッド形成してｍＲＮＡ分子のＰＲＯ１９７、ＰＲＯ２０７、ＰＲＯ２２６、ＰＲＯ２３２、ＰＲＯ２４３、ＰＲＯ２５６、ＰＲ���２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドへの翻訳を阻止する（アンチセンス−Ｏｋａｎｏ，  Ｎｅｕｒｏｃｈｅｍ．，  ５６：  ５６０  （１９９１）；  Ｏｌｉｇｏｄｅｏｘｙｎｕｃｌｅｏｔｉｄｅｓ  ａｓ  Ａｎｔｉｓｅｎｓｅ  Ｉｎｈｉｂｉｔｏｒｓ  ｏｆ  Ｇｅｎｅ  Ｅｘｐｒｅｓｓｉｏｎ  （ＳＲＳ  Ｐｒｅｓｓ：  Ｂｏｃａ  Ｒａｔｏｎ，  ＦＬ，  １９８８））。また上記のオリゴヌクレオチドは、細胞に輸送され、アンチセンスＲＮＡ又はＤＮＡをインビボで発現させて、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの産生を阻害することもできる。アンチセンスＤＮＡが用いられる場合、翻訳開始部位、例えば標的遺伝子ヌクレオチド配列の−１０から＋１０位置の間から誘導されるオリゴデオキシリボヌクレオチドが好ましい。
【０１０８】
アンチセンスＲＮＡ又はＤＮＡは、一般的に少なくとも約５塩基長、約１０塩基長、約１５塩基長、約２０塩基長、約２５塩基長、約３０塩基長、約３５塩基長、約４０塩基長、約４５塩基長、約５０塩基長、約５５塩基長、約６０塩基長、約６５塩基長、約７０塩基長、約７５塩基長、約８０塩基長、約８５塩基長、約９０塩基長、約９５塩基長、約１００塩基長、又はそれ以上である。
潜在的アンタゴニストは、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの活性部位、レセプター結合部位、又は成長因子又は他の関連結合部位に結合し、それによりＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの正常な生物学的活性を阻止する小分子を含む。小分子の例は、これらに限られないが、小型ペプチド又はペプチド様分子、好ましくは可溶性ペプチド、及び合成非ペプチド有機又は無機化合物を含む。
【０１０９】
リボザイムは、ＲＮＡの特異的切断を触媒できる酵素的ＲＮＡ分子である。リボザイムは、相補的標的ＲＮＡへの配列特異的ハイブリッド形成、次いでヌクレオチド鎖切断的切断により作用する。潜在的ＲＮＡ標的内の特異的リボザイム切断部位は、既知の技術で同定できる。更なる詳細は、例えば、Ｒｏｓｓｉ，  Ｃｕｒｒｅｎｔ  Ｂｉｏｌｏｇｙ  ４：  ４６９−４７１  （１９９４）及びＰＣＴ公報、番号ＷＯ  ９７／３３５５１（１９９７年９月１８日発行）を参照。
転写阻害に用いられる三重螺旋形成における核酸分子は一本鎖でデオキシヌクレオチドからなる。これらのオリゴヌクレオチドの基本組成は、フーグスチン塩基対則を介するトリプルヘリックス形成を促進するように設計され、それは一般に二重鎖の一方の鎖上のプリン又はピリミジンのサイズ変更可能な伸展を必要とする。さらなる詳細は、例えば、ＰＣＴ公報、番号ＷＯ  ９７／３３５５１，  上掲を参照。
これらの小分子は、上記で議論したスクリーニングアッセイの一又は複数の任意のものにより及び／又は当業者に良く知られた他の任意のスクリーニング技術により同定できる。
【０１１０】
Ｌ．腫瘍治療のための組成物及び方法
ここで同定した遺伝子の増幅を伴う腫瘍の治療に有用な組成物は、限定されないが、抗体、小有機及び無機分子、ペプチド、ホスホペプチド、アンチセンス及びリボザイム分子、三重螺旋分子などを含み、標的遺伝子産物の発現又は活性を阻害するものである。
例えば、アンチセンスＲＮＡ及びＲＮＡ分子は、標的ｍＲＮＡにハイブリッド形成してタンパク質翻訳を防止することによりｍＲＮＡの翻訳を直接阻止する。アンチセンスＤＮＡが用いられる場合、翻訳開始部位、例えば標的遺伝子ヌクレオチド配列の−１０から＋１０位置の間から誘導されるオリゴデオキシリボヌクレオチドが好ましい。
リボザイムは、ＲＮＡの特異的切断を触媒できる酵素的ＲＮＡ分子である。リボザイムは、相補的標的ＲＮＡへの配列特異的ハイブリッド形成、次いでヌクレオチド鎖切断的切断により作用する。潜在的ＲＮＡ標的内の特異的リボザイム切断部位は、既知の技術で同定できる。更なる詳細は、例えば、Ｒｏｓｓｉ，  Ｃｕｒｒｅｎｔ  Ｂｉｏｌｏｇｙ  ４：  ４６９−４７１  （１９９４）及びＰＣＴ公報、番号ＷＯ  ９７／３３５５１（１９９７年９月１８日発行）を参照。
転写阻害に用いられる三重螺旋形成における核酸分子は一本鎖でデオキシヌクレオチドからなる。これらのオリゴヌクレオチドの基本組成は、フーグスチン塩基対則を介する三重螺旋形成を促進するように設計され、それは一般に二重鎖の一方の鎖上のプリン又はピリミジンのサイズ変更可能な伸展を必要とする。さらなる詳細は、例えば、ＰＣＴ公報、番号ＷＯ  ９７／３３５５１，  上掲を参照。
これらの分子は上記のスクリーニングアッセイの任意のもの又は任意の組み合わせにより、又は当業者に知られた他のスクリーニング技術により同定できる。
【０１１１】
Ｍ．抗体
本発明で最も有望な候補薬剤の幾つかは、ここで同定される増幅遺伝子の生成又は遺伝子産物を阻害する及び／又は遺伝子産物の活性を低下させる抗体及び抗体断片である。
１．ポリクローナル抗体
ポリクローナル抗体の調製方法は当業者に知られている。哺乳動物においてポリクローナル抗体は、例えば免疫化剤、及び所望するのであればアジュバントを、一又は複数回注射することで発生させることができる。典型的には、免疫化剤又はアジュバントを複数回皮下又は腹腔内注射により、哺乳動物に注射する。免疫化剤は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチド又はその融合タンパク質を含みうる。免疫化剤を免疫化された哺乳動物において免疫原性が知られているタンパク質に抱合させるのが有用である。このような免疫原タンパク質の例は、これらに限られないが、キーホールリンペットヘモシアニン、血清アルブミン、ウシサイログロブリン及び大豆トリプシンインヒビターが含まれる。使用され得るアジュバントの例には、フロイント完全アジュバント及びＭＰＬ−ＴＤＭアジュバント（モノホスホリル脂質Ａ、合成トレハロースジコリノミコラート）が含まれる。免疫化プロトコールは、過度の実験なく当業者により選択されるであろう。
【０１１２】
２．モノクローナル抗体
あるいは、抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体はモノクローナル抗体であってもよい。モノクローナル抗体は、Ｋｏｈｌｅｒ及びＭｉｌｓｔｅｉｎ，  Ｎａｔｕｒｅ，  ２５６：４９５  （１９７５）に記載されているようなハイブリドーマ法を使用することで調製することができる。ハイブリドーマ法では、マウス、ハムスター又は他の適切な宿主動物を典型的には免疫化剤により免疫化することで、免疫化剤に特異的に結合する抗体を生成するかあるいは生成可能なリンパ球を誘発する。また、リンパ球をインビトロで免疫化することもできる。
【０１１３】
免疫化剤は、典型的には断片を含むＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチド、又はそのタンパク質又はその断片の融合タンパク質を含む。一般にヒト由来の細胞が望まれる場合には末梢血リンパ球（「ＰＢＬ」）が使用されるか、あるいは非ヒト哺乳動物源が望まれている場合は、脾臓細胞又はリンパ節細胞が使用される。次いで、ポリエチレングリコール等の適当な融合剤を用いてリンパ球を不死化細胞系と融合させ、ハイブリドーマ細胞を形成する［Ｇｏｄｉｎｇ，  Ｍｏｎｏｃｌｏｎａｌ  Ａｎｔｉｂｏｄｉｅｓ：  Ｐｒｉｎｃｉｐｌｅｓ  ａｎｄ  Ｐｒａｃｔｉｃｅ，  Ａｃａｄｅｍｉｃ  Ｐｒｅｓｓ，  （１９８６）  ｐｐ．  ５９−１０３］。不死化細胞系は、通常は、形質転換した哺乳動物細胞、特に齧歯動物、ウシ、及びヒト由来の骨髄腫細胞である。通常、ラット又はマウスの骨髄腫細胞系が使用される。ハイブリドーマ細胞は、好ましくは、未融合の不死化細胞の生存又は成長を阻害する一又は複数の物質を含有する適切な培地で培養される。例えば、親細胞が、酵素のヒポキサンチングアニンホスホリボシルトランスフェラーゼ（ＨＧＰＲＴ又はＨＰＲＴ）を欠いていると、ハイブリドーマの培地は、典型的には、ヒポキサチン、アミノプチリン及びチミジンを含み（「ＨＡＴ培地」）、この物質がＨＧＰＲＴ欠乏性細胞の増殖を阻止する。
好ましい不死化細胞系は、効率的に融合し、選択された抗体生成細胞による安定した高レベルの抗体発現を支援し、ＨＡＴ培地のような培地に対して感受性のものである。より好ましい不死化細胞系はマウス骨髄腫系であり、これは例えばカリフォルニア州サンディエゴのＳａｌｋ  Ｉｎｓｔｉｔｕｔｅ  Ｃｅｌｌ  Ｄｉｓｔｒｉｂｕｔｉｏｎ  Ｃｅｎｔｅｒやヴァージニア州マナッサスのアメリカン・タイプ・カルチャー・コレクション（ＡＴＣＣ）より入手可能である。ヒトモノクローナル抗体を生成するためのヒト骨髄腫及びマウス−ヒト異種骨髄腫細胞系も開示されている［Ｋｏｚｂｏｒ，  Ｊ．  Ｉｍｍｕｎｏｌ．，  １３３：３００１  （１９８４）、Ｂｒｏｄｅｕｒ等，  Ｍｏｎｏｃｌｏｎａｌ  Ａｎｔｉｂｏｄｙ  Ｐｒｏｄｕｃｔｉｏｎ  Ｔｅｃｈｎｉｑｕｅｓ  ａｎｄ  Ａｐｐｌｉｃａｔｉｏｎｓ，  Ｍａｒｃｅｌ  Ｄｅｋｋｅｒ，  Ｉｎｃ．，  Ｎｅｗ  Ｙｏｒｋ，  （１９８７）  ｐｐ．  ５１−６３］。
【０１１４】
次いでハイブリドーマ細胞が培養される培養培地を、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０対するモノクローナル抗体の存在について検定する。好ましくは、ハイブリドーマ細胞によって生成されたモノクローナル抗体の結合特異性は免疫沈降又はラジオイムノアッセイ（ＲＩＡ）や酵素結合免疫測定法（ＥＬＩＳＡ）等のインビトロ結合検定法によって測定する。このような技術及びアッセイは、当該分野において公知である。モノクローナル抗体の結合親和性は、例えばＭｕｎｓｏｎ及びＰｏｌｌａｒｄ，  Ａｎａｌ．  Ｂｉｏｃｈｅｍ．，  １０７：２２０  （１９８０）によるスキャッチャード分析法によって測定することができる。
所望のハイブリドーマ細胞が同定された後、クローンを制限希釈工程によりサブクローニングし、標準的な方法で成長させることができる［Ｇｏｄｉｎｇ，  上掲］。この目的のための適当な培地には、例えば、ダルベッコの改変イーグル培地及びＲＰＭＩ−１６４０倍地が含まれる。あるいは、ハイブリドーマ細胞は哺乳動物においてインビボで腹水として成長させることもできる。
サブクローンによって分泌されたモノクローナル抗体は、例えばプロテインＡ−セファロース法、ヒドロキシルアパタイトクロマトグラフィー法、ゲル電気泳動法、透析法又はアフィニティークロマトグラフィー等の従来の免疫グロブリン精製方法によって培養培地又は腹水液から単離又は精製される。
【０１１５】
また、モノクローナル抗体は、組換えＤＮＡ法、例えば米国特許第４，８１６，５６７号に記載された方法により作成することができる。本発明のモノクローナル抗体をコードするＤＮＡは、常套的な方法を用いて（例えば、マウス抗体の重鎖及び軽鎖をコードする遺伝子に特異的に結合可能なオリゴヌクレオチドプローブを使用して）、容易に単離し配列決定することができる。本発明のハイブリドーマ細胞はそのようなＤＮＡの好ましい供給源となる。ひとたび単離されたら、ＤＮＡは発現ベクター内に配することができ、これが宿主細胞、例えばサルＣＯＳ細胞、チャイニーズハムスター卵巣（ＣＨＯ）細胞、あるいは免疫グロブリンタンパク質を生成などしない骨髄腫細胞内に形質移入され、組換え宿主細胞内でモノクローナル抗体の合成をすることができる。また、ＤＮＡは、例えば相同マウス配列に換えてヒト重鎖及び軽鎖定常ドメインのコード配列を置換することにより［ＵＳ．  Ｐａｔｅｎｔ  Ｎｏ．４，８１６，５６７；Ｍｏｒｒｉｓｏｎ等，  上掲］、又は免疫グロブリンコード配列に非免疫グロブリンポリペプチドのコード配列の一部又は全部を共有結合することにより修飾することができる。このような非免疫グロブリンポリペプチドは、本発明の抗体の定常ドメインの代わりに置換するか、本発明の抗体の一つの抗原結合部位の可変ドメインの代わりに置換し、キメラ性二価抗体を産生することができる。このような非免疫グロブリンポリペプチドは、本発明の抗体の定常ドメインに置換でき、あるいは本発明の抗体の１つの抗原結合部位の可変ドメインに置換でき、キメラ性二価抗体を生成する。
抗体は一価抗体であってもよい。一価抗体の調製方法は当該分野においてよく知られてる。例えば、一つの方法は免疫グロブリン軽鎖と修飾重鎖の組換え発現を含む。重鎖は一般的に、重鎖の架橋を防止するようにＦｃ領域の任意のポイントで切断される。あるいは、関連するシステイン残基を他のアミノ酸残基で置換するか欠失させて架橋を防止する。
一価抗体の調製にはインビトロ法がまた適している。抗体の消化による、その断片、特にＦａｂ断片の生成は、当該分野において知られている慣用的技術を使用して達成できる。
【０１１６】
３．ヒト及びヒト化抗体
抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体は、さらにヒト化抗体又はヒト抗体を含む。非ヒト（例えばマウス）抗体のヒト化形とは、キメラ免疫グロブリン、免疫グロブリン鎖あるいはその断片（例えばＦｖ、Ｆａｂ、Ｆａｂ’、Ｆ（ａｂ’）２あるいは抗体の他の抗原結合サブ配列）であって、非ヒト免疫グロブリンに由来する最小配列を含むものである。ヒト化抗体はレシピエントの相補性決定領域（ＣＤＲ）の残基が、マウス、ラット又はウサギのような所望の特異性、親和性及び能力を有する非ヒト種（ドナー抗体）のＣＤＲの残基によって置換されたヒト免疫グロブリン（レシピエント抗体）を含む。幾つかの例では、ヒト免疫グロブリンのＦｖフレームワーク残基は、対応する非ヒト残基によって置換されている。また、ヒト化抗体は、レシピエント抗体にも、移入されたＣＤＲもしくはフレームワーク配列にも見出されない残基を含んでいてもよい。一般に、ヒト化抗体は、全てあるいはほとんど全てのＣＤＲ領域が非ヒト免疫グロブリンのものに対応し、全てあるいはほとんど全てのＦＲ領域がヒト免疫グロブリンコンセンサス配列のものである、少なくとも１つ、典型的には２つの可変ドメインの実質的に全てを含む。ヒト化抗体は、最適には免疫グロブリン定常領域（Ｆｃ）、典型的にはヒトの免疫グロブリンの定常領域の少なくとも一部を含んでなる［Ｊｏｎｅｓ等，  Ｎａｔｕｒｅ，  ３２１：５２２−５２５  （１９８６）；  Ｒｉｅｃｈｍａｎｎ等，  Ｎａｔｕｒｅ，  ３３２：３２３−３２９  （１９８８）；  及びＰｒｅｓｔａ，  Ｃｕｒｒ．  Ｏｐ  Ｓｔｒｕｃｔ．  Ｂｉｏｌ．，  ２：５９３−５９６  （１９９２）］。
【０１１７】
非ヒト抗体をヒト化する方法はこの分野でよく知られている。一般的に、ヒト化抗体には非ヒト由来の一又は複数のアミノ酸残基が導入される。これら非ヒトアミノ酸残基は、しばしば、典型的には「移入」可変ドメインから得られる「移入」残基と称される。ヒト化は基本的に齧歯動物のＣＤＲ又はＣＤＲ配列でヒト抗体の該当する配列を置換することによりウィンター（ｗｉｎｔｅｒ）及び共同研究者［Ｊｏｎｅｓ等，  Ｎａｔｕｒｅ，  ３２１：５２２−５２５  （１９８６）；Ｒｉｅｃｈｍａｎｎ等，  Ｎａｔｕｒｅ，  ３３２：３２３−３２７  （１９８８）；Ｖｅｒｈｏｅｙｅｎ等，  Ｓｃｉｅｎｃｅ，  ２３９：１５３４−１５３６  （１９８８）］の方法に従って、齧歯類ＣＤＲ又はＣＤＲ配列をヒト抗体の対応する配列に置換することにより実施される。よって、このような「ヒト化」抗体は、無傷のヒト可変ドメインより実質的に少ない分が非ヒト種由来の対応する配列で置換されたキメラ抗体（米国特許第４，８１６，５６７号）である。実際には、ヒト化抗体は典型的には幾つかのＣＤＲ残基及び場合によっては幾つかのＦＲ残基が齧歯類抗体の類似する部位からの残基によって置換されたヒト抗体である。
また、ヒト抗体は、ファージ表示ライブラリ［Ｈｏｏｇｅｎｂｏｏｍ及びＷｉｎｔｅｒ，  Ｊ．  Ｍｏｌ．  Ｂｉｏｌ．，  ２２７：３８１  （１９９２）；Ｍａｒｋｓ等，  Ｊ．  Ｍｏｌ．  Ｂｉｏｌ．，  ２２２：５８１  （１９９１）］を含むこの分野で知られた種々の方法を用いて作成することもできる。また、Ｃｏｌｅ等及びＢｏｅｒｎｅｒ等の技術も、ヒトモノクローナル抗体の調製に利用することができる［Ｃｏｌｅ等，  Ｍｏｎｏｃｌｏｎａｌ  Ａｎｔｉｂｏｄｉｅｓ  ａｎｄ  Ｃａｎｃｅｒ  Ｔｈｅｒａｐｙ，  Ａｌａｎ  Ｒ．  Ｌｉｓｓ．  ｐ．７７（１９８５）及びＢｏｅｒｎｅｒ等，  Ｊ．  Ｉｍｍｕｎｏｌ．，  １４７（１）：８６−９５（１９９１）  ］。同様に、ヒト抗体はヒト免疫グロブリン座位をトランスジェニック動物、例えば内在性免疫グロブリン遺伝子は部分的又は完全に不活性化されたマウスに導入することにより産生することができる。投与の際に、遺伝子再配列、組立、及び抗体レパートリーを含むあらゆる観点においてヒトに見られるものに非常に類似しているヒト抗体の生産が観察される。このアプローチは、例えば米国特許第５，５４５，８０７号；同第５，５４５，８０６号；同第５，５６９，８２５号；同第５，６２５，１２６号；同第５，６３３，４２５号；同第５，６６１，０１６号、及び次の科学文献：Ｍａｒｋｓ等，  Ｂｉｏ／Ｔｅｃｈｎｏｌｏｇｙ  １０，  ７７９−７８３  （１９９２）；  Ｌｏｎｂｅｒｇ等，  Ｎａｔｕｒｅ  ３６８  ８５６−８５９  （１９９４）；  Ｍｏｒｒｉｓｏｎ，  Ｎａｔｕｒｅ  ３６８，  ８１２−１３  （１９９４）；  Ｆｉｓｈｗｉｌｄ等，  Ｎａｔｕｒｅ  Ｂｉｏｔｅｃｈｎｏｌｏｇｙ  １４，  ８４５−５１  （１９９６）；  Ｎｅｕｂｅｒｇｅｒ，  Ｎａｔｕｒｅ  Ｂｉｏｔｅｃｈｎｏｌｏｇｙ  １４，  ８２６  （１９９６）；  Ｌｏｎｂｅｒｇ及びＨｕｓｚａｒ，  Ｉｎｔｅｒｎ．  Ｒｅｖ．  Ｉｍｍｕｎｏｌ．  １３  ６５−９３  （１９９５）に記載されている。
【０１１８】
４．抗体依存性酵素媒介性プロドラッグ治療法（ＡＤＥＰＴ）
また、本発明の抗体は、プロドラッグ（例えばペプチジル化学療法剤、国際公開８１／０１１４５号を参照）を活性な抗癌剤に転化させるプロドラッグ活性化酵素に抗体を複合化させることにより、ＡＤＥＰＴにおいて使用することができる。例えば国際公開８８／０７３７８及び米国特許第４，９７５，２７８号を参照されたい。
ＡＤＥＰＴに有用な免疫複合体の酵素成分には、より活性な細胞毒形態に転化するように、プロドラッグに作用し得る任意の酵素が含まれる。
限定するものではないが、この発明の方法に有用な酵素には、グリコシダーゼ、グルコース置きシダーゼ、ヒトリソザイム、ヒトグルコロニダーゼ、ホスファート含有プロドラッグを遊離の薬剤に転化するのに有用なアルカリ性ホスファターゼ；スルファート含有プロドラッグを遊離の薬剤に転化するのに有用なアリールスルファターゼ；非毒性５−フルオロシトシンを抗癌剤５−フルオロウラシルに転化するのに有用なシトシンデアミナーゼ；プロテアーゼ、例えばセラチアプロテアーゼ、サーモリシン、サブチリシン、カルボキシペプチダーゼ（例えば、カルボキシペプチダーゼＧ２及びカルボキシペプチダーゼＡ）及びカテプシン（例えば、カテプシンＢ及びＬ）で、ペプチド含有プロドラッグを遊離の薬剤に転化するのに有用なもの；Ｄ−アミノ酸置換基を含有するプロドラッグの転化に有用なＤ−アラニルカルボキシペプチダーゼ；炭水化物切断酵素、例えばグリコシル化プロドラッグを遊離の薬剤に転化するのに有用なノイラミニダーゼ及びβガラクトシダーゼ；βラクタムで誘導体化された薬剤を遊離の薬剤に転化させるのに有用なβラクタマーゼ；及びペニシリンアミダーゼ、例えばそれぞれフェノキシアセチル又はフェニルアセチル基で、それらのアミン性窒素において誘導体化された薬剤を遊離の薬剤に転化するのに有用なペニシリンＶアミダーゼ又はペニシリンＧアミダーゼが含まれる。あるいは、「アブザイム」としてもまた公知の酵素活性を有する抗体を、遊離の活性薬剤に本発明のプロドラッグを転化させるために使用することもできる（例えば、Ｍａｓｓｅｙ，  Ｎａｔｕｒｅ  ３２８：４５７−４５８［１９８７］を参照）。抗体−アブザイムコンジュゲートは、ここで記載されているようにして、腫瘍細胞個体群にアブザイムを送達するために調製することができる。
この発明の酵素は、当該分野においてよく知られている技術、例えば上で検討したヘテロ二官能性架橋試薬を使用することにより、抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体に共有的に結合させることができる。あるいは、本発明の抗体の少なくとも結合領域を本発明の酵素の少なくとも機能的に活性な部位に結合せしめてなる融合タンパク質を、当該技術においてよく知られている組換えＤＮＡ技術を使用して作成することができる（Ｎｅｕｂｅｒｇｅｒ等，  Ｎａｔｕｒｅ  ３１２：６０４−６０８［１９８４］）。
【０１１９】
５．二重特異性抗体
二重特異性抗体は、少なくとも２つの異なる抗原に対して結合特異性を有するモノクローナル抗体、好ましくはヒトもしくはヒト化抗体である。本発明の場合において、結合特異性の一方はＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０に対してであり、他方は任意の他の抗原、好ましくは細胞表面タンパク質又はレセプター又はレセプターサブユニットに対してである。
二重特異性抗体を作成する方法は当該技術分野において周知である。伝統的には、二重特異性抗体の組換え生産は、二つの重鎖が異なる特異性を持つ二つの免疫グロブリン重鎖／軽鎖対の同時発現に基づく［Ｍｉｌｓｔｅｉｎ及びＣｕｅｌｌｏ，  Ｎａｔｕｒｅ，  ３０５：５３７−５３９  （１９８３）］。免疫グロブリンの重鎖と軽鎖を無作為に取り揃えるため、これらハイブリドーマ（クアドローマ）は１０種の異なる抗体分子の潜在的混合物を生成し、その内一種のみが正しい二重特異性構造を有する。正しい分子の精製は、アフィニティークロマトグラフィー工程によって通常達成される。同様の手順が１９９３年５月１３日公開のＷＯ  ９３／０８８２９、及びＴｒａｕｎｅｃｋｅｒ等，  ＥＭＢＯ  Ｊ．，１０：３６５５−３６５６  （１９９１）に開示されている。
【０１２０】
所望の結合特異性（抗体−抗原結合部位）を有する抗体可変ドメインを免疫グロブリン定常ドメイン配列に融合できる。融合は、好ましくは少なくともヒンジ部、ＣＨ２及びＣＨ３領域の一部を含む免疫グロブリン重鎖定常ドメインとのものである。少なくとも一つの融合には軽鎖結合に必要な部位を含む第一の重鎖定常領域（ＣＨ１）が存在することが望ましい。免疫グロブリン重鎖融合体をコードするＤＮＡ、及び望むのであれば免疫グロブリン軽鎖を、別々の発現ベクターに挿入し、適当な宿主生物に同時形質移入する。二重特異性抗体を作成するための更なる詳細については、例えばＳｕｒｅｓｈ等，  Ｍｅｔｈｏｄｓ  ｉｎ  Ｅｎｚｙｍｏｌｏｇｙ，  １２１：２１０（１９８６）を参照されたい。
国際公開ＷＯ  ９６／２７０１１号に記載された他のアプローチ法によれば、一対の抗体分子間の界面を操作して組換え細胞培養から回収されるヘテロ二量体のパーセントを最大にすることができる。好適な界面は抗体定常ドメインのＣＨ３ドメインの少なくとも一部を含む。この方法では、第１抗体分子の界面からの一又は複数の小さいアミノ酸側鎖がより大きな側鎖（例えばチロシン又はトリプトファン）と置換される。大きな側鎖と同じ又はより小さいサイズの相補的「キャビティ」を、大きなアミノ酸側鎖を小さいもの（アラニン又はスレオニン）と置き換えることにより第２の抗体分子の界面に作り出す。これにより、ホモ二量体のような不要の他の最終産物に対してヘテロダイマーの収量を増大させるメカニズムが提供される。
【０１２１】
二重特異性抗体は、全長抗体又は抗体断片（例えば、Ｆ（ａｂ’）２二重特異性抗体）として調製できる。抗体断片から二重特異性抗体を産生する技術もまた文献に記載されている。例えば、化学結合を使用して二重特異性抗体を調製することができる。Ｂｒｅｎｎａｎ等，  Ｓｃｉｅｎｃｅ，  ２２９：８１  （１９８５）  は無傷の抗体をタンパク分解性に切断してＦ（ａｂ’）２断片を産生する手順を記述している。これらの断片は、ジチオール錯体形成剤亜砒酸ナトリウムの存在下で還元して近接ジチオールを安定化させ、分子間ジスルフィド形成を防止する。産生されたＦａｂ’断片はついでチオニトロベンゾアート（ＴＮＢ）誘導体に転換される。Ｆａｂ’−ＴＮＢ誘導体の一つをついでメルカプトエチルアミンでの還元によりＦａｂ’−チオールに再転換し、他のＦａｂ’−ＴＮＢ誘導体の等モル量と混合して二重特異性抗体を形成する。作られた二重特異性抗体は酵素の選択的固定化用の薬剤として使用することができる。
大腸菌からＦａｂ’フラグメントを直接回収でき、これは化学的に結合して二重特異性抗体を形成することができる。Ｓｈａｌａｂｙ等，  Ｊ．  Ｅｘｐ．  Ｍｅｄ．，  １７５：２１７−２２５  （１９９２）は完全にヒト化された二重特異性抗体Ｆ（ａｂ’）２分子の製造を記述している。各Ｆａｂ’フラグメントは大腸菌から別個に分泌され、インビトロで定方向化学共役を受けて二重特異性抗体を形成する。このようにして形成された二重特異性抗体は、正常なヒトＴ細胞及びＥｒｂＢ２レセプターを過剰発現する細胞に結合可能で、ヒト乳房腫瘍標的に対するヒト細胞障害性リンパ球の細胞溶解活性の誘因となる。
【０１２２】
組換え細胞培養から直接的に二重特異性抗体フラグメントを作成し分離する様々な方法もまた記述されている。例えば、二重特異性抗体はロイシンジッパーを使用して生産されている。Ｋｏｓｔｅｌｎｙ等，  Ｊ．  Ｉｍｍｕｎｏｌ．  １４８（５）：１５４７−１５５３  （１９９２）。Ｆｏｓ及びＪｕｎタンパク質からのロイシンジッパーペプチドを遺伝子融合により二つの異なった抗体のＦａｂ’部分に結合させる。抗体ホモダイマーをヒンジ領域で還元してモノマーを形成し、ついで再酸化して抗体ヘテロダイマーを形成する。この方法はまた抗体ホモダイマーの生産に対して使用することができる。Ｈｏｌｌｉｎｇｅｒ等，  Ｐｒｏｃ．Ｎａｔｌ．Ａｃａｄ．Ｓｃｉ．  ＵＳＡ，  ９０：６４４４−６４４８  （１９９３）により記述された「ダイアボディ」技術は二重特異性抗体フラグメントを作成する別のメカニズムを提供した。フラグメントは、同一鎖上の２つのドメイン間の対形成を可能にするには十分に短いリンカーにより軽鎖可変ドメイン（ＶＬ）に重鎖可変ドメイン（ＶＨ）を結合してなる。従って、一つのフラグメントのＶＨ及びＶＬドメインは他のフラグメントの相補的ＶＬ及びＶＨドメインと強制的に対形成させられ、２つの抗原結合部位を形成する。単鎖Ｆｖ（ｓＦｖ）ダイマーの使用により二重特異性抗体フラグメントを製造する他の方策もまた報告されている。Ｇｒｕｂｅｒ等，  Ｊ．  Ｉｍｍｕｎｏｌ．  １５２：５３６８  （１９９４）を参照されたい。
二価より多い抗体も考えられる。例えば、三重特異性抗体を調製することができる。Ｔｕｔｔ等  Ｊ．  Ｉｍｍｕｎｏｌ．  １４７：６０（１９９１）。
例示的二重特異性抗体は、ここで与えられるタンパク質上の２つの異なるエピトープに結合しうる。あるいは、抗−ポリペプチドアームは、Ｔ細胞レセプター分子（例えばＣＤ２、ＣＤ３、ＣＤ２８又はＢ７）等の白血球上のトリガー分子、又はＦｃγＲＩ（ＣＤ６４）、ＦｃγＲＩＩ（ＣＤ３２）及びＦｃγＲＩＩＩ（ＣＤ１６）等のＩｇＧのＦｃレセプター（ＦｃγＲ）に結合するアームに結合し、細胞防御メカニズムを特定のタンパク質発現細胞に集中するようにしてもよい。二重特異性抗体は、特定のポリペプチドを発現する細胞に対する局所的細胞毒性薬として使用してもよい。これらの抗体は、ポリペプチド結合アーム及び細胞毒性薬又はキレート化剤、例えばＥＯＴＵＢＥ、ＤＰＴＡ、ＤＯＴＡ、又はＴＥＴＡに結合するアームを有する。他の対象とする二重特異性抗体は、ポリペプチドに結合し、さらに組織因子（ＴＦ）に結合する。
【０１２３】
６．ヘテロ抱合体抗体
ヘテロ抱合抗体もまた本発明の範囲に入る。ヘテロ抱合抗体は、２つの共有結合した抗体からなる。このような抗体は、例えば、免疫系細胞を不要な細胞に対してターゲティングさせるため［米国特許第４，６７６，９８０号］及びＨＩＶ感染の治療のために［ＷＯ  ９１／００３６０；  ＷＯ  ９２／２００３７３；  ＥＰ  ０３０８９］提案されている。この抗体は、架橋剤に関連したものを含む合成タンパク化学における既知の方法を使用して、インビトロで調製することができると考えられる。例えば、ジスルフィド交換反応を使用するか又はチオエーテル結合を形成することにより、免疫毒素を作成することができる。この目的に対して好適な試薬の例には、イミノチオレート及びメチル−４−メルカプトブチリミデート、及び例えば米国特許第４，６７６７，９８０号に開示されているものが含まれる。
【０１２４】
７．エフェクター機能の設計
本発明の抗体をエフェクター機能について改変し、例えばガンの治療における抗体の効能を増強することが望ましい。例えば、システイン残基をＦｃ領域に導入して、この領域における鎖間ジスルイド結合を形成させる。このようにして産生されたホモダイマー抗体は改善されたインターナリゼーション能力及び／又は増加した補体媒介細胞死滅及び抗体依存性細胞障害活性（ＡＤＣＣ）を有しうる。Ｃａｒｏｎ等，  Ｊ．  Ｅｘｐ．  Ｍｅｄ．  １７６：１１９１−１１９５  （１９９２）及びＳｈｏｐｅｓ，  Ｂ．  Ｊ．  Ｉｍｍｕｎｏｌ．  １４８：２９１８−２９２２  （１９９２）を参照されたい。抗腫瘍活性が高められたホモダイマー抗体は、Ｗｏｌｆｆ等，  Ｃａｎｃｅｒ  Ｒｅｓｅａｒｃｈ  ５３：２５６０−２５６５（１９９３）に記載されているようなヘテロ二官能性架橋剤を使用して調製することもできる。あるいは二重Ｆｃ領域を有し、よって増強された補体溶解及びＡＤＣＣ能を有しうる抗体を設計することができる。Ｓｔｅｖｅｎｓｏｎら，  Ａｎｔｉ−ｃａｎｃｅｒ  Ｄｒｕｇ  Ｄｅｓｉｇｎ  ３：２１９−２３０  （１９８９）を参照。
【０１２５】
８．免疫複合体
本発明はまた、化学治療薬、毒素（例えば、細菌、真菌、植物又は動物由来の酵素活性毒素、又はその断片）などの細胞毒性薬、あるいは放射性同位体（即ち、放射性抱合）に抱合された抗体を含む免疫複合体にも関する。
このような免疫複合体の生成に有用な化学治療薬は上記した。用いることのできる酵素活性毒素及びその断片は、ジフテリアＡ鎖、ジフテリア毒素の非結合活性断片、コレラ毒素、ボツリヌス毒素、（緑膿菌からの）外毒素Ａ鎖、リシンＡ鎖、アブリンＡ鎖、モデクシン（ｍｏｄｅｃｃｉｎ）Ａ鎖、アルファ−サルシン、アレウリテス・フォーディ（Ａｌｅｕｒｉｔｅｓ  ｆｏｒｄｉｉ）タンパク質、ジアンチン（ｄｉａｎｔｈｉｎ）タンパク質、フィトラカ・アメリカーナ（Ｐｈｙｔｏｌａｃａ  ａｍｅｒｉｃａｎａ）タンパク質（ＰＡＰＩ、ＰＡＰＩＩ、及びＰＡＰ−Ｓ）、モモルディカ・チャランチア（ｍｏｍｏｒｄｉｃａ  ｃｈａｒａｎｔｉａ）インヒビター、クルシン（ｃｕｒｃｉｎ）、クロチン（ｃｒｏｔｉｎ）、サパオナリア・オフィシナリス（ｓａｐａｏｎａｒｉａ  ｏｆｉｃｉｎａｌｉｓ）インヒビター、ゲロニン（ｇｅｌｏｎｉｎ）、ミトゲリン（ｍｉｔｏｇｅｌｌｉｎ）、レストリクトシン（ｒｅｓｔｒｉｃｔｏｃｉｎ）、フェノマイシン（ｐｈｅｎｏｍｙｃｉｎ）、エノマイシン（ｅｎｏｍｙｃｉｎ）及びトリコテセン（ｔｒｉｃｏｔｈｅｃｅｎｅ）を含む。様々な放射性ヌクレオチドが放射性抱合抗体の生成に利用可能である。例として、２１２Ｂｉ、１３１Ｉ、１３１Ｉｎ、９０Ｙ及び１８６Ｒｅを含む。
抗体及び細胞毒性薬の複合体は、種々の二官能性タンパク質カップリング剤、例えば、Ｎ−スクシンイミジル−３−（２−ピリジルジチオール）プロピオネート（ＳＰＤＰ）、イミノチオラン（ＩＴ）、イミドエステルの二官能性誘導体（ジメチルアジピミデートＨＣＬ等）、活性エステル（ジスクシンイミジルスベレート等）、アルデヒド（グルタルアルデヒド等）、ビス−アジド化合物（ビス（ｐ−アジドベンゾイル）ヘキサンジアミン等）、ビス−ジアゾニウム誘導体（ビス−（ｐ−ジアゾニウムベンゾイル）−エチレンジアミン等）、ジイソシアネート（トリエン２，６−ジイソシアネート等）、及びビス−活性フッ素化合物（１，５−ジフルオロ−２，４−ジニトロベンゼン等）を用いて作成できる。例えば、リシン免疫毒素は、Ｖｉｔｅｔｔａ等，  Ｓｃｉｅｎｃｅ  ２３８：  １０９８  （１９８７）に記載されたように調製することができる。カーボン−１４−標識１−イソチオシアナトベンジル−３−メチルジエチレントリアミン五酢酸（ＭＸ−ＤＴＰＡ）は、放射性ヌクレオチドの抗体への抱合のためのキレート剤の例である。ＷＯ  ９４／１１０２６参照。
他の実施態様では、腫瘍の予備標的化で使用するために、抗体は「レセプター」（ストレプトアビジン等）に抱合されてもよく、抗体−レセプター複合体は患者に投与され、次いで清澄化剤を用いて未結合複合体を循環から除去し、次に細胞毒性薬（例えば、放射性ヌクレオチド等）に抱合された「リガンド」（例えばアビジン）を投与する。
【０１２６】
９．免疫リポソーム
また、ここに開示する抗体は、免疫リポソームとして調製してもよい。抗体を含むリポソームは、Ｅｐｓｔｅｉｎ等，  Ｐｒｏｃ．  Ｎａｔｌ．  ａｃａｄ．  Ｓｃｉ．  ＵＳＡ，  ８２：  ３６８８  （１９８５）；  Ｈｗａｎｇ等，  Ｐｒｏｃ．  ｎａｔｌ．  Ａｃａｄ．  Ｓｃｉ．  ＵＳＡ，  ７７：  ４０３０  （１９８０）；  及び米国特許第４，４８５，０４５号及び第４，５４４，５４５号に記載されたような、この分野で知られた方法で調製される。向上した循環時間を持つリポソームは、米国特許第５，０１３，５５６号に開示されている。
特に有用なリポソームは、ホスファチジルコリン、コレステロール及びＰＥＧ−誘導ホスファチジルエタノールアミン（ＰＥＧ−ＰＥ）を含む脂質組成物での逆相蒸発法によって生成される。リポソームは、所定サイズのフィルターを通して押し出され、所望の径を有するリポソームが生成される。本発明の抗体のＦａｂ’断片は、Ｍａｒｔｉｎ等，  Ｊ．  Ｂｉｏｌ．  Ｃｈｅｍ．  ２５７：  ２８６−２８８  （１９８２）に記載されているように、ジスルフィド交換反応を介してリポソームに抱合され得る。化学治療薬（ドキソルビシン等）は、場合によってはリポソーム内に包含される。Ｇａｂｉｚｏｎ等，  Ｊ．  Ｎａｔｉｏｎａｌ  Ｃａｎｃｅｒ  Ｉｎｓｔ．  ８１（１９）  １４８４  （１９８９）参照。
【０１２７】
Ｎ．製薬組成物
ここで同定される増幅遺伝子の産物に特異的に結合するアゴニスト抗体、並びに上記に開示したスクリーニングアッセイで同定された他の分子は、癌を含む腫瘍、ウイルス性疾患などの上記で議論した種々の病理学的状態の治療のために、免疫調節剤として、製薬組成物の形態で投与することができる。
増幅された遺伝子にコードされるタンパク質が細胞内であり、全抗体が阻害剤として用いられる場合、内在化抗体が好ましい。しかし、リポフェクション又はリポソームも抗体、又は抗体断片を細胞に導入するのに使用できる。  抗体断片が用いられる場合、標的タンパク質の結合ドメインに特異的に結合する最小阻害断片が通常は好ましい。例えば、抗体の可変領域配列に基づいて、標的タンパク質配列に結合する能力を保持したペプチド分子が設計できる。このようなペプチドは、化学的に合成でき、又は組換えＤＮＡ技術によって生成できる（例えば、Ｍａｒａｓｃｏ等，  Ｐｒｏｃ．  Ｎａｔｌ．  Ａｃａｄ．  Ｓｃｉ．  ＵＳＡ  ９０，  ７８８９−７８９３  ［１９９３］）。
抗体の治療用製剤は、所望される程度の純度を持つ抗体を、親油性製剤又は水性溶液の形態で、任意の製薬上許容される担体、賦形剤又は安定化剤と混合することにより調製され保存される（Ｒｅｍｉｎｇｔｏｎ’ｓ  Ｐｈａｒｍａｃｅｕｔｉｃａｌ  Ｓｃｉｅｎｃｅ  １６ｔｈ  ｅｄｉｔｉｏｎ，  Ｏｓｏｌ，  Ａ．  Ｅｄ．  ［１９８０］）。許容される担体、賦形剤、又は安定化剤は、用いられる用量及び濃度で受容者に非毒性であり、リン酸、クエン酸、及び他の有機酸などのバッファー；アスコルビン酸及びメチオニンを含む酸化防止剤；防腐剤（オクタデシルジメチルベンジルアンモニウムクロライド；ヘキサメトニウムクロライド；ベンズアルコニウムクロライド；ベンズエトニウムクロライド；フェノール；ブチル又はベンジルアルコール；メチル又はプロピルパラベン等のアルキルパラベン；カテコール；レゾルシノール；シクロヘキサノール；３−ペンタノール；及びｍ−クレゾールなど）；低分子量（約１０残基未満）ポリペプチド；血清アルブミン、ゼラチン、又は免疫グロブリン等のタンパク質；ポリビニルピロリドン等の親水性ポリマー；グリシン、グルタミン、アスパラギン、ヒスチジン、アルギニン、又はリシン等のアミノ酸；グルコース、マンノース、又はデキストリンを含む単糖類、二糖類、及び他の炭水化物ＥＤＴＡ等のキレート剤、スクロース、マンニトール、トレハロース又はソルビトールなどの糖；ナトリウムなどの塩形成対イオン；金属錯体（例えば、Ｚｎ−タンパク質錯体）又はトゥイーン（ＴＷＥＥＮ）（商品名）、プルロニクス（ＰＬＵＲＯＮＩＣＳ）（商品名）、及びポリエチレングリコール（ＰＥＧ）等の非イオン性界面活性剤を含む。
【０１２８】
本発明のスクリーニングアッセイで同定された非−抗体化合物は、同様の方式で、この分野で知られた標準技術を用いて製剤される。
ここでの製剤は、治療すべき特定の徴候に必要な場合に１以上の活性化合物、好ましくは互いに悪影響を及ぼさない相補的仮性を持つものも含んでよい。あるいは、又はそれに加えて、組成物は、細胞毒性薬、サイトカイン又は成長阻害剤を含んでもよい。これらの分子は、適切には、意図する目的に有効な量の組み合わせで存在する。
また、活性成分は、例えばコアセルベーション技術により又は界面重合により調製されたマイクロカプセル、例えば、各々ヒドロキシメチルセルロース又はゼラチン−マイクロカプセル及びポリ（メタクリル酸メチル）マイクロカプセル中、コロイド状薬物送達系＜ＢＲ（例えば、リポソーム、アルブミン小球、マイクロエマルション、ナノ粒子及びナノカプセル）中、又はマイクロエマルション中に包括されていてもよい。これらの技術は、Ｒｅｍｉｎｇｔｏｎ’ｓ  Ｐｈａｒｍａｃｅｕｔｉｃａｌ  Ｓｃｉｅｎｃｅ  １６ｔｈ  ｅｄｉｔｉｏｎ，  Ｏｓｏｌ，  Ａ．  Ｅｄ．  ［１９８０］に開示されている。
インビボ投与に使用される製剤は無菌でなけらばならない。これは、滅菌濾過膜を通した濾過により容易に達成される。
【０１２９】
徐放性製剤を調製してもよい。徐放性製剤の好適な例は、抗体を含有する固体疎水性ポリマーの半透性マトリクスを含み、このマトリクスは成形された物品、例えばフィルム、又はマイクロカプセルの形状である。除放性マトリクスの例は、ポリエステルヒドロゲル（例えば、ポリ（２−ヒドロキシエチル−メタクリレート）又はポリ（ビニルアルコール））、ポリアクチド（米国特許第３，７７３，９１９号）、Ｌ−グルタミン酸及びγ−エチル−Ｌ−グルタメート、非分解性エチレン−酢酸ビニル、ＬＵＰＲＯＮ  ＤＥＰＯＴ（商品名）（乳酸−グリコール酸コポリマーと酢酸リュープロリドの注射可能な小球）などの分解性乳酸−グリコール酸コポリマー、ポリ−（Ｄ）−３−ヒドロキシブチル酸を含む。エチレン−酢酸ビニル及び乳酸−グリコール酸などのポリマーは分子を１００日に渡って放出することができるが、ある種のヒドロゲルはより短時間でタンパク質を放出してしまう。カプセル化された抗体が身体内に長時間残ると、それらは３７℃の水分に露出されることにより変性又は凝集し、その結果、生物学的活性の低下及び起こりうる免疫原性の変化をもたらす。合理的な方法は、含まれる機構に依存する安定化について工夫することができる。例えば、凝集機構がチオ−ジスルフィド交換を通した分子間Ｓ−Ｓ結合形成であると発見された場合、安定化はスルフヒドリル残基の修飾、酸性溶液からの凍結乾燥、水分含有量の制御、適切な添加剤の付加、及び特異的ポリマーマトリクス組成物の開発によって達成されうる。
【０１３０】
Ｏ．治療方法
本発明の抗体及び他の抗腫瘍化合物は、ここで同定される増幅遺伝子の過剰発現及び／又は活性化を特徴とするものを含む種々の状態の治療に用いてもよいと考えられる。このような抗体及び、これらに限られないが有機及び無機小分子、ペプチド、アンチセンス分子等を含む他の化合物で治療される状態又は疾患の例としては、良性又は悪性腫瘍（例えば、腎臓（ｒｅｎａｌ）、肝臓、腎臓（ｋｉｄｎｅｙ）、膀胱、乳房、胃、卵巣、大腸直腸、前立腺、膵臓、肺、外陰部、甲状、肝臓の癌；肉腫；膠芽細胞腫；及び種々の頭部及び頸部の腫瘍）；白血病及びリンパ悪性疾患；ニューロン、グリア、星状細胞、視床下部及び他の腺、マクロファージ、上皮、間質及び胞胚腔の疾患；及び炎症、脈管形成及び免疫学的な疾患が含まれる。
本発明の抗腫瘍剤、例えば抗体は、哺乳動物、好ましくはヒトに、周知の方法、例えば、ボーラスとして又は所定時間に渡る連続注入による静脈内投与、筋肉内、腹膜内、脳脊髄内、皮下、関節間、滑膜内、鞘内、経口、局所、又は吸入経路などにより投与される。抗体の静脈内投与が好ましい。
【０１３１】
他の治療的養生法を抗癌剤、例えば本発明の抗体の投与と組み合わせてもよい。例えば、このような抗癌剤で治療される患者は放射線治療を受けてもよい。あるいは、又はそれに加えて、患者に化学治療薬を投与してもよい。このような化学治療薬の調製法及び用量スケジュールは、製造者の指示に従って使用されるか、熟練した実務者により経験的に決定される。そのような化学治療に対する調製法及び用量スケジュールはまたＣｈｅｍｏｔｈｅｒａｐｙ  Ｓｅｒｖｉｃｅ  Ｍ．Ｃ．  Ｐｅｒｒｙ編，  Ｗｉｌｌｉａｍｓ  ＆  Ｗｉｌｋｉｎｓ，  Ｂａｌｔｉｍｏｒｅ，  ＭＤ  （１９９２）にも記載されている。化学治療薬は、本発明の抗腫瘍剤、例えば抗体の投与に先立って、又は続いて投与してもよく、あるいはそれらと同時に投与してもよい。本発明の抗体は、タモキシフェン等の抗エストロゲン化合物又はオナプリストンなどの抗プロゲステロン（ＥＰ  ６１６８１２参照）の、それらの分子について知られた用量と組み合わせてもよい。
また、腫瘍関連抗原に対する抗体、例えばＥｒｂＢ２、ＥＧＦＲ、ＥｒｂＢ３、ＥｒｂＢ４、又は血管内皮因子（ＶＥＧＦ）に結合する抗体を投与することも好ましい。ときどきは、患者にサイトカインを投与することも有利である。好ましい実施態様では、ここの抗癌剤は、成長阻害剤と同時投与される。例えば、まず成長阻害剤を投与し、続いて本発明の抗癌剤を投与する。しかしながら、同時投与、又は本発明の抗癌剤を最初に投与することも考えられる。成長阻害剤についての適切な用量は現在用いられている量であるが、成長阻害剤とこの抗体との組み合わせ（相乗）効果により減少させ得る。
【０１３２】
疾患の防止又は治療のための、ここでの抗腫瘍剤の適切な用量は、上記で定義したような治療される疾患の型、疾患の重篤さ及び経過、防止又は治療目的で薬剤が投与されるか否か、従前の治療、患者の臨床履歴及び薬剤に対する反応、及び主治医の裁量に依存する。薬剤は、適切には患者に一回又は一連の治療に渡って適切に投与される。
例えば、疾患の型及び重篤さに応じて、約１μｇ／ｋｇから１５ｍｇ／ｋｇ（例えば、０．１−２０ｍｇ／ｋｇ）の抗体が、例えば、１又はそれ以上の別々の投与あるいは連続注入のいずれにしても、患者に投与するための最初の候補用量である。典型的な１日の用量は、上記の要因に応じて、約１μｇ／ｋｇから１００ｍｇ／ｋｇ又はそれ以上であろう。数日以上に渡る繰り返し投与のためには、状態に応じて、疾患の徴候に所望の抑制が現れるまで治療が続けられる。しかしながら、他の用量計画が有用であることもある。この治療の進行は、従来の技術及びアッセイによって容易に監視される。
【０１３３】
Ｐ．製造品
本発明の他の実施態様では、上記の疾患の診断又は治療に有用な物質を含む製造品が提供される。この製造品は容器とラベルとを含んでなる。好適な容器は、例えば、ビン、バイアル、シリンジ、及び試験管を含む。容器は、ガラス又はプラスチックなどの材料から形成されてよい。容器は、状態を診断し治療するのに有効な組成物を収容し、無菌のアクセスポートを有し得る（例えば、容器は皮下注射針で貫通可能なストッパーを有する静脈内溶液バッグ又はバイアルであってよい）。組成物中の活性剤は通常、ここで同定される遺伝子産物の活性を妨害することのできる抗腫瘍剤、例えば抗体である。容器上又は添付されるラベルは、組成物が選択した状態の診断又は治療のために使用されることを示す。製造品はさらに、リン酸緩衝塩水、リンガー液及びデキストロース溶液などの製薬的に許容されるバッファーを含む第２の容器を具備してもよい。さらに、他のバッファー、希釈剤、フィルター、針、シリンジ、及び使用上の指示を付けたパッケージ挿入物を含む商業的及び使用者の見地から望ましい他の材料を含んでもよい。
【０１３４】
Ｑ．腫瘍の診断及び予知
或る種の腫瘍で過剰発現される成長レセプター等の細胞表面タンパク質は候補薬剤又は腫瘍（例えば、癌）治療の優れた標的であるが、同じタンパク質は腫瘍細胞で増幅された遺伝子にコードされる分泌タンパク質とともに腫瘍の診断及び予知に用途が見出される。例えば、腫瘍細胞で増幅された遺伝子のタンパク質産物に対する抗体は腫瘍診断又は予知として使用できる。
例えば、抗体断片を含む抗体は、増幅された遺伝子にコードされるタンパク質（「マーカー遺伝子産物」）の発現の定性的又は定量的検出に用いることができる。抗体は、好ましくは検出可能な、例えば蛍光標識を備え、結合は光学顕微鏡、フローサイトメトリー、フルオロメトリー、又はこの分野で知られた他の技術によって監視できる。これらの技術は、増幅された遺伝子が細胞表面タンパク質、例えば成長因子をコードする場合に特に好ましい。このような結合アッセイは、上記５節に実質的に記載されたように実施される。
マーカー遺伝子産物に結合する抗体のインサイツ検出は、例えば、免疫蛍光又は免疫電子顕微鏡によって実施できる。この目的のために、組織学的試料を患者から取り出し、好ましくは生物学的試料に抗体を被せることにより、標識抗体をそれに適用する。この手法はまた、試験される組織におけるマーカー遺伝子産物の分布も決定できるようにする。当業者には、インサイツ検出のために広範な組織学的方法が容易に利用できることは明らかであろう。
以下の実施例は例示するためにのみ提供されるものであって、本発明の範囲を決して限定することを意図するものではない。
本明細書で引用した全ての特許及び文献の全体を、出典明示によりここに取り込む。
【０１３５】
（実施例）
実施例で言及されている全ての他の市販試薬は、特に示さない限りは製造者の使用説明に従い使用した。ＡＴＣＣ登録番号により以下の実施例及び明細書全体を通して特定されている細胞の供給源はアメリカン・タイプ・カルチャー・コレクション、１０８０１ユニヴァーシティー・ビルディング、マナッサス、ＶＡ２０１１０−２２０９である。本出願で言及される全ての元の寄託は、特許手続き上の微生物の寄託の国際的承認に関するブダペスト条約及びその規則（ブダペスト条約）の規定の下でなされた。これは、寄託の日付から３０年間、寄託の生存可能な培養が維持されることを保証するものである。寄託物はブダペスト条約の条項に従い、またジェネンテク社とＡＴＣＣとの間の合意に従い、ＡＴＣＣから入手することができ、これは、どれが最初であろうとも、関連した米国特許の発行時又は任意の米国又は外国特許出願の公開時に、寄託培養物の後代を永久かつ非制限的に入手可能とすることを保証し、米国特許法第１２２条及びそれに従う特許庁長官規則（特に参照番号８８６ＯＧ６３８の３７ＣＦＲ第１．１４条を含む）に従って権利を有すると米国特許庁長官が決定した者に子孫を入手可能とすることを保証するものである。
特に記さない限り、本発明は上記及び以下の教科書に記載されたもののような組換えＤＮＡ技術の標準的な手法を用いた：Ｓａｍｂｒｏｏｋ等，  Ｍｏｌｅｃｕｌａｒ  Ｃｌｏｎｉｎｇ：  Ａ  Ｌａｂｏｒａｔｏｒｙ  Ｍａｎｕａｌ，  Ｃｏｌｄ  Ｓｐｒｉｎｇ  Ｈａｒｂｏｒ  Ｐｒｅｓｓ  Ｎ．Ｙ．，  １９８９；  Ａｕｓｕｂｅｌ等，  Ｃｕｒｒｅｎｔ  Ｐｒｏｔｏｃｏｌｓ  ｉｎ  Ｍｏｌｅｃｕｌａｒ  Ｂｉｏｌｏｇｙ，  Ｇｒｅｅｎ  Ｐｕｂｌｉｓｈｉｎｇ  Ａｓｓｏｃｉａｔｅｓ  ａｎｄ  Ｗｉｌｅｙ  Ｉｎｔｅｒｓｃｉｅｎｃｅ，  Ｎ．Ｙ．，  １９８９；  Ｉｎｎｉｓ等，  ＰＣＲ  Ｐｒｏｔｏｃｏｌｓ：  Ａ  Ｇｕｉｄｅ  ｔｏ  Ｍｅｔｈｏｄｓ  ａｎｄ  Ａｐｐｌｉｃａｔｉｏｎｓ，  Ａｃａｄｅｍｉｃ  Ｐｒｅｓｓ，  Ｉｎｃ．，  Ｎ．Ｙ．．，  １９９０；  Ｈａｒｌｏｗ等，  Ａｎｔｉｂｏｄｉｅｓ：  Ａ  Ｌａｂｏｒａｔｏｒｙ  Ｍａｎｕａｌ，  Ｃｏｌｄ  Ｓｐｒｉｎｇ  Ｈａｒｂｏｒ  Ｐｒｅｓｓ，  Ｃｏｌｄ  Ｓｐｒｉｎｇ  Ｈａｒｂｏｒ，  １９８８；  Ｇａｉｔ，  Ｏｌｉｇｏｎｕｃｌｅｏｔｉｄｅ  ｓｙｎｔｈｅｓｉｓ，  ＩＲＬ  Ｐｒｅｓｓ，  Ｏｘｆｏｒｄ，  １９８４；  Ｒ．Ｉ．  Ｆｒｅｓｈｎｅｙ，  Ａｎｉｍａｌ  Ｃｅｌｌ  Ｃｕｌｔｕｒｅ，  １９８７；  Ｃｏｌｉｇａｎ等，  Ｃｕｒｒｅｎｔ  Ｐｒｏｔｏｃｏｌｓ  ｉｎ  Ｉｍｍｕｎｏｌｏｇｙ，  １９９１。
【０１３６】
実施例１
新規なポリペプチド及びそれをコードするｃＤＮＡを同定するための細胞外ドメイン相同性スクリーニング
Ｓｗｉｓｓ−Ｐｒｏｔ公的データベースからの約９５０の既知の分泌タンパク質からの細胞外ドメイン（ＥＣＤ）配列（もしあれば、分泌シグナル配列を含む）を、ＥＳＴデータベースの検索に使用した。ＥＳＴデータベースは、公的データベース（例えば、Ｄａｙｈｏｆｆ、ＧｅｎＢａｎｋ）及び企業のデータベース（例えば、ＬＩＦＥＳＥＱ（商品名）、Ｉｎｃｙｔｅ  Ｐｈａｒｍａｃｅｕｔｉｃａｌｓ、Ｐａｌｏ  Ａｌｔｏ，  ＣＡ）を含む。検索は、コンピュータプログラムＢＬＡＳＴ又はＢＬＡＳＴ−２（Ａｌｔｓｃｈｕｌ等，  Ｍｅｔｈｏｄｓ  ｉｎ  Ｅｎｚｙｍｏｌｏｇｙ  ２６６：  ４６０−４８０  （１９９６））を用いて、ＥＣＤタンパク質配列のＥＳＴ配列の６フレーム翻訳との比較として実施した。既知のタンパク質をコードせず、ＢＬＡＳＴスコア７０（９０の場合もある）又はそれ以上を持つ比較物は、プログラム「ｐｈｒａｐ」（Ｐｈｉｌ  Ｇｒｅｅｎ，  Ｕｎｉｖｅｒｓｉｔｙ  ｏｆ  Ｗａｓｈｉｎｇｔｏｎ，  Ｓｅａｔｔｌｅ，  ＷＡ）で集団化してコンセンサスＤＮＡ配列を構築した。
この細胞外ドメイン相同性スクリーニングを用いて、ｐｈｒａｐを用いて他の同定されたＥＳＴ配列に対してコンセンサスＤＮＡ配列を構築した。さらに、得られたコンセンサスＤＮＡ配列を、しばしば（常にではない）ＢＬＡＳＴ又はＢＬＡＳＴ−２及びｐｈｒａｐの繰り返しサイクルを用いて伸長し、コンセンサス配列を上で議論したＥＳＴ配列の供給源を用いて可能な限り伸長させた。
上記のように得られたコンセンサス配列に基づいて、次いでオリゴヌクレオチドを合成し、ＰＣＲにより対象とする配列を含むｃＤＮＡライブラリを同定するため、及びＰＲＯポリペプチドの全長コード化配列のクローンを単離するプローブとして用いるために使用した。正方向及び逆方向ＰＣＲプライマーは一般的に２０から３０ヌクレオチドの範囲であり、しばしば約１００−１０００ｂｐ長のＰＣＲ産物を与えるために設計される。プローブ配列は、典型的に４０−５５ｂｐ長である。幾つかの場合には、コンセンサス配列が約１−１．５ｋｂｐより大きいときに付加的なオリゴヌクレオチドが合成される。全長クローンについて幾つかのライブラリをスクリーニングするために、ライブラリからのＤＮＡを、Ａｕｓｕｂｅｌ等，  Ｃｕｒｒｅｎｔ  Ｐｒｏｔｏｃｏｌｓ  ｉｎ  Ｍｏｌｅｃｕｌａｒ  Ｂｉｏｌｏｇｙ，  のように、ＰＣＲプライマー対でのＰＣＲによりスクリーニングした。ポジティブライブラリを、次いで、プローブオリゴヌクレオチド及びプライマー対の一方を用いて対象とする遺伝子をコードするクローンの単離するのに使用した。
ｃＤＮＡクローンの単離に用いたｃＤＮＡライブラリは、Ｉｎｖｉｔｒｏｇｅｎ，  Ｓａｎ  Ｄｉｅｇｏ，  ＣＡからのもの等の市販試薬を用いて標準的な方法によって作成した。ｃＤＮＡは、ＮｏｔＩ部位を含むオリゴｄＴでプライムし、平滑末端でＳａｌＩヘミキナーゼアダプターに結合させ、ＮｏｔＩで切断し、ゲル電気泳動でおよそのサイズ分類し、そして適切なクローニングベクター（ｐＲＫＢ又はｐＲＫＤ等；ｐＲＫ５ＢはＳｆｉＩ部位を含まないｐＲＫ５Ｄの前駆体である；Ｈｏｌｍｅｓ等，  Ｓｃｉｅｎｃｅ，  ２５３：  １２７８−１２８０  （１９９１）参照）に、独特のＸｈｏＩ及びＮｏｔＩ部位において、所定の方向でクローニングした。
【０１３７】
実施例２
シグナルアルゴリズム分析を用いたｃＤＮＡクローンの単離
種々のポリペプチド−コード化核酸配列は、ジェネンテク，インク（Ｓｏｕｔｈ  Ｓａｎ  Ｆｒａｎｃｉｓｃｏ，  ＣＡ）によって開発された独自の配列発見アルゴリズムを、公的（例えば、ＧｅｎＢａｎｋ）及び／又は私的（ＬＩＦＥＳＥＱ（登録商標），  Ｉｎｃｙｔｅ  Ｐｈａｒｍａｃｅｕｔｉｃａｌｓ，  Ｉｎｃ．，  Ｐａｌｏ  Ａｌｔｏ，  ＣＡ）データベースからのＥＳＴｓ並びに集団化及び構築されたＥＳＴ断片に適用することにより同定した。シグナル配列アルゴリズムは、考慮している配列又は配列断片の５’−末端の第１の、場合によっては第２のメチオニンコドン（ＡＴＧ）を取り囲むＤＮＡヌクレオチドの文字に基づく分泌シグナルスコアを計算する。第１のＡＴＧに続くヌクレオチドは、停止コドンを持たない少なくとも３５の不明瞭でないアミノ酸をコードしなければならない。第１のＡＴＧが必要なアミノ酸を有する場合、第２のものは試験しない。何れも要件を満たさない場合、候補配列にスコアをつけなかった。ＥＳＴ配列が真正のシグナル配列を含むか否かを決定するために、ＡＴＧコドンを取り囲むＤＮＡ及び対応するアミノ酸配列を、分泌シグナルに関連することが知られた７つのセンサー（評価パラメータ）の組を用いてスコアをつけた。このアルゴリズムの使用により、多くのポリペプチド−コード化核酸配列の同定がなされた。
【０１３８】
ヒトＰＲＯ１９７をコードするｃＤＮＡクローンの単離
ＰＲＯ１９７は、コンピュータプログラムＢＬＡＳＴ（Ａｌｔｓｃｈｕｌ等，  Ｍｅｔｈｏｄｓ  ｉｎ  Ｅｎｚｙｍｏｌｏｇｙ，  ２６６：  ４６０−４８０（１９９６））を用いてＧｅｎＢａｎｋデータベースをスクリーニングすることにより同定した。ＰＲＯ１９７は、公知のＥＳＴ配列Ｔ０８２２３、ＡＡ１２２０６１、及びＭ６２２９０と相同性を持つことが示された。全長として同定された、あるいはＴＩＥレセプターに関連するリガンドとして記載された公知のＥＳＴは無い。同定に続いて、Ｃｌｏｎｔｅｃｈ，  Ｉｎｃ．，  （Ｐａｌｏ  Ａｌｔｏ，  ＣＡ）から購入したｍＲＮＡ、カタログ番号６５２８−１から製造者の指示に従って調製したヒト胎児肺ライブラリからＰＲＯ１９７をクローニングした。ライブラリを、合成オリゴヌクレオチドプローブでのハイブリダイゼーションによりスクリーニングした。
ＧｅｎＢａｎｋデータベースに見られるＥＳＴに基づいて、以下のようにオリゴヌクレオチド配列を使用した：
５’−ＡＴＧＡＧＧＴＧＧＣＣＡＡＧＣＣＴＧＣＣＣＧＡＡＧＡＡＡＧＡＧＧＣ−３’（配列番号：７１）
５’−ＣＡＡＣＴＧＧＣＴＧＧＧＣＣＡＴＣＴＣＧＧＧＣＡＧＣＣＴＣＴＴＴＣＴＴＣＧＧＧ−３’（配列番号：７２）
５’−ＣＣＣＡＧＣＣＡＧＡＡＣＴＣＧＣＣＧＴＧＧＧＧＡ−３’（配列番号：７３）
【０１３９】
ｃＤＮＡクローンは、全体を同定して配列決定した。ＤＮＡ２２７８０−１０７８の全長ヌクレオチド配列をＦｉｇ１（配列番号：１）に示す。クローンＤＮＡ２２７８０−１０７８は、単一のオープンリーディングフレームを含み、ヌクレオチド位置２３−２５に見かけの翻訳開始部位、そしてヌクレオチド位置１３８２−１３８４に停止コドンを持つ（Ｆｉｇ１；配列番号：１）。予測されるポリペプチド前駆体は４５３アミノ酸長である。全長ＰＲＯ１９７タンパク質をＦｉｇ２（配列番号：２）に示す。
Ｆｉｇ２（配列番号：２）に示した全長ＰＲＯ１９７配列の解析により、種々の重要なポリペプチドドメインの存在が明らかになり、それらの重要なポリペプチドドメインに与えられた位置は上記のようにおよそのものである。Ｆｉｇ２に示した全長ＰＲＯ１９７配列の解析により、以下の存在が明らかになった：約アミノ酸５１〜約アミノ酸７０の膜貫通ドメイン；約アミノ酸２２４〜約アミノ酸２２８のＮ−グリコシル化部位；約アミノ酸４６〜約アミノ酸５０及び約アミノ酸１１８〜約アミノ酸１２２のｃＡＭＰ−及びｃＧＭＡ−依存性プロテインキナーゼリン酸化部位；約アミノ酸５０〜約アミノ酸５６、約アミノ酸１２９〜約アミノ酸１３５、約アミノ酸３４１〜約アミノ酸３４７、及び約アミノ酸３５７〜約アミノ酸３６３のＮ−ミリストイル化部位；約アミノ酸３９６〜約アミノ酸４０９のフィブリノーゲンベータ及びガンマ鎖Ｃ−末端ドメインシグネーチャー。
ＤＮＡ２２７８０−１０７８は、１９９７年９月１８日にＡＴＣＣに寄託され、ＡＴＣＣ寄託番号２０９２８４が付与された。寄託されたクローンは、ここに提供されるものよりむしろ実際の正しい配列を有すると理解される。
Ｆｉｇ２（配列番号：２）に示した全長配列のＡＬＩＧＮ−２配列アラインメント分析を用いたＤａｙｈｏｆｆデータベース（バージョン３５．４５  ＳｗｉｓｓＰｒｏｔ  ３５）の解析により、ＰＲＯ１９７アミノ酸配列とＴＩＥレセプターに関連するリガンドとの間の相同性が明らかになった。略語「ＴＩＥ」は、「Ｉｇ及びＥＧＦ相同ドメインを含むチロシンキナーゼ」を意味する頭文字であり、レセプターチロシンキナーゼの新たなファミリーを表すために作られたものである。
【０１４０】
実施例４
ヒトＰＲＯ２０７をコードするｃＤＮＡの単離
発現配列タグ（ＥＳＴ）ＤＮＡデータベース（ＬＩＦＥＳＥＱ（商品名）、Ｉｎｃｙｔｅ  Ｐｈａｒｍａｃｅｕｔｉｃａｌｓ、Ｐａｌｏ  Ａｌｔｏ，  ＣＡ）を検索し、Ａｐｏ−２リガンドと相同性を持つＥＳＴを同定した。そして、ヒト胎児腎臓ｃＤＮＡライブラリーのスクリーニングがおこなわれた。ヒト胎児腎臓組織（Ｃｌｏｎｔｅｃｈ）から単離されたｍＲＮＡがｃＤＮＡライブラリーの調製のために使用された。このＲＮＡは、Ｌｉｆｅ  Ｔｅｃｈｎｏｌｏｇｉｅｓ，  Ｇａｉｔｈｅｒｓｂｕｒｇ，  ＭＤ  （Ｓｕｐｅｒ  Ｓｃｒｉｐｔ  Ｐｌａｓｍｉｄ  Ｓｙｓｔｅｍ）からの試薬及びプロトコールを用いるベクターｐＲＫ５ＤにおけるオリゴｄＴプライムしたｃＤＮＡのライブラリーの作製に使用した。この方法において、二本鎖ｃＤＮＡは１０００ｂｐを越えるサイズに分類され、ＳａｌＩ／ＮｏｔＩ結合ｃＤＮＡをＸｈｏＩ／ＮｏｔＩ切断ベクターにクローニングした。ｐＲＫ５Ｄは、ｓｐ６転写開始部位、それに続くＳｆｉＩ制限酵素部位、さらにＸｈｏＩ／ＮｏｔＩｃＤＮＡクローニング部位を持クローニングベクターである。ライブラリーはＥＳＴに基づいて下記の合成オリゴヌクレオチドプローブとのハイブリダイゼーションによってスクリーニングされた：
５’−ＣＣＡＧＣＣＣＴＣＴＧＣＧＣＴＡＣＡＡＣＣＧＣＣＡＧＡＴＣＧＧＧＧＡＧＴＴＴＡＴＡＧＴＣＡＣＣＣＧＧ−３’（配列番号：７４）
ｃＤＮＡクローンの全体が配列決定された。ＤＮＡ３０８７９−１１５２全長クローンは、Ｆｉｇ３（配列番号：３）に示されている。クローンＤＮＡ３０８７９−１１５２は、単一のオープンリーディングフレームを含み、ヌクレオチド位置５８−６０（Ｆｉｇ３；配列番号：３）に見かけの翻訳開始部位を持ち、そしてヌクレオチド位置８０５−８０７に見かけの停止シグナルを持つ。予測されるポリペプチド前駆体は２４９アミノ酸長である。
Ｆｉｇ４（配列番号：４）に示された全長ＰＲＯ２０７配列の分析により様々な重要なポリペプチドドメインの存在が明らかにされたが、それらの重要なポリペプチドドメインに対して与えられる位置は上記のように概略である。全長ＰＲＯ２０７配列（Ｆｉｇ４；配列番号：４）の分析により次のことが明らかにされた：約アミノ酸１〜約アミノ酸４０のシグナルペプチド、約アミノ酸１３９〜約アミノ酸１４３のＮ−グリコシル化部位、約アミノ酸２７〜約アミノ酸３３、約アミノ酸２９〜約アミノ酸３５、約アミノ酸３６〜約アミノ酸４２、約アミノ酸４５〜約アミノ酸５１、約アミノ酸１１８〜約アミノ酸１２４、約アミノ酸１２１〜約アミノ酸１２７、約アミノ酸１２５〜約アミノ酸１３１、約アミノ酸１２８〜約アミノ酸１３４のＮ−ミリストイル化部位、約アミノ酸１０〜約アミノ酸１４、約アミノ酸９７〜約アミノ酸１０１のアミド化部位、約アミノ酸２４〜約アミノ酸３５の原核生物膜リポタンパク脂質結合部位。クローンＤＮＡ３０８７９−１１５２は１９９７年１０月１０日にＡＴＣＣに寄託され、ＡＴＣＣ寄託番号２０９３５８が付与された。
Ｆｉｇ４（配列番号：４）に示したＰＲＯ２０７の全長配列の（ＡＬＩＧＮ−２コンピュータプログラムを用いた）ＢＬＡＳＴ及びＦａｓｔＡ配列アラインメント分析に基づくと、ＰＲＯ２０７はＴＮＦサイトカインファミリーの幾つかのメンバーとアミノ酸配列同一性を示し、特にヒトリンホトキシン−β（２３．４％）及びヒトＣＤ４０−リガンド（１９．８％）を示す。
【０１４１】
実施例５
ヒトＰＲＯ２２６をコードするｃＤＮＡクローンの単離
実施例１に記載したように、ｐｈｒａｐを用いて他のＥＳＴ配列に対してコンセンサスＤＮＡ配列を構築した。ＥＧＦ様相同体をコードするこの構築されたコンセンサス配列を、ここでＤＮＡ２８７４４と命名する。ＤＮＡ２８７４４コンセンサス配列に基づいて、１）ＰＣＲにより対象とする配列を含むｃＤＮＡライブラリを同定するため、及び２）ＰＲＯ２２６の全長コード化配列のクローンを単離するプローブとして使用するために、オリゴヌクレオチドを合成した。
ＰＣＲプライマー（正方向及び逆方向）を合成した：
正方向ＰＣＲプライマー（２８７４４．ｆ）（ＯＬＩ５５６）：
５’−ＡＴＴＣＴＧＣＧＴＧＡＡＣＡＣＴＧＡＧＧＧＣ−３’（配列番号：７５）
逆方向ＰＣＲプライマー（２８７４４．ｒ）（ＯＬＩ５５７）：
５’−ＡＴＣＴＧＣＴＴＧＴＡＧＣＣＣＴＣＧＧＣＡＣ−３’（配列番号：７６）
さらに、ＤＮＡ２８７４４コンセンサス配列から合成オリゴヌクレオチドハイブリッド形成プローブを作成し、それは以下のヌクレオチド配列を有していた：
ハイブリッド形成プローブ（２８７４４．ｐ）（ＯＬＩ５５６）：
５’−ＣＣＴＧＧＣＴＡＴＣＡＧＣＡＧＧＴＧＧＧＣＴＣＣＡＡＧＴＧＴＣＴＣＧＡＴＧＴＧＧＡＴＧＡＧＴＧＴＧＡ−３’（配列番号：７７）
【０１４２】
全長クローンの供給源について幾つかのライブラリをスクリーニングするために、ライブラリからのＤＮＡを上で同定したＰＣＲプライマー対でＰＣＲ増幅した。次いで、ポジティブライブラリを、プローブオリゴヌクレオチド及びＰＣＲプライマー対の一方を用いてＰＲＯ２２６遺伝子をコードするクローンを単離するのに使用した。ｃＤＮＡライブラリの構築のためのＲＮＡはヒト胎児肺組織から単離した。
上記のように単離したクローンのＤＮＡ配列決定により、ＤＮＡ３３４６０−１１６６［Ｆｉｇ５、配列番号：５］の全長ＤＮＡ配列；及びＰＲＯ２２６の誘導タンパク質配列が得られた。
ＤＮＡ３３４６０−１１６６の全コード化配列がＦｉｇ５（配列番号：５）に含まれる。クローンＤＮＡ３３４６０−１１６６は単一のオープンリーディングフレームを含み、ヌクレオチド位置６２−６４に見かけの翻訳開始部位、そしてヌクレオチド位置１３９１−１３９３に見かけの停止コドンを持つ。予測されるポリペプチド前駆体は４４３アミノ酸長である。Ｆｉｇ６（配列番号：６）に示した全長ＰＲＯ３４４配列の分析により、種々の重要なポリペプチドドメインの存在が明らかになり、それらの重要なポリペプチドドメインに与えられた位置は上記のようにおよそのものである。Ｆｉｇ６に示した全長ＰＲＯ３４４ポリペプチドの分析により以下の存在が明らかになった：約アミノ酸１〜約アミノ酸２５のシグナルペプチド；約アミノ酸１９８〜アミノ酸２０２、約アミノ酸３９４〜約アミノ酸３９８のＮ−グリコシル化部位；約アミノ酸７６〜約アミノ酸８２、約アミノ酸１４５〜約アミノ酸１５１、約アミノ酸１８２〜約アミノ酸１８８、約アミノ酸２２２〜約アミノ酸２２８、約アミノ酸２９０〜約アミノ酸２９６、約アミノ酸３０５〜約アミノ酸３１１、約アミノ酸３７１〜約アミノ酸３７７、約アミノ酸３８１〜約アミノ酸３８７のＮ−ミリストイル化部位；約アミノ酸１４０〜約アミノ酸１５２、約アミノ酸１７７〜約アミノ酸１８９、約アミノ酸２１７〜約アミノ酸２２９及び約アミノ酸２５８〜約アミノ酸２７０のアスパラギン酸及びアスパラギンヒドロキシル化部位。クローンＤＮＡ３３４６０−１１６６は１９９７年１０月１６日にＡＴＣＣに寄託され、ＡＴＣＣ寄託番号２０９３７６が付与された。
Ｆｉｇ６（配列番号：６）に示したＰＲＯ２２６の全長配列のＢＬＡＳＴ及びＦａｓｔＡ配列アラインメント分析に基づくと、ＥＧＦ様相同体ＤＮＡ３３４６０−１１６６はＨＴタンパク質及び／又はフィブリンとアミノ酸配列同一性を示す（各々、４９％及び３８％）。
【０１４３】
実施例６
ヒトＰＲＯ２３２をコードするｃＤＮＡクローンの単離
実施例１に記載したように、ｐｈｒａｐを用いて他のＥＳＴ配列に対してコンセンサスＤＮＡ配列を構築した。この構築されたコンセンサス配列を、ここでＤＮＡ３０９３５と命名し、ポリペプチドは１又は複数の幹細胞抗原と類似性を示した。ＤＮＡ３０９３５コンセンサス配列に基づいて、１）ＰＣＲにより対象とする配列を含むｃＤＮＡライブラリを同定するため、及び２）ＰＲＯ２３２の全長コード化配列のクローンを単離するプローブとして使用するために、オリゴヌクレオチドを合成した。
ＰＣＲプライマー（正方向及び逆方向）を合成した：
正方向ＰＣＲプライマー：
５’−ＴＧＣＴＧＴＧＣＴＡＣＴＣＣＴＧＣＡＡＡＧＣＣＣ−３’（配列番号：７８）
逆方向ＰＣＲプライマー：
５’−ＴＧＣＡＣＡＡＧＴＣＧＧＴＧＴＣＡＣＡＧＣＡＣＧ−３’（配列番号：７９）
さらに、ＤＮＡ３０９３５コンセンサス配列から合成オリゴヌクレオチドハイブリッド形成プローブを作成し、それは以下のヌクレオチド配列を有していた：
ハイブリッド形成プローブ：
５’−ＡＧＣＡＡＣＧＡＧＧＡＣＴＧＣＣＴＧＣＡＧＧＴＧＧＡＧＡＡＣＴＧＣＡＣＣＣＡＧＣＴＧＧＧ−３’（配列番号：８０）
【０１４４】
全長クローンの供給源について幾つかのライブラリをスクリーニングするために、ライブラリからのＤＮＡを上で同定したＰＣＲプライマー対でＰＣＲ増幅した。次いで、ポジティブライブラリを、プローブオリゴヌクレオチド及びＰＣＲプライマー対の一方を用いてＰＲＯ２３２遺伝子をコードするクローンを単離するのに使用した。ｃＤＮＡライブラリの構築のためのＲＮＡはヒト胎児腎臓組織から単離した。
上記のように単離したクローンのＤＮＡ配列決定により、ＤＮＡ３４４３５−１１４０［Ｆｉｇ７、配列番号：７］の全長ＤＮＡ配列；及びＰＲＯ２３２の誘導タンパク質配列が得られた。
ＤＮＡ３４４３５−１１４０の全コード化配列がＦｉｇ７（配列番号：７）に含まれる。クローンＤＮＡ３４４３５−１１４０は単一のオープンリーディングフレームを含み、ヌクレオチド位置３５９−３６１に見かけの停止コドンを持つ。予測されるポリペプチド前駆体は１１９アミノ酸長である。Ｆｉｇ８（配列番号：８）に示した全長ＰＲＯ３４４配列の分析により、種々の重要なポリペプチドドメインの存在が明らかになり、それらの重要なポリペプチドドメインに与えられた位置は上記のようにおよそのものである。Ｆｉｇ８に示した全長ＰＲＯ３４４ポリペプチドの分析により以下の存在が明らかになった：約アミノ酸１〜約アミノ酸１６のシグナルペプチド；約アミノ酸３６〜アミノ酸４０、約アミノ酸７９〜約アミノ酸８３約、及びアミノ酸８９〜約アミノ酸９３のＮ−グリコシル化部位；約アミノ酸６１〜約アミノ酸６７のＮ−ミリストイル化部位；約アミノ酸７５〜約アミノ酸７９のアミド化部位。クローンＤＮＡ３４４３５−１１４０は１９９７年９月１６日にＡＴＣＣに寄託され、ＡＴＣＣ寄託番号２０９２５０が付与された。
Ｆｉｇ８（配列番号：８）に示したＰＲＯ２３２の全長配列の分析は、それがＧａｌｌｕｓ  ｇａｌｌｕｓからの幹細胞表面抗原と３５％配列同一性を持つことを示唆した。
【０１４５】
実施例７
ゲノム歩行によるヒトＰＲＯ２４３をコードするｃＤＮＡクローンの単離
序：
ヒトトロンボポエチン（ＴＨＰＯ）は、２つのドメインからなる３５２アミノ酸のグリコシル化ホルモンである。Ｎ末端ドメインはエリスロポエチンと５０％類似性を持ち、生物学的活性を担っている。Ｃ末端領域は分泌に必要とされる。トロンボポエチン（ＴＨＰＯ）についての遺伝子はヒト染色体３ｑ２７−ｑ２８にマップされ、そこでこの遺伝子の６つのエクソンがゲノムＤＮＡの７キロベース塩基対の橋を架けている（Ｇｕｒｎｅｙ等，  Ｂｌｏｏｄ  ８５：  ９８１−９８８  （１９９５））。ＴＨＰＯの直近に位置するＴＨＰＯ相同体をコードする遺伝子が存在するか否かを決定するため、この領域からのゲノムＤＮＡ断片を同定して配列決定した。ＴＨＰＯ遺伝子座を包含する３つのＰ１クローン及び１つのＰＡＣクローン（Ｇｅｎｏｍｅ  Ｓｙｓｔｅｍｓ  Ｉｎｃ．，  Ｓｔ．  Ｌｏｕｉｓ．  ＭＯ；カタログ番号Ｐ１−２５３５及びＰＡＣ−６５３９）が単離され、１４０ｋｂ領域をＰＣＲベースのギャップ充填法と組み合わせた規則的ショットガン法（Ｃｈｅｎ等，  Ｇｅｎｏｍｉｃｓ  １７：  ６５１−６５６  （１９９３））を用いて配列決定した。分析により該領域がＴＨＰＯに極めて近く位置する４つの更なる遺伝子：腫瘍壊死因子レセプター１型関連タンパク質２（ＴＲＡＰ２）及び伸長開始因子ガンマ（ｅｌＦ４ｇ）、塩化物チャンネル２（ＣＬＣＮ２）及びＲＮＡポリメラーゼＩＩサブユニットｈＲＰＢ１７を伴って遺伝子リッチであることが明らかとなった。該領域にはＴＨＰＯ相同体は見出されなかったが、４つの新規な遺伝子がコンピュータ補助遺伝子検出（ＧＲＡＩＬ）により予測された（Ｘｕ等，  Ｇｅｎ．  Ｅｎｇｉｎ．  １６：  ２４１−２５３  （１９９４），  ＣｐＧ島の存在（Ｃｒｏｓｓ，  Ｓ．及びＢｉｒｄ，  Ａ．，  Ｃｕｒｒ．  Ｏｐｉｎ．  Ｇｅｎｅｔ．  ＆  Ｄｅｖｅｌ．  ５：  １０９−３１４  （１９９５），  及び公知の遺伝子との相同性（ＷＵ−ＢＬＡＳＴ２．０により検出）（Ａｌｔｓｃｈｕｌ及びＧｉｓｈ，  Ｍｅｔｈｏｄｓ  Ｅｎｚｙｍｏｌ．  ２６６：  ４６０−４８０  （１９９６））
【０１４６】
手法：
Ｐ１及びＰＡＣクローン：
最初のヒトＰ１クローンはゲノムＰ１ライブラリ（Ｇｅｎｏｍｅ  Ｓｙｓｔｅｍｓ  Ｉｎｃ．，  Ｓｔ．  Ｌｏｕｉｓ，  ＭＯ；  カタログ番号Ｐ１−２５３５）から、ＴＨＰＯゲノム配列から設計されたＰＣＲプライマーでスクリーニングされて単離された。ＰＣＲプライマーは、このＰ１クローンから誘導された末端配列から設計され、次いでＰ１及びＰＡＣライブラリ（Ｇｅｎｏｍｅ  Ｓｙｓｔｅｍｓ  カタログ番号Ｐ１−２５３５びＰＡＣ−６５３９）のスクリーニングに用い、重複クローンを同定した。
規則的ショットガン法：
規則的ショットガン法（ＯＳＳ）（Ｃｈｅｎ等，  Ｇｅｎｏｍｉｃｓ  １７：  ６５１−６５６  （１９９３））は、階層的方法での大きなゲノムＤＮＡクローンのマッピングと配列化を含む。Ｐ１又はＰＡＣクローンを超音波処理し、断片をラムダベクター（λＢｌｕｅｓｔａｒ）（Ｎｏｖｅｇｅｎ，  Ｉｎｃ．，  Ｍａｄｉｓｏｎ，  ＷＩ：  カタログ番号６９２４２−３）にサブクローニングした。ラムダサブクローン挿入物は長距離ＰＣＲ（Ｂａｒｎｅｓ，  Ｗ．  Ｐｒｏｃ．  Ｎａｔｌ．  Ａｃａｄ．  Ｓｃｉ．  ＵＳＡ  ９１：  ２２１６−２２２０  （１９９４））により単離し、末端を配列決定した。ラムダ末端配列を重複させ、最初のクローンの部分的マップを作成した。重複末端配列を持つこれらのラムダクローンを同定し、インセットをプラスミドベクター（ｐＵＣ９又はｐＵＣ１８）にサブクローニングし、プラスミドサブクローンの末端を配列決定し、組み立てて近接配列を生成した。この方向性を持った配列決定法は、必要な無駄を最小にし、対象とする領域をスキャンし集中するのを可能にする。
ＴＨＰＯ遺伝子座をよりよく同定し、ヘマトポエチンファミリーに関連する他の遺伝子を検索するために、４つのゲノムクローンを、ヒトＰ１及びＰＡＣライブラリのＰＣＲスクリーニングによりこの領域から単離した（Ｇｅｎｏｍｅ  Ｓｙｓｔｅｍ．  Ｉｎｃ．，  カタログ番号：  Ｐ１−２５３５及びＰＡＣ−６５３９）。遺伝子断片のサイズは次の通りである：Ｐ１．ｔは４０ｋｂ；Ｐ１．ｇは７０ｋｂ；Ｐ１．ｕは７０ｋｂ；及びＰＡＣ．ｚは２００ｋｂである。２００ｋｂゲノムＤＮＡ領域の約８０％を、規則的ショットガン法（ＯＳＳ）（Ｃｈｅｎ等，  Ｇｅｎｏｍｉｃｓ  １７：  ６５１−５６  （１９９３））を用いて配列決定し、ＡｕｔｏＡｓｓｅｍｂｌｅｒ（商品名）（Ａｐｐｌｉｅｄ  Ｂｉｏｓｙｓｔｅｍｓ．  Ｐｅｒｋｉｎ  Ｅｌｍｅｒ，  Ｆｏｓｔｅｒ  Ｃｉｔｙ，  ＣＡ，  カタログ番号９０３２２７）を用いてコンティグに構築した。これらのコンティグの予備的順序を手動分析で決定した。４６のコンティグが存在し、ギャップへの充填を用いた。表４はギャップの数とサイズをまとめている。
【０１４７】
2004229504.tif 000024
【０１４８】
ＤＮＡ配列決定：
ＡＢＩ  ＤＹＥ−プライマー（商品名）化学（ＰＥ  Ａｐｐｌｉｅｄ  Ｂｉｏｓｙｓｔｅｍｓ，  Ｆｏｓｔｅｒ  Ｃｉｔｙ，  ＣＡ；カタログ番号：  ４０２１１２）を、ラムダ及びプラスミドサブクローンの末端配列決定に用いた。ＡＢＩ  ＤＹＥ−ターミネーター（商品名）（ＰＥ  Ａｐｐｌｉｅｄ  Ｂｉｏｓｙｓｔｅｍｓ，  Ｆｏｓｔｅｒ  Ｃｉｔｙ，  ＣＡ；カタログ番号：  ４０３０４４）を、ＰＣＲ産物のその各ＰＣＲプライマーでの配列決定に用いた。配列は、ＡＢＩ３７７装置で収集した。１ｋｂより大きなＰＣＲ産物について、歩行プライマーを用いた。ＡｕｔｏＡｓｓｅｍｂｌｅｒ（商品名）（ＰＥ  Ａｐｐｌｉｅｄ  ＢｉｏＳｙｓｔｅｍｓ，  Ｆｏｓｔｅｒ  Ｃｉｔｙ，  ＣＡ；  カタログ番号：  ９０３２２７）でのＯＳＳ法により生成されたコンティグの配列及びギャップ充填配列決定トレースファイルを、重複及び編集のためにＳｅｑｕｅｎｃｈｅｒ（商品名）（Ｇｅｎｅ  Ｃｏｄｅｓ  Ｃｏｒｐ．，  Ａｎｎ  Ａｒｂｏｒ，  ＭＩ）にインポートした。
ＰＣＲ−ベースギャップ充填法：
各コンティグの配列決定された５’及び３’末端に基づいてプライマーを設計し、反復及び低品質配列領域を避けた。全てのプライマーを５０−７０％のＧ／Ｃ量を持つ１９−２４量体であるように設計した。オリゴを合成し、標準的な方法によりゲル精製した。
コンティグの配向と順序は未知であったので、プライマーの順列を増幅反応において使用した。二つのＰＣＲキットを使用した：第１に、およそ１０分の伸展時間でのＸＬ  ＰＣＲキット（Ｐｅｒｋｉｎ  Ｅｌｍｅｒ，  Ｎｏｒｗａｌｋ，  ＣＴ；  カタログ番号：Ｎ８０８０２０５）；第２に、ＸＬ  ＰＣＲキットで汚れた又は複数の生成物が観察された場合にはＴａｑポリメラーゼＰＣＲキット（Ｑｉａｇｅｎ  Ｉｎｃ．，  Ｖａｌｅｎｃｉａ，  ＣＡ；カタログ番号：２０１２２３）を高緊縮性条件下で使用した。それぞれの成功した反応からの主要なＰＣＲ産物は０．９％の低溶融アガロースゲルから抽出し配列決定前にＧｅｎｅｃｌｅａｎ  ＤＮＡ  Ｐｕｒｉｆｉｃａｔｉｏｎキットで精製した。
【０１４９】
分析：
コード領域の同定及び特徴付けは以下のように実施した：第１に、反復配列をＲｅｐｅａｔＭａｓｋｅｒ（Ａ．Ｆ．Ａ．  Ｓｍｉｔ  ＆  Ｐ．  Ｇｒｅｅｎ，  ｈｔｔｐ：／／ｆｔｐ．ｇｅｎｏｍｅ．ｗａｓｈｉｎｇｔｏｎ．ｅｄｕ／ＲＭ／ＲＭ＿ｄｅｔａｉｌｓ．ｈｔｍｌ）でマスクし、それを反復成分のライブラリに対してＦａｓｔＡ方式でＤＮＡ配列スクリーニングし、マスクしたクエリー配列に戻した。マスクされていないリピートは、配列をＧｅｎＢａｎｋデータベースとＷＵＢＬＡＳＴ（Ａｌｔｓｃｈｕ，  Ｓ．及びＧｉｓｈ，  Ｗ．，  Ｍｅｔｈｏｄｓ  Ｅｎｚｙｍｏｌ．  ２６６：  ４６０−４８０  （１９９６））を用いて比較することにより同定し、手動でマスクした。
次に、ジェネンテクのタンパク質データベースに対してゲノム領域をＷＵＢＬＡＳＴ２．０アルゴリズムを用いて比較することにより既知の遺伝子を明らかにし、各遺伝子についてゲノム及びｃＤＮＡ配列を各々、さもないと大きく異なる配列間の局所的同一性の領域を見つけるためにＮｅｅｄｌｅｍａｎ−Ｗｕｎｃｈ（Ｎｅｅｄｌｅｍａｎ及びＷｕｎｓｃｈ，  Ｊ．  Ｍｏｌ．  Ｂｉｏｌ．  ４８：  ４４３−４５３  （１９７０））アルゴリズムを用いて整列させることにより注釈をつけた。該方法は、該領域の５つの既知の遺伝子、ＴＨＰＯ、ＴＲＡＰ２、ｅｌＦ４ｇ、ＣＬＣＮ２及びｈＲＰＢ１７の全てのエクソンの検出をもたらした（表５）。
【０１５０】
2004229504.tif 000025
【０１５１】
最後に、新規な転写単位を多数の方法を用いて予測した。ＣｐＧ島（Ｓ．  Ｃｒｏｓｓ及びＢｉｒｄ，  Ａ．，  Ｃｕｒｒ．  Ｏｐｉｎ．  Ｇｅｎｅ．  Ｄｅｖ．  ５：  １０９−３１４  （１９９５））島をプロモーター領域を定めるために使用し、ＧＣ−リッチ、６−又は８−量体回文構造配列を認識する酵素によって切断された部位のクラスターとして同定した。ＣｐＧ島には通常、遺伝子のプロモーター領域が付随している。短いゲノム領域（１０−２０ｋｂ）のＧｅｎＢａｎｋに対するＷＵＢＬＡＳＴ２．０分析は、ＥＳＴに一致する。個々のＥＳＴ配列（あるいは可能な場合は、それらの配列クロマトグラムファイル）を検索し、Ｓｅｑｕｅｎｃｈｅｒで構築して理論的ｃＤＮＡ配列を与えた（ここでＤＮＡ３４４１５と命名）。新規のエクソンを予測するためにＧＲＡＩＬ２（ＡｐｏＣｏｍ  Ｉｎｃ．，  Ｋｎｏｘｖｉｌｌｅ，  ＴＮ，  ＤＥＣαのためのコマンドラインバージョン）を用いた。該領域の５つの既知の遺伝子は、ＧＬＡＩＬアルゴリズムの成功のための内部参照となった。
【０１５２】
単離：
コルディン（Ｃｈｏｒｄｉｎ）ｃＤＮＡクローンを、オリゴ−ｄＴ−プライムヒト胎児肺ライブラリから単離した。ヒト胎児肺ポリＡ（商品名）ＲＮＡはＣｌｏｎｔｅｃｈ（カタログ＃６５２８−１，ロット＃４３７７７）から購入し、５ｍｇを使用してｐＬＲ５Ｂ（ジェネンテク，ＬＩＢ２６）でｃＤＮＡライブラリを作成した。３’−プライマー：
ｐＧＡＣＴＡＧＴＴＣＴＡＧＡＴＣＧＣＧＡＧＣＧＧＣＣＧＣＣＣＴＴＴＴＴＴＴＴＴＴＴＴＴＴＴ（配列番号：８１）
及び５’リ−ンカー：
ｐＣＧＧＡＣＧＣＧＴＧＧＧＧＣＣＴＧＣＧＣＡＣＣＣＡＧＣＴ（配列番号：８２）
を設計してＳａｌＩ及びＮｏｔＩ制限部位を導入した。クローンは、遺伝子の提案されたゲノムエキソンを併せて手動で「スプライシング」することにより推論した推定ヒトコルディンｃＤＮＡ配列（ＤＮＡ３４４１５）から設計したオリゴヌクレオチドでスクリーニングした。プローブに隣接するＰＣＲプライマーを用いて配列決定の前にｃＤＮＡクローンの同一性を確認した。
スクリーニングオリゴヌクレオチドプローブは次のものであり：
ＯＬＩ５６４０  ３４４１５．ｐ１：
５’−ＧＣＣＧＣＴＣＣＣＣＧＡＡＣＧＧＧＣＡＧＣＧＧＣＴＣＣＴＴＣＴＣＡＧＡＡ−３’  （配列番号：８３）
ＯＬＩ５６４２  ３４４１５．ｐ２：
５’−ＧＧＣＧＣＡＣＡＧＣＡＣＧＣＡＧＣＧＣＡＴＣＡＣＣＣＣＧＡＡＴＧＧＣＴＣ−３’  （配列番号：８４）：
使用されたフランキングプローブは次のものであった：
ＯＬＩ５６３９  ３４４１５．ｆ１：
５’−ＧＴＧＣＴＧＣＣＣＡＴＣＣＧＴＴＣＴＧＡＧＡＡＧＧＡ−３’  （配列番号：８５）
ＯＬＩ５６４３  ３４４１５．ｒ  ：
５’−ＧＣＡＧＧＧＴＧＣＴＣＡＡＡＣＡＧＧＡＣＡＣ−３’  （配列番号：８６）であった。
【０１５３】
ＤＮＡ３５９１７−１２０７の全コード化配列がＦｉｇ９（配列番号：９）に含まれる。クローンＤＮＡ３５９１７−１２０７は単一のオープンリーディングフレームを含み、ヌクレオチド位置１３７−１３９に見かけの翻訳開始部位、そしてヌクレオチド位置２９９９−３００１に見かけの停止コドンを持つ。予測されるポリペプチド前駆体は９５４アミノ酸長である。Ｆｉｇ１０（配列番号：１０）に示された全長ＰＲＯ２４３配列の分析により様々な重要なポリペプチドドメインの存在が明らかにされたが、それらの重要なポリペプチドドメインに対して与えられる位置は上記のように概略である。Ｆｉｇ１０に示した全長ＰＲＯ２４３配列の分析により次のことが明らかにされた：約アミノ酸１〜約アミノ酸２３のシグナルペプチド；約アミノ酸２１７〜約アミノ酸２２１、約アミノ酸３５１〜約アミノ酸３５５、約アミノ酸３６５〜約アミノ酸３６９、及び約アミノ酸４３４〜約アミノ酸４３８のＮ−グリコシル化部位；約アミノ酸１４５〜約アミノ酸１５３及び約アミノ酸７７８〜約アミノ酸７８６のチロシンキナーゼリン酸化部位；約アミノ酸２０〜約アミノ酸２６、約アミノ酸４７〜約アミノ酸５３、約アミノ酸５０〜約アミノ酸５６、約アミノ酸６９〜約アミノ酸７５、約アミノ酸７３〜約アミノ酸７９、約アミノ酸２３２〜約アミノ酸２３８、約アミノ酸２３６〜約アミノ酸２４２、約アミノ酸３９０〜約アミノ酸３９６、約アミノ酸４２２〜約アミノ酸４２８、約アミノ酸４７９〜約アミノ酸４７７、約アミノ酸４８３〜約アミノ酸４８９、約アミノ酸４８９〜約アミノ酸４９５、約アミノ酸５７３〜約アミノ酸５７９、約アミノ酸５７６〜約アミノ酸５８２、約アミノ酸５８０〜約アミノ酸５８６、約アミノ酸６３５〜約アミノ酸６４１、約アミノ酸６７０〜約アミノ酸６７６、約アミノ酸７７３〜約アミノ酸７７９、約アミノ酸８０７〜約アミノ酸８１３、約アミノ酸８７１〜約アミノ酸８７７、及び約アミノ酸９０５〜約アミノ酸９１１のＮ−ミリストイル化部位；約アミノ酸８７〜約アミノ酸９１のアミド化部位；約アミノ酸１６５〜約アミノ酸１６８の細胞接着配列；約アミノ酸３１５〜約アミノ酸３３７のロイシンジッパーパターン。クローンＤＮＡ３５９１７−１２０７は１９９７年９月３日にＡＴＣＣに寄託され、ＡＴＣＣ寄託番号２０９５０８が付与された。Ｆｉｇ１０に示すＰＲＯ２４３の全長タンパク質は、約１０１，９６０の見積もり武士量及び約８．２１のｐＩを持つ。
【０１５４】
実施例８
ヒトＰＲＯ２５６をコードするｃＤＮＡクローンの単離
実施例１に記載したように、ｐｈｒａｐを用いて他のＥＳＴ配列に対してコンセンサスＤＮＡ配列を構築した。この構築されたコンセンサス配列を、ここでＤＮＡ２８７２５と命名する。ＤＮＡ２８７２５コンセンサス配列に基づいて、１）ＰＣＲにより対象とする配列を含むｃＤＮＡライブラリを同定するため、及び２）ＰＲＯ２５６の全長コード化配列のクローンを単離するプローブとして使用するために、オリゴヌクレオチドを合成した。
ＰＣＲプライマー（正方向及び逆方向）の対を合成した：
正方向ＰＣＲプライマー：
５’−ＴＧＴＣＣＡＣＣＡＡＧＣＡＧＡＣＡＧＡＡＧ−３’（配列番号：８７）
逆方向ＰＣＲプライマー：
５’−ＡＣＴＧＧＡＴＧＧＣＧＣＣＴＴＴＣＣＡＴＧ−３’（配列番号：８８）
さらに、ＤＮＡ２８７２５コンセンサス配列から合成オリゴヌクレオチドハイブリッド形成プローブを作成し、それは以下のヌクレオチド配列を有していた：
ハイブリッド形成プローブ：
５’−ＣＴＧＡＣＡＧＴＧＡＣＴＡＧＣＴＣＡＧＡＣＣＡＣＣＣＡＧＡＧＧＡＣＡＣＧＧＣＣＡＡＣＧＴＣＡＣＡＧＴ−３’（配列番号：８９）
５’−ＧＧＧＣＴＣＴＴＴＣＣＣＡＣＧＣＴＧＧＴＡＣＴＡＴＧＡＣＣＣＣＡＣＧＧＡＧＣＡＧＡＴＣＴＧ−３’（配列番号：９０）
【０１５５】
全長クローンの供給源について幾つかのライブラリをスクリーニングするために、ライブラリからのＤＮＡを上で同定したＰＣＲプライマー対でＰＣＲ増幅した。次いで、ポジティブライブラリを、プローブオリゴヌクレオチド及びＰＣＲプライマー対の一方を用いてＰＲＯ２５６遺伝子をコードするクローンを単離するのに使用した。
ｃＤＮＡライブラリの構築のためのＲＮＡはヒト胎盤組織から単離した。ｃＤＮＡクローンの単離に用いたｃＤＮＡライブラリは、Ｉｎｖｉｔｒｏｇｅｎ，  Ｓａｎ  Ｄｉｅｇｏ，  ＣＡからのもの等の市販試薬を用いて標準的な方法によって作成した。ｃＤＮＡは、ＮｏｔＩ部位を含むオリゴｄＴでプライムし、平滑末端でＳａｌＩヘミキナーゼアダプターに結合させ、ＮｏｔＩで切断し、ゲル電気泳動でおよそのサイズ分類し、そして適切なクローニングベクター（ｐＲＫＢ又はｐＲＫＤ等；ｐＲＫ５ＢはＳｆｉＩ部位を含まないｐＲＫ５Ｄの前駆体である；Ｈｏｌｍｅｓ等，  Ｓｃｉｅｎｃｅ，  ２５３：  １２７８−１２８０  （１９９１）参照）に、独特のＸｈｏＩ及びＮｏｔＩ部位において、所定の方向でクローニングした。
上記のように単離したクローンのＤＮＡ配列決定により、ＤＮＡ３５８８０−１１６０［Ｆｉｇ１１、配列番号：１１］の全長ＤＮＡ配列；及びＰＲＯ２５６の誘導タンパク質配列が得られた。
【０１５６】
ＤＮＡ３５８８０−１１６０の全コード化配列がＦｉｇ１１（配列番号：１１）に示される。クローンＤＮＡ３５８８０−１１６０は単一のオープンリーディングフレームを含み、ヌクレオチド位置１８８−１９０に見かけの翻訳開始部位、そしてヌクレオチド位置１７７５−１７７７に見かけの停止コドンを持つ。予測されるポリペプチド前駆体は５２９アミノ酸長である（Ｆｉｇ１２）。Ｆｉｇ１２（配列番号：１２）に示した全長ＰＲＯ３４４配列の分析により、種々の重要なポリペプチドドメインの存在が明らかになり、それらの重要なポリペプチドドメインに与えられた位置は上記のようにおよそのものである。Ｆｉｇ１２に示した全長ＰＲＯ３４４ポリペプチドの分析により以下の存在が明らかになった：約アミノ酸１〜約アミノ酸３５のシグナルペプチド；約アミノ酸４６６〜アミノ酸４８３の膜貫通ドメイン；約アミノ酸６６〜約アミノ酸７０、約アミノ酸２３５〜約アミノ酸２３９、及び約アミノ酸５２３〜約アミノ酸５２７のＮ−グリコシル化部位；約アミノ酸２９〜約アミノ酸３５、約アミノ酸４３〜約アミノ酸４９、約アミノ酸１６１〜約アミノ酸１６７、約アミノ酸２１２〜約アミノ酸２１８、約アミノ酸２８１〜約アミノ酸２８７、約アミノ酸２８２〜約アミノ酸２８８、約アミノ酸２８５〜約アミノ酸２９１、約アミノ酸３１０〜約アミノ酸３１６、約アミノ酸３１３〜約アミノ酸３１９、約アミノ酸４２２〜約アミノ酸４２８、約アミノ酸４２３〜約アミノ酸４２９、及び約アミノ酸４２６〜約アミノ酸４３２のＮ−ミリストイル化部位；約アミノ酸１９３〜約アミノ酸１９９の細胞接着配列；及び約アミノ酸２７８〜約アミノ酸２９８及び約アミノ酸４１９〜約アミノ酸４３８の膵臓トリプシンインヒビター（Ｋｕｎｉｔｚ）ファミリーシグネーチャー。クローンＤＮＡ３５８８０−１１６０は１９９７年１０月１６日にＡＴＣＣに寄託され、ＡＴＣＣ寄託番号２０９３７９が付与された。
ＰＲＯ２５６の全長配列の分析により、その一部がヒトビクニン（ｂｉｋｕｎｉｎ）タンパク質と有意な相同性を持つことが示唆され、それよりＰＲＯ２５６が新規なプロテイナーゼインヒビターであることが示された。
【０１５７】
実施例９
ヒトＰＲＯ２６９をコードするｃＤＮＡクローンの単離
実施例１に記載したように、ｐｈｒａｐを用いて他のＥＳＴ配列に対してコンセンサスＤＮＡ配列を構築した。ＥＧＦ様相同体をコードするこの構築されたコンセンサス配列を、ここでＤＮＡ３５７０５と命名する。ＤＮＡ３５７０５コンセンサス配列に基づいて、１）ＰＣＲにより対象とする配列を含むｃＤＮＡライブラリを同定するため、及び２）ＰＲＯ２６９の全長コード化配列のクローンを単離するプローブとして使用するために、オリゴヌクレオチドを合成した。
ＰＣＲプライマー（３つの正方向及び２つの逆方向）を合成した：
正方向ＰＣＲプライマー１：
５’−ＴＧＧＡＡＧＧＡＧＡＴＧＣＧＡＴＧＣＣＡＣＣＴＧ−３’（配列番号：９１）
正方向ＰＣＲプライマー２：
５’−ＴＧＡＣＣＡＧＴＧＧＧＧＡＡＧＧＡＣＡＧ−３’（配列番号：９２）
正方向ＰＣＲプライマー３：
５’−ＡＣＡＧＡＧＣＡＧＡＧＧＧＴＧＣＣＴＴＧ−３’（配列番号：９３）
逆方向ＰＣＲプライマー１：
５’−ＴＣＡＧＧＧＡＣＡＡＧＴＧＧＴＧＴＣＴＣＴＣＣＣ−３’（配列番号：９４）
逆方向ＰＣＲプライマー２：
５’−ＴＣＡＧＧＧＡＡＧＧＡＧＴＧＴＧＣＡＧＴＴＣＴＧ−３’（配列番号：９５）
さらに、ＤＮＡ３５７０５コンセンサス配列から合成オリゴヌクレオチドハイブリッド形成プローブを作成し、それは以下のヌクレオチド配列を有していた：
ハイブリッド形成プローブ：
５’−ＡＣＡＧＣＴＣＣＣＧＡＴＣＴＣＡＧＴＴＡＣＴＴＧＣＡＴＣＧＣＧＧＡＣＧＡＡＡＴＣＧＧＣＧＣＴＣＧＣＴ−３’（配列番号：９６）
【０１５８】
全長クローンの供給源について幾つかのライブラリをスクリーニングするために、ライブラリからのＤＮＡを上で同定したＰＣＲプライマー対でＰＣＲ増幅した。次いで、ポジティブライブラリを、プローブオリゴヌクレオチド及びＰＣＲプライマー対の一方を用いてＰＲＯ２６９遺伝子をコードするクローンを単離するのに使用した。ｃＤＮＡライブラリの構築のためのＲＮＡはヒト胎児腎臓組織から単離した。
上記のように単離したクローンのＤＮＡ配列決定により、ＤＮＡ３８２６０−１１８０［Ｆｉｇ１３、配列番号：１３］の全長ＤＮＡ配列；及びＰＲＯ２６９の誘導タンパク質配列が得られた。
ＤＮＡ３８２６０−１１８０の全コード化配列がＦｉｇ１３（配列番号：１３）に含まれる。クローンＤＮＡ３８２６０−１１８０は単一のオープンリーディングフレームを含み、ヌクレオチド位置３１４−３１６に見かけの翻訳開始部位、そしてヌクレオチド位置１７８４−１７８６に見かけの停止コドンを持つ。予測されるポリペプチド前駆体は４９０アミノ酸長であり、約５１，６３６ダルトンの分子量及び約９．２９の見積もりｐＩを有する。Ｆｉｇ１４（配列番号：１４）に示した全長ＰＲＯ３４４配列の分析により、種々の重要なポリペプチドドメインの存在が明らかになり、それらの重要なポリペプチドドメインに与えられた位置は上記のようにおよそのものである。Ｆｉｇ１４に示した全長ＰＲＯ３４４ポリペプチドの分析により以下の存在が明らかになった：約アミノ酸１〜約アミノ酸１６のシグナルペプチド；約アミノ酸３９７〜アミノ酸４１８の膜貫通ドメイン；約アミノ酸１８９〜約アミノ酸１９３及び約アミノ酸３８１〜約アミノ酸３８５のＮ−グリコシル化部位；約アミノ酸２８９〜約アミノ酸２９３のグリコサミノグリカン結合部位；約アミノ酸９８〜約アミノ酸１０２及び約アミノ酸４３４〜約アミノ酸４３８のｃＡＭＰ−及びｃＧＭＰ−依存性プロテインキナーゼリン酸化部位；約アミノ酸３０〜約アミノ酸３６、約アミノ酸３５〜約アミノ酸４１、約アミノ酸５８〜約アミノ酸６４、約アミノ酸５９〜約アミノ酸６５、約アミノ酸１２１〜約アミノ酸１２７、約アミノ酸１５１〜約アミノ酸１５７、約アミノ酸１８５〜約アミノ酸１９１、約アミノ酸２０９〜約アミノ酸２１５、約アミノ酸２６７〜約アミノ酸２７３、約アミノ酸３５０〜約アミノ酸３５６、約アミノ酸３７４〜約アミノ酸３８０、約アミノ酸４５３〜約アミノ酸４５９、約アミノ酸４６３〜約アミノ酸４６９、約アミノ酸４７７〜約アミノ酸４８３のＮ−ミリストイル化部位；約アミノ酸２６２〜約アミノ酸２７４のアスパラギン酸アスパラギンヒドロキシル化部位。クローンＤＮＡ３８２６０−１１８０は１９９７年１０月１７日にＡＴＣＣに寄託され、ＡＴＣＣ寄託番号２０９３９７が付与された。
Ｆｉｇ１４（配列番号：１４）に示したＰＲＯ２６９の全長配列の分析により、その一部がヒトトロンボモジュリンタンパク質と有意な相同性を有することが示唆され、よってＰＲＯ２６９は１又は複数のトロンボモジュリン様ドメインをもつことが示された。
【０１５９】
実施例１０
ヒトＰＲＯ２７４をコードするｃＤＮＡクローンの単離
実施例１に記載したように、ｐｈｒａｐを用いて他のＥＳＴ配列に対してコンセンサスＤＮＡ配列を構築した。この構築されたコンセンサス配列を、ここでＤＮＡ３６４６９と命名する。次いでコンセンサスＤＮＡ配列を、ＢＬＡＳＴ及びｐｈｒａｐの繰り返しサイクルを用いて、上記のＥＳＴの供給源を用いてできる限り延長した。延長したアセンブリコンセンサス配列を、ここで（ｃｏｎｓｅｎ０１）と命名する。また、ジェネンテクが独自に開発したＥＳＴを第２のコンセンサス構築に用い、ＤＮＡ１７８７３、ＤＮＡ３６１５７及びＤＮＡ２８９２９と命名する。構築したＤＮＡ３６４６９及び（ｃｏｎｓｅｎ０１）コンセンサス配列に基づいて、１）ＰＣＲにより対象とする配列を含むｃＤＮＡライブラリを同定するため、及び２）ＰＲＯ２７４の全長コード化配列のクローンを単離するプローブとして使用するために、オリゴヌクレオチドを合成した。
ＰＣＲプライマー（正方向及び逆方向）を合成した：
正方向ＰＣＲプライマー（３６４６９．ｆ１）：
５’−ＣＴＧＡＴＣＣＧＧＴＴＣＴＴＧＧＴＧＣＣＣＣＴＧ−３’（配列番号：９７）
正方向ＰＣＲプライマー（３６４６９．ｆ２）：
５’−ＧＣＴＣＴＧＴＣＡＣＴＣＡＣＧＣＴＣ−３’（配列番号：９８）
正方向ＰＣＲプライマー（３６４６９．ｆ３）：
５’−ＴＣＡＴＣＴＣＴＴＣＣＣＴＣＴＣＣＣ−３’（配列番号：９９）
正方向ＰＣＲプライマー（３６４６９．ｆ４）：
５’−ＣＣＴＴＣＣＧＣＣＡＣＧＧＡＧＴＴＣ−３’（配列番号：１００）
逆方向ＰＣＲプライマー（３６４６９．ｒ１）：
５’−ＧＧＣＡＡＡＧＴＣＣＡＣＴＣＣＧＡＴＧＡＴＧＴＣ−３’（配列番号：１０１）
逆方向ＰＣＲプライマー（３６４６９．ｒ２）：
５’−ＧＣＣＴＧＣＴＧＴＧＧＴＣＡＣＡＧＧＴＣＴＣＣＧ−３’（配列番号：１０２）
さらに、ＤＮＡ３６４６９及び（ｃｏｎｓｅｎ０１）コンセンサス配列から合成オリゴヌクレオチドハイブリッド形成プローブを作成し、それは以下のヌクレオチド配列を有していた：
ハイブリッド形成プローブ（３６４６９．ｐ１）：
５’−ＴＣＧＧＧＧＡＧＣＡＧＧＣＣＴＴＧＡＡＣＣＧＧＧＧＣＡＴＴＧＣＴＧＣＴＧＴＣＡＡＧＧＡＧＧ−３’（配列番号：１０３）
【０１６０】
全長クローンの供給源について幾つかのライブラリをスクリーニングするために、ライブラリからのＤＮＡを上で同定したＰＣＲプライマー対でＰＣＲ増幅した。次いで、ポジティブライブラリを、プローブオリゴヌクレオチド及びＰＣＲプライマー対の一方を用いてＰＲＯ２７４遺伝子をコードするクローンを単離するのに使用した。ｃＤＮＡライブラリの構築のためのＲＮＡはヒト胎児肝臓組織（ＬＩＢ２２９）から単離した。
上記のように単離したクローンのＤＮＡ配列決定により、ＤＮＡ３９９８７−１１８４［Ｆｉｇ１５、配列番号：１５］の全長ＤＮＡ配列；及びＰＲＯ２７４の誘導タンパク質配列が得られた。
ＤＮＡ３９９８７−１１８４の全コード化配列がＦｉｇ１５（配列番号：１５）に含まれる。クローンＤＮＡ３９９８７−１１８４は単一のオープンリーディングフレームを含み、ヌクレオチド位置８３−８５に見かけの翻訳開始部位、そしてヌクレオチド位置１５５９−１５６１に見かけの停止コドンを持つ。予測されるポリペプチド前駆体は４９２アミノ酸長であり、約５４，２４１ダルトンの分子量及び約８．２１の見積もりｐＩを持つ。Ｆｉｇ１６（配列番号：１６）に示した全長ＰＲＯ３４４配列の分析により、種々の重要なポリペプチドドメインの存在が明らかになり、それらの重要なポリペプチドドメインに与えられた位置は上記のようにおよそのものである。Ｆｉｇ１６に示した全長ＰＲＯ３４４ポリペプチドの分析により以下の存在が明らかになった：約アミノ酸８６〜約アミノ酸１０５、約アミノ酸１６２〜アミノ酸１７８、約アミノ酸３２７〜約アミノ酸３４５、約アミノ酸３５９〜約アミノ酸３７４、及び約アミノ酸４３〜約アミノ酸４２３の膜貫通ドメイン；約アミノ酸３４７〜約アミノ酸３５１及び約アミノ酸４６１〜約アミノ酸４６５のＮ−グリコシル化部位；約アミノ酸３２５〜約アミノ酸３２９のｃＡＭＰ−及びｃＧＭＰ−依存性プロテインキナーゼリン酸化部位；約アミノ酸５３〜約アミノ酸５９、約アミノ酸９４〜約アミノ酸１００、約アミノ酸２２９〜約アミノ酸２３５、約アミノ酸２６７〜約アミノ酸２７３、約アミノ酸２６８〜約アミノ酸２７４、約アミノ酸３５８〜約アミノ酸３６４、約アミノ酸４２２〜約アミノ酸４２８、約アミノ酸４２５〜約アミノ酸４３１、及び約アミノ酸４３１〜約アミノ酸４３７のＮ−ミリストイル化部位。クローンＤＮＡ３９９８７−１１８４は１９９８年４月２１日にＡＴＣＣに寄託され、ＡＴＣＣ寄託番号２０９７８６が付与された。
Ｆｉｇ１６（配列番号：１６）に示したＰＲＯ２７４の全長アミノ酸配列の分析により、その一部がＦｎ５４タンパク質と有意な相同性を有していることが示唆された。より詳細には、Ｄａｙｈｏｆｆデータベース（バージョン３５．４５  ＳｗｉｓｓＰｒｏｔ  ３５）の分析により、ＰＲＯ２７４アミノ酸配列と以下に示すＤａｙｈｏｆｆ配列との間に配列相同性が見いだされた：ＭＭＦＮ５４Ｓ２＿１，  ＭＭＦＮ５４Ｓ１＿１，  ＣＥＬＦ４８Ｃ１＿８，  ＣＥＦ３８Ｂ７＿６，  ＰＲＰ３＿ＲＡＴ，  ＩＮＬ３＿ＰＩＧ，  ＭＴＣＹ０７Ａ７＿１３，  ＹＮＡＸ＿ＫＬＥＡＥ，  Ａ４７２３４，  及びＨＭＥ２＿ＭＯＵＳＥ。
【０１６１】
実施例１１
ヒトＰＲＯ３０４をコードするｃＤＮＡクローンの単離
実施例１に記載したように、ｐｈｒａｐを用いて他のＥＳＴ配列に対してコンセンサスＤＮＡ配列を構築した。このコンセンサス配列を、ここでＤＮＡ３５９５８と命名する。ＤＮＡ３５９５８コンセンサス配列に基づいて、１）ＰＣＲにより対象とする配列を含むｃＤＮＡライブラリを同定するため、及び２）ＰＲＯ３０４の全長コード化配列のクローンを単離するプローブとして使用するために、オリゴヌクレオチドを合成した。
ＰＣＲプライマー（正方向及び逆方向）の対を合成した：
正方向ＰＣＲプライマー１：
５’−ＧＣＧＧＡＡＧＧＧＣＡＧＡＡＴＧＧＧＡＣＴＣＣＡＡＧ−３’（配列番号：１０４）
正方向ＰＣＲプライマー２：
５’−ＣＡＧＣＣＣＴＧＣＣＡＣＡＴＧＴＧＣ−３’（配列番号：１０５）
正方向ＰＣＲプライマー３：
５’−ＴＡＣＴＧＧＧＴＧＧＴＣＡＧＣＡＡＣ−３’（配列番号：１０６）
逆方向ＰＣＲプライマー１：
５’−ＧＧＣＧＡＡＧＡＧＣＡＧＧＧＴＧＡＧＡＣＣＣＣＧ−３’（配列番号：１０７）
さらに、ＤＮＡ３５９５８コンセンサス配列から合成オリゴヌクレオチドハイブリッド形成プローブを作成し、それは以下のヌクレオチド配列を有していた：
ハイブリッド形成プローブ：
５’−ＧＣＣＣＴＣＡＴＣＣＴＣＴＣＴＧＧＣＡＡＡＴＧＣＡＧＴＴＡＣＡＧＣＣＣＧＧＡＧＣＣＣＧＡＣ−３’（配列番号：１０８）
【０１６２】
全長クローンの供給源について幾つかのライブラリをスクリーニングするために、ライブラリからのＤＮＡを上で同定したＰＣＲプライマー対でＰＣＲ増幅した。次いで、ポジティブライブラリを、プローブオリゴヌクレオチド及びＰＣＲプライマー対の一方を用いてＰＲＯ３０４遺伝子をコードするクローンを単離するのに使用した。ｃＤＮＡライブラリの構築のためのＲＮＡは２２週ヒト胎児脳組織（ＬＩＢ１５３）から単離した。
上記のように単離したクローンのＤＮＡ配列決定により、ＤＮＡ３９５２０−１２１７［Ｆｉｇ１７、配列番号：１７］の全長ＤＮＡ配列；及びＰＲＯ３０４の誘導タンパク質配列が得られた。
ＤＮＡ３９５２０−１２１７の全コード化配列がＦｉｇ１７（配列番号：１７）に含まれる。クローンＤＮＡ３９５２０−１２１７は単一のオープンリーディングフレームを含み、ヌクレオチド位置３４−３６に見かけの翻訳開始部位、そしてヌクレオチド位置１７０２−１７０４に見かけの停止コドンを持つ。予測されるポリペプチド前駆体は５５６アミノ酸長である。Ｆｉｇ１８（配列番号：１８）に示した全長ＰＲＯ３４４配列の分析により、種々の重要なポリペプチドドメインの存在が明らかになり、それらの重要なポリペプチドドメインに与えられた位置は上記のようにおよそのものである。Ｆｉｇ１８に示した全長ＰＲＯ３４４ポリペプチドの分析により以下の存在が明らかになった：約アミノ酸１〜約アミノ酸１６のシグナルペプチド；約アミノ酸２１０〜アミノ酸２１４、約アミノ酸２２２〜約アミノ酸２２６、約アミノ酸２８６〜約アミノ酸２９０、約アミノ酸３１３〜約アミノ酸３１７、約アミノ酸４４３〜約アミノ酸４４７のＮ−グリコシル化部位；約アミノ酸３６１〜約アミノ酸３６５、約アミノ酸４０８〜約アミノ酸４１２、及び約アミノ酸５３８〜約アミノ酸５４２のグリコサミノグリカン接着部位；約アミノ酸２〜約アミノ酸８、約アミノ酸１０７〜約アミノ酸１１３、約アミノ酸１９５〜約アミノ酸２０１、約アミノ酸１９９〜約アミノ酸２０５、約アミノ酸２１７〜約アミノ酸２２３、約アミノ酸２１９〜約アミノ酸２２５、約アミノ酸２４８〜約アミノ酸２５４、約アミノ酸２７０〜約アミノ酸２７６、約アミノ酸２８４〜約アミノ酸２９０、約アミノ酸４０９〜約アミノ酸４１５、約アミノ酸４１０〜約アミノ酸４１６、約アミノ酸４７３〜約アミノ酸４７９、約アミノ酸４８２〜約アミノ酸４８８、約アミノ酸５２１〜約アミノ酸５２７、約アミノ酸５３３〜約アミノ酸５３９、及び約アミノ酸５４９〜約アミノ酸５５５のＮ−ミリストイル化部位。クローンＤＮＡ３９５２０−１２１７は１９９７年１１月２１日にＡＴＣＣに寄託され、ＡＴＣＣ寄託番号２０９４８２が付与された。
【０１６３】
実施例１２
ヒトＰＲＯ３３９をコードするｃＤＮＡの単離
発現配列タグ（ＥＳＴ）ＤＮＡデータベース（ＬＩＦＥＳＥＱ（商品名）、Ｉｎｃｙｔｅ  Ｐｈａｒｍａｃｅｕｔｉｃａｌｓ、Ｐａｌｏ  Ａｌｔｏ，  ＣＡ）を検索し、ＥＳＴを同定した。Ｉｎｃｙｔｅクローン及びコンセンサス配列を、４つおの正方向プライマーから形成し、２つの逆方向プライマー及び他のプライマーを形成した。ヒト胎児肝臓ｃＤＮＡライブラリを、同定したＥＳＴに基づく合成オリゴヌクレオチドプローブでのハイブリダイゼーションによりスクリーニングした。ヒトＰＲＯ３３９をコードするｃＤＮＡクローン作成のために用いたｃＤＮＡライブラリは、Ｉｎｖｉｔｒｏｇｅｎ，  Ｓａｎ  Ｄｉｅｇｏ，  ＣＡからのもの等の市販試薬を用いて標準的な方法によって作成した。ｃＤＮＡは、ＮｏｔＩ部位を含むオリゴｄＴでプライムし、平滑末端でＳａｌＩヘミキナーゼアダプターに結合させ、ＮｏｔＩで切断し、ゲル電気泳動でおよそのサイズ分類し、そして適切なクローニングベクター（ｐＲＫＢ又はｐＲＫＤ等；ｐＲＫ５ＢはＳｆｉＩ部位を含まないｐＲＫ５Ｄの前駆体である；Ｈｏｌｍｅｓ等，  Ｓｃｉｅｎｃｅ，  ２５３：  １２７８−１２８０  （１９９１）参照）に、独特のＸｈｏＩ及びＮｏｔＩ部位において、所定の方向でクローニングした。
以下のオリゴヌクレオチドプローブを使用した：
正方向ＰＣＲプライマー１：
５’−ＧＧＧＡＴＧＣＡＧＧＴＧＧＴＧＴＣＴＣＡＴＧＧＧＧ−３’（配列番号：１０９）
正方向ＰＣＲプライマー２：
５’−ＣＣＣＴＣＡＴＧＴＡＣＣＧＧＣＴＣＣ−３’（配列番号：１１０）
正方向ＰＣＲプライマー３：
５’−ＧＴＧＴＧＡＣＡＣＡＧＣＧＴＧＧＧＣ−３’（配列番号：１１１）
正方向ＰＣＲプライマー４：
５’−ＧＡＣＣＧＧＣＡＧＧＣＴＴＣＴＧＣＧ−３’（配列番号：１１２）
逆方向ＰＣＲプライマー１：
５’−ＣＡＧＣＡＧＣＴＴＣＡＧＣＣＡＣＣＡＧＧＡＧＴＧＧ−３’（配列番号：１１３
逆方向ＰＣＲプライマー２：
５’−ＣＴＧＡＧＣＣＧＴＧＧＧＣＴＧＣＡＧＴＣＴＣＧＣ−３’（配列番号：１１４）
プライマー：
５’−ＣＣＧＡＣＴＡＣＧＡＣＴＧＧＴＴＣＴＴＣＡＴＣＡＴＧＣＡＧＧＡＴＧＡＣＡＣＡＴＡＴＧＴＧＣ−３’（配列番号：１１５）
【０１６４】
全長クローンＤＮＡ４３４６６−１２２５［Ｆｉｇ１９、配列番号：１９］を同定し、全体を配列決定したところ、単一のオープンリーディングフレームを含み、ヌクレオチド位置３３３−３３５に見かけの翻訳開始部位、そしてヌクレオチド位置２６４９−２６５１に見かけの停止コドンを持つ。予測されるポリペプチド前駆体は７７２アミノ酸長であり、約８６，２２６ダルトンの算定分子量を持つ。Ｆｉｇ２０（配列番号：２０）に示した全長ＰＲＯ３３９配列の分析により、種々の重要なポリペプチドドメインの存在が明らかになり、それらの重要なポリペプチドドメインに与えられた位置は上記のようにおよそのものである。Ｆｉｇ２０に示した全長ＰＲＯ３３９ポリペプチドの分析により以下の存在が明らかになった：約アミノ酸１〜約アミノ酸１５のシグナルペプチド；約アミノ酸４８９〜約アミノ酸５１０の膜貫通ドメイン；約アミノ酸１２１〜約アミノ酸１２５及び約アミノ酸３４２〜約アミノ酸３４６のＮ−グリコシル化部位；約アミノ酸３１９〜約アミノ酸３２３及び約アミノ酸４６４〜約アミノ酸４６８のｃＡＭＰ−及びｃＧＭＰ−依存性プロテインキナーゼリン酸化部位；約アミノ酸７３６〜約アミノ酸７４３のチロシンキナーゼリン酸化部位；約アミノ酸１９〜約アミノ酸２５、約アミノ酸２３〜約アミノ酸２９、約アミノ酸１３６〜約アミノ酸１４２、約アミノ酸３９７〜約アミノ酸４０３、約アミノ酸４４１〜約アミノ酸４４７、約アミノ酸５４４〜約アミノ酸５５０、約アミノ酸５５８〜約アミノ酸５６４、約アミノ酸６５１〜約アミノ酸６５７、約アミノ酸６５７〜約アミノ酸６６３、及び約アミノ酸６７２〜約アミノ酸６７８のＮ−ミリストイル化部位；約アミノ酸１４〜約アミノ酸２５の原核生物膜リポタンパク脂質結合部位；約アミノ酸２４７〜約アミノ酸２５０の細胞接着配列。クローンＤＮＡ４３４６６−１２２５は１９９７年１１月２１日にＡＴＣＣに寄託され、ＡＴＣＣ寄託番号２０９４９０が付与された。
Ｆｉｇ２０（配列番号：２０）に示した全長配列のＢＬＡＳＴ及びＦａｓｔＡ配列アラインメント分析に基づくと、ＰＲＯ３３９は線虫タンパク質及びコラーゲン様ポリマー配列並びにフリンジと配列同一性を示し、よってＰＲＯ３３９は発育及び組織成長に含まれることが示された。
【０１６５】
実施例１３
ヒトＰＲＯ１５５８をコードするｃＤＮＡクローンの単離
ＤＮＡ７１２８２−１６６８は、上記実施例２に示されている独自のシグナル配列発見アルゴリズムを適用する事により同定された。上記シグナル配列アルゴリズムを利用することで、ＬＩＦＥＳＥＱデータベース（登録商標），  Ｉｎｃｙｔｅ  Ｐｈａｒｍａｃｅｕｔｉｃａｌｓ，  Ｐａｌｏ  Ａｌｔｏ，  ＣＡ，からのＩｎｃｙｔｅ  ＥＳＴクラスター番号８６３９０で表されるＥＳＴクラスター配列の同定を可能ならしめた。その後、存在する相同性を同定するために、このＥＳＴクラスター配列を公的（例えば、ＧｅｎＢａｎｋ）及び／又は私的（ＬＩＦＥＳＥＱ（登録商標），  Ｉｎｃｙｔｅ  Ｐｈａｒｍａｃｅｕｔｉｃａｌｓ，  Ｉｎｃ．，  Ｐａｌｏ  Ａｌｔｏ，  ＣＡ）データベースを含む様々な発現配列タグ（ＥＳＴ）データベースと比較した。相同性検索は、コンピュータプログラムＢＬＡＳＴ又はＢＬＡＳＴ２（Ａｌｔｓｃｈｕｌ等，  Ｍｅｔｈｏｄｓ  ｉｎ  Ｅｎｚｙｍｏｌｏｇｙ  ２６６：  ４６０−４８０  （１９９６））を用いて実施した。既知のタンパク質をコードせず、ＢＬＡＳＴスコア７０（９０の場合もある）又はそれ以上を持つ比較物は、プログラム「ｐｈｒａｐ」（Ｐｈｉｌ  Ｇｒｅｅｎ，  Ｕｎｉｖｅｒｓｉｔｙ  ｏｆ  Ｗａｓｈｉｎｇｔｏｎ，  Ｓｅａｔｔｌｅ，  Ｗａｓｈｉｎｇｔｏｎ）で集団化してコンセンサスＤＮＡ配列を構築した。そこから得られたコンセンサス配列を、ここでＤＮＡ５８８４２と命名する。
ＤＮＡ５８８４２配列とＩｎｃｙｔｅＥＳＴ番号３７４６９６４との間の配列相同性に鑑みて、ＩｎｃｙｔｅＥＳＴ番号３７４６９７４を購入し、ｃＤＮＡ挿入物を得て配列決定した。このｃＤＮＡ挿入物の配列をＦｉｇ２１（配列番号：２１）に示し、ここでＤＮＡ７１２８２−１６６８と命名する。
【０１６６】
ＤＮＡ７１２８２−１６６８の全コード配列はＦｉｇ２１（配列番号：２１）に含まれている。クローンＤＮＡ７１２８２−１６６８は単一のオープンリーディングフレームを含み、ヌクレオチド位置８４−８６に見かけの翻訳開始部位を持ち、そしてヌクレオチド位置８７０−８７２の停止コドンで終端する（Ｆｉｇ２１）。予測されるポリペプチド前駆体は２６２アミノ酸長である（Ｆｉｇ２２；配列番号：２２）。Ｆｉｇ２２に示す全長ＰＲＯ１５５８タンパク質は、約２８，８０９の見積もり分子量及び約８．８０のｐＩを有する。Ｆｉｇ２２（配列番号：２２）に示した全長ＰＲＯ１５５８配列の分析により、種々の重要なポリペプチドドメインの存在が明らかになり、それらの重要なポリペプチドドメインに与えられた位置は上記のようにおよそのものである。Ｆｉｇ２２に示した全長ＰＲＯ１５５８配列の分析により、以下の存在が明らかになった：約アミノ酸１〜約アミノ酸２５のシグナルペプチド；約アミノ酸８〜約アミノ酸３０及び約アミノ酸１０９〜約アミノ酸１３０の膜貫通ドメイン；約アミノ酸１９０〜約アミノ酸１９４のＮ−グリコシル化部位；約アミノ酸２３８〜約アミノ酸２４７のチロシンキナーゼリン酸化部位；約アミノ酸２２〜約アミノ酸２８、約アミノ酸２８〜約アミノ酸３４、約アミノ酸１１０〜約アミノ酸１１６、約アミノ酸２０５〜約アミノ酸２１１、及び約アミノ酸２５５〜約アミノ酸２６１のＮ−ミリストイル化部位；約アミノ酸３１〜約アミノ酸３５及び約アミノ酸３９〜約アミノ酸４３のアミド化部位。クローンＤＮＡ７１２８２−１６６８は１９９８年１０月６日にＡＴＣＣに寄託され、ＡＴＣＣ寄託番号２０３３１２が付与された。
Ｆｉｇ２２（配列番号：２２）に示した全長配列のＷＵ−ＢＬＡＳＴ−２配列アラインメント分析を用いたＤａｙｈｏｆｆデータベース（バージョン３５．４５  ＳｗｉｓｓＰｒｏｔ  ３５）の分析により、ＰＲＯ１５５８アミノ酸配列と以下に示すＤａｙｈｏｆｆ配列との間に配列相同性が見いだされた：ＡＦ７５７２４＿２，  ＭＸＵ２４６５７＿３，  ＣＡＭＴ＿ＥＵＣＧＵ，  ＭＳＵ２０７３６＿１，  Ｐ＿Ｒ２９５１５，  Ｂ７０４３１，  ＪＣ４００４，  ＣＥＹ３２Ｂ１２Ａ＿３，  ＣＥＬＦ５３Ｂ３＿２，  及びＰ＿Ｒ１３５４３。
【０１６７】
実施例１４
ヒトＰＲＯ７７９をコードするｃＤＮＡの単離
ヒト胎児心臓及びヒト胎児肺ｌｇｔ１０バクテリオファージｃＤＮＡライブラリ（共にＣｌｏｎｔｅｃｈから購入）を、ヒトＴＮＦＲ１及びＣＤ９５の細胞内ドメイン（ＩＣＤ）と或る程度の相同性を示したＥＳＴ（ＧｅｎＢａｎｋ位置Ｗ７１９８４）に基づく合成オリゴヌクレオチドプローブでのハイブリダイゼーションによりスクリーニングした。Ｗ７１９８４は５２３ｂｐのＥＳＴであり、その−１読み枠は、ヒトＴＮＦＲ１のＩＣＤにおける４３アミノ酸長配列と２７の同一性を有する。スクリーニングに使用したオリゴヌクレオチドプローブは、各々２７及び２５ｂｐ長であり、以下の配列を持つ：
５’−ＧＧＣＧＣＴＣＴＧＧＴＧＧＣＣＣＴＴＧＣＡＧＡＡＧＣＣ−３’（配列番号：１１６）
５’−ＴＴＣＧＧＣＣＧＡＧＡＡＧＴＴＧＡＧＡＡＡＴＧＴＣ−３’（配列番号：１１７）
【０１６８】
ハイブリダイゼーションは、２つのプローブの１：１混合物で終夜室温において、２０％ホルムアミド、５ＸＳＳＣ、１０％デキストラン硫酸、０．１％ＮａＰｉＰＯ４、０．０５ＭＮａＰＯ４、０．０５ｍｇサケ精子ＤＮＡ、及び０．１％ドデシル硫酸ナトリウム（ＳＤＳ）を含有するバッファー中で実施し、次いで室温において６ＸＳＳＣで一回、３７℃において１ＸＳＳＣ／０．１％ＳＤＳで２回、３７℃において０．５ＸＳＳＣ／０．１％ＳＤＳで２回、及び３７℃において０．２ＸＳＳＣ／０．１％ＳＤＳで２回洗浄した。胎児心臓（ＦＨ２０Ａ．５７）及び胎児肺（ＦＬ８Ａ．５３）ライブラリ各々からのポジティブクローン１つずつを上記の対応するプローブをプライマーとして使用したＰＣＲにより特異性を確認した。各ポジティブクローンを含む単一のファージプラークを限外濾過により単離し、ＤＮＡをＷｉｚａｒｄ  ｌａｍｂｄａ  ｐｒｅｐ  ＤＮＡ精製キット（Ｐｒｏｍｅｇａ）を用いて精製した。
ラムダベクターアームからＥｃｏＲＩでの消化によりｃＤＮＡを切断し、ゲル精製し、予めＥｃｏＲＩで消化したｐＲＫ５にサブクローニングした。次いでクローン全体を配列決定した。
【０１６９】
クローン（Ｆ２０Ａ．５７）ＤＮＡ５８８０１−１０５２（下記のように、ＡＴＣＣ５５８２０として寄託されたＡｐｏ３クローンＦＨ２０．５７とも呼ばれる）は単一のオープンリーディングフレームを含み、ヌクレオチド位置１０３−１０５に見かけの翻訳開始部位を持ち、そしてヌクレオチド位置１３５４−１３５６の停止コドンで終端する［Ｆｉｇ２３；配列番号：２３］。予測されるポリペプチド前駆体は４１７アミノ酸長である［Ｆｉｇ２４；配列番号：２４］。Ｆｉｇ２４に示す全長ＰＲＯ７７９タンパク質は、約４５，０００の見積もり分子量及び約６．４０のｐＩを有する。Ｆｉｇ２４（配列番号：２４）に示した全長ＰＲＯ７７９配列の分析により、種々の重要なポリペプチドドメインの存在が明らかになり、それらの重要なポリペプチドドメインに与えられた位置は上記のようにおよそのものである。Ｆｉｇ２４に示した全長ＰＲＯ７７９配列の分析により、以下の存在が明らかになった：約アミノ酸１〜約アミノ酸２４のシグナルペプチド；約アミノ酸１９９〜約アミノ酸２１９の膜貫通ドメイン；約アミノ酸６７〜約アミノ酸７１、及び約アミノ酸１０６〜約アミノ酸１１０のＮ−グリコシル化部位；約アミノ酸１５７〜約アミノ酸１６１のｃＡＭＰ−及びｃＧＭＰ−依存性プロテインキナーゼリン酸化部位；約アミノ酸４４〜約アミノ酸５０、約アミノ酸５０〜約アミノ酸５６、約アミノ酸６６〜約アミノ酸７２、約アミノ酸１１６〜約アミノ酸１２２、約アミノ酸２１７〜約アミノ酸２２３、約アミノ酸３５５〜約アミノ酸３６１、約アミノ酸３９１〜約アミノ酸３９７、及び約アミノ酸４０１〜約アミノ酸４０７のＮ−ミリストイル化部位；及び約アミノ酸１７７〜約アミノ酸１８８の原核生物膜リポタンパク脂質結合部位。クローンＤＮＡ５８８０１−１０５２は１９９６年９月５日にＡＴＣＣに寄託され、ＡＴＣＣ寄託番号５５８２０が付与された。
ＥＣＤは４つのシステインリッチな反復を含み、それはヒトＴＮＦＲ１（４つの反復）ヒトＤＣ９５（３つの反復）及び他の周知のＴＮＦＲファミリーメンバーの対応する領域に類似している。ＩＣＤは死亡ドメイン配列を含み、それはＴＮＦＲ１及びＣＤ９５に見られる死亡ドメイン及びヒトＦＡＤＤ／ＭＯＲＴ１、ＴＲＡＤＤ、ＲＩＰ、及びショウジョウバエリーパー等の細胞質死亡シグナル伝達タンパク質に類似している。全体及び個々の領域の両方で、ＰＲＯ７７９（Ａｐｏ３）はＣＤ９５よりＴＮＦＲ１に密接に関連しており；各アミノ酸同一性は、全体で２９．３％及び２２，８％、ＥＣＤにおいて２８．２％及び２４．７％、ＩＣＤにおいて３１．６％及び１８．３％、及び死亡ドメインにおいて４７．５％及び２０％である。
【０１７０】
実施例１５
ヒトＰＲＯ１１８５をコードするｃＤＮＡクローンの単離
ＤＮＡ６２８８１−１５１５は、上記実施例２に示されている独自のシグナル配列発見アルゴリズムを適用する事により同定された。上記シグナル配列アルゴリズムを利用することで、ＬＩＦＥＳＥＱデータベース（登録商標），  Ｉｎｃｙｔｅ  Ｐｈａｒｍａｃｅｕｔｉｃａｌｓ，  Ｐａｌｏ  Ａｌｔｏ，  ＣＡ，からのＩｎｃｙｔｅ  ＥＳＴクラスター番号８６３９０で表されるＥＳＴクラスター配列の同定を可能ならしめた。その後、存在する相同性を同定するために、このＥＳＴクラスター配列を公的（例えば、ＧｅｎＢａｎｋ）及び／又は私的（ＬＩＦＥＳＥＱ（登録商標），  Ｉｎｃｙｔｅ  Ｐｈａｒｍａｃｅｕｔｉｃａｌｓ，  Ｉｎｃ．，  Ｐａｌｏ  Ａｌｔｏ，  ＣＡ）データベースを含む様々な発現配列タグ（ＥＳＴ）データベースと比較した。相同性検索は、コンピュータプログラムＢＬＡＳＴ又はＢＬＡＳＴ２（Ａｌｔｓｃｈｕｌ等，  Ｍｅｔｈｏｄｓ  ｉｎ  Ｅｎｚｙｍｏｌｏｇｙ  ２６６：  ４６０−４８０  （１９９６））を用いて実施した。既知のタンパク質をコードせず、ＢＬＡＳＴスコア７０（９０の場合もある）又はそれ以上を持つ比較物は、プログラム「ｐｈｒａｐ」（Ｐｈｉｌ  Ｇｒｅｅｎ，  Ｕｎｉｖｅｒｓｉｔｙ  ｏｆ  Ｗａｓｈｉｎｇｔｏｎ，  Ｓｅａｔｔｌｅ，  Ｗａｓｈｉｎｇｔｏｎ）で集団化してコンセンサスＤＮＡ配列を構築した。そこから得られたコンセンサス配列を、ここでＤＮＡ５６４２６と命名する。
ＤＮＡ５６４２６配列とＩｎｃｙｔｅＥＳＴ番号３２８４４１１との間の配列相同性に鑑みて、このＩｎｃｙｔｅＥＳＴ番号３２８４４１１を含むクローンを（大動脈組織からのＲＮＡで構成されたライブラリから）購入し、ｃＤＮＡ挿入物を得て配列決定した。このｃＤＮＡ挿入物の配列をＦｉｇ２５（配列番号：２５）に示し、ここでＤＮＡ６２８８１−１５１５と命名する。
【０１７１】
ＤＮＡ６２８８１−１５１５の全コード配列はＦｉｇ２５（配列番号：２５）に含まれている。クローンＤＮＡ６２８８１−１５１５は単一のオープンリーディングフレームを含み、ヌクレオチド位置４−６に見かけの翻訳開始部位を持ち、そしてヌクレオチド位置５９８−６００の停止コドンで終端する（Ｆｉｇ２５）。予測されるポリペプチド前駆体は１９８アミノ酸長である（Ｆｉｇ２６；配列番号：２６）。Ｆｉｇ２６に示す全長ＰＲＯ１１８５タンパク質は、約２２，１０５の見積もり分子量及び約７．７３のｐＩを有する。Ｆｉｇ２６（配列番号：２６）に示した全長ＰＲＯ１１８５配列の分析により、種々の重要なポリペプチドドメインの存在が明らかになり、それらの重要なポリペプチドドメインに与えられた位置は上記のようにおよそのものである。Ｆｉｇ２６に示した全長ＰＲＯ１１８５配列の分析により、以下の存在が明らかになった：約アミノ酸１〜約アミノ酸２１のシグナルペプチド；約アミノ酸４６〜約アミノ酸５２、約アミノ酸５１〜約アミノ酸５７、及び約アミノ酸７８〜約アミノ酸８４のＮ−ミリストイル化部位。クローンＤＮＡ６２８８１−１５１５は１９９８年８月４日にＡＴＣＣに寄託され、ＡＴＣＣ寄託番号２０３０９６が付与された。
Ｆｉｇ２６（配列番号：２６）に示した全長配列のＷＵ−ＢＬＡＳＴ−２配列アラインメント分析を用いたＤａｙｈｏｆｆデータベース（バージョン３５．４５  ＳｗｉｓｓＰｒｏｔ  ３５）の分析により、ＰＲＯ１１８５アミノ酸配列と以下に示すＤａｙｈｏｆｆ配列との間に配列相同性が見いだされた：ＴＵＰ１＿ＹＥＡＳＴ，  ＡＦ４１３８２＿１，  ＭＡＯＭ＿ＳＰＬＴＵ，  ＳＰＰＢＰＨＵ９＿１，  ＥＰＣＰＬＣＦＡＩＬ＿１，  ＨＳＰＬＥＣ＿１，  ＹＫＬ４＿ＣＡＥＥＬ，  Ａ４４６４３，  及びＴＧＵ６５９２２＿１。
【０１７２】
実施例１６
ヒトＰＲＯ１２４５をコードするｃＤＮＡクローンの単離
ＤＮＡ６４８８４−１５２７は、上記実施例２に示されている独自のシグナル配列発見アルゴリズムを適用する事により同定された。上記シグナル配列アルゴリズムを利用することで、ＬＩＦＥＳＥＱデータベース（登録商標），  Ｉｎｃｙｔｅ  Ｐｈａｒｍａｃｅｕｔｉｃａｌｓ，  Ｐａｌｏ  Ａｌｔｏ，  ＣＡ，からのＩｎｃｙｔｅ  ＥＳＴクラスター番号８６３９０で表されるＥＳＴクラスター配列の同定を可能ならしめた。その後、存在する相同性を同定するために、このＥＳＴクラスター配列を公的（例えば、ＧｅｎＢａｎｋ）及び／又は私的（ＬＩＦＥＳＥＱ（登録商標），  Ｉｎｃｙｔｅ  Ｐｈａｒｍａｃｅｕｔｉｃａｌｓ，  Ｉｎｃ．，  Ｐａｌｏ  Ａｌｔｏ，  ＣＡ）データベースを含む様々な発現配列タグ（ＥＳＴ）データベースと比較した。相同性検索は、コンピュータプログラムＢＬＡＳＴ又はＢＬＡＳＴ２（Ａｌｔｓｃｈｕｌ等，  Ｍｅｔｈｏｄｓ  ｉｎ  Ｅｎｚｙｍｏｌｏｇｙ  ２６６：  ４６０−４８０  （１９９６））を用いて実施した。既知のタンパク質をコードせず、ＢＬＡＳＴスコア７０（９０の場合もある）又はそれ以上を持つ比較物は、プログラム「ｐｈｒａｐ」（Ｐｈｉｌ  Ｇｒｅｅｎ，  Ｕｎｉｖｅｒｓｉｔｙ  ｏｆ  Ｗａｓｈｉｎｇｔｏｎ，  Ｓｅａｔｔｌｅ，  Ｗａｓｈｉｎｇｔｏｎ）で集団化してコンセンサスＤＮＡ配列を構築した。構築に使用したＥＳＴの１つ又は複数は耳下腺癌を持つヒトの耳下（唾液）腺から作成したライブラリから誘導した。そこから得られたコンセンサス配列を、ここでＤＮＡ５６０１９と命名する。
ＤＮＡ５６０１９配列とＩｎｃｙｔｅＥＳＴ番号１３２７８３６との間の配列相同性に鑑みて、ＩｎｃｙｔｅＥＳＴ番号１３２７８３６を購入し、ｃＤＮＡ挿入物を得て配列決定した。このｃＤＮＡ挿入物の配列をＦｉｇ２７（配列番号：２７）に示し、ここでＤＮＡ６４８８４−１５２７と命名する。
【０１７３】
ＤＮＡ６４８８４−１５２７の全コード配列はＦｉｇ２７（配列番号：２７）に含まれている。クローンＤＮＡ６４８８４−１５２７は単一のオープンリーディングフレームを含み、ヌクレオチド位置７９−８１に見かけの翻訳開始部位を持ち、そしてヌクレオチド位置３９１−３９３の停止コドンで終端する（Ｆｉｇ２７）。予測されるポリペプチド前駆体は１０４アミノ酸長である（Ｆｉｇ２８；配列番号：２８）。Ｆｉｇ２８に示す全長ＰＲＯ１２４５タンパク質は、約１０，１００の見積もり分子量及び約８．７６のｐＩを有する。Ｆｉｇ２８（配列番号：２８）に示した全長ＰＲＯ１２４５配列の分析により、種々の重要なポリペプチドドメインの存在が明らかになり、それらの重要なポリペプチドドメインに与えられた位置は上記のようにおよそのものである。Ｆｉｇ２８に示した全長ＰＲＯ１２４５配列の分析により、以下の存在が明らかになった：約アミノ酸１〜約アミノ酸１８のシグナルペプチド；約アミノ酸８〜約アミノ酸１４、約アミノ酸６５〜約アミノ酸７１、約アミノ酸７４〜約アミノ酸８０、及び約アミノ酸８８〜約アミノ酸９４のＮ−ミリストイル化部位；約アミノ酸５〜約アミノ酸１６の原核生物膜リポタンパク脂質結合部位。クローンＤＮＡ６４８８４−１５２７は１９９８年８月２５日にＡＴＣＣに寄託され、ＡＴＣＣ寄託番号２０３１５５が付与された。
Ｆｉｇ２８（配列番号：２８）に示した全長配列のＷＵ−ＢＬＡＳＴ−２配列アラインメント分析を用いたＤａｙｈｏｆｆデータベース（バージョン３５．４５  ＳｗｉｓｓＰｒｏｔ  ３５）の分析により、ＰＲＯ１２４５アミノ酸配列と以下に示すＤａｙｈｏｆｆ配列との間に配列相同性が見いだされた：ＳＹＡ＿ＴＨＥＴＨ，  ＧＥＮ１１１６７，  ＭＴＶ０４４＿４，  ＡＢ０１１１５１＿１，  ＲＬＡＪ２７５０＿３，  ＳＮＥＬＩＰＴＲＡ＿１，  Ｓ６３６２４，  Ｃ２８３９１，  Ａ３７９０７，  及びＳ１４０６４。
【０１７４】
実施例１７
ヒトＰＲＯ１７５９をコードするｃＤＮＡクローンの単離
ＤＮＡ７６５３１−１７０１は、上記実施例２に示されている独自のシグナル配列発見アルゴリズムを適用する事により同定された。上記シグナル配列アルゴリズムを利用することで、ＬＩＦＥＳＥＱデータベース（登録商標），  Ｉｎｃｙｔｅ  Ｐｈａｒｍａｃｅｕｔｉｃａｌｓ，  Ｐａｌｏ  Ａｌｔｏ，  ＣＡ，からのＩｎｃｙｔｅ  ＥＳＴクラスター番号８６３９０で表されるＥＳＴクラスター配列の同定を可能ならしめた。その後、存在する相同性を同定するために、このＥＳＴクラスター配列を公的（例えば、ＧｅｎＢａｎｋ）及び／又は私的（ＬＩＦＥＳＥＱ（登録商標），  Ｉｎｃｙｔｅ  Ｐｈａｒｍａｃｅｕｔｉｃａｌｓ，  Ｉｎｃ．，  Ｐａｌｏ  Ａｌｔｏ，  ＣＡ）データベースを含む様々な発現配列タグ（ＥＳＴ）データベースと比較した。相同性検索は、コンピュータプログラムＢＬＡＳＴ又はＢＬＡＳＴ２（Ａｌｔｓｃｈｕｌ等，  Ｍｅｔｈｏｄｓ  ｉｎ  Ｅｎｚｙｍｏｌｏｇｙ  ２６６：  ４６０−４８０  （１９９６））を用いて実施した。既知のタンパク質をコードせず、ＢＬＡＳＴスコア７０（９０の場合もある）又はそれ以上を持つ比較物は、プログラム「ｐｈｒａｐ」（Ｐｈｉｌ  Ｇｒｅｅｎ，  Ｕｎｉｖｅｒｓｉｔｙ  ｏｆ  Ｗａｓｈｉｎｇｔｏｎ，  Ｓｅａｔｔｌｅ，  Ｗａｓｈｉｎｇｔｏｎ）で集団化してコンセンサスＤＮＡ配列を構築した。構築に使用したＥＳＴの１つ又は複数は、アレルギー性喘息患者のプールした好酸球から誘導した。そこから得られたコンセンサス配列を、ここでＤＮＡ５７３１３と命名する。
ＤＮＡ５７３１３配列とＩｎｃｙｔｅＥＳＴ番号２４３４２５５との間の配列相同性に鑑みて、ＩｎｃｙｔｅＥＳＴ番号２４３４２５５を購入し、ｃＤＮＡ挿入物を得て配列決定した。このｃＤＮＡ挿入物の配列をＦｉｇ２９（配列番号：２９）に示し、ここでＤＮＡ７６５３１−１７０１と命名する。
【０１７５】
ＤＮＡ７６５３１−１７０１の全コード配列はＦｉｇ２９（配列番号：２９）に含まれている。クローンＤＮＡ７６５３１−１７０１は単一のオープンリーディングフレームを含み、ヌクレオチド位置１２５−１２７に見かけの翻訳開始部位を持ち、そしてヌクレオチド位置１４７５−１４７７の停止コドンで終端する（Ｆｉｇ２９）。予測されるポリペプチド前駆体は４５０アミノ酸長である（Ｆｉｇ３０；配列番号：３０）。Ｆｉｇ３０に示す全長ＰＲＯ１７５９タンパク質は、約４９，７６５の見積もり分子量及び約８．１４のｐＩを有する。Ｆｉｇ３０（配列番号：３０）に示した全長ＰＲＯ１７５９配列の分析により、種々の重要なポリペプチドドメインの存在が明らかになり、それらの重要なポリペプチドドメインに与えられた位置は上記のようにおよそのものである。Ｆｉｇ３０に示した全長ＰＲＯ１７５９配列の分析により、以下の存在が明らかになった：約アミノ酸１〜約アミノ酸１８のシグナルペプチド；約アミノ酸４１〜約アミノ酸５５、約アミノ酸７５〜約アミノ酸９４、約アミノ酸１２７〜約アミノ酸１４３、約アミノ酸１９１〜約アミノ酸２１３、約アミノ酸２４９〜約アミノ酸２７０、約アミノ酸２７８〜約アミノ酸２９９、約アミノ酸３１４〜約アミノ酸３３０、約アミノ酸３４３〜約アミノ酸３５９、約アミノ酸３７９〜約アミノ酸３９４、及び約アミノ酸４１０〜約アミノ酸４３０の膜貫通ドメイン；約アミノ酸１０４〜約アミノ酸１０８のｃＡＭＰ−及びｃＡＭＰ−依存性プロテインキナーゼリン酸化部位；約アミノ酸１１〜約アミノ酸１７、約アミノ酸１８〜約アミノ酸２４、約アミノ酸８４〜約アミノ酸９０、約アミノ酸９２〜約アミノ酸９８、約アミノ酸１３７〜約アミノ酸１４３、約アミノ酸１３８〜約アミノ酸１４４、約アミノ酸２３８〜約アミノ酸２４４、約アミノ酸２５３〜約アミノ酸２５９、約アミノ酸２７８〜約アミノ酸２８４、及び約アミノ酸２８２〜約アミノ酸２８８のＮ−ミリストイル化部位；約アミノ酸１０２〜約アミノ酸１０６のアミド化部位；約アミノ酸６〜約アミノ酸１７の原核生物膜リポタンパク脂質結合部位。クローンＤＮＡ７６５３１−１７０１は１９９８年１１月１７日にＡＴＣＣに寄託され、ＡＴＣＣ寄託番号２０３４６５が付与された。
Ｆｉｇ３０（配列番号：３０）に示した全長配列のＷＵ−ＢＬＡＳＴ−２配列アラインメント分析を用いたＤａｙｈｏｆｆデータベース（バージョン３５．４５  ＳｗｉｓｓＰｒｏｔ  ３５）の分析により、ＰＲＯ１７５９アミノ酸配列と以下に示すＤａｙｈｏｆｆ配列との間に配列相同性が見いだされた：ＯＰＤＥ＿ＰＳＥＡＥ，  ＴＨ１１＿ＴＲＹＢＢ，  Ｓ６７６８４，  ＲＧＴ２＿ＹＥＡＳＴ，  Ｓ６８３６２，  ＡＴＳＵＧＴＲＰＲ＿１，  Ｐ＿Ｗ１７８３６（特許出願ＷＯ９７１５６６８−Ａ２），  Ｆ６９５８７，  Ａ４８０７６，  及びＡ４５６１１。
【０１７６】
実施例１８
ヒトＰＲＯ５７７５をコードするｃＤＮＡクローンの単離
ＤＮＡ９６８６９−２６７３は、上記実施例２に示されている独自のシグナル配列発見アルゴリズムを適用する事により同定された。上記シグナル配列アルゴリズムを利用することで、ＬＩＦＥＳＥＱデータベース（登録商標），  Ｉｎｃｙｔｅ  Ｐｈａｒｍａｃｅｕｔｉｃａｌｓ，  Ｐａｌｏ  Ａｌｔｏ，  ＣＡ，からのＩｎｃｙｔｅ  ＥＳＴクラスター番号８６３９０で表されるＥＳＴクラスター配列の同定を可能ならしめた。その後、存在する相同性を同定するために、このＥＳＴクラスター配列を公的（例えば、ＧｅｎＢａｎｋ）及び／又は私的（ＬＩＦＥＳＥＱ（登録商標），  Ｉｎｃｙｔｅ  Ｐｈａｒｍａｃｅｕｔｉｃａｌｓ，  Ｉｎｃ．，  Ｐａｌｏ  Ａｌｔｏ，  ＣＡ）データベースを含む様々な発現配列タグ（ＥＳＴ）データベースと比較した。相同性検索は、コンピュータプログラムＢＬＡＳＴ又はＢＬＡＳＴ２（Ａｌｔｓｃｈｕｌ等，  Ｍｅｔｈｏｄｓ  ｉｎ  Ｅｎｚｙｍｏｌｏｇｙ  ２６６：  ４６０−４８０  （１９９６））を用いて実施した。既知のタンパク質をコードせず、ＢＬＡＳＴスコア７０（９０の場合もある）又はそれ以上を持つ比較物は、プログラム「ｐｈｒａｐ」（Ｐｈｉｌ  Ｇｒｅｅｎ，  Ｕｎｉｖｅｒｓｉｔｙ  ｏｆ  Ｗａｓｈｉｎｇｔｏｎ，  Ｓｅａｔｔｌｅ，  Ｗａｓｈｉｎｇｔｏｎ）で集団化してコンセンサスＤＮＡ配列を構築した。そこから得られたコンセンサス配列を、ここでＤＮＡ７９８６０と命名する。
ＤＮＡ７９８６０配列とＬＩＦＥＳＥＱ（登録商標），  Ｉｎｃｙｔｅ  Ｐｈａｒｍａｃｅｕｔｉｃａｌｓ，  Ｉｎｃ．，  Ｐａｌｏ  Ａｌｔｏ，  ＣＡデータベースからのクローン番号１６４７２６Ｈ１に含まれるＩｎｃｙｔｅＥＳＴ配列との間の配列相同性に鑑みて、クローン番号１６４７２６Ｈ１を購入し、ｃＤＮＡ挿入物を得て配列決定した。このｃＤＮＡ挿入物の配列をＦｉｇ３１（配列番号：３１）に示し、ここでＤＮＡ９６８６９−２６７３と命名する。
【０１７７】
ＤＮＡ９６８６９−２６７３の全コード配列はＦｉｇ３１（配列番号：３１）に含まれている。クローンＤＮＡ９６８６９−２６７３は単一のオープンリーディングフレームを含み、ヌクレオチド位置１９３−１９５に見かけの翻訳開始部位を持ち、そしてヌクレオチド位置１６６０−１６６２の停止コドンで終端する（Ｆｉｇ３１）。予測されるポリペプチド前駆体は４８９アミノ酸長である（Ｆｉｇ３２；配列番号：３２）。Ｆｉｇ３２に示す全長ＰＲＯ５７７５タンパク質は、約５３，７４５の見積もり分子量及び約８．３６のｐＩを有する。Ｆｉｇ３２（配列番号：３２）に示した全長ＰＲＯ５７７５配列の分析により、種々の重要なポリペプチドドメインの存在が明らかになり、それらの重要なポリペプチドドメインに与えられた位置は上記のようにおよそのものである。Ｆｉｇ３２に示した全長ＰＲＯ５７７５配列の分析により、以下の存在が明らかになった：約アミノ酸１〜約アミノ酸２９のシグナルペプチド；約アミノ酸３８１〜約アミノ酸３９９の膜貫通ドメイン；約アミノ酸１３３〜約アミノ酸１３７、約アミノ酸１５４〜約アミノ酸１５８、約アミノ酸２３２〜約アミノ酸２３６、約アミノ酸２６４〜約アミノ酸２６８、約アミノ酸３８６〜約アミノ酸３９０、約アミノ酸４００〜約アミノ酸４０４、約アミノ酸４１０〜約アミノ酸４１４、及び約アミノ酸４２７〜約アミノ酸４３１のＮ−グリコシル化部位；約アミノ酸５８〜約アミノ酸６４、約アミノ酸９４〜約アミノ酸１００、約アミノ酸１３１〜約アミノ酸１３７、約アミノ酸１９４〜約アミノ酸２００、約アミノ酸２５１〜約アミノ酸２５７、約アミノ酸２７７〜約アミノ酸２８３、約アミノ酸２８１〜約アミノ酸２８７、約アミノ酸３６１〜約アミノ酸３６７、約アミノ酸３９９〜約アミノ酸４０５、約アミノ酸４４０〜約アミノ酸４４６、約アミノ酸４４８〜約アミノ酸４５４、及び約アミノ酸４７８〜約アミノ酸４８４のＮ−ミリストイル化部位。クローンＤＮＡ９６８６９−２６７３は１９９９年６月２２日にＡＴＣＣに寄託され、ＡＴＣＣ寄託番号ＰＴＡ−２５５が付与された。
Ｆｉｇ３２（配列番号：３２）に示した全長配列のＷＵ−ＢＬＡＳＴ−２配列アラインメント分析を用いたＤａｙｈｏｆｆデータベース（バージョン３５．４５  ＳｗｉｓｓＰｒｏｔ  ３５）の分析により、ＰＲＯ５７７５アミノ酸配列と以下に示すＤａｙｈｏｆｆ配列との間に配列相同性が見いだされた：Ｕ９４８４８＿１２，  Ｐ＿Ｗ５７８９９，  ＣＶ４１ＫＢＰＬ＿３３，  ＨＳＵ６０６４４＿１，  ＣＶＯＲＦ１Ｌ５Ｌ＿３，  ＶＫ０４＿ＶＡＣＣＶ，  ＣＶＧＲＩ９０＿４１，  ＶＫ０４＿ＶＡＣＣＣ，  及びＡＦ０２６１２４＿１。
【０１７８】
実施例１９
ヒトＰＲＯ７１３３をコードするｃＤＮＡの単離
クローンＤＮＡ１２８４５０−２７３９は、ＣＡＲＤ相同性スクリーニングにより引き出し、その配列を、伝統的な低緊縮性及びハイブリダイゼーションを用いたＰＲＯ７１３３の全長コード化配列のクローンを単離するためのプローブとして使用した。ＰＲＯ７１３３についての全ＯＲＦを同定するために、ＳＯＣＡ−１のＮ−末端部分をコードするｃＤＮＡ断片の分子を含むＣＡＲＤドメインを使用してヒト胎児腎臓ライブラリをスクリーニングした。幾つかのポジティブクローンを取り、ＤＮＡを調製して配列決定した。
正方向プライマー：
５’−ＧＣＣＧＧＡＴＣＣＡＣＡＡＴＧＧＣＴＡＣＣＧＡＧＡＧＴＡＣＴＣＣ−３’（配列番号：１１８）
逆方向プライマー：
５’−ＧＣＧＧＡＡＴＴＣＡＣＡＧＡＴＣＣＴＣＴＴＣＴＧＡＧＡＴＧＡＧＴＴＴＣＴＧＴＴＣＣＴＣＣＴＣＣＡＡＴＧＡＡＡＧＧＣ−３’（配列番号：１１９）
プローブＤＮＡ（ＳＯＣＡ−１）は以下のヌクレオチド配列を有していた：
５’−ＣＧＣＧＴＡＣＧＴＡＡＧＣＴＣＧＧＡＡＴＴＣＧＧＣＴＣＧＡＧＧＧＡＡＣＡＡＴＧＧＣＴＡＣＣＧＡＧＡＧ  ＴＡＣＴＣＣＣＴＣＡＧＡＧＡＴＣＡＴＡＧＡＡＣＴＧＧＴＧＡＡＧＡＡＣＣＡＡＧＴＴＡＴＧＡＧＧＧＡＴＣ  ＡＧＡＡＡＣＣＡＧＣＣＴＴＴＣＡＴＴＧＧＡＧＧＡＧＧＡＡＣＡＧＧＡＧＡＡＡＡＧＴＡＴＡＡＡＡＡＡＡＡ  ＡＡＡＡＡＡＡＧＧＧＣＧＧＣＣＧＣＣＧＡＣＴＡＧＴＧＡＧＣＴＣＧＴＣＧＡＣＣＣＧＧＧＡＡＴＴＡＡＴＴ  ＣＣＧＧＡＣＣＧＧＴＡＣＣＴＧＣＡＧＧＣＧＴＡＣＣＡＧＣＴＴＴＣＣＣＴＡＴＡＧＴＡＧＴＧ−３’
（配列番号：１２０）
【０１７９】
ＤＮＡ配列決定により、ｃＤＮＡの一つがヒトＳａｂタンパク質と有意に相同なタンパク質をコードするＯＲＦを含むこと；ＰＲＯ７１３３ポリペプチド（ここでＤＮＡ１２８４５１−２７３９と命名される）［Ｆｉｇ３３；配列番号：３３］及びそのＰＲＯ７１３３ポリペプチドの誘導タンパク質配列が明らかになった。
クローンＤＮＡ１２８４５１−２７３９は単一のオープンリーディングフレームを含み、ヌクレオチド位置５０１−５０３に見かけの翻訳開始部位を持ち、そしてヌクレオチド位置１６８０−１６８２の停止コドンで終端する（Ｆｉｇ３３）。予測されるポリペプチド前駆体は３９３アミノ酸長である（Ｆｉｇ３４；配列番号：３４）。Ｆｉｇ３４に示す全長ＰＲＯ７１３３タンパク質は、約４３，４９９の見積もり分子量及び約５．７５のｐＩを有する。Ｆｉｇ３４（配列番号：３４）に示した全長ＰＲＯ７１３３配列の分析により、種々の重要なポリペプチドドメインの存在が明らかになり、それらの重要なポリペプチドドメインに与えられた位置は上記のようにおよそのものである。Ｆｉｇ３４に示した全長ＰＲＯ７１３３配列の分析により、以下の存在が明らかになった：約アミノ酸２８７〜約アミノ酸２９１及び約アミノ酸３７５〜約アミノ酸３７９のｃＡＭＰ−及びｃＧＭＰ−依存性プロテインキナーゼリン酸化部位；シグナルペプチド；約アミノ酸３７〜約アミノ酸４３、約アミノ酸３８〜約アミノ酸４４、約アミノ酸３９〜約アミノ酸４５、約アミノ酸４０〜約アミノ酸４６、約アミノ酸１０３〜約アミノ酸１０９、約アミノ酸３０７〜約アミノ酸３１３、約アミノ酸３１０〜約アミノ酸３１６、約アミノ酸３１５〜約アミノ酸３２１、約アミノ酸３６５〜約アミノ酸３７１、約アミノ酸３６９〜約アミノ酸３７５、約アミノ酸３７３〜約アミノ酸３７９、約アミノ酸３７７〜約アミノ酸３８３、約アミノ酸３８０〜約アミノ酸３８６、及び約アミノ酸３８１〜約アミノ酸３８７のＮ−ミリストイル化部位；及び約アミノ酸３７３〜約アミノ酸３７７のアミド化部位。クローンＤＮＡ１２８４５１−２７３９は１９９９年８月３１日にＡＴＣＣに寄託され、ＡＴＣＣ寄託番号ＰＴＡ−６１８が付与された。
【０１８０】
実施例２０
ヒトＰＲＯ７１６８をコードするｃＤＮＡクローンの単離
ＤＮＡ１０２８４６−２７４２は、上記実施例２に示されている独自のシグナル配列発見アルゴリズムを適用する事により同定された。上記シグナル配列アルゴリズムを利用することで、ＬＩＦＥＳＥＱデータベース（登録商標），  Ｉｎｃｙｔｅ  Ｐｈａｒｍａｃｅｕｔｉｃａｌｓ，  Ｐａｌｏ  Ａｌｔｏ，  ＣＡ，からのＩｎｃｙｔｅ  ＥＳＴクラスター番号８６３９０で表されるＥＳＴクラスター配列の同定を可能ならしめた。その後、存在する相同性を同定するために、このＥＳＴクラスター配列を公的（例えば、ＧｅｎＢａｎｋ）及び／又は私的（ＬＩＦＥＳＥＱ（登録商標），  Ｉｎｃｙｔｅ  Ｐｈａｒｍａｃｅｕｔｉｃａｌｓ，  Ｉｎｃ．，  Ｐａｌｏ  Ａｌｔｏ，  ＣＡ）データベースを含む様々な発現配列タグ（ＥＳＴ）データベースと比較した。相同性検索は、コンピュータプログラムＢＬＡＳＴ又はＢＬＡＳＴ２（Ａｌｔｓｃｈｕｌ等，  Ｍｅｔｈｏｄｓ  ｉｎ  Ｅｎｚｙｍｏｌｏｇｙ  ２６６：  ４６０−４８０  （１９９６））を用いて実施した。既知のタンパク質をコードせず、ＢＬＡＳＴスコア７０（９０の場合もある）又はそれ以上を持つ比較物は、プログラム「ｐｈｒａｐ」（Ｐｈｉｌ  Ｇｒｅｅｎ，  Ｕｎｉｖｅｒｓｉｔｙ  ｏｆ  Ｗａｓｈｉｎｇｔｏｎ，  Ｓｅａｔｔｌｅ，  Ｗａｓｈｉｎｇｔｏｎ）で集団化してコンセンサスＤＮＡ配列を構築した。そこから得られたコンセンサス配列を、ここでＤＮＡ５７９５３と命名する。
【０１８１】
ＤＮＡ５７９５３配列とＬＩＦＥＳＥＱ（登録商標），  Ｉｎｃｙｔｅ  Ｐｈａｒｍａｃｅｕｔｉｃａｌｓ，  Ｉｎｃ．，  Ｐａｌｏ  Ａｌｔｏ，  ＣＡデータベースからのクローン番号４１８１３５１に含まれるＩｎｃｙｔｅＥＳＴ配列との間の配列相同性に鑑みて、クローン番号４１８１３５１を購入し、ｃＤＮＡ挿入物を得て配列決定した。このｃＤＮＡ挿入物の配列をＦｉｇ３５（配列番号：３５）に示し、ここでＤＮＡ１０２８４６−２７４２と命名する。
【０１８２】
ＤＮＡ１０２８４６−２７４２の全コード配列はＦｉｇ３５（配列番号：３５）に含まれている。クローンＤＮＡ１０２８４６−２７４２は単一のオープンリーディングフレームを含み、ヌクレオチド位置２３−２５に見かけの翻訳開始部位を持ち、そしてヌクレオチド位置２５４０−２５４２の停止コドンで終端する（Ｆｉｇ３５）。予測されるポリペプチド前駆体は８３９アミノ酸長である（Ｆｉｇ３６；配列番号：３６）。Ｆｉｇ３６に示す全長ＰＲＯ７１６８タンパク質は、約８７，５４６の見積もり分子量及び約４．８４のｐＩを有する。Ｆｉｇ３６（配列番号：３６）に示した全長ＰＲＯ７１６８配列の分析により、種々の重要なポリペプチドドメインの存在が明らかになり、それらの重要なポリペプチドドメインに与えられた位置は上記のようにおよそのものである。Ｆｉｇ３６に示した全長ＰＲＯ７１６８配列の分析により、以下の存在が明らかになった：約アミノ酸１〜約アミノ酸２５のシグナルペプチド；約アミノ酸６６３〜約アミノ酸６８６の膜貫通ドメイン；約アミノ酸４４〜約アミノ酸４８、約アミノ酸１４０〜約アミノ酸１４４、約アミノ酸１９８〜約アミノ酸２０２、約アミノ酸２９７〜約アミノ酸３０１、約アミノ酸３０８〜約アミノ酸３１２、約アミノ酸４０５〜約アミノ酸４０９、及び約アミノ酸５２０〜約アミノ酸５２４のＮ−グリコシル化部位；約アミノ酸４９０〜約アミノ酸４９４、約アミノ酸６４７〜約アミノ酸６５１及び約アミノ酸８１３〜約アミノ酸８１７のグリコサミノグリカン接着部位；約アミノ酸６５５〜約アミノ酸６５９のｃＡＭＰ−及びｃＧＭＰ−依存性プロテインキナーゼリン酸化部位；約アミノ酸１５４〜約アミノ酸１６３及び約アミノ酸７７６〜約アミノ酸７８３のチロシンキナーゼリン酸化部位；約アミノ酸５７〜約アミノ酸６３、約アミノ酸１０２〜約アミノ酸１０８、約アミノ酸２５５〜約アミノ酸２６１、約アミノ酸２９４〜約アミノ酸３００、約アミノ酸３６６〜約アミノ酸３７２、約アミノ酸４２６〜約アミノ酸４３２、約アミノ酸４４１〜約アミノ酸４４７、約アミノ酸５１３〜約アミノ酸５１９、約アミノ酸５１７〜約アミノ酸５２３、約アミノ酸５３０〜約アミノ酸５３６、約アミノ酸５４８〜約アミノ酸５５４、約アミノ酸５５０〜約アミノ酸５５６、約アミノ酸５８１〜約アミノ酸５８７、約アミノ酸５９２〜約アミノ酸５９８、約アミノ酸６１０〜約アミノ酸６１６、約アミノ酸６１２〜約アミノ酸６１８、約アミノ酸６２３〜約アミノ酸６２９、約アミノ酸６４８〜約アミノ酸６５４、約アミノ酸６６６〜約アミノ酸６７２、約アミノ酸６６７〜約アミノ酸６７３、約アミノ酸７６２〜約アミノ酸７６８、約アミノ酸７６３〜約アミノ酸７６９、約アミノ酸７８０〜約アミノ酸７８６、約アミノ酸８０９〜約アミノ酸８１５、約アミノ酸８２１〜約アミノ酸８２７、及び約アミノ酸８３３〜約アミノ酸８３９のＮ−ミリストイル化部位；及び約アミノ酸１１２〜約アミノ酸１２３のハドヘリン細胞外繰り返しドメイン。クローンＤＮＡ１０２８４６−２７４２は１９９９年８月１７日にＡＴＣＣに寄託され、ＡＴＣＣ寄託番号２０３３１２が付与された。
【０１８３】
Ｆｉｇ３６（配列番号：３６）に示した全長配列のＷＵ−ＢＬＡＳＴ−２配列アラインメント分析を用いたＤａｙｈｏｆｆデータベース（バージョン３５．４５  ＳｗｉｓｓＰｒｏｔ  ３５）の分析により、ＰＲＯ７１６８アミノ酸配列と以下に示すＤａｙｈｏｆｆ配列との間に配列相同性が見いだされた：ＣＥＬＴ２２Ｄ１＿９，  Ｂ４８０１３，  Ｆ１００９６０＿１，  ＭＵＣ２＿ＨＵＭＡＮ，  ＰＲＰ３＿ＭＯＵＳＥ，  Ｓ５３３６３，  Ａ３９０６６，  ＨＵＭＳＰＲＰＡ＿１，  ＡＦ０５３０９１＿１，  及びＳ８０９０５＿１。
【０１８４】
実施例２１
ヒトＰＲＯ５７２５をコードするｃＤＮＡの単離
発現配列タグ（ＥＳＴ）ＤＮＡデータベース（ＬＩＦＥＳＥＱ（商品名）、Ｉｎｃｙｔｅ  Ｐｈａｒｍａｃｅｕｔｉｃａｌｓ、Ｐａｌｏ  Ａｌｔｏ，  ＣＡ）を検索し、ニューリチン（Ｎｅｕｒｉｔｉｎ）と相同性を持つＥＳＴを同定した。ＩｎｃｙｔｅＥＳＴクローン番号３７０５６８４をＬＩＦＥＳＥＱ（商品名）、Ｉｎｃｙｔｅ  Ｐｈａｒｍａｃｅｕｔｉｃａｌｓ、Ｐａｌｏ  Ａｌｔｏ，  ＣＡから購入し、そのクローンのｃＤＮＡ（ここでＤＮＡ９２２６５−２６６９と命名する）のｃＤＮＡ挿入物を得て全体を配列決定した［Ｆｉｇ３７；配列番号：３７］。
【０１８５】
全長クローン［ＤＮＡ９２２６５−２６６９；配列番号：３７］は、単一のオープンリーディングフレームを含み、ヌクレオチド位置２７−２９に見かけの翻訳開始部位を持ち、そしてヌクレオチド位置５２２−５２４に見かけの停止シグナルを持つ（Ｆｉｇ３７；配列番号：３７）。予測されるポリペプチド前駆体は１６５アミノ酸長であり、約１７，７８６の算定分子量及び約８．４３のｐＩを有する。Ｆｉｇ３８（配列番号：３８）に示した全長ＰＲＯ５７２５配列の分析により、種々の重要なポリペプチドドメインの存在が明らかになり、それらの重要なポリペプチドドメインに与えられた位置は上記のようにおよそのものである。Ｆｉｇ３８に示した全長ＰＲＯ５７２５配列の分析により、以下の存在が明らかになった：約アミノ酸１〜約アミノ酸３５のシグナルペプチド；約アミノ酸１４１〜約アミノ酸１５７の膜貫通ドメイン；約アミノ酸１２７〜約アミノ酸１３３のＮ−ミリストイル化部位；約アミノ酸７７〜約アミノ酸８８の原核生物膜リポタンパク脂質結合部位。クローンＤＮＡ９２２６５−２６６９は１９９９年６月２２日にＡＴＣＣに寄託され、ＡＴＣＣ寄託番号ＰＴＡ−２５６が付与された。
【０１８６】
Ｆｉｇ３８（配列番号：３８）に示した全長配列のＷＵ−ＢＬＡＳＴ２配列アラインメント分析を用いたＤａｙｈｏｆｆデータベース（バージョン３５．４５  ＳｗｉｓｓＰｒｏｔ  ３５）の分析により、ＰＲＯ５７２５アミノ酸配列と以下のＤａｙｈｏｆｆ配列との間の相同性が明らかになった：ＲＮＵ８８９５８＿１，  Ｐ＿Ｗ３７８５９，  Ｐ＿Ｗ３７８５８，  ＪＣ６３０５，  ＨＧＳ＿ＲＥ７７８，  ＨＧＳ＿ＲＥ７７７，  Ｐ＿Ｗ２７６５２，  Ｐ＿Ｗ４４０８８，  ＨＧＳ＿ＲＥ７７６，  及びＨＧＳ＿ＲＥ４２５。
【０１８７】
実施例２２
ヒトＰＲＯ１８００をコードするｃＤＮＡクローンの単離
実施例１に記載したように、ｐｈｒａｐを用いて他のＥＳＴ配列に対してコンセンサスＤＮＡ配列を構築した。このコンセンサス配列を、ここでＤＮＡ３０９３４と命名する。ＤＮＡ３０９３４コンセンサス配列に基づいて、１）ＰＣＲにより対象とする配列を含むｃＤＮＡライブラリを同定するため、及び２）ＰＲＯ１８００の全長コード化配列のクローンを単離するプローブとして使用するために、オリゴヌクレオチドを合成した。
ＰＣＲプライマー（正方向及び逆方向）を合成した：
正方向ＰＣＲプライマー（３０９３４．ｆ１）：
５’−ＧＣＡＴＡＡＴＧＧＡＴＧＴＣＡＣＴＧＡＧＧ−３’（配列番号：１２１）
逆方向ＰＣＲプライマー（３０９３４．ｒ１）：
５’−ＡＧＡＡＣＡＡＴＣＣＴＧＣＴＧＡＡＡＧＣＴＡＧ−３’（配列番号：１２２）
さらに、ＤＮＡ３０９３４コンセンサス配列から合成オリゴヌクレオチドハイブリッド形成プローブを作成し、それは以下のヌクレオチド配列を有していた：
ハイブリッド形成プローブ（３０９３４．ｐ１）：
５’−ＧＡＡＡＣＧＡＧＧＡＧＧＣＧＧＣＴＣＡＧＴＧＧＴＧＡＴＣＧＴＧＴＣＴＴＣＣＡＴＡＧＣＡＧＣＣ−３’（配列番号：１２３）
【０１８８】
全長クローンの供給源について幾つかのライブラリをスクリーニングするために、ライブラリからのＤＮＡを上で同定したＰＣＲプライマー対でＰＣＲ増幅した。次いで、ポジティブライブラリを、プローブオリゴヌクレオチド及びＰＣＲプライマー対の一方を用いてＰＲＯ１８００遺伝子をコードするクローンを単離するのに使用した。ｃＤＮＡライブラリの構築のためのＲＮＡはヒト胎児肝臓組織から単離した。
上記のように単離したクローンのＤＮＡ配列決定により、ＤＮＡ３５６７２−２５０８［Ｆｉｇ５９、配列番号：５９］の全長ＤＮＡ配列；及びＰＲＯ１８００の誘導タンパク質配列が得られた。
【０１８９】
ＤＮＡ３５６７２−２５０８の全コード化配列がＦｉｇ５９（配列番号：５９）に含まれる。クローンＤＮＡ３５６７２−２５０８は単一のオープンリーディングフレームを含み、ヌクレオチド位置３６−３８に見かけの翻訳開始部位、そしてヌクレオチド位置８７０−８７２に見かけの停止コドンを持つ。予測されるポリペプチド前駆体は２７８アミノ酸長であり、２９，５３７ダルトンの見積もり分子量及び約８．９７のｐＩを持つ。Ｆｉｇ６０（配列番号：６０）に示した全長ＰＲＯ３４４配列の分析により、種々の重要なポリペプチドドメインの存在が明らかになり、それらの重要なポリペプチドドメインに与えられた位置は上記のようにおよそのものである。Ｆｉｇ６０に示した全長ＰＲＯ３４４ポリペプチドの分析により以下の存在が明らかになった：約アミノ酸１〜約アミノ酸１５のシグナルペプチド；約アミノ酸１８３〜アミノ酸１８７のＮ−グリコシル化部位；約アミノ酸４３〜約アミノ酸４９、約アミノ酸８０〜約アミノ酸８６、約アミノ酸１９１〜約アミノ酸１９７、約アミノ酸２１３〜約アミノ酸２１９、及び約アミノ酸２７２〜約アミノ酸２７８のＮ−ミリストイル化部位；約アミノ酸２７６〜約アミノ酸２８０の微小体Ｃ−末端標的かシグナル；及び約アミノ酸１６２〜約アミノ酸１９９の短鎖アルコールデヒドロゲナーゼ配列。クローンＤＮＡ３５６７２−２５０８は１９９８年１２月１５日にＡＴＣＣに寄託され、ＡＴＣＣ寄託番号２０３５３８が付与された。
【０１９０】
Ｆｉｇ６０（配列番号：６０）に示した全長配列のＷＵ−ＢＬＡＳＴ２配列アラインメント分析を用いたＤａｙｈｏｆｆデータベース（バージョン３５．４５  ＳｗｉｓｓＰｒｏｔ  ３５）の分析により、ＰＲＯ１８００アミノ酸配列と以下のＤａｙｈｏｆｆ配列との間の相同性が明らかになった：ＨＥ２７＿ＨＵＭＡＮ，  ＣＥＬＦ３６Ｈ９＿１，  ＣＥＦ５４Ｆ３＿３，  Ａ６９６２１，  ＡＰ０００００７＿２２７，  ＵＣＰＡ＿ＥＣＯＬＩ，  Ｆ６９８６８，  Ｙ４ＬＡ＿ＲＨＩＳＮ，  ＤＨＫ２＿ＳＴＲＶＮ，  及びＤＨＧ１＿ＢＡＣＭＥ。
【０１９１】
実施例２３
ヒトＰＲＯ５３９をコードするｃＤＮＡの単離
発現配列タグ（ＥＳＴ）ＤＮＡデータベース（ＬＩＦＥＳＥＱ（商品名）、Ｉｎｃｙｔｅ  Ｐｈａｒｍａｃｅｕｔｉｃａｌｓ、Ｐａｌｏ  Ａｌｔｏ，  ＣＡ）を検索し、ショウジョウバエメラノガスターのＣｏａｓｔａｌ−２タンパク質と相同性を持つＥＳＴを同定した。次いで、このＥＳＴ配列を公的データベース（例えばＧｅｎＢａｎｋ）及び企業のＥＳＴデータベース（ＬＩＦＥＳＥＱ（商品名）、Ｉｎｃｙｔｅ  Ｐｈａｒｍａｃｅｕｔｉｃａｌｓ、Ｐａｌｏ  Ａｌｔｏ，  ＣＡ）及びを含む種々のＥＳＴと比較して相同ＥＳＴ配列を同定した。比較はコンピュータプログラムＢＬＡＳＴ又はＢＬＡＳＴ２（Ａｌｔｓｃｈｕｌ等，  Ｍｅｔｈｏｄｓ  ｉｎ  Ｅｎｚｙｍｏｌｏｇｙ  ２６６：  ４６０−４８０  （１９９６））及び他のＥＳＴ配列を用いて実施した。比較物は、プログラム「ｐｈｒａｐ」（Ｐｈｉｌ  Ｇｒｅｅｎ，  Ｕｎｉｖｅｒｓｉｔｙ  ｏｆ  Ｗａｓｈｉｎｇｔｏｎ，  Ｓｅａｔｔｌｅ，  ＷＡ）で集団化してコンセンサスＤＮＡ配列を構築した。このコンセンサス配列を、ここで（ｃｏｎｓｅｎｓｕｓ）と命名する。
【０１９２】
構築した（ｃｏｎｓｅｎｓｕｓ）配列に基づいて、１）ＰＣＲにより対象とする配列を含むｃＤＮＡライブラリを同定するため、及び２）ＰＲＯ５３９の全長コード化配列のクローンを単離するプローブとして用いるためにオリゴヌクレオチドを合成した。正方向及び逆方向ＰＣＲプライマーは一般的に２０から３０ヌクレオチドの範囲であり、しばしば約１００−１０００ｂｐ長のＰＣＲ産物を与えるために設計される。プローブ配列は、典型的に４０−５５ｂｐ長である。幾つかの場合には、コンセンサス配列が約１−１．５ｋｂｐより大きいときに付加的なオリゴヌクレオチドが合成される。全長クローンについて幾つかのライブラリをスクリーニングするために、ライブラリからのＤＮＡを、Ａｕｓｕｂｅｌ等，  Ｃｕｒｒｅｎｔ  Ｐｒｏｔｏｃｏｌｓ  ｉｎ  Ｍｏｌｅｃｕｌａｒ  Ｂｉｏｌｏｇｙ，  のように、ＰＣＲプライマー対でのＰＣＲによりスクリーニングした。ポジティブライブラリを、次いで、プローブオリゴヌクレオチド及びプライマー対の一方を用いて対象とする遺伝子をコードするクローンの単離するのに使用した。
ＰＣＲプライマー（正方向及び逆方向）を合成した：
正方向ＰＣＲプライマー（ｈｃｏｓ２．Ｆ）：
５’−ＧＡＴＧＡＧＧＣＣＡＴＣＧＡＧＧＣＣＣＴＧＧ−３’（配列番号：１２４）
逆方向ＰＣＲプライマー（ｈｃｏｓ２．Ｒ）：
５’−ＴＣＴＣＧＧＡＧＣＧＴＣＡＣＣＡＣＣＴＴＧＴＣ−３’（配列番号：１２５）
さらに、（ｃｏｎｓｅｎｓｕｓ）配列から合成オリゴヌクレオチドハイブリッド形成プローブを作成し、それは以下のヌクレオチド配列を有していた：
ハイブリッド形成プローブ（ｈｃｏｓ２．Ｐ）：
５’−ＣＴＧＧＡＴＧＣＴＧＣＣＡＴＴＧＡＧＴＡＴＡＡＧＡＡＴＧＡＧＧＣＣＡＴＣＡＣＡ−３’（配列番号：１２６）
【０１９３】
ｃＤＮＡライブラリの構築のためのＲＮＡはヒト胎児腎臓組織から単離した。ｃＤＮＡクローンの単離に用いたｃＤＮＡライブラリは、Ｉｎｖｉｔｒｏｇｅｎ，  Ｓａｎ  Ｄｉｅｇｏ，  ＣＡからのもの等の市販試薬を用いて標準的な方法によって作成した。ｃＤＮＡは、ＮｏｔＩ部位を含むオリゴｄＴでプライムし、平滑末端でＳａｌＩヘミキナーゼアダプターに結合させ、ＮｏｔＩで切断し、ゲル電気泳動でおよそのサイズ分類し、そして適切なクローニングベクター（ｐＲＫＢ又はｐＲＫＤ等；ｐＲＫ５ＢはＳｆｉＩ部位を含まないｐＲＫ５Ｄの前駆体である；Ｈｏｌｍｅｓ等，  Ｓｃｉｅｎｃｅ，  ２５３：  １２７８−１２８０  （１９９１）参照）に、独特のＸｈｏＩ及びＮｏｔＩ部位において、所定の方向でクローニングした。
上記のように単離したクローンのＤＮＡ配列決定により、ＤＮＡ４７４６５−１５６１［Ｆｉｇ６５、配列番号：６５］の全長ＤＮＡ配列；及びＰＲＯ５３９の誘導タンパク質配列が得られた。
【０１９４】
ＤＮＡ４７４６５−１５６１の全コード化配列がＦｉｇ６５（配列番号：６５）に含まれる。クローンＤＮＡ４７４６５−１５６１は単一のオープンリーディングフレームを含み、ヌクレオチド位置１８６−１８８に見かけの翻訳開始部位、そしてヌクレオチド位置２６７６−２６７８に見かけの停止コドンを持つ。予測されるポリペプチド前駆体は８３０アミノ酸長であり、約９５，０２９ダルトンの見積もり分子量及び約８．２６のｐＩを持つ。Ｆｉｇ６６（配列番号：６６）に示した全長ＰＲＯ５３９配列の分析により、種々の重要なポリペプチドドメインの存在が明らかになり、それらの重要なポリペプチドドメインに与えられた位置は上記のようにおよそのものである。Ｆｉｇ６６に示した全長ＰＲＯ５３９ポリペプチドの分析により以下の存在が明らかになった：約アミノ酸５５７〜約アミノ酸５７９及び約アミノ酸７９４〜アミノ酸８１６のロイシンジッパーパターン；約アミノ酸１３３〜約アミノ酸１３７及び約アミノ酸３８３〜約アミノ酸３８７のＮ−グリコシル化部位；約アミノ酸２３１〜約アミノ酸６７２のキネシン関連タンパク質Ｋｉｆ−４コイルド−コイルドメイン。クローンＤＮＡ４７４６５−１５６１は１９９９年２月９日にＡＴＣＣに寄託され、ＡＴＣＣ寄託番号２０３６６１が付与された。
Ｆｉｇ６６（配列番号：６６）に示した全長アミノ酸配列のＷＵ−ＢＬＡＳＴ２配列アラインメント分析を用いたＤａｙｈｏｆｆデータベース（バージョン３５．４５  ＳｗｉｓｓＰｒｏｔ  ３５）の分析により、ＰＲＯ５３９アミノ酸配列と以下に示すＤａｙｈｏｆｆ配列との間に配列相同性が見いだされた：ＡＦ０１９２５０＿１，  ＫＩＦ４＿ＭＯＵＳＥ，  ＴＲＨＹＹ＿ＨＵＭＡＮ，  Ａ５６１４，  Ｇ０２５２０，  ＭＹＳＰ＿ＨＵＭＡＮ，  ＡＦ０４１３８２＿１，  Ａ４５５９２，  ＨＳ１２５Ｈ２＿１，  及びＨＳ６８０２＿２。
【０１９５】
実施例２４
ヒトＰＲＯ４３１６をコードするｃＤＮＡクローンの単離
ここでＤＮＡ８０９３５と呼ばれるｃＤＮＡクローンを、一次ｃＤＮＡクローンの５’末端を優勢に示すヒト腎臓ｃＤＮＡライブラリにおいて、酵母スクリーニングを使用して同定した。次いで、このｃＤＮＡを他の公知のＥＳＴ配列と比較したが、比較はコンピュータプログラムＢＬＡＳＴ又はＢＬＡＳＴ２（Ａｌｔｓｃｈｕｌ等，  Ｍｅｔｈｏｄｓ  ｉｎ  Ｅｎｚｙｍｏｌｏｇｙ  ２６６：  ４６０−４８０  （１９９６））を用いて実施した。既知のタンパク質をコードせず、ＢＬＡＳＴスコア７０（９０の場合もある）又はそれ以上を持つ比較物は、プログラム「ｐｈｒａｐ」（Ｐｈｉｌ  Ｇｒｅｅｎ，  Ｕｎｉｖｅｒｓｉｔｙ  ｏｆ  Ｗａｓｈｉｎｇｔｏｎ，  Ｓｅａｔｔｌｅ，  Ｗａｓｈｉｎｇｔｏｎ）で集団化してコンセンサスＤＮＡ配列を構築した。そこから得られたコンセンサス配列を、ここでＤＮＡ８３５２７と命名する。
正方向ＰＣＲプライマー：
５’−ＴＧＧＡＣＧＡＣＣＡＧＧＡＧＡＡＧＣＴＧＣ−３’（配列番号：１２７）
逆方向ＰＣＲプライマー：
５’−ＣＴＣＣＡＣＴＴＧＴＣＣＴＣＴＧＧＡＡＧＧＴＧＧ−３’（配列番号：１２８）
さらに、ＤＮＡ８３５２７コンセンサス配列から合成オリゴヌクレオチドハイブリッド形成プローブを作成し、それは以下のヌクレオチド配列を有していた：
ハイブリッド形成プローブ：
５’−ＧＣＡＡＧＡＧＧＣＡＧＡＡＧＣＣＡＴＧＴＴＡＧＡＴＧＡＧＣＣＴＣＡＧＧＡＡＣＡＡＧＣＧＧ−３’（配列番号：１２９）
【０１９６】
ｃＤＮＡライブラリ構築のためのＲＮＡは、ヒト副腎組織から単離した。ｃＤＮＡクローンの単離に用いたｃＤＮＡライブラリは、Ｉｎｖｉｔｒｏｇｅｎ，  Ｓａｎ  Ｄｉｅｇｏ，  ＣＡからのもの等の市販試薬を用いて標準的な方法によって作成した。ｃＤＮＡは、ＮｏｔＩ部位を含むオリゴｄＴでプライムし、平滑末端でＳａｌＩヘミキナーゼアダプターに結合させ、ＮｏｔＩで切断し、ゲル電気泳動でおよそのサイズ分類し、そして適切なクローニングベクター（ｐＲＫ５Ｂ又はｐＲＫ５Ｄ等；ｐＲＫ５ＢはＳｆｉＩ部位を含まないｐＲＫ５Ｄの前駆体である；Ｈｏｌｍｅｓ等，  Ｓｃｉｅｎｃｅ，  ２５３：  １２７８−１２８０  （１９９１）参照）に、独特のＸｈｏＩ及びＮｏｔＩ部位において、所定の方向でクローニングした。
【０１９７】
このスクリーニングから得た全長ＤＮＡ９４７１３−２５６１クローンをＦｉｇ６７［配列番号：６７］に示し、それは単一のオープンリーディングフレームを含み、ヌクレオチド位置２９３−２９５に見かけの翻訳開始部位を持ち、そしてヌクレオチド位置１９３４−１９３６に見かけの停止コドンを持つ。予測されるポリペプチド前駆体（Ｆｉｇ６８、配列番号：６８）は５４７アミノ酸長である（Ｆｉｇ６８）。Ｆｉｇ６８に示す全長ＰＲＯ４３１６は６１，００５ダルトンの見積もり分子量と約６．３４のｐＩを持つ。Ｆｉｇ６８（配列番号：６８）に示した全長ＰＲＯ４３１６配列の分析により、種々の重要なポリペプチドドメインの存在が明らかになり、それらの重要なポリペプチドドメインに与えられた位置は上記のようにおよそのものである。Ｆｉｇ６８に示した全長ＰＲＯ４３１６ポリペプチドの分析により以下の存在が明らかになった：約アミノ酸１〜約アミノ酸２３のシグナル配列；約アミノ酸４２〜約アミノ酸６０及び約アミノ酸５１１〜約アミノ酸５３０の膜貫通ドメイン；約アミノ酸２５９〜約アミノ酸２６３、約アミノ酸３６２〜約アミノ酸３６６のＮ−グリコシル化部位；約アミノ酸１１５〜約アミノ酸１１９、約アミノ酸１８６〜約アミノ酸１９０、約アミノ酸４６７〜約アミノ酸４７１、及び約アミノ酸４８８〜約アミノ酸４９４のカゼインキナーゼＩＩリン酸化部位；約アミノ酸２５５〜約アミノ酸２６１、約アミノ酸３０４〜約アミノ酸３１０、及び約アミノ酸３３５〜約アミノ酸３４１のＮ−ミリストイル化部位；約アミノ酸７〜約アミノ酸１１及び約アミノ酸１７４〜約アミノ酸１７８のアミド化部位。クローンＤＮＡ９４７１３−２５１６は１９９９年３月９日にＡＴＣＣに寄託され、ＡＴＣＣ寄託番号２０３８３５が付与された。
Ｆｉｇ６８（配列番号：６８）に示した全長配列のＷＵ−ＢＬＡＳＴ−２配列アラインメント分析を用いたＤａｙｈｏｆｆデータベース（バージョン３５．４５  ＳｗｉｓｓＰｒｏｔ  ３５）の分析により、ＰＲＯ４３１６アミノ酸配列と以下のＤａｙｈｏｆｆ配列との間の配列同一性が明らかにされた：Ｙ  ＤＡ９＿ＳＣＨＰＯ，  Ｓ６７４５２，  Ｓ６９７１４，  ＤＰ２７＿ＣＡＥＥＬ，  Ｓ４７０５３，  ＣＥＹ４３Ｆ８Ｃ＿４，  ＶＰ２＿ＢＲＤ，  及びＳＰＣＣ８９５＿９。
【０１９８】
実施例２５
ヒトＰＲＯ４９８０をコードするｃＤＮＡクローンの単離
ここでＤＮＡ８１５７３と呼ばれるｃＤＮＡクローンを、一次ｃＤＮＡクローンの５’末端を優勢に示すヒトｃＤＮＡライブラリにおいて、酵母スクリーニングを使用して同定した。次いで、このｃＤＮＡを公的データベース（例えばＧｅｎＢａｎｋ）及び企業のＥＳＴデータベース（ＬＩＦＥＳＥＱ（商品名）、Ｉｎｃｙｔｅ  Ｐｈａｒｍａｃｅｕｔｉｃａｌｓ、Ｐａｌｏ  Ａｌｔｏ，  ＣＡ）からのＥＳＴと、コンピュータプログラムＢＬＡＳＴ又はＢＬＡＳＴ２（Ａｌｔｓｃｈｕｌ等，  Ｍｅｔｈｏｄｓ  ｉｎ  Ｅｎｚｙｍｏｌｏｇｙ  ２６６：  ４６０−４８０  （１９９６））を用いて比較した。ＥＳＴは、プログラム「ｐｈｒａｐ」（Ｐｈｉｌ  Ｇｒｅｅｎ，  Ｕｎｉｖｅｒｓｉｔｙ  ｏｆ  Ｗａｓｈｉｎｇｔｏｎ，  Ｓｅａｔｔｌｅ，  Ｗａｓｈｉｎｇｔｏｎ）で集団化してコンセンサスＤＮＡ配列を構築した。そこから得られたコンセンサス配列を、ここでＤＮＡ９０６１３と命名する。
【０１９９】
ヒト大動脈上皮細胞ｃＤＮＡライブラリから、ＰＲＯ４９８０の全長コード化配列のクローンを単離するためのプローブとして使用するために、ＤＮＡ９０６１３配列に基づいてＰＣＲプライマー（正及び逆）を合成した：
正方向ＰＣＲプライマー：
５’−ＣＡＡＣＣＧＴＡＴＧＧＧＡＣＣＧＡＴＡＣＴＣＧ−３’（配列番号：１３０）
逆方向ＰＣＲプライマー：
５’−ＣＡＣＧＣＴＣＡＡＣＧＡＧＴＣＴＴＣＡＴＧ−３’（配列番号：１３１）
ハイブリッド形成プローブ：
５’−ＧＴＧＧＣＣＣＴＣＧＣＡＧＴＧＣＡＧＧＣＣＴＴＣＴＡＣＧＴＣＣＡＡＴＡＣＡＡＧＴＧ−３’（配列番号：１３２）
ｃＤＮＡライブラリ構築のためのＲＮＡは、ヒト大動脈上皮細胞組織から単離した。ｃＤＮＡクローンの単離に用いたｃＤＮＡライブラリは、Ｉｎｖｉｔｒｏｇｅｎ，  Ｓａｎ  Ｄｉｅｇｏ，  ＣＡからのもの等の市販試薬を用いて標準的な方法によって作成した。ｃＤＮＡは、ＮｏｔＩ部位を含むオリゴｄＴでプライムし、平滑末端でＳａｌＩヘミキナーゼアダプターに結合させ、ＮｏｔＩで切断し、ゲル電気泳動でおよそのサイズ分類し、そして適切なクローニングベクター（ｐＲＫ５Ｂ又はｐＲＫ５Ｄ等；ｐＲＫ５ＢはＳｆｉＩ部位を含まないｐＲＫ５Ｄの前駆体である；Ｈｏｌｍｅｓ等，  Ｓｃｉｅｎｃｅ，  ２５３：  １２７８−１２８０  （１９９１）参照）に、独特のＸｈｏＩ及びＮｏｔＩ部位において、所定の方向でクローニングした。
【０２００】
このスクリーニングから得た全長ＤＮＡ９７００３−２６４９クローンをＦｉｇ６９［配列番号：６９］に示し、それは単一のオープンリーディングフレームを含み、ヌクレオチド位置２８６−２８８に見かけの翻訳開始部位を持ち、そしてヌクレオチド位置１９００−１９０２に見かけの停止コドンを持つ。予測されるポリペプチド前駆体は５３８アミノ酸長である（Ｆｉｇ７０）。Ｆｉｇ７０に示す全長ＰＲＯ４９８０は５９，２６８ダルトンの見積もり分子量と約８．９４のｐＩを持つ。Ｆｉｇ７０（配列番号：７０）に示した全長ＰＲＯ４９８０配列の分析により、種々の重要なポリペプチドドメインの存在が明らかになり、それらの重要なポリペプチドドメインに与えられた位置は上記のようにおよそのものである。Ｆｉｇ７０に示した全長ＰＲＯ４９８０ポリペプチドの分析により以下の存在が明らかになった：約アミノ酸１〜約アミノ酸３６のシグナル配列；約アミノ酸７７〜約アミノ酸９５、約アミノ酸１１１〜約アミノ酸１３３、約アミノ酸１６１〜約アミノ酸１８４、約アミノ酸２２５〜約アミノ酸２４８、約アミノ酸２５５〜約アミノ酸２７３、約アミノ酸２９９〜約アミノ酸３１４、約アミノ酸３４８〜約アミノ酸３７３、約アミノ酸４０６〜約アミノ酸４２１、約アミノ酸４３５〜約アミノ酸４５６、及び約アミノ酸４８０〜約アミノ酸４９７の膜貫通ドメイン；約アミノ酸５００〜約アミノ酸５０４のＮ−グリコシル化部位；約アミノ酸３２１〜約アミノ酸３２５のｃＡＭＰ−及びｃＧＭＰ−依存性プロテインキナーゼリン酸化部位；約アミノ酸１３〜約アミノ酸１９、約アミノ酸１８〜約アミノ酸２４、約アミノ酸８０〜約アミノ酸８６、約アミノ酸１１１〜約アミノ酸１１７、約アミノ酸１１８〜約アミノ酸１２４、約アミノ酸１４５〜約アミノ酸１５１、約アミノ酸２３８〜約アミノ酸２４４、約アミノ酸２５１〜約アミノ酸２５７、約アミノ酸４３０〜約アミノ酸４３６、約アミノ酸４３３〜約アミノ酸４３９、約アミノ酸４４８〜約アミノ酸４５４、約アミノ酸４５８〜約アミノ酸４６４、約アミノ酸４６８〜約アミノ酸４７４、約アミノ酸４７５〜約アミノ酸４８１、約アミノ酸４９６〜約アミノ酸５０２、及び約アミノ酸５０８〜約アミノ酸５１４のＮ−ミリストイル化部位；及び約アミノ酸３０２〜約アミノ酸３１３の原核生物膜リポタンパク脂質結合部位。クローンＤＮＡ９７００３−２６４９は１９９９年５月１１日にＡＴＣＣに寄託され、ＡＴＣＣ寄託番号ＰＴＡ−４３が付与された。
Ｆｉｇ７０（配列番号：７０）に示した全長配列のＷＵ−ＢＬＡＳＴ−２配列アラインメント分析を用いたＤａｙｈｏｆｆデータベース（バージョン３５．４５  ＳｗｉｓｓＰｒｏｔ  ３５）の分析により、ＰＲＯ４９８０アミノ酸配列と以下のＤａｙｈｏｆｆ配列との間の配列同一性が明らかにされた：ＳＣ５９＿ＹＥＡＳＴ，  Ｓ７６８５７，  ＣＥＬＦ３１Ｆ４＿１２，  ＡＣ００２４６４＿１，  ＮＵ５Ｍ＿ＣＨＯＣＲ，  Ｓ５９１０９，  ＳＡＹ１０１０８＿２，  ＡＦ０５５４８２＿２，  Ｆ６９０４９，  及びＧ７０４３３。
【０２０１】
実施例２６
遺伝子増幅
この実施例は、ＰＲＯ１９７−、ＰＲＯ２０７−、ＰＲＯ２２６−、ＰＲＯ２３２−、ＰＲＯ２４３−、ＰＲＯ２５６−、ＰＲＯ２６９−、ＰＲＯ２７４−、ＰＲＯ３０４−、ＰＲＯ３３９−、ＰＲＯ１５５８−、ＰＲＯ７７９−、ＰＲＯ１１８５−、ＰＲＯ１２４５−、ＰＲＯ１７５９−、ＰＲＯ５７７５−、ＰＲＯ７１３３−、ＰＲＯ７１６８−、ＰＲＯ５７２５−、ＰＲＯ２０２−、ＰＲＯ２０６−、ＰＲＯ２６４−、ＰＲＯ３１３−、ＰＲＯ３４２−、ＰＲＯ５４２−、ＰＲＯ７７３−、ＰＲＯ８６１−、ＰＲＯ１２１６−、ＰＲＯ１６８６−、ＰＲＯ１８００−、ＰＲＯ３５６２−、ＰＲＯ９８５０−、ＰＲＯ５３９−、ＰＲＯ４３１６−又はＰＲＯ４９８０−コード化遺伝子が或る種のヒト肺、大腸及び／又は乳癌及び／又は細胞系のゲノムで増幅されることを示す。増幅は遺伝子産物の過剰発現を伴い、ポリペプチドが大腸、肺、乳及び他の癌といった或る種の癌において治療的処置の有用な標的であることを示している。治療薬は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドに対するアンタゴニスト、例えばＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドに対するマウス−ヒトキメラ、ヒト化又はヒト抗体であってよい。
スクリーニングの出発物質は種々の癌から単離したゲノムＤＮＡである。ＤＮＡは、例えば蛍光的に正確に定量化される。ネガティブ対照として、１０の正常健常個体からＤＮＡを単離し、それをプールして健常個体における遺伝子コピーのアッセイ対照として使用した（示さず）。５’ヌクレアーゼアッセイ（例えばＴａｑＭａｎ（商品名））及び実時間定量的ＰＣＲ（例えば、ＡＢＩ  Ｐｒｉｚｍ  ７７００  Ｓｅｑｕｅｎｃｅ  Ｄｅｔｅｃｔｉｏｎ  Ｓｙｓｔｅｍ（商品名）（Ｐｅｒｋｉｎ  Ｅｌｍｅｒ，  ａｐｐｌｉｅｄ  Ｂｉｏｓｙｓｔｅｍｓ  Ｄｉｖｉｓｉｏｎ，  Ｆｏｓｔｅｒ  Ｃｉｔｙ，  ＣＡ））を、或る種の癌で潜在的に増幅される遺伝子の発見に使用した。結果は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０をコードするＤＮＡがスクリーニングした原発肺又は大腸癌又は癌細胞系又は乳癌細胞系で過剰表現されるか否かの決定に使用した。原発肺癌は、表２に示した型及び段階の腫瘍を持つ個体から得た。表２に列挙した原発腫瘍及びこの実施例を通して参照される細胞系の表示に使用した略語の説明は上記に与えた。
【０２０２】
ＴａｑＭａｎ（商品名）の結果はデルタ（Δ）Ｃｔ単位で報告した。１単位は１ＰＣＲサイクル又は正常に対して約２倍の増幅に相当し、２単位は４倍、３単位は８倍増幅等々に相当する。定量化はプライマー及びＰＲＯ１９７−、ＰＲＯ２０７−、ＰＲＯ２２６−、ＰＲＯ２３２−、ＰＲＯ２４３−、ＰＲＯ２５６−、ＰＲＯ２６９−、ＰＲＯ２７４−、ＰＲＯ３０４−、ＰＲＯ３３９−、ＰＲＯ１５５８−、ＰＲＯ７７９−、ＰＲＯ１１８５−、ＰＲＯ１２４５−、ＰＲＯ１７５９−、ＰＲＯ５７７５−、ＰＲＯ７１３３−、ＰＲＯ７１６８−、ＰＲＯ５７２５−、ＰＲＯ２０２−、ＰＲＯ２０６−、ＰＲＯ２６４−、ＰＲＯ３１３−、ＰＲＯ３４２−、ＰＲＯ５４２−、ＰＲＯ７７３−、ＰＲＯ８６１−、ＰＲＯ１２１６−、ＰＲＯ１６８６−、ＰＲＯ１８００−、ＰＲＯ３５６２−、ＰＲＯ９８５０−、ＰＲＯ５３９−、ＰＲＯ４３１６−又はＰＲＯ４９８０−コード化遺伝子から誘導したＴａｑＭａｎ（商品名）蛍光プローブを用いて得た。最も独特の核酸配列を含むと思われ、最もスプライシングされたイントロンを持たないと思われるＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の領域が、プライマー及びプローブ誘導、例えば３−非翻訳領域のために好ましい。ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０遺伝子増幅分析に使用されるプライマー及びプローブ（正、逆及びプローブ）の配列は次の通り：
【０２０３】
ＰＲＯ１９７（ＤＮＡ２２７８０−１０７８）：
２２７８０．ｔｍ．ｆ：
５’−ＧＣＣＡＴＣＴＧＧＡＡＡＣＴＴＧＴＧＧＡＣ−３’  （配列番号：１３３）
２２７８０．ｔｍ．ｐ：
５’−ＡＧＡＡＧＡＣＣＡＣＧＡＣＴＧＧＡＧＡＡＧＣＣＣＣＣ−３’  （配列番号：１３４）
２２７８０．ｔｍ．ｒ：
５’−ＡＧＣＣＣＣＣＣＴＧＣＡＣＴＣＡＧ−３’  （配列番号：１３５）
ＰＲＯ２０７（ＤＮＡ３０８７９−１１５２）：
３０８７９．ｔｍ．ｆ：
５’−ＧＡＣＣＴＧＣＣＣＣＴＣＣＣＴＣＴＡＧＡ−３’  （配列番号：１３６）
３０８７９．ｔｍ．ｐ：
５’−ＣＴＧＣＣＴＧＧＧＣＣＴＧＴＴＣＡＣＧＴＧＴＴ−３’  （配列番号：１３７）
３０８７９．ｔｍ．ｒ：
５’−ＧＧＡＡＴＡＣＴＧＴＡＴＴＴＡＴＧＴＧＧＧＡＴＧＧＡ−３’  （配列番号：１３８）
ＰＲＯ２２６（ＤＮＡ３３４６０−１１６６）：
３３４６０．３ｕｔｒ−５：
５’−ＧＣＡＡＴＡＡＡＧＧＧＡＧＡＡＡＧＡＡＡＧＴＣＣＴ−３’  （配列番号：１３９）
３３４６０．３ｕｔｒ−ｐｒｏｂｅ．ｒｃ：
５’−ＴＧＡＣＣＣＧＣＣＣＡＣＣＴＣＡＧＣＣＡ−３’  （配列番号：１４０）
３３４６０．３ｕｔｒ−３ｂ：
５’−ＧＣＣＴＧＡＧＧＣＴＴＣＣＴＧＣＡＧＴ−３’  （配列番号：１４１）
【０２０４】
ＰＲＯ２３２（ＤＮＡ３４４３５−１１４０）：
３４４３５．３ｕｔｒ−５：
５’−ＧＣＣＡＧＧＣＣＴＣＡＣＡＴＴＣＧＴ−３’  （配列番号：１４２）
３４４３５．３ｕｔｒ−ｐｒｏｂｅ：
５’−ＣＴＣＣＣＴＧＡＡＴＧＧＣＡＧＣＣＴＧＡＧＣＡ−３’  （配列番号：１４３）
３４４３５．３ｕｔｒ−３：
５’−ＡＧＧＴＧＴＴＴＡＴＴＡＡＧＧＧＣＣＴＡＣＧＣＴ−３’  （配列番号：１４４）
ＰＲＯ２４３（ＤＮＡ３５９１７−１２０７）：
３５９１７．ｔｍ．ｆ：
５’−ＣＣＡＧＴＧＣＣＴＴＴＧＣＴＣＣＴＣＴＧ−３’  （配列番号：１４５）
３５９１７．ｔｍ．ｐ：
５’−ＴＧＣＣＴＣＴＡＣＴＣＣＣＡＣＣＣＣＣＡＣＴＡＣＣＴ−３’  （配列番号：１４６）
３５９１７．ｔｍ．ｒ：
５’−ＴＧＴＧＧＡＧＣＴＧＴＧＧＴＴＣＣＣＡ−３’  （配列番号：１４７）
ＰＲＯ２５６（ＤＮＡ３５８８０−１１６０）：
３５８８０．３ｕｔｒ−５：
５’−ＴＧＴＣＣＴＣＣＣＧＡＧＣＴＣＣＴＣＴ−３’  （配列番号：１４８）
３５８８０．３ｕｔｒ−ｐｒｏｂｅ：
５’−ＣＣＡＴＧＣＴＧＴＧＣＧＣＣＣＡＧＧＧ−３’  （配列番号：１４９）
３５８８０．３ｕｔｒ−３：
５’−ＧＣＡＣＡＡＡＣＴＡＣＡＣＡＧＧＧＡＡＧＴＣＣ−３’  （配列番号：１５０）
【０２０５】
ＰＲＯ２６９（ＤＮＡ３８２６０−１１８０）：
３８２６０．ｔｍ．ｆ：
５’−ＣＡＧＡＧＣＡＧＡＧＧＧＴＧＣＣＴＴＧ−３’  （配列番号：１５１）
３８２６０．ｔｍ．ｐ：
５’−ＴＧＧＣＧＧＡＧＴＣＣＣＣＴＣＴＴＧＧＣＴ−３’  （配列番号：１５２）
３８２６０．ｔｍ．ｒ：
５’−ＣＣＣＴＧＴＴＴＣＣＣＴＡＴＧＣＡＴＣＡＣＴ−３’  （配列番号：１５３）
ＰＲＯ２７４（ＤＮＡ３９９８７−１１８４）：
３９９８７．ｔｍ．ｆ：
５’−ＧＧＡＣＧＧＴＣＡＧＴＣＡＧＧＡＴＧＡＣＡ−３’  （配列番号：１５４）
３９９８７．ｔｍ．ｐ：
５’−ＴＴＣＧＧＣＡＴＣＡＴＣＴＣＴＴＣＣＣＴＣＴＣＣＣ−３’  （配列番号：１５５）
３９９８７．ｔｍ．ｒ：
５’−ＡＣＡＡＡＡＡＡＡＡＧＧＧＡＡＣＡＡＡＡＴＡＣＧＡ−３’  （配列番号：１５６）
ＰＲＯ３０４（ＤＮＡ３９５２０−１２１７）：
３９５２０．ｔｍ．ｆ：
５’−ＴＣＡＡＣＣＣＣＴＧＡＣＣＣＴＴＴＣＣＴＡ−３’  （配列番号：１５７）
３９５２０．ｔｍ．ｐ：
５’−ＧＧＣＡＧＧＧＧＡＣＡＡＧＣＣＡＴＣＴＣＴＣＣＴ−３’  （配列番号：１５８）
３９５２０．ｔｍ．ｒ：
５’−ＧＧＧＡＣＴＧＡＡＣＴＧＣＣＡＧＣＴＴＣ−３’  （配列番号：１５９）
【０２０６】
ＰＲＯ３３９（ＤＮＡ４３４６６−１２２５）：
４３４６６．ｔｍ．ｆ１：
５’−ＧＧＧＣＣＣＴＡＡＣＣＴＣＡＴＴＡＣＣＴＴＴ−３’  （配列番号：１６０）
４３４６６．ｔｍ．ｐ１：
５’−ＴＧＴＣＴＧＣＣＴＣＡＧＣＣＣＣＡＧＧＡＡＧＧ−３’  （配列番号：１６１）
４３４６６．ｔｍ．ｒ：
５’−ＴＣＴＧＴＣＣＡＣＣＡＴＣＴＴＧＣＣＴＴＧ−３’  （配列番号：１６２）
ＰＲＯ１５５８（ＤＮＡ７１２８２−１６６８）：
７１２８２．ｔｍ．ｆ１：
５’−ＡＣＴＧＣＴＣＣＧＣＣＴＡＣＴＡＣＧＡ−３’  （配列番号：１６３）
７１２８２．ｔｍ．ｐ１：
５’−ＡＧＧＣＡＴＣＣＴＣＧＣＣＧＴＣＣＴＣＡ−３’  （配列番号：１６４）
７１２８２．ｔｍ．ｒ１：
５’−ＡＡＧＧＣＣＡＡＧＧＴＧＡＧＴＣＣＡＴ−３’  （配列番号：１６５）
７１２８２．ｔｍ．ｆ２：
５’−ＣＧＡＧＴＧＴＧＴＧＣＧＡＡＡＣＣＴＡＡ−３’  （配列番号：１６６）
７１２８２．ｔｍ．ｐ２：
５’−ＴＣＡＧＧＧＴＣＴＡＣＡＴＣＡＧＣＣＴＣＣＴＧＣ−３’  （配列番号：１６７）
７１２８２．ｔｍ．ｒ２：
５’−ＡＡＧＧＣＣＡＡＧＧＴＧＡＧＴＣＣＡＴ−３’  （配列番号：１６８）
ＰＲＯ７７９（ＤＮＡ５８８０１−１０５２）：
５８８０１．ｔｍ．ｆ１：
５’−ＣＣＣＴＡＴＣＧＣＴＣＣＡＧＣＣＡＡ−３’  （配列番号：１６９）
５８８０１．ｔｍ．ｐ１：
５’−ＣＧＡＡＧＡＡＧＣＡＣＧＡＡＣＧＡＡＴＧＴＣＧＡＧＡ−３’  （配列番号：１７０）
５８８０１．ｔｍ．ｒ１：
５’−ＣＣＧＡＧＡＡＧＴＴＧＡＧＡＡＡＴＧＴＣＴＴＣＡ−３’  （配列番号：１７１）
【０２０７】
ＰＲＯ１１８５（ＤＮＡ６２８８１−１５１５）：
６２８８１．ｔｍ．ｆ１：
５’−ＡＣＡＧＡＴＣＣＡＧＧＡＧＡＧＡＣＴＣＣＡＣＡ−３’  （配列番号：１７２）
６２８８１．ｔｍ．ｐ１：
５’−ＡＧＣＧＧＣＧＣＴＣＣＣＡＧＣＣＴＧＡＡＴ−３’  （配列番号：１７３）
６２８８１．ｔｍ．ｒ１：
５’−ＣＡＴＧＡＴＴＧＧＴＣＣＴＣＡＧＴＴＣＣＡＴＣ−３’  （配列番号：１７４）
ＰＲＯ１２４５（ＤＮＡ６４８８４−１５２７）：
６４８８７．ｔｍ．ｆ１：
５’−ＡＴＡＧＡＧＧＧＣＴＣＣＣＡＧＡＡＧＴＧ−３’  （配列番号：１７５）
６４８８７．ｔｍ．ｐ１：
５’−ＣＡＧＧＧＣＣＴＴＣＡＧＧＧＣＣＴＴＣＡＣ−３’  （配列番号：１７６）
６４８８７．ｔｍ．ｒ１：
５’−ＧＣＴＣＡＧＣＣＡＡＡＣＡＣＴＧＴＣＡ−３’  （配列番号：１７７）
６４８８７．ｔｍ．ｆ２：
５’−ＧＧＧＧＣＣＣＴＧＡＣＡＧＴＧＴＴ−３’  （配列番号：１７８）
６４８８７．ｔｍ．ｐ２：
５’−ＣＴＧＡＧＣＣＧＡＧＡＣＴＧＧＡＧＣＡＴＣＴＡＣＡＣ−３’  （配列番号：１７９）
６４８８７．ｔｍ．ｒ２：
５’−ＧＴＧＧＧＣＡＧＣＧＴＣＴＴＧＴＣ−３’  （配列番号：１８０）
ＰＲＯ１７５９（ＤＮＡ７６５３１−１７０１）：
７６５３１．ｔｍ．ｆ１：
５’−ＣＣＴＡＣＴＧＡＧＧＡＧＣＣＣＴＡＴＧＣ−３’  （配列番号：１８１）
７６５３１．ｔｍ．ｐ１：
５’−ＣＣＴＧＡＧＣＴＧＴＡＡＣＣＣＣＡＣＴＣＣＡＧＧ−３’  （配列番号：１８２）
７６５３１．ｔｍ．ｒ１：
５’−ＡＧＡＧＴＣＴＧＴＣＣＣＡＧＣＴＡＴＣＴＴＧＴ−３’  （配列番号：１８３）
【０２０８】
ＰＲＯ５７７５（ＤＮＡ９６８６９−２６７３）：
９６８６９．ｔｍ．ｆ１：
５’−ＧＧＧＧＡＡＣＣＡＴＴＣＣＡＡＣＡＴＣ−３’  （配列番号：１８４）
９６８６９．ｔｍ．ｐ１：
５’−ＣＣＡＴＴＣＡＧＣＡＧＧＧＴＧＡＡＣＣＡＣＡＧ−３’  （配列番号：１８５）
９６８６９．ｔｍ．ｒ１：
５’−ＴＣＴＣＣＧＴＧＡＣＣＡＴＧＡＡＣＴＴＧ−３’  （配列番号：１８６）
ＰＲＯ７１３３（ＤＮＡ１２８４５１−２７３９）：
１２８４５１．ｔｍ．ｆ１：
５’−ＴＴＡＧＧＧＡＡＴＴＴＧＧＴＧＣＴＣＡＡ−３’  （配列番号：１８７）
１２８４５１．ｔｍ．ｐ１：
５’−ＴＴＧＣＴＣＴＣＣＣＴＴＧＣＴＣＴＴＣＣＣＣ−３’  （配列番号：１８８）
１２８４５１．ｔｍ．ｒ１：
５’−ＴＣＣＴＧＣＡＧＴＡＧＧＴＡＴＴＴＴＣＡＧＴＴＴ−３’  （配列番号：１８９）
ＰＲＯ７１６８（ＤＮＡ１０２８４６−２７４２）：
１０２８４６．ｔｍ．ｆ１：
５’−ＧＡＧＣＣＧＧＴＧＧＴＣＴＣＡＡＡＣ−３’  （配列番号：１９０）
１０２８４６．ｔｍ．ｐ１：
５’−ＣＣＧＧＧＧＧＴＣＣＴＡＧＴＣＣＣＣＴＴＣ−３’  （配列番号：１９１）
１０２８４６．ｔｍ．ｒ１：
５’−ＴＴＴＡＣＴＧＣＴＧＣＧＣＴＣＣＡＡ−３’  （配列番号：１９２）
【０２０９】
ＰＲＯ５７２５（ＤＮＡ９２２６５−２６６９）：
９２２６５．ｔｍ．ｆ１：
５’−ＣＡＧＣＴＧＣＡＧＴＧＴＧＧＧＡＡＴ−３’  （配列番号：１９３）
９２２６５．ｔｍ．ｐ１：
５’−ＣＡＣＴＡＣＡＧＣＡＡＧＡＡＧＣＴＣＧＣＣＡＧＧ−３’  （配列番号：１９４）
９２２６５．ｔｍ．ｒ１：
５’−ＣＧＣＡＣＡＧＡＧＴＧＴＧＣＡＡＧＴＴＡＴ−３’  （配列番号：１９５）
ＰＲＯ２０２（ＤＮＡ３０８６９）：
３０８６９．ｔｍ．ｆ：
５’−ＣＧＧＡＡＧＧＡＧＧＣＣＡＡＣＣＡ−３’  （配列番号：１９６）
３０８６９．ｔｍ．ｐ：
５’−ＣＧＡＣＡＧＴＧＣＣＡＴＣＣＣＣＡＣＣＴＴＣＡ−３’  （配列番号：１９７）
３０８６９．ｔｍ．ｒ：
５’−ＴＴＣＴＴＴＣＴＣＣＡＴＣＣＣＴＣＣＧＡ−３’  （配列番号：１９８）
ＰＲＯ２０６（ＤＮＡ３４４０５）：
３４４０５．ｔｍ．ｆ：
５’−ＧＣＡＴＧＧＣＣＣＣＡＡＣＧＧＴ−３’  （配列番号：１９９）
３４４０５．ｔｍ．ｐ：
５’−ＣＡＣＧＡＣＴＣＡＧＴＡＴＣＣＡＴＧＣＴＣＴＴＧＡＣＣＴＴＧＴ−３’  （配列番号：２００）
３４４０５．ｔｍ．ｒ：
５’−ＴＧＧＣＴＧＴＡＡＡＴＡＣＧＣＧＴＧＴＴＣＴ−３’  （配列番号：２０１）
【０２１０】
ＰＲＯ２６４（ＤＮＡ３６９９５）：
３６９９５．３ｕｔｒ−５：
５’−ＣＣＴＧＴＧＡＧＡＴＴＧＴＧＧＡＴＧＡＧＡＡＧＡ−３’  （配列番号：２０２）
３６９９５．３ｕｔｒ−ｐｒｏｂｅ：
５’−ＣＣＡＣＡＣＣＡＧＣＣＡＧＡＣＴＣＣＡＧＴＴＧＡＣＣ−３’  （配列番号：２０３）
３６９９５．３ｕｔｒ−３：
５’−ＧＧＧＴＧＧＴＧＣＣＣＴＣＣＴＧＡ−３’  （配列番号：２０４）
ＰＲＯ３１３（ＤＮＡ４３３２０）：
４３３２０．ｔｍ．ｆ：
５’−ＣＣＡＴＴＧＴＴＣＡＧＡＣＧＴＴＧＧＴＣＡ−３’  （配列番号：２０５）
４３３２０．ｔｍ．ｐ：
５’−ＣＴＣＴＧＴＴＡＡＣＴＣＴＡＡＧＡＴＴＣＣＴＡＡＧＧＣＡＴＧＣＴＧＴＧＴＣ−３’  （配列番号：２０６）
４３３２０．ｔｍ．ｒ：
５’−ＡＴＣＧＡＧＡＴＡＧＣＡＣＴＧＡＧＴＴＣＴＧＴＣＧ−３’  （配列番号：２０７）
ＰＲＯ３４２（ＤＮＡ３８６４９）：
３８６４９．ｔｍ．ｆ：
５’−ＣＴＣＧＧＣＴＣＧＣＧＡＡＡＣＴＡＣＡ−３’  （配列番号：２０８）
３８６４９．ｔｍ．ｐ：
５’−ＴＧＣＣＣＧＣＡＣＡＧＡＣＴＴＣＴＡＣＴＧＣＣＴＧ−３’  （配列番号：２０９）
３８６４９．ｔｍ．ｒ：
５’−ＧＧＡＧＣＴＡＣＡＴＡＴＣＡＴＣＣＴＴＧＧＡＣＡ−３’  （配列番号：２１０）
３８６４９．ｔｍ．ｆ２：
５’−ＧＡＧＡＴＡＡＡＣＧＡＣＧＧＧＡＡＧＣＴＣＴＡＣ−３’  （配列番号：２１１）
３８６４９．ｔｍ．ｐ２：
５’−ＡＣＧＣＣＴＡＣＧＴＣＴＣＣＴＡＣＡＧＣＧＡＣＴＧＣ−３’  （配列番号：２１２）
３８６４９．ｔｍ．ｒ２：
５’−ＧＣＴＧＣＧＧＣＴＴＴＡＧＧＡＴＧＡＡＧＴ−３’  （配列番号：２１３）
【０２１１】
ＰＲＯ５４２（ＤＮＡ５６５０５）：
５６５０５．ｔｍ．ｆ１：
５’−ＣＣＴＴＧＧＣＣＴＣＣＡＴＴＴＣＴＧＴＣ−３’  （配列番号：２１４）
５６５０５．ｔｍ．ｐ１：
５’−ＴＧＣＴＧＣＴＣＡＧＧＣＣＣＡＴＧＣＴＡＴＧＡＧＴ−３’  （配列番号：２１５）
５６５０５．ｔｍ．ｒ１：
５’−ＧＧＧＴＧＴＡＧＴＣＣＡＧＡＡＣＡＧＣＴＡＧＡＧＡ−３’  （配列番号：２１６）
ＰＲＯ７７３（ＤＮＡ４８３０３）：
４８３０３．ｔｍ．ｆ１：
５’−ＣＣＣＡＴＴＣＣＣＡＧＣＴＴＣＴＴＧ−３’  （配列番号：２１７）
４８３０３．ｔｍ．ｐ１：
５’−ＣＴＣＡＧＡＧＣＣＡＡＧＧＣＴＣＣＣＣＡＧＡ−３’  （配列番号：２０８）
４８３０３．ｔｍ．ｒ１：
５’−ＴＣＡＡＧＧＡＣＴＧＡＡＣＣＡＴＧＣＴＡＧＡ−３’  （配列番号：２１９）
ＰＲＯ８６１（ＤＮＡ５０７９８）：
５０７９８．ｔｍ．ｆ１：
５’−ＡＣＣＡＴＧＴＡＣＴＡＣＧＴＧＣＣＡＧＣＴＣＴＡ−３’  （配列番号：２２０）
５０７９８．ｔｍ．ｐ１：
５’−ＡＴＴＣＴＧＡＣＴＴＣＣＴＣＴＧＡＴＴＴＴＧＧＣＡＴＧＴＧＧ−３’  （配列番号：２２１）
５０７９８．ｔｍ．ｒ１：
５’−ＧＧＣＴＴＧＡＡＣＴＣＴＣＣＴＴＡＴＡＧＧＡＧＴＧＴ−３’  （配列番号：２２２）
【０２１２】
ＰＲＯ１２１６（ＤＮＡ６６４８９）：
６６４８９．ｔｍ．ｆ１：
５’−ＣＴＡＡＣＴＧＣＣＣＡＧＣＴＣＣＡＡＧＡＡ−３’  （配列番号：２２３）
６６４８９．ｔｍ．ｐ１：
５’−ＴＣＡＣＡＧＣＡＣＴＣＴＣＣＡＧＧＣＡＣＣＴＣＡＡ−３’  （配列番号：２２４）
６６４８９．ｔｍ．ｒ１：
５’−ＴＣＴＧＧＧＣＣＡＣＡＧＡＴＣＣＡＣＴＴ−３’  （配列番号：２２５）
ＰＲＯ１６８６（ＤＮＡ８０８９６）：
８０８９６．ｔｍ．ｆ１：
５’−ＧＣＴＣＡＧＣＣＣＴＡＧＡＣＣＣＴＧＡＣＴＴ−３’  （配列番号：２２６）
８０８９６．ｔｍ．ｐ１：
５’−ＣＡＧＧＣＴＣＡＧＣＴＧＣＴＧＴＴＣＴＡＡＣＣＴＣＡＧＴＡＡＴＧ−３’  （配列番号：２２７）
８０８９６．ｔｍ．ｒ１：
５’−ＣＧＴＧＧＡＣＡＧＣＡＧＧＡＧＣＣＴ−３’  （配列番号：２２８）
ＰＲＯ１８００（ＤＮＡ３５６７２−２５０８）：
３５６７２．ｔｍ．ｆ１：
５’−ＡＣＴＣＧＧＧＡＴＴＣＣＴＧＣＴＧＴＴ−３’  （配列番号：２２９）
３５６７２．ｔｍ．ｐ１：
５’−ＧＧＣＣＴＧＴＣＣＴＧＴＧＴＴＣＴＣＡ−３’  （配列番号：２３０）
３５６７２．ｔｍ．ｒ１：
５’−ＡＧＧＣＣＴＴＴＡＣＣＣＡＡＧＧＣＣＡＣＡＡＣ−３’  （配列番号：２３１）
【０２１３】
ＰＲＯ３５６２（ＤＮＡ９６７９１）：
９６７９１．ｔｍ．ｆ１：
５’−ＧＡＣＣＣＡＣＧＣＧＣＴＡＣＧＡＡ−３’  （配列番号：２３２）
９６７９１．ｔｍ．ｐ１：
５’−ＣＧＧＴＣＴＣＣＴＴＣＡＴＧＧＡＣＧＴＣＡＡＣＡＧ−３’  （配列番号：２３３）
９６７９１．ｔｍ．ｒ１：
５’−ＧＧＴＣＣＡＣＧＧＴＴＣＴＣＣＡＧＧＴ−３’  （配列番号：２３４）
ＰＲＯ９８５０（ＤＮＡ５８７２５）：
５８７２５．ｔｍ．ｆ１：
５’−ＡＴＧＡＴＴＧＧＴＡＧＧＡＡＡＴＧＡＧＧＴＡＡＡＧＴＡＣＴ−３’  （配列番号：２３５）
５８７２５．ｔｍ．ｐ１：
５’−ＣＣＡＴＣＴＴＴＣＴＣＴＧＧＣＡＣＡＴＴＧＡＧＧＡＡＣＴＧ−３’  （配列番号：２３６）
５８７２５．ｔｍ．ｒ１：
５’−ＴＧＡＴＣＴＡＧＡＡＣＴＴＡＡＡＣＴＴＴＧＧＡＡＡＡＣＡＡＣ−３’  （配列番号：２３７）
ＰＲＯ５３９（ＤＮＡ４７４６５−１５６１）：
．ｔｍ．ｆ１：
５’−ＴＣＣＣＡＣＣＡＣＴＴＡＣＴＴＣＣＡＴＧＡＡ−３’  （配列番号：２３８）
４７４６５．ｔｍ．ｐ１：
５’−ＡＴＴＧＴＣＣＴＧＡＧＡＴＴＣＧＡＧＣＡＡＧＡ−３’  （配列番号：２３９）
４７４６５．ｔｍ．ｒ１：
５’−ＣＴＧＴＧＧＴＡＣＣＣＡＡＴＴＧＣＣＧＣＣＴＴＧＴ−３’  （配列番号：２４０）
【０２１４】
ＰＲＯ４３１６（ＤＮＡ９４７１３−２５６１）：
９４７１３．ｔｍ．ｆ１：
５’−ＧＧＴＣＡＣＣＴＧＴＧＧＧＡＣＣＴＴ−３’  （配列番号：２４１）
９４７１３．ｔｍ．ｐ１：
５’−ＴＧＣＡＣＣＴＧＡＣＡＧＡＣＡＡＡＧＣ−３’  （配列番号：２４２）
９４７１３．ｔｍ．ｒ１：
５’−ＴＣＣＣＴＣＡＣＴＣＣＣＣＴＣＣＣＴＣＣＴＡＧＴ−３’  （配列番号：２４３）
ＰＲＯ４９８０（ＤＮＡ９７００３−２６４９）：
９７００３．ｔｍ．ｆ１：
５’−ＡＡＧＣＣＴＴＴＧＧＧＴＣＡＣＡＣＴＣＴ−３’  （配列番号：２４４）
９７００３．ｔｍ．ｐ１：
５’−ＴＧＧＴＣＣＡＣＴＧＴＣＴＣＧＴＴＣＡ−３’  （配列番号：２４５）
９７００３．ｔｍ．ｒ１：
５’−ＣＧＧＡＧＣＴＴＣＣＴＧＴＣＣＣＴＴＴＴＴＣＴＧ−３’  （配列番号：２４６）
【０２１５】
５’ヌクレアーゼアッセイ反応は蛍光ＰＣＲベースの技術であり、実時間での増幅監視のためのＴａｑＤＮＡポリメラーゼ酵素の５’エキソヌクレアーゼ活性を使用する。ＰＣＲ反応に典型的な単位複製配列の生成に２つのオリゴヌクレオチドプライマーを使用した。第３のオリゴヌクレオチド、又はプローブは、２つのＰＣＲプライマーの間に位置する核酸配列を検出するために設計された。プローブはＴａｑＤＮＡポリメラーゼ酵素により非伸展性であり、レポーター蛍光染料及び消光剤蛍光染料で標識される。２つの染料がプローブ上に接近して位置する場合、レポーター染料からのレーザー誘導発光は消光染料によって消光される。増幅反応の間、プローブはＴＡＱ  ＤＮＡポリメラーゼ酵素によりテンプレート依存的方式で切断される。得られたプローブ断片は溶液中に解離し、放出されたレポーター染料からのシグナルは第２のフルオロホアからの消光効果を受けない。レポーター染料の一分子は、新たに合成された各分子について標識され、非消光レポーター染料の検出がデータの定量的解釈の基礎を提供する。
５’ヌクレアーゼ法は、ＡＢＩ  Ｐｒｉｓｍ  ７７００ＴＭ配列検出などの実時間定量的ＰＣＲ装置で実施される。系は温度サイクル器、レーザー、電荷結合装置（ＣＣＤ）カメラ及びコンピュータからなる。系は温度サイクル器上で９６−ウェルでの試料を増幅させる。増幅中に、レーザー誘導蛍光シグナルは光ファイバーケーブルで９６ウェルに集められ、ＣＣＤで検出される。系は装置の実行及びデータの分析のためのソフトウェアを含む。
５’ヌクレアーゼアッセイデータは、最初はＣｔ又は境界サイクルで表現される。これは、レポーターシグナルが蛍光のバックグラウンドを越えて蓄積されるサイクルとして定義される。ΔＣｔ値は核酸試料における特定の標的配列の種発コピー相対数の定量的尺度として使用した。
表２は、本発明のＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０化合物のスクリーニングに用いた種々の原発腫瘍の段階（ｓｔａｇｅ）、Ｔ段階及びＮ段階を記載する。
【０２１６】
2004229504.tif 000026
【０２１７】
ＤＮＡ調製：
ＤＮＡは培養した細胞系、原発腫瘍、正常ヒト血液から調製した。単離は、全てＱｕｉａｇｅｎからの、精製キット、バッファーセット及びプロテアーゼを用い、製造者の指示と下記に従って実施した。
細胞培養溶解：
細胞を洗浄し、チップ当たり７．５ｘ１０８の濃度でトリプシン化し、４℃で５分間１０００ｒｐｍで遠心分離してペレット化し、次いで１／２容量のＰＢＳ再遠心で洗浄した。ペレットを３回洗浄し、懸濁細胞を回収して２ｘＰＢＳで洗浄した。次いで細胞を１０ｍＬのＰＢＳに懸濁させた。バッファーＣ１を４℃で平衡化させた。Ｑｕｉａｇｅｎプロテアーゼ＃１９１５５を６．２５ｍｌの冷ｄｄＨ２Ｏで最終濃度２０ｍｇ／ｍｌまで希釈して４℃で平衡化させた。１０ｍＬのＧ２バッファーを、ＱｕｉａｇｅｎＲＮＡｓｅＡストック（１００ｍｇ／ｍｌ）を２００μｇ／ｍｌの最終濃度まで希釈して調製した。
バッファーＣ１（１０ｍｌ、４℃）及びｄｄＨ２Ｏ（４０ｍｌ、４℃）を、次いで１０ｍｌの細胞懸濁物に添加し、反転させて混合し、氷上で１０分間インキュベートした。細胞核をＢｅｃｋｍａｎスイングバケットロータで４℃において２５００ｒｐｍで１５分間遠心分離することによりペレット化した。上清を捨て、核をボルテックスしながら２ｍｌのバッファーＣ１（４℃）及び６ｍｌのｄｄＨ２Ｏに懸濁し、１秒後に４℃において２５００ｒｐｍで１５分間遠心分離した。次いで核を残りのバッファー中にチップ当たり２００μｌを用いて再懸濁した。Ｇ２バッファー（１０ｍｌ）を懸濁した核に添加しながら緩いボルテックスを適用した。バッファー添加が完了したら、強いボルテックスを３０秒間適用した。Ｑｕｉａｇｅｎプロテアーゼ（２００μｌ上記のように調製）を添加し、５０℃で６０分間インキュベートした。インキュベーション及び遠心分離を、溶解物が透明になるまで繰り返した（例えば、さらに３０−６０分間インキュベートし、４℃で１０分間３０００ｘｇでペレット化する）。
【０２１８】
固体ヒト腫瘍試料の調製及び溶解：
腫瘍試料を秤量し５０ｍｌのコニカル管に配して氷上に保持した。加工は調製当たり２５０ｍｇの組織未満に制限した（１チップ／調製）。プロテアーゼ溶液を６．２５ｍｌの冷ｄｄＨ２Ｏ中に最終濃度２０ｍｇ／ｍｌまで希釈することにより新たに調製して４℃で貯蔵した。ＤＮＡｓｅＡを最終濃度２００ｍｇ／ｍｌまで希釈することによりＧ２バッファー（２０ｍｌ）を調製した（１００ｍｇ／ｍｌのストックから）。エアロゾルの吸入を避けるために層流Ｔフード内でポリトロンの大きなチップを用いて、腫瘍組織を１９ｍｌのＧ２バッファー中で６０秒間均一化し、室温に保持した。試料間で、各々２ＬのｄｄＨ２Ｏで２ｘ３０秒間、次いでＧ２バッファー（５０ｍｌ）でスピンさせることによりポリトロンを透明化した。組織がジェネレータチップ上に存在する場合は、装置を分解して清浄化した。
Ｑｕｉａｇｅｎプロテアーゼ（上記の用に調製、１．０ｍｌ）を添加し、次いでボルテックスして５０℃で３時間インキュベートした。インキュベーション及び遠心分離を、溶解物が透明になるまで繰り返した（例えば、さらに３０−６０分間インキュベートし、４℃で１０分間３０００ｘｇでペレット化する）。
【０２１９】
ヒト血液調製及び溶解：
健常なボランティアから標準的な感染薬プロトコールを用いて血液を採りだし、チップ当たり１０ｍｌの試料にクエン酸化した。Ｑｕｉａｇｅｎプロテアーゼを６．２５ｍｌの冷ｄｄＨ２Ｏ中に最終濃度２０ｍｇ／ｍｌまで希釈することにより新たに調製して４℃で貯蔵した。ＤＮＡｓｅＡを１００ｍｇ／ｍｌのストックから最終濃度２００μｇ／ｍｌまで希釈することによりＧ２バッファー（２０ｍｌ）を調製した。血液（１０ｍｌ）を５０ｍｌのコニカル管に配し、１０ｍｌのＣ１バッファー及び３０ｍｌのｄｄＨ２Ｏ（ともに４℃で平衡化したもの）を添加し、反転させて混合して氷上に１０分間保持した。Ｂｅｃｋｍａｎスイングバケットローターで、４℃において２５００ｒｐｍで１５分間核をペレット化し、上清を捨てた。ボルテックスしながら、核を２ｍｌのＣ１バッファー（４℃）及び６ｍｌのｄｄＨ２Ｏ（４℃）中に懸濁させた。ボルテックスはペレットが白くなるまで繰り返した。次いで核を残りのバッファー中に２００μｌチップを用いて懸濁させた。Ｇ２バッファー（１０ｍｌ）を懸濁核に添加しながら緩くボルテックスし、次いで３０秒間強くボルテックスした。Ｑｕｉａｇｅｎプロテアーゼを添加（２００μｌ）し、５０℃で６０分間インキュベートした。インキュベーション及び遠心分離を、溶解物が透明になるまで繰り返した（例えば、さらに３０−６０分間インキュベートし、４℃で１０分間３０００ｘｇでペレット化する）。
【０２２０】
透明化溶解物の精製：
（１）ゲノムＤＮＡの単離：
ゲノムＤＮＡを１０ｍｌのＱＢＴバッファーで平衡化した（最大チップ調製当たり１試料）。ＱＦ溶離バッファーを５０℃で平衡化した。試料を３０秒間ボルテックスし、次いで平衡化チップに負荷して重力により排液した。チップを２ｘ１５ｍｌのＱＣバッファーで洗浄した。ＤＮＡを、３０ｍｌのシラン化したオートクレーブ３０ｍｌＣｏｒｔｅｘ管に１５ｍｌのＱＦバッファー（５０℃）で溶離した。イソプロパノール（１０．５ｍｌ）を各試料に添加し、管をパラフィンで被覆し、ＤＮＡが沈殿するまで繰り返し反転させて混合した。試料を、ＳＳ−３４ロータで４℃において１５，０００ｒｐｍで１０分間遠心分離してペレット化した。ペレット位置をマークして上清を捨て、１０ｍｌの７０％エタノール（４℃）を添加した。試料を、ＳＳ−３４ロータで４℃において１０，０００ｒｐｍで１０分間遠心分離して再度ペレット化した。ペレット位置をマークして上清を捨てた。次いで管を乾燥棚の各面に置き、３７℃で１０分間乾燥させたが、使用の過剰乾燥には注意した。
乾燥後、ペレットを１．０ｍｌのＴＥ（ｐＨ８．５）に溶解し、５０℃に１−２時間置いた。試料を４℃に終夜保持して溶解を続けた。次いでＤＮＡ溶液を、ツベルクリンシリンジ上に２６ゲージの針を具備する１．５ｍｌ管に移した。ＤＮＡを剪断するために移行を５ｘ繰り返した。次いで試料を５０℃に１−２時間置いた。
【０２２１】
（２）ゲノムＤＮＡの定量及び遺伝子増幅アッセイのための調製：
各管のＤＮＡレベルを１：２０希釈（５μｌＤＮＡ＋９５μｌｄｄＨ２Ｏ）での標準的なＡ２６０、Ａ２８０分光分析により、Ｂｅｃｋｍａｎ  ＤＵ６４０分光光度計の０．１ｍｌ石英キュベットを用いて定量した。Ａ２６０／Ａ２８０比率は１．８−１．９の範囲であった。次いで各ＤＮＡ試料をＴＥ（ｐＨ８．５）中に約２００ｎｇ／ｍｌまで希釈した。最初の材料が高濃度（約７００ｎｇ／μｌ）である場合、材料を５０℃に再懸濁するまで数時間置いた。
次いで、希釈した材料（２０−６００ｎｇ／ｍｌ）に対して、製造者の指示を以下のように改変して蛍光ＤＮＡ定量化を実施した。これは、Ｈｏｅｆｆｅｒ  ＤｙＮＡ  Ｑｕａｎｔ  ２００蛍光計を約１５分間暖めて実施した。Ｈｏｅｃｈｓｔ染料作業溶液（＃Ｈ３３２５８、１０μｌ、使用の１２時間以内に調製）を１００ｍｌの１ｘＴＮＥバッファーに希釈した。２ｍｌキュベットを蛍光計溶液で満たし、機械に配し、機械をゼロ調節した。ｐＧＥＭ３Ｚｆ（＋）（２μｌ、ロット＃３６０８５１０２６）を２ｍｌの蛍光計溶液に添加して２００単位で校正した。次いで、さらに２μｌのｐＧＥＭ３Ｚｆ（＋）ＤＮＡを試験し、４００＋／−１０単位で読みを確認した。次いで各試料を少なくとも３回読んだ。３試料が互いに１０％以内であることが見られたとき、それらの平均をとり、この値を定量化値として用いた。
次いで、蛍光測定で決定した濃度を、各試料をｄｄＨ２Ｏ中に１０ｎｇ／μｌまで希釈するのに用いた。これは、１回のＴａｑＭａｎプレートアッセイについて全てのテンプレート試料について同時に行い、５００−１０００アッセイを実施するのに十分な材料で行った。試料は、Ｔａｑｍａｎ（商品名）プライマー及びプローブで３回試験し、Ｂ−アクチン及びＧＡＰＤＨともに正常なヒトＤＮＡを持ちテンプレート対照を持たない単一のプレート上にある。希釈した試料を用いたが、試験ＤＮＡから減算した正常ヒトＤＮＡのＣＴ値は＋／−１ＣＴであった。希釈した、ロット定性化したゲノムＤＮＡを、１．０ｍｌアリコートで−８０℃において保存した。続いて遺伝し増幅アッセイに使用するアリコートは、４℃で保存した。各１ｍｌのアリコートは、８−９プレート又は６４試験に十分である。
【０２２２】
遺伝子増幅アッセイ：
本発明のＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０化合物を以下の原発腫瘍でスクリーニングし、得られたΔＣｔ値を表３に報告する。
【０２２３】
2004229504.tif 000027
【０２２４】
2004229504.tif 000028
【０２２５】
2004229504.tif 000029
【０２２６】
2004229504.tif 000030
【０２２７】
2004229504.tif 000031
【０２２８】
2004229504.tif 000032
【０２２９】
2004229504.tif 000033
【０２３０】
2004229504.tif 000034
【０２３１】
2004229504.tif 000035
【０２３２】
2004229504.tif 000036
【０２３３】
2004229504.tif 000037
【０２３４】
2004229504.tif 000038
【０２３５】
2004229504.tif 000039
【０２３６】
2004229504.tif 000040
【０２３７】
2004229504.tif 000041
【０２３８】
2004229504.tif 000042
【０２３９】
2004229504.tif 000043
【０２４０】
2004229504.tif 000044
【０２４１】
2004229504.tif 000045
【０２４２】
2004229504.tif 000046
【０２４３】
2004229504.tif 000047
【０２４４】
2004229504.tif 000048
【０２４５】
2004229504.tif 000049
【０２４６】
2004229504.tif 000050
【０２４７】
2004229504.tif 000051
【０２４８】
2004229504.tif 000052
【０２４９】
2004229504.tif 000053
【０２５０】
2004229504.tif 000054
【０２５１】
2004229504.tif 000055
【０２５２】
2004229504.tif 000056
【０２５３】
2004229504.tif 000057
【０２５４】
2004229504.tif 000058
【０２５５】
2004229504.tif 000059
【０２５６】
2004229504.tif 000060
【０２５７】
議論と結論：
ＰＲＯ１９７（ＤＮＡ２２７８０−１０７８）：
種々の腫瘍におけるＤＮＡ２２７８０−１０７８についてのΔＣｔ値を表７Ａに報告する。ΔＣｔ＞１は典型的に増幅評点化の閾値として用い、これは２倍の遺伝子コピーを表す。表７Ａは原発肺腫瘍：ＬＴ１３、ＬＴ３、ＬＴ９、ＬＴ２１、ＬＴ６、ＬＴ１０、ＬＴ１１、ＬＴ１５及びＬＴ１７におけるＰＲＯ１９７ポリペプチドをコードする核酸ＤＮＡ２２７８０−１０７８の有意な増幅を示す。
ＤＮＡ２２７８０−１０７８の増幅は種々の肺腫瘍で生じたので、腫瘍形成及び成長における有意な役割を果たす可能性が高い。結果として、ＤＮＡ２２７８０−１０７８にコードされるタンパク質（ＰＲＯ１９７）に対するアンタゴニスト（例えば抗体）は、癌治療における有用性を持つと予測される。
【０２５８】
ＰＲＯ２０７（ＤＮＡ３０８７９−１１５２）：
種々の腫瘍におけるＤＮＡ３０８７９−１１５２についてのΔＣｔ値を表７Ａに報告する。ΔＣｔ＞１は典型的に増幅評点化の閾値として用い、これは２倍の遺伝子コピーを表す。表７Ａは（１）原発肺腫瘍：ＬＴ１３、ＬＴ３、ＬＴ２１、ＬＴ１１、ＬＴ１５、ＬＴ１７及びＬＴ１９；（２）原発大腸腫瘍：ＣＴ３、ＣＴ１０、ＣＴ１５、ＣＴ１、ＣＴ４、ＣＴ５及びＣＴ１１；及び（３）大腸腫瘍細胞系：ＳＷ４８０、ＳＷ６２０、Ｃｏｌｏ３２０、ＨＣＴ１１６及びＳＫＣ０１におけるＰＲＯ２０７ポリペプチドをコードする核酸ＤＮＡ３０８７９−１１５２の有意な増幅を示す。
ＤＮＡ３０８７９−１１５２の増幅は種々の腫瘍で生じたので、腫瘍形成及び成長における有意な役割を果たす可能性が高い。結果として、ＤＮＡ３０８７９−１１５２にコードされるタンパク質（ＰＲＯ２０７）に対するアンタゴニスト（例えば抗体）は、癌治療における有用性を持つと予測される。
【０２５９】
ＰＲＯ２２６（ＤＮＡ３３４６０−１１６６）：
種々の腫瘍におけるＤＮＡ３３４６０−１１６６についてのΔＣｔ値を表７Ａに報告する。ΔＣｔ＞１は典型的に増幅評点化の閾値として用い、これは２倍の遺伝子コピーを表す。表７Ａは（１）原発肺腫瘍：ＬＴ７、ＬＴ１３、ＬＴ３、ＬＴ４、ＬＴ９、ＬＴ２１、ＬＴ１ａ、ＬＴ１１、ＬＴ１５、ＬＴ１７及びＬＴ１９；（２）原発大腸腫瘍：ＣＴ２、ＣＴ３、ＣＴ１２、ＣＴ１４、ＣＴ１５、ＣＴ４、ＣＴ５及びＣＴ１１；及び（３）大腸腫瘍細胞系：ＳＷ４８０、ＳＷ６２０、ＨＴ２９、ＨＭ７、ＷｉＤｒ、ＨＣＴ１１６、ＳＫＣ０１及びＳＷ４０３におけるＰＲＯ２２６ポリペプチドをコードする核酸ＤＮＡ３３４６０−１１６６の有意な増幅を示す。
ＤＮＡ３３４６０−１１６６の増幅は種々の腫瘍で生じたので、腫瘍形成及び成長における有意な役割を果たす可能性が高い。結果として、ＤＮＡ３３４６０−１１６６にコードされるタンパク質（ＰＲＯ２２６）に対するアンタゴニスト（例えば抗体）は、癌治療における有用性を持つと予測される。
【０２６０】
ＰＲＯ２３２（ＤＮＡ３４４３５−１１４０）：
種々の腫瘍におけるＤＮＡ３４４３５−１１４０についてのΔＣｔ値を表７Ａに報告する。ΔＣｔ＞１は典型的に増幅評点化の閾値として用い、これは２倍の遺伝子コピーを表す。表７Ａは（１）原発肺腫瘍：ＬＴ１２、ＬＴ１５、ＬＴ１７、ＬＴ１８及びＬＴ１９；及び（２）原発大腸腫瘍：ＣＴ１、ＣＴ４、ＣＴ５、ＣＴ７、ＣＴ９、ＣＴ１１及びＣＴ１８におけるＰＲＯ２３２ポリペプチドをコードする核酸ＤＮＡ３４４３５−１１４０の有意な増幅を示す。
ＤＮＡ３４４３５−１１４０の増幅は種々の腫瘍で生じたので、腫瘍形成及び成長における有意な役割を果たす可能性が高い。結果として、ＤＮＡ３４４３５−１１４０にコードされるタンパク質（ＰＲＯ２３２）に対するアンタゴニスト（例えば抗体）は、癌治療における有用性を持つと予測される。
【０２６１】
ＰＲＯ２４３（ＤＮＡ３５９１７−１２０７）：
種々の腫瘍におけるＤＮＡ３５９１７−１２０７についてのΔＣｔ値を表７Ａに報告する。ΔＣｔ＞１は典型的に増幅評点化の閾値として用い、これは２倍の遺伝子コピーを表す。表７Ａは（１）原発肺腫瘍：ＬＴ１３、ＬＴ３、ＬＴ１２、ＬＴ１１、ＬＴ１５、ＬＴ１６、ＬＴ１７及びＬＴ１９；及び（２）原発大腸腫瘍：ＣＴ１４及びＣＴ５におけるＰＲＯ２４３ポリペプチドをコードする核酸ＤＮＡ３５９１７−１２０７の有意な増幅を示す。
ＤＮＡ３５９１７−１２０７の増幅は種々の腫瘍で生じたので、腫瘍形成及び成長における有意な役割を果たす可能性が高い。結果として、ＤＮＡ３５９１７−１２０７にコードされるタンパク質（ＰＲＯ２４３）に対するアンタゴニスト（例えば抗体）は、癌治療における有用性を持つと予測される。
【０２６２】
ＰＲＯ２５６（ＤＮＡ３５８８０−１１６０）：
種々の腫瘍におけるＤＮＡ３５８８０−１１６０についてのΔＣｔ値を表７Ａに報告する。ΔＣｔ＞１は典型的に増幅評点化の閾値として用い、これは２倍の遺伝子コピーを表す。表７Ａは原発大腸腫瘍細胞系：ＳＷ６２０、ＨＴ２９、ＷｉＤｒ、及びＨＣＴ１１６におけるＰＲＯ２５６ポリペプチドをコードする核酸ＤＮＡ３５８８０−１１６０の有意な増幅を示す。
ＤＮＡ３５８８０−１１６０の増幅は種々の腫瘍で生じたので、腫瘍形成及び成長における有意な役割を果たす可能性が高い。結果として、ＤＮＡ３５８８０−１１６０にコードされるタンパク質（ＰＲＯ２５６）に対するアンタゴニスト（例えば抗体）は、癌治療における有用性を持つと予測される。
【０２６３】
ＰＲＯ２６９（ＤＮＡ３８２６０−１１８０）：
種々の腫瘍におけるＤＮＡ３８２６０−１１８０についてのΔＣｔ値を表７Ａに報告する。ΔＣｔ＞１は典型的に増幅評点化の閾値として用い、これは２倍の遺伝子コピーを表す。表７Ａは原発肺腫瘍：ＬＴ７、ＬＴ１３、ＬＴ９、ＬＴ１２、ＬＴ１１、ＬＴ１５、ＬＴ１７及びＬＴ１９におけるＰＲＯ２６９ポリペプチドをコードする核酸ＤＮＡ３８２６０−１１８０の有意な増幅を示す。
ＤＮＡ３８２６０−１１８０の増幅は種々の肺腫瘍で生じたので、腫瘍形成及び成長における有意な役割を果たす可能性が高い。結果として、ＤＮＡ３８２６０−１１８０にコードされるタンパク質（ＰＲＯ２６９）に対するアンタゴニスト（例えば抗体）は、癌治療における有用性を持つと予測される。
【０２６４】
ＰＲＯ２７４（ＤＮＡ３９９８７−１１８４）：
種々の腫瘍におけるＤＮＡ３９９８７−１１８４についてのΔＣｔ値を表７Ａに報告する。ΔＣｔ＞１は典型的に増幅評点化の閾値として用い、これは２倍の遺伝子コピーを表す。表７Ａは原発肺腫瘍：ＬＴ４、ＬＴ１６及びＬＴ１８におけるＰＲＯ２７４ポリペプチドをコードする核酸ＤＮＡ３９９８７−１１８４の有意な増幅を示す。
ＤＮＡ３９９８７−１１８４の増幅は種々の肺腫瘍で生じたので、腫瘍形成及び成長における有意な役割を果たす可能性が高い。結果として、ＤＮＡ３９９８７−１１８４にコードされるタンパク質（ＰＲＯ２７４）に対するアンタゴニスト（例えば抗体）は、癌治療における有用性を持つと予測される。
【０２６５】
ＰＲＯ３０４（ＤＮＡ３９５２０−１２１７）：
種々の腫瘍におけるＤＮＡ３９５２０−１２１７についてのΔＣｔ値を表７Ａに報告する。ΔＣｔ＞１は典型的に増幅評点化の閾値として用い、これは２倍の遺伝子コピーを表す。表７Ａは原発肺腫瘍：ＬＴ１３、ＬＴ１２、ＬＴ１１、ＬＴ１５、ＬＴ１６、ＬＴ１７及びＬＴ１９におけるＰＲＯ３０４ポリペプチドをコードする核酸ＤＮＡ３９５２０−１２１７の有意な増幅を示す。
ＤＮＡ３９５２０−１２１７の増幅は種々の肺腫瘍で生じたので、腫瘍形成及び成長における有意な役割を果たす可能性が高い。結果として、ＤＮＡ３９５２０−１２１７にコードされるタンパク質（ＰＲＯ３０４）に対するアンタゴニスト（例えば抗体）は、癌治療における有用性を持つと予測される。
【０２６６】
ＰＲＯ３３９（ＤＮＡ４３４６６−１２２５）：
種々の腫瘍におけるＤＮＡ４３４６６−１２２５についてのΔＣｔ値を表７Ａに報告する。ΔＣｔ＞１は典型的に増幅評点化の閾値として用い、これは２倍の遺伝子コピーを表す。表７Ａは原発肺腫瘍：ＬＴ７、ＬＴ１３、ＬＴ３、ＬＴ９、ＬＴ１２、ＬＴ１１及びＬＴ１７におけるＰＲＯ３３９ポリペプチドをコードする核酸ＤＮＡ４３４６６−１２２５の有意な増幅を示す。
ＤＮＡ４３４６６−１２２５の増幅は種々の肺腫瘍で生じたので、腫瘍形成及び成長における有意な役割を果たす可能性が高い。結果として、ＤＮＡ４３４６６−１２２５にコードされるタンパク質（ＰＲＯ３３９）に対するアンタゴニスト（例えば抗体）は、癌治療における有用性を持つと予測される。
【０２６７】
ＰＲＯ１５５８（ＤＮＡ７１２８２−１６６８）：
種々の腫瘍におけるＤＮＡ７１２８２−１６６８についてのΔＣｔ値を表７Ａに報告する。ΔＣｔ＞１は典型的に増幅評点化の閾値として用い、これは２倍の遺伝子コピーを表す。表７Ａは（１）原発肺腫瘍：ＨＦ−０００８４２、ＨＦ−００１２９４、ＨＦ−００１２９６、及びＨＦ−００１２９９；及び（２）大腸腫瘍中心ＨＦ−０００７９５におけるＰＲＯ１５５８ポリペプチドをコードする核酸ＤＮＡ７１２８２−１６６８の有意な増幅を示す。
ＤＮＡ７１２８２−１６６８の増幅は種々の腫瘍で生じたので、腫瘍形成及び成長における有意な役割を果たす可能性が高い。結果として、ＤＮＡ７１２８２−１６６８にコードされるタンパク質（ＰＲＯ１５５８）に対するアンタゴニスト（例えば抗体）は、癌治療における有用性を持つと予測される。
【０２６８】
ＰＲＯ７７９（ＤＮＡ５８８０１−１０５２）：
種々の腫瘍におけるＤＮＡ５８８０１−１０５２についてのΔＣｔ値を表７Ａに報告する。ΔＣｔ＞１は典型的に増幅評点化の閾値として用い、これは２倍の遺伝子コピーを表す。表７Ａは（１）原発肺腫瘍：ＬＴ１３、ＬＴ３、ＬＴ９、ＬＴ１２、ＬＴ２１、ＬＹ１−ａ、ＬＴ６、ＬＴ１０、ＬＴ１１、ＬＴ１５、ＬＴ１６、ＬＴ１７、ＬＴ１８、ＬＴ１９及びＨＦ−０００８４０；（２）原発大腸腫瘍：ＣＴ２、ＣＴ３、ＣＴ８、ＣＴ１０、ＣＴ１２、ＣＴ１４、ＣＴ１５、ＣＴ１６、ＣＴ１７、ＣＴ１、ＣＴ４、ＣＴ５、ＣＴ６、ＣＴ７、ＣＴ９及びＣＴ１１；及び（３）大腸腫瘍細胞系：ＳＷ４８０、ＳＷ６２０、Ｃｏｌｏ３２０、ＨＴ２９、ＨＭ７、ＷｉＤｒ、ＨＣＴ１１６、ＨＣＴ１１６、ＳＫＣ０１及びＬＳ１７４ＴにおけるＰＲＯ７７９ポリペプチドをコードする核酸ＤＮＡ５８８０１−１０５２の有意な増幅を示す。
ＤＮＡ５８８０１−１０５２の増幅は種々の腫瘍で生じたので、腫瘍形成及び成長における有意な役割を果たす可能性が高い。結果として、ＤＮＡ５８８０１−１０５２にコードされるタンパク質（ＰＲＯ７７９）に対するアンタゴニスト（例えば抗体）は、癌治療における有用性を持つと予測される。
【０２６９】
ＰＲＯ１１８５（ＤＮＡ６２８８１−１５１５）：
種々の腫瘍におけるＤＮＡ６２８８１−１５１５についてのΔＣｔ値を表７Ａに報告する。ΔＣｔ＞１は典型的に増幅評点化の閾値として用い、これは２倍の遺伝子コピーを表す。表７Ａは（１）原発肺腫瘍：ＬＴ３及びＬＴ３０；及び（２）原発大腸腫瘍：ＣＴ２におけるＰＲＯ１１８５ポリペプチドをコードする核酸ＤＮＡ６２８８１−１５１５の有意な増幅を示す。
ＤＮＡ６２８８１−１５１５の増幅は種々の腫瘍で生じたので、腫瘍形成及び成長における有意な役割を果たす可能性が高い。結果として、ＤＮＡ６２８８１−１５１５にコードされるタンパク質（ＰＲＯ１１８５）に対するアンタゴニスト（例えば抗体）は、癌治療における有用性を持つと予測される。
【０２７０】
ＰＲＯ１２４５（ＤＮＡ６４８８４−１５２７）：
種々の腫瘍におけるＤＮＡ６４８８４−１５２７についてのΔＣｔ値を表７Ａに報告する。ΔＣｔ＞１は典型的に増幅評点化の閾値として用い、これは２倍の遺伝子コピーを表す。表７Ａは（１）原発肺腫瘍：ＬＴ１３、ＬＴ１５及びＬＴ１６；（２）肺腫瘍細胞系Ｈ５２２；及び（３）原発大腸腫瘍：ＣＴ１５におけるＰＲＯ１２４５ポリペプチドをコードする核酸ＤＮＡ６４８８４−１５２７の有意な増幅を示す。
ＤＮＡ６４８８４−１５２７の増幅は種々の腫瘍で生じたので、腫瘍形成及び成長における有意な役割を果たす可能性が高い。結果として、ＤＮＡ６４８８４−１５２７にコードされるタンパク質（ＰＲＯ１２４５）に対するアンタゴニスト（例えば抗体）は、癌治療における有用性を持つと予測される。
【０２７１】
ＰＲＯ１７５９（ＤＮＡ７６５３１−１７０１）：
種々の腫瘍におけるＤＮＡ７６５３１−１７０１についてのΔＣｔ値を表７Ｂに報告する。ΔＣｔ＞１は典型的に増幅評点化の閾値として用い、これは２倍の遺伝子コピーを表す。表７Ｂは（１）原発肺腫瘍：ＨＦ−０００８４０及びＨＦ−００１２９６；（２）原発大腸腫瘍：ＨＦ−０００７９５におけるＰＲＯ１７５９ポリペプチドをコードする核酸ＤＮＡ７６５３１−１７０１の有意な増幅を示す。
ＤＮＡ７６５３１−１７０１の増幅は種々の腫瘍で生じたので、腫瘍形成及び成長における有意な役割を果たす可能性が高い。結果として、ＤＮＡ７６５３１−１７０１にコードされるタンパク質（ＰＲＯ１７５９）に対するアンタゴニスト（例えば抗体）は、癌治療における有用性を持つと予測される。
【０２７２】
ＰＲＯ５７７５（ＤＮＡ９６８６９−２６７３）：
種々の腫瘍におけるＤＮＡ９６８６９−２６７３についてのΔＣｔ値を表７Ｂに報告する。ΔＣｔ＞１は典型的に増幅評点化の閾値として用い、これは２倍の遺伝子コピーを表す。表７Ｂは（１）原発肺腫瘍：ＨＦ−０００６３１、ＨＦ−０００６４１、ＨＦ−０００６４３、ＨＦ−０００８４０、ＨＦ−０００８４２、ＨＦ−００１２９３、ＨＦ−００１２９４、ＨＦ−００１２９５、ＨＦ−００１２９６及びＨＦ−００１２９９；（２）原発大腸腫瘍：ＨＦ−０００７９２、ＨＦ−０００７８９及びＨＦ−０００８１１におけるＰＲＯ５７７５ポリペプチドをコードする核酸ＤＮＡ９６８６９−２６７３の有意な増幅を示す。
ＤＮＡ９６８６９−２６７３の増幅は種々の腫瘍で生じたので、腫瘍形成及び成長における有意な役割を果たす可能性が高い。結果として、ＤＮＡ９６８６９−２６７３にコードされるタンパク質（ＰＲＯ５７７５）に対するアンタゴニスト（例えば抗体）は、癌治療における有用性を持つと予測される。
【０２７３】
ＰＲＯ７１３３（ＤＮＡ１２８４５１−２７３９）：
種々の腫瘍におけるＤＮＡ１２８４５１−２７３９についてのΔＣｔ値を表７Ｂに報告する。ΔＣｔ＞１は典型的に増幅評点化の閾値として用い、これは２倍の遺伝子コピーを表す。表７Ｂは（１）原発肺腫瘍：ＨＦ−０００８４０及びＨＦ−００１２９６；及び（２）原発大腸腫瘍：ＨＦ−０００７９５及びＨＦ−０００８１１におけるＰＲＯ７１３３ポリペプチドをコードする核酸ＤＮＡ１２８４５１−２７３９の有意な増幅を示す。
ＤＮＡ１２８４５１−２７３９の増幅は種々の腫瘍で生じたので、腫瘍形成及び成長における有意な役割を果たす可能性が高い。結果として、ＤＮＡ１２８４５１−２７３９にコードされるタンパク質（ＰＲＯ７１３３）に対するアンタゴニスト（例えば抗体）は、癌治療における有用性を持つと予測される。
【０２７４】
ＰＲＯ７１６８（ＤＮＡ１０２８４６−２７４２）：
種々の腫瘍におけるＤＮＡ１０２８４６−２７４２についてのΔＣｔ値を表７Ｂに報告する。ΔＣｔ＞１は典型的に増幅評点化の閾値として用い、これは２倍の遺伝子コピーを表す。表７Ｂは原発肺腫瘍：ＨＦ−０００６３１、ＨＦ−０００８４０及びＨＦ−０００８４２におけるＰＲＯ７１６８ポリペプチドをコードする核酸ＤＮＡ１０２８４６−２７４２の有意な増幅を示す。
ＤＮＡ１０２８４６−２７４２の増幅は種々の腫瘍で生じたので、腫瘍形成及び成長における有意な役割を果たす可能性が高い。結果として、ＤＮＡ１０２８４６−２７４２にコードされるタンパク質（ＰＲＯ７１６８）に対するアンタゴニスト（例えば抗体）は、癌治療における有用性を持つと予測される。
【０２７５】
ＰＲＯ５７２５（ＤＮＡ９２２６５−２６６９）：
種々の腫瘍におけるＤＮＡ９２２６５−２６６９についてのΔＣｔ値を表７Ｂに報告する。ΔＣｔ＞１は典型的に増幅評点化の閾値として用い、これは２倍の遺伝子コピーを表す。表７Ｂは（１）原発肺腫瘍：ＨＦ−０００６４１、ＨＦ−０００８４０、ＨＦ−００１２９５及びＨＦ−００１２９６；及び（２）原発大腸腫瘍中心：ＨＦ−０００７６２及びＨＦ−０００７９５におけるＰＲＯ５７２５ポリペプチドをコードする核酸ＤＮＡ９２２６５−２６６９の有意な増幅を示す。
ＤＮＡ９２２６５−２６６９の増幅は種々の腫瘍で生じたので、腫瘍形成及び成長における有意な役割を果たす可能性が高い。結果として、ＤＮＡ９２２６５−２６６９にコードされるタンパク質（ＰＲＯ５７２５）に対するアンタゴニスト（例えば抗体）は、癌治療における有用性を持つと予測される。
【０２７６】
ＰＲＯ２０２（ＤＮＡ３０８６９）：
種々の腫瘍におけるＤＮＡ３０８６９についてのΔＣｔ値を表７Ｂに報告する。ΔＣｔ＞１は典型的に増幅評点化の閾値として用い、これは２倍の遺伝子コピーを表す。表７Ｂは原発肺腫瘍：ＬＴ７、ＬＴ１３、ＬＴ１、ＬＴ３、ＬＴ４、ＬＴ９、ＬＴ１２、ＬＴ１ａ、ＬＴ６、ＬＴ１１、ＬＴ１５、ＬＴ１６、ＬＴ１７、及びＬＴ１９におけるＰＲＯ２０２ポリペプチドをコードする核酸ＤＮＡ３０８６９の有意な増幅を示す。
ＤＮＡ３０８６９の増幅は種々の腫瘍で生じたので、腫瘍形成及び成長における有意な役割を果たす可能性が高い。結果として、ＤＮＡ３０８６９にコードされるタンパク質（ＰＲＯ２０２）に対するアンタゴニスト（例えば抗体）は、癌治療における有用性を持つと予測される。
【０２７７】
ＰＲＯ２０６（ＤＮＡ３４４０５）：
種々の腫瘍におけるＤＮＡ３４４０５についてのΔＣｔ値を表７Ｂに報告する。ΔＣｔ＞１は典型的に増幅評点化の閾値として用い、これは２倍の遺伝子コピーを表す。表７Ｂは原発大腸腫瘍：ＣＴ２、ＣＴ１０、ＣＴ１２、ＣＴ１４、ＣＴ１５、ＣＴ１６、ＣＴ５及びＣＴ１８におけるＰＲＯ２０６ポリペプチドをコードする核酸ＤＮＡ３４４０５の有意な増幅を示す。
ＤＮＡ３４４０５の増幅は種々の腫瘍で生じたので、腫瘍形成及び成長における有意な役割を果たす可能性が高い。結果として、ＤＮＡ３４４０５にコードされるタンパク質（ＰＲＯ２０６）に対するアンタゴニスト（例えば抗体）は、癌治療における有用性を持つと予測される。
【０２７８】
ＰＲＯ２６４（ＤＮＡ３６９９５）：
種々の腫瘍におけるＤＮＡ３６９９５についてのΔＣｔ値を表７Ｂに報告する。ΔＣｔ＞１は典型的に増幅評点化の閾値として用い、これは２倍の遺伝子コピーを表す。表７Ｂは原発肺腫瘍：ＬＴ３、ＬＴ４、ＬＴ９、ＬＴ１ａ、ＬＴ６及びＬＴ１７におけるＰＲＯ２６４ポリペプチドをコードする核酸ＤＮＡ３６９９５の有意な増幅を示す。
ＤＮＡ３６９９５の増幅は種々の腫瘍で生じたので、腫瘍形成及び成長における有意な役割を果たす可能性が高い。結果として、ＤＮＡ３６９９５にコードされるタンパク質（ＰＲＯ２６４）に対するアンタゴニスト（例えば抗体）は、癌治療における有用性を持つと予測される。
【０２７９】
ＰＲＯ３１３（ＤＮＡ４３３２０）：
種々の腫瘍におけるＤＮＡ４３３２０についてのΔＣｔ値を表７Ｂに報告する。ΔＣｔ＞１は典型的に増幅評点化の閾値として用い、これは２倍の遺伝子コピーを表す。表７Ｂは（１）原発肺腫瘍：ＬＴ９、ＬＴ１２、ＬＴ１６及びＬＴ１９；（２）原発大腸腫瘍：ＣＴ２。ＣＴ１、ＣＴ４、ＣＴ５、ＣＴ９及びＣＴ１１；及び（３）大腸腫瘍細胞系ＳＷ６２０におけるＰＲＯ３１３ポリペプチドをコードする核酸ＤＮＡ４３３２０の有意な増幅を示す。
ＤＮＡ４３３２０の増幅は種々の腫瘍で生じたので、腫瘍形成及び成長における有意な役割を果たす可能性が高い。結果として、ＤＮＡ４３３２０にコードされるタンパク質（ＰＲＯ３１３）に対するアンタゴニスト（例えば抗体）は、癌治療における有用性を持つと予測される。
【０２８０】
ＰＲＯ３４２（ＤＮＡ３８６４９）：
種々の腫瘍におけるＤＮＡ３８６４９についてのΔＣｔ値を表７Ｂに報告する。ΔＣｔ＞１は典型的に増幅評点化の閾値として用い、これは２倍の遺伝子コピーを表す。表７Ｂは（１）原発肺腫瘍：ＬＴ７、ＬＴ１３、ＬＴ３、ＬＴ９、ＬＴ１２、ＬＴ２１、ＬＴ１ａ、ＬＴ６、ＬＴ１０、ＬＴ１１、ＬＴ１５、ＬＴ１６、ＬＴ１７、ＬＴ１９、ＨＦ−０００８４０、ＨＦ−０００８４２、ＨＦ−００１２９４、及びＨＦ−００１２９６；（２）原発大腸腫瘍：ＣＴ２、ＣＴ３、ＣＴ８、ＣＴ１０、ＣＴ１２、ＣＴ１４、ＣＴ１５、ＣＴ１６、ＣＴ１７、ＣＴ１、ＣＴ４、ＣＴ５、ＣＴ６、ＣＴ９、及びＣＴ１１；（３）肺腫瘍細胞系：Ｃａｌｕ−１及びＨ４４１；及び（４）大腸腫瘍細胞系：ＳＷ６２０及びＬＳ１７４ＴにおけるＰＲＯ３４２ポリペプチドをコードする核酸ＤＮＡ３８６４９の有意な増幅を示す。
ＤＮＡ３８６４９の増幅は種々の腫瘍で生じたので、腫瘍形成及び成長における有意な役割を果たす可能性が高い。結果として、ＤＮＡ３８６４９にコードされるタンパク質（ＰＲＯ３４２）に対するアンタゴニスト（例えば抗体）は、癌治療における有用性を持つと予測される。
【０２８１】
ＰＲＯ５４２（ＤＮＡ５６５０５）：
種々の腫瘍におけるＤＮＡ５６５０５についてのΔＣｔ値を表７Ｂに報告する。ΔＣｔ＞１は典型的に増幅評点化の閾値として用い、これは２倍の遺伝子コピーを表す。表７Ｂは（１）原発肺腫瘍：ＬＴ７、ＬＴ１３、ＬＴ１２、ＬＴ２１、ＬＴ１０、ＬＴ１６、ＬＴ１７、ＬＴ１８、及びＬＴ１９；（２）原発大腸腫瘍：ＣＴ１０、ＣＴ１２、ＣＴ１４、ＣＴ５及びＣＴ９；（３）肺腫瘍細胞系Ｈ４４１；（４）大腸腫瘍細胞系：ＳＷ４８０、ＳＷ６２０、ＨＴ２９、ＷｉＤｒ、ＨＣＴ１１６、ＳＫＣ０１、ＳＷ４０３、及びＬＳ１７４Ｔ；及び（５）乳房腫瘍細胞系：ＨＢＬ１００及びＭＣＦ７におけるＰＲＯ５４２ポリペプチドをコードする核酸ＤＮＡ５６５０５の有意な増幅を示す。
ＤＮＡ５６５０５の増幅は種々の腫瘍で生じたので、腫瘍形成及び成長における有意な役割を果たす可能性が高い。結果として、ＤＮＡ５６５０５にコードされるタンパク質（ＰＲＯ５４２）に対するアンタゴニスト（例えば抗体）は、癌治療における有用性を持つと予測される。
【０２８２】
ＰＲＯ７７３（ＤＮＡ４８３０３）：
種々の腫瘍におけるＤＮＡ４８３０３についてのΔＣｔ値を表７Ｂに報告する。ΔＣｔ＞１は典型的に増幅評点化の閾値として用い、これは２倍の遺伝子コピーを表す。表７Ｂは（１）原発肺腫瘍：ＬＴ１３及びＬＴ１６；（２）原発大腸腫瘍：ＣＴ１５、ＣＴ１６、及びＣＴ１７；（３）大腸腫瘍細胞系：Ｃｏｌｏ３２０、ＨＴ２９及びＣｏｌｏ２０５；及び（４）肺腫瘍細胞系Ｈ４４１におけるＰＲＯ７７３ポリペプチドをコードする核酸ＤＮＡ４８３０３の有意な増幅を示す。
ＤＮＡ４８３０３の増幅は種々の腫瘍で生じたので、腫瘍形成及び成長における有意な役割を果たす可能性が高い。結果として、ＤＮＡ４８３０３にコードされるタンパク質（ＰＲＯ７７３）に対するアンタゴニスト（例えば抗体）は、癌治療における有用性を持つと予測される。
【０２８３】
ＰＲＯ８６１（ＤＮＡ５０７９８）：
種々の腫瘍におけるＤＮＡ５０７９８についてのΔＣｔ値を表７Ｂに報告する。ΔＣｔ＞１は典型的に増幅評点化の閾値として用い、これは２倍の遺伝子コピーを表す。表７Ｂは（１）原発肺腫瘍：ＬＴ１３、ＬＴ１２、ＬＴ８、ＬＴ１ａ、ＬＴ１１、ＬＴ１５及びＬＴ１６；（２）原発大腸腫瘍：ＣＴ２、ＣＴ３、ＣＴ８、ＣＴ１０、ＣＴ１２、ＣＴ１４、ＣＴ１５、ＣＴ１６、ＣＴ１７、ＣＴ１、ＣＴ４、ＣＴ５、ＣＴ７、ＣＴ９、及びＣＴ１１；（３）肺腫瘍細胞系：Ｈ４４１及びＨ５２２におけるＰＲＯ８６１ポリペプチドをコードする核酸ＤＮＡ５０７９８の有意な増幅を示す。
ＤＮＡ５０７９８の増幅は種々の腫瘍で生じたので、腫瘍形成及び成長における有意な役割を果たす可能性が高い。結果として、ＤＮＡ５０７９８にコードされるタンパク質（ＰＲＯ８６１）に対するアンタゴニスト（例えば抗体）は、癌治療における有用性を持つと予測される。
【０２８４】
ＰＲＯ１２１６（ＤＮＡ６６４８９）：
種々の腫瘍におけるＤＮＡ６６４８９についてのΔＣｔ値を表７Ｂに報告する。ΔＣｔ＞１は典型的に増幅評点化の閾値として用い、これは２倍の遺伝子コピーを表す。表７Ｂは（１）原発肺腫瘍：ＬＴ７及びＬＴ１２；（２）原発大腸腫瘍：ＣＴ１２及びＣＴ１５；及び（３）大腸腫瘍細胞系：ＷｉＤｒ、ＨＣＴ１１６、ＳＷ４０３及びＬＳ１７４ＴにおけるＰＲＯ１２１６ポリペプチドをコードする核酸ＤＮＡ６６４８９の有意な増幅を示す。
ＤＮＡ６６４８９の増幅は種々の腫瘍で生じたので、腫瘍形成及び成長における有意な役割を果たす可能性が高い。結果として、ＤＮＡ６６４８９にコードされるタンパク質（ＰＲＯ１２１６）に対するアンタゴニスト（例えば抗体）は、癌治療における有用性を持つと予測される。
【０２８５】
ＰＲＯ１６８６（ＤＮＡ８０８９６）：
種々の腫瘍におけるＤＮＡ８０８９６についてのΔＣｔ値を表７Ｃに報告する。ΔＣｔ＞１は典型的に増幅評点化の閾値として用い、これは２倍の遺伝子コピーを表す。表７Ｃは（１）原発肺腫瘍：ＬＴ１３、ＴＬ１１、ＬＴ１５、ＬＴ１７、ＬＴ１８、ＨＦ−００８４０、ＨＦ−０００８４２、ＨＦ−００１２９４及びＨＦ−００１２９９；（２）原発大腸腫瘍：ＣＴ２、ＣＴ１０、ＣＴ１２、ＣＴ１、ＣＴ４、ＣＴ５、ＣＴ６及びＣＴ１１；及び（３）大腸腫瘍細胞系：ＨＦ−０００７９５におけるＰＲＯ１６８６ポリペプチドをコードする核酸ＤＮＡ８０８９６の有意な増幅を示す。
ＤＮＡ８０８９６の増幅は種々の腫瘍で生じたので、腫瘍形成及び成長における有意な役割を果たす可能性が高い。結果として、ＤＮＡ８０８９６にコードされるタンパク質（ＰＲＯ１６８６）に対するアンタゴニスト（例えば抗体）は、癌治療における有用性を持つと予測される。
【０２８６】
ＰＲＯ１８００（ＤＮＡ３５６７２−２５０８）：
種々の腫瘍におけるＤＮＡ３５６７２−２５０８についてのΔＣｔ値を表７Ｃに報告する。ΔＣｔ＞１は典型的に増幅評点化の閾値として用い、これは２倍の遺伝子コピーを表す。表７Ｃは（１）原発肺腫瘍：ＬＴ１３、ＬＴ１２、ＬＴ２１、ＬＴ１１、ＬＴ１５、ＬＴ１６、ＬＴ１６、ＬＴ１７、ＬＴ１８及びＬＴ１９；（２）原発大腸腫瘍：ＣＴ２、ＣＴ１４、ＣＴ１５、ＣＴ５及びＣＴ１１；及び（３）大腸腫瘍細胞系：Ｃｏｌｏ３２０におけるＰＲＯ１８００ポリペプチドをコードする核酸ＤＮＡ３５６７２−２５０８の有意な増幅を示す。
ＤＮＡ３５６７２−２５０８の増幅は種々の腫瘍で生じたので、腫瘍形成及び成長における有意な役割を果たす可能性が高い。結果として、ＤＮＡ３５６７２−２５０８にコードされるタンパク質（ＰＲＯ１８００）に対するアンタゴニスト（例えば抗体）は、癌治療における有用性を持つと予測される。
【０２８７】
ＰＲＯ３５６２（ＤＮＡ９６７９１）：
種々の腫瘍におけるＤＮＡ９６７９１についてのΔＣｔ値を表７Ｃに報告する。ΔＣｔ＞１は典型的に増幅評点化の閾値として用い、これは２倍の遺伝子コピーを表す。表７Ｃは（１）原発肺腫瘍：ＬＴ１３、ＬＴ１６及びＨＦ−０００８４０；（２）原発大腸腫瘍：ＣＴ１５；（３）大腸腫瘍中心ＨＦ−０００５３９；（４）胚珠用細胞系ｈ５２２；（５）大腸腫瘍細胞系ＳＷ６２０及びＨＣＴ１１６；（６）乳房腫瘍ＨＦ−０００５４５；及び（７）精巣腫瘍：ＨＦ−０００７３３及びＨＦ−０００７１６におけるＰＲＯ３５６２ポリペプチドをコードする核酸ＤＮＡ９６７９１の有意な増幅を示す。
ＤＮＡ９６７９１の増幅は種々の腫瘍で生じたので、腫瘍形成及び成長における有意な役割を果たす可能性が高い。結果として、ＤＮＡ９６７９１にコードされるタンパク質（ＰＲＯ３５６２）に対するアンタゴニスト（例えば抗体）は、癌治療における有用性を持つと予測される。
【０２８８】
ＰＲＯ９８５０（ＤＮＡ５８７２５）：
種々の腫瘍におけるＤＮＡ５８７２５についてのΔＣｔ値を表７Ｃに報告する。ΔＣｔ＞１は典型的に増幅評点化の閾値として用い、これは２倍の遺伝子コピーを表す。表７Ｃは（１）原発肺腫瘍：ＬＴ１３、ＬＴ１２、ＬＴ１１及びＬＴ１５；及び（２）原発大腸腫瘍：ＣＴ１０、ＣＴ１５、ＣＴ１６、ＣＴ１、ＣＴ４、ＣＴ５、ＣＴ６、ＣＴ７及びＣＴ１１におけるＰＲＯ９８５０ポリペプチドをコードする核酸ＤＮＡ５８７２５の有意な増幅を示す。
ＤＮＡ５８７２５の増幅は種々の腫瘍で生じたので、腫瘍形成及び成長における有意な役割を果たす可能性が高い。結果として、ＤＮＡ５８７２５にコードされるタンパク質（ＰＲＯ９８５０）に対するアンタゴニスト（例えば抗体）は、癌治療における有用性を持つと予測される。
【０２８９】
ＰＲＯ５３９（ＤＮＡ４７４６５−１５６１）：
種々の腫瘍におけるＤＮＡ４７４６５−１５６１についてのΔＣｔ値を表７Ｃに報告する。ΔＣｔ＞１は典型的に増幅評点化の閾値として用い、これは２倍の遺伝子コピーを表す。表７Ｃは（１）原発肺腫瘍：ＬＴ１３、ＬＴ１２、ＬＴ２１、ＬＴ１５、ＬＴ１７及びＬＴ１９；及び（２）原発大腸腫瘍：ＣＴ３、ＣＴ１０、ＣＴ１２、ＣＴ１５及びＣＴ１１におけるＰＲＯ５３９ポリペプチドをコードする核酸ＤＮＡ４７４６５−１５６１の有意な増幅を示す。
ＤＮＡ４７４６５−１５６１の増幅は種々の腫瘍で生じたので、腫瘍形成及び成長における有意な役割を果たす可能性が高い。結果として、ＤＮＡ４７４６５−１５６１にコードされるタンパク質（ＰＲＯ５３９）に対するアンタゴニスト（例えば抗体）は、癌治療における有用性を持つと予測される。
．
【０２９０】
ＰＲＯ４３１６（ＤＮＡ９４７１３−２５６１）：
種々の腫瘍におけるＤＮＡ９４７１３−２５６１についてのΔＣｔ値を表７Ｃに報告する。ΔＣｔ＞１は典型的に増幅評点化の閾値として用い、これは２倍の遺伝子コピーを表す。表７Ｃは（１）原発肺腫瘍ＨＦ−０００８４０；及び（２）原発大腸腫瘍中心ＨＦ−０００７９５におけるＰＲＯ４３１６ポリペプチドをコードする核酸ＤＮＡ９４７１３−２５６１の有意な増幅を示す。
ＤＮＡ９４７１３−２５６１の増幅は種々の腫瘍で生じたので、腫瘍形成及び成長における有意な役割を果たす可能性が高い。結果として、ＤＮＡ９４７１３−２５６１にコードされるタンパク質（ＰＲＯ４３１６）に対するアンタゴニスト（例えば抗体）は、癌治療における有用性を持つと予測される。
【０２９１】
ＰＲＯ４９８０（ＤＮＡ９７００３−２６４９）：
種々の腫瘍におけるＤＮＡ９７００３−２６４９についてのΔＣｔ値を表７Ｃに報告する。ΔＣｔ＞１は典型的に増幅評点化の閾値として用い、これは２倍の遺伝子コピーを表す。表７Ｃは（１）原発肺腫瘍：ＨＦ−０００８４０、ＨＦ−００１２９４、ＨＦ−００１２９６及びＨＦ００１２９９におけるＰＲＯ４９８０ポリペプチドをコードする核酸ＤＮＡ９７００３−２６４９の有意な増幅を示す。
ＤＮＡ９７００３−２６４９の増幅は種々の腫瘍で生じたので、腫瘍形成及び成長における有意な役割を果たす可能性が高い。結果として、ＤＮＡ９７００３−２６４９にコードされるタンパク質（ＰＲＯ４９８０）に対するアンタゴニスト（例えば抗体）は、癌治療における有用性を持つと予測される。
【０２９２】
実施例２７
インサイツハイブリッド形成
インサイツハイブリッド形成は、細胞又は組織調製物内での核酸配列の検出及び局在化のための強力で多用途の技術である。それは、例えば、遺伝子発現部位の同定、転写物の組織分布の分析、ウイルス感染の同定及び局在化、特定ｍＲＮＡ合成及び染色体マッピングにおける追跡に有用である。
インサイツハイブリッド形成は、Ｌｕ及びＧｉｌｌｅｔｔ，  Ｃｅｌｌ  Ｖｉｓｉｏｎ  １：  １６９−１７６  （１９９４）のプロトコールの最適な変形に従って、ＰＣＲ生成３３Ｐ−標識リボプローブを用いて実施される。簡単には、ホルマリン固定、パラフィン包埋ヒト組織を切片化し、脱パラフィンし、プロテイナーゼＫ（２０ｇ／ｍｌ）で１５分間３７℃で脱タンパクし、さらに上掲のＬｕ及びＧｉｌｌｅｔｔに記載されたようにインサイツハイブリッド形成する。［３３−Ｐ］ＵＴＰ−標識アンチセンスリボプローブをＰＣＲ産物から生成し、５５℃で終夜ハイブリッド形成する。スライドをＫｏｄａｋ  ＮＴＢ２（商品名）核トラックエマルションに浸漬して４週間露出する。
【０２９３】
３３Ｐ−リボプローブ合成
６．０μｌ（１２５ｍＣｉ）の３３Ｐ−ＵＴＰ（Ａｍｅｒｓｈａｍ  ＢＦ  １００２，  ＳＡ＜２０００  Ｃｉ／ｍｍｏｌ）をスピード真空乾燥させた。乾燥３３Ｐ−ＵＴＰを含む管に以下の成分を添加した：
２．０μｌの５ｘ転写バッファー
１．０μｌのＤＴＴ（１００ｍＭ）
２．０μｌのＮＴＰ混合物（２．５ｍＭ：  １０μｌ；  １０ｍＭのＧＴＰ，  ＣＴＰ及びＡＴＰ＋１０μｌのＨ２Ｏ）
１．０μｌのＵＴＰ（５０μＭ）
１．０μｌのＲＮＡｓｉｎ
１．０μｌのＤＮＡテンプレート（１μｇ）
１．０μｌのＨ２Ｏ
１．０μｌのＲＮＡポメラーゼ（ＰＣＲ産物についてＴ３＝ＡＳ，  Ｔ７＝Ｓ，通常）
管を３７℃で１時間インキュベートし、１．０μｌのＲＱ１  ＤＮａｓｅを添加し、次いで３７℃で１５分間インキュベートした。９０μｌのＴＥ（１０ｍＭトリスｐＨ７．６／１ｍＭのＥＤＴＡｐＨ８．０）を添加し、混合物をＤＥ８１紙にピペットした。残りの溶液をＭｉｃｒｏｃｏｎ−５０限外濾過ユニットに負荷し、プログラム１０を用いてスピンさせた（６分間）。濾過ユニットを第２の管に変換し、プログラム２を用いてスピンさせた（３分間）。最終回収スピンの後、１００μｌのＴＥを添加した。１μｌの最終生成物をＤＥ８１紙にピペットし６ｍｌのＢｉｏｆｌｕｏｒ  ＩＩで数えた。
プローブをＴＢＥ／尿素ゲル上で走らせた。１−３μｌのプローブ又は５μｌのＲＮＡ  ＭｒｋＩＩＩを３μｌの負荷バッファーに添加した。加熱ブロック上で９５℃に３分間加熱した後、ゲルを即座に氷上に置いた。ゲルのウェルをフラッシングし、試料を負荷し、１８０−２５０ボルトで４５分間走らせた。ゲルをサランラップでラップし、−７０℃冷凍機内で補強スクリーンを持つＸＡＲフィルムに１時間から終夜露出した。
【０２９４】
３３Ｐ−ハイブリッド形成
Ａ．凍結切片の前処理：  スライドを冷凍機から取り出し、アルミニウムトレイに配置して室温で５分間解凍した。トレイを５５℃のインキュベータに５分間配置して凝結を減らした。スライドを蒸気フード内において４％パラホルムアルデヒド中で５分間固定し、０．５ｘＳＳＣで５分間室温で洗浄した（２５ｍｌ  ２０ｘＳＳＣ  ＋  ９７５ｍｌ  ＳＱ  Ｈ２Ｏ）。０．５μｇ／ｍｌのプロテイナーゼ中、３７℃で１０分間の脱タンパクの後（２５０ｍｌの予備加熱ＲＮａｓｅ無しＲＮａｓｅバッファー中の１０ｍｇ／ｍｌストック１２．５μｌ）、切片を０．５ｘＳＳＣで１０分間室温で洗浄した。切片を、７０％、９５％、１００％エタノール中、各２分間脱水した。
Ｂ．パラフィン包埋切片の前処理：  スライドを脱パラフィンし、ＳＱ  Ｈ２Ｏ中に配置し、２ｘＳＳＣで室温において各々５分間２回リンスした。切片を２０μｇ／ｍｌのプロテイナーゼＫ（２５０ｍｌのＲＮａｓｅ無しＲＮａｓｅバッファー中１０ｍｇ／ｍｌを５００μｌ；３７℃、１５分間）−ヒト胚又は８ｘプロテイナーゼＫ（２５０ｍｌのＲＮａｓｅバッファー中１００μｌ、３７℃、３０分間）−ホルマリン組織で脱タンパクした。続く０．５ｘＳＳＣでのリンス及び脱水は上記のように実施した。
【０２９５】
Ｃ．プレハイブリッド化：  スライドをＢｏｘバッファー（４ｘＳＳＣ、５０％ホルムアミド）−飽和濾紙で列を作ったプラスチックボックスに並べた。組織を５０μｌのハイブリッド形成バッファー（３．７５ｇデキストラン硫酸＋６ｍｌＳＱ  Ｈ２Ｏ）で被覆し、ボルテックスし、キャップを外して２分間マイクロ波で加熱した。氷上で冷却した後、１８．７５ｍｌのホルムアミド、３．７５ｍｌの２０ｘＳＳＣ及び９ｍｌのＳＱＨ２Ｏを添加し、組織を良くボルテックスし、４２℃で１−４時間インキュベートした。
Ｄ．ハイブリッド形成：  スライド当たり１．０ｘ１０６ｃｐｍのプローブ及び１．０μｌのｔＲＮＡ（５０ｍｇ／ｍｌストック）を９５℃で３分間加熱した。スライドを氷上で冷却し、スライド当たり４８μｌのハイブリッド形成バッファーを添加した。ボルテックスの後、５０μｌの３３Ｐ混合物をスライド上のプレハイブリッド５０μｌに添加した。スライドを５５℃で終夜インキュベートした。
Ｅ．洗浄：  洗浄は、２ｘ１０分間、２ｘＳＳＣ、ＥＤＴＡで室温で実施し（４００ｍｌの２０ｘＳＳＣ＋１６ｍｌの０．２５Ｍ  ＥＤＴＡ、Ｖｆ＝４Ｌ）、次いでＲＮａｓｅＡ処理を３７℃で３０分間行った（２５０ｍｌＲＮａｓｅバッファー中１０ｍｇ／ｍｌを５００μｌ＝２０μｇ／ｍｌ）。スライドを２ｘ１０分間、ＥＤＴＡで室温において洗浄した。緊縮性洗浄条件は次の通り：５５℃で２時間、０．１ｘＳＳＣ、ＥＤＴＡ（２０ｍｌの２０ｘＳＳＣ＋１６ｍｌのＥＤＴＡ、Ｖｆ＝４Ｌ）。
【０２９６】
Ｆ．オリゴヌクレオチド
インサイツハイブリッド形成は、ここに開示したＤＮＡのうち６つについて実施した。これらの分析に使用したオリゴヌクレオチドは以下の通り：
（１）ＰＲＯ１９７（ＤＮＡ２２７８０−１０７８）：
２２７８０．ｐ１：
５’−ＧＡＡＴＴＣＴＡＡＴＡＣＧＡＣＴＣＡＣＴＡＴＡＧＧＧＣＣＧＣＣＡＣＣＧＣＣＧＴＧＣＴＡＣＴＧＡ−３’  （配列番号：２４７）
２２７８０．ｐ２：
５’−ＣＴＡＴＧＡＡＡＴＴＡＡＣＣＣＴＣＡＣＴＡＡＡＧＧＧＡＴＧＣＡＧＧＣＧＧＣＴＧＡＣＡＴＴＧＴＧＡ−３’  （配列番号：２４８）
（２）ＰＲＯ２０７（ＤＮＡ３０８７９−１１５２）：
３０８７９．ｐ１：
５’−ＧＧＡＴＴＣＴＡＡＴＡＣＧＡＣＴＣＡＣＴＡＴＡＧＧＧＣＴＣＣＴＧＣＧＣＣＴＴＴＣＣＴＧＡＡＣＣ−３’  （配列番号：２４９）
３０８７９．ｐ２：
５’−ＣＴＡＴＧＡＡＡＴＴＡＡＣＣＣＴＣＡＣＴＡＡＡＧＧＧＡＧＡＣＣＣＡＴＣＣＴＴＧＣＣＣＡＣＡＧＡＧ−３’  （配列番号：２５０）
（３）ＰＲＯ２２６（ＤＮＡ３３４６０−１１６６）：
３３４６０．ｐ１：
５’−ＧＧＡＴＴＣＴＡＡＴＡＣＧＡＣＴＣＡＣＴＡＴＡＧＧＧＣＣＡＧＣＡＣＴＧＣＣＧＧＧＡＴＧＴＣＡＡＣ−３’  （配列番号：２５１）
３３４６０．ｐ２：
５’−ＣＴＡＴＧＡＡＡＴＴＡＡＣＣＣＴＣＡＣＴＡＡＡＧＧＧＡＧＴＴＴＧＧＧＣＣＴＣＧＧＡＧＣＡＧＴＧ−３’  （配列番号：２５２）
【０２９７】
（４）ＰＲＯ２３２（ＤＮＡ３４４３５−１１４０）：
３４４３５０ｐ１：
５’−ＧＧＡＴＣＣＴＡＡＴＡＣＧＡＣＴＣＡＣＴＡＴＡＧＧＧＣＡＣＣＣＡＣＧＣＧＴＣＣＧＧＣＴＧＣＴＴ−３’  （配列番号：２５３）
３４４３５．ｐ２：
５’−ＣＴＡＴＧＡＡＡＴＴＡＡＣＣＣＴＣＡＣＴＡＡＡＧＧＧＡＣＧＧＧＧＧＡＣＡＣＣＡＣＧＧＡＣＣＡＧＡ−３’  （配列番号：２５４）
（５）ＰＲＯ２４３（ＤＮＡ３５９１７−１２０７）：
３５９１７．ｐ１：
５’−ＧＧＡＴＴＣＴＡＡＴＡＣＧＡＣＴＣＡＣＴＡＴＡＧＧＧＣＡＡＧＧＡＧＣＣＧＧＧＡＣＣＣＡＧＧＡＧＡ
−３’  （配列番号：２５５）
３５９１７．ｐ２：
５’−ＣＴＡＴＧＡＡＡＴＴＡＡＣＣＣＴＣＡＣＴＡＡＡＧＧＧＡＧＧＧＧＧＣＣＣＴＴＧＧＴＧＣＴＧＡＧＴ−３’  （配列番号：２５６）
（６）ＰＲＯ３４２（ＤＮＡ３８６４９）：
３８６４９．ｐ１：
５’−ＧＧＡＴＴＣＴＡＡＴＡＣＧＡＣＴＣＡＣＴＡＴＡＧＧＧＣＧＧＧＧＣＣＴＴＣＡＣＣＴＧＣＴＣＣＡＴＣ−３’  （配列番号：２５７）
３８６４９．ｐ２：
５’−ＣＴＡＴＧＡＡＡＴＴＡＡＣＣＣＴＣＡＣＴＡＡＡＧＧＧＡＧＣＴＧＣＧＴＣＴＧＧＧＧＧＴＣＴＣＣＴＴ−３’  （配列番号：２５８）
【０２９８】
７．結果
（１）ＰＲＯ１９７（ＤＮＡ２２７８０−１０７８）：
炎症を起こした虫垂の良性だが反応性の間質細胞全体に中程度から強いシグナルが見られた。これらの細胞ｈあ典型的に顕著な核小体を持つ大きな核を有している。哺乳動物の管腺癌における腫瘍細胞の小さなサブセット（＜５％）全体、及び腫瘍周辺の間質細胞に強いシグナルが存在した。ポジティブ細胞の組織学的外観は、隣接するネガティブ細胞と顕著に相違しなかった。壊死性組織に隣接する腎性細胞癌において、腫瘍及び／又は間質細胞全体に非常に集中したポジティブシグナルが見られた。肺性腺癌にはシグナルは見られなかった。
【０２９９】
（２）ＰＲＯ２０７（ＤＮＡ３０８７９−１１５２）（Ａｐｏ ２Ｌ相同体）：
軟骨芽細胞腫全体、及び他の柔組織肉腫全体に低レベルの発現が観察された。他の全ての組織はネガティブであった。
試験したヒト胎児組織（Ｅ１２−Ｅ１６週）は以下を含む：胎盤、臍帯、肝臓、腎臓、副腎、甲状腺、肺、心臓、大血管、食道、胃、小腸、脾臓、胸腺、膵臓、脳、眼、脊髄、体壁、骨盤及び下肢。
試験した成体ヒト組織は以下を含む：腎臓（正常及び末期）、副腎、心筋、脾臓、リンパ節、膵臓、肺、皮膚、眼（網膜を含む）、膀胱、及び肝臓（正常、慢性及び急性不全）。
試験した非ヒト霊長類組織は以下を含む：
チンパンジー組織：唾液腺、胃、甲状腺、副甲状腺、舌、胸腺、卵巣、及びリンパ節。
アカゲザル組織：大脳皮質、海馬、小脳、及び陰茎。
（３）ＰＲＯ２２６（ＤＮＡ３３４６０−１１６６）（ＥＧＦ相同体）：
胎児の眼において発達中の外眼筋の直近の緩い結合組織における細胞全体に特異的なシグナルが観察された。
【０３００】
（４）ＰＲＯ２３２（ＤＮＡ３４４３５−１１４０）（幹細胞抗原相同体）：
ヒト及び胎児組織での発現パターン
前立腺上皮、膀胱上皮における強い発現と、気管支上皮における低レベルの発現が見られた。低レベルの発現は、その他の中で、骨、血液、軟骨肉腫、成体心臓及び胎児肝臓を含む多くの部位で見られた。他の全ての組織はネガティブであった。
腎盂輸尿管の尿路管上皮及びアカゲザル陰茎の尿道における発現
発現は、前立腺の上皮、膀胱の尿路管の表層、腎盂を内張する尿路管、及び輸尿管の尿路（２つの実験のうち１つ）で観察された。アカゲザルの尿道はネガティブであったが；このことが尿道による発現を本当に欠いているのか、あるいはアカゲザル組織と交差反応するプローブの欠陥によるのかは不明である。前立腺及び膀胱での発見は、同位体検出技術を用いて既に記載したものに類似していた。この抗原に対するｍＲＮＡの発現は、前立腺上皮特異的ではなかった。抗原は尿路誘導組織の有用なマーカーとして提供されうる。尿路上皮の表面の有糸分裂後細胞における発現も、それが特異的な幹細胞マーカーを表現していないであろうことを示唆し、これは基底上皮において特異的に発現されると予想される。
【０３０１】
前立腺及び膀胱癌におけるＰＳＣＡ
様々な程度の前立腺及び膀胱癌の６つの試料、各々が正常な腎盂、輸尿管、膀胱、前立腺（精嚢を含む）の一試料、及び陰茎尿路、及びＬＮＣａＰ及びＰＣ３前立腺癌細胞系のペレットを分析した：各試料はＰＳＣＡに対するセンス及びアンチセンスプローブ、及びベータ−アクチンのみに対するアンチセンスプローブ（ｍＲＮＡ完全性コントロール）でハイブリダイゼーションした。
腎盂、輸尿管、及び膀胱の正常な移行性上皮、及び陰茎尿路の真直な円柱状の上皮は全てＰＳＣＡに対してポジティブであった。正常な前立腺の腺性上皮はＰＳＣＡに対するポジティブ性が変化し；中程度から強いポジティブ性の腺が同じ組織片内のネガティブ腺の直近で生じた。全てのポジティブな上皮（膀胱及び前立腺）は、移行性又は前立腺の上皮でより強い発現を示した。精嚢上皮及び他の全ての組織（神経、血管、繊維支質、腎臓実質細胞）はＰＳＣＡを発現しない。
前立腺腫瘍細胞は一般にＰＳＣＡ−ネガティブであり；ＬＮＣａＰ及びＰＣ３細胞及び６つの組織試料中の３つにおいて検出可能な発現は記録されず；中程度から弱い発現が６つの前立腺腫瘍試料の中の３つのみで生じた。ＰＳＣＡ−ネガティブな前立腺腫瘍試料は十分なｍＲＮＡ保存に一致するベータ−アクチン発現を示した。
乳頭移行性癌細胞（６つのケースのうち５つ）は、ＰＳＣＡに対して中程度から強くポジティブであった。６つの腫瘍のうちの１つ（侵襲性の低分化ＴＣＣ）は集中したポジティブ細胞のみを示した。
【０３０２】
更なる前立腺及び膀胱癌試料におけるＰＳＣＡ及びＰＳＡ発現
前立腺癌の１３試料（全ては中程度から僅かに分化した腺癌）、腫瘍を持たない前立腺の一試料、及び様々な程度の膀胱移行性細胞癌（８つの分化が進んだもの、３つの中程度に分化したもの、２つの僅かしか分化していないもの）を、ＰＳＣＡに対するセンス及びアンチセンスプローブ及びベータアクチンのみに対するアンチセンスプローブ（ｍＲＮＡ完全性コントロール）でハイブリダイゼーションした。さらなる対照として、１４の前立腺ケースを、以前の実験からの前立腺ＣＡの６切片でしたように、ＰＳＡに対するアンチセンスプローブでハイブリダイゼーションした。
１つの前立腺癌のケース（＃１２７）は、ＰＳＣＡの均一で高い発現を示した。２つのケースの前立腺ＣＡ（＃３９９、＃４０３）は、集中した高レベルのＰＳＣＡのみを示し、１つのケース（＃１２４）は集中した中程度の発現を示し、全ては腺から腺で顕著に変動した。これら３つのケースの殆どの領域、及び他の９つのケースの全ての領域は、ＰＳＣＡ発現が均一に低いか存在しなかった。低ＰＳＣＡシグナルはｍＲＮＡ分解によるものではなく：ＰＳＣＡに対してネガティブな前立腺ＣＡの全てのケースはＰＳＡ及び／又はベータ−アクチンに対してポジティブであった。
膀胱の１１の分化が進んだ又は中程度に分化が進んだ移行性癌は全て、ＰＳＣＡに対して均一に中程度又は強くポジティブであった。ともに分化の進んでいないＴＣＣである２つの腫瘍は、ネガティブであるか弱いポジティブであった。
これらの結果は、既に記載した実験を立証する。これら２つの実験において、１９の前立腺ＣＡケースが試験され：１９のうち１つが均一で高い発現を示し；１９のうち６つが腫瘍細胞の一部における集中した高い発現を示し；１９のうち１２がネガティブ又は弱冠のポジティブであった。これに対して、これら２つの実験は、１９の膀胱ＴＣＣケースを含み、その大部分は均一ｄえ中程度又は強いＰＳＣＡポジティブであった。１６の分化が進んだ又は中程度に分化したＴＣＣケースは全てポジティブであり；３つの僅かに分化したケースはネガティブ又は弱冠のポジティブであった。
【０３０３】
（５）ＰＲＯ２４３（ＤＮＡ３５９１７−１２０７）：
大腿骨頭と寛骨臼との間（股関節）を形成する発達中の滑膜関節の開裂線で微かな発現が観察された。この発現パターンが関節形成の他の部位で観察された場合、それはコルネリア・ド・ランゲ症候群で観察される顔面及び四肢の異常を示しうる。
ヒト胎児顔面、頭部、四肢及びマウス胚の更なる切片も試験した。マウス組織のいずれでも発現は見られなかった。発現はアンチセンスプローブでのみ見られた。
発現は、骨膜間葉における発達中の四肢及び顔面骨に隣接して観察された。発現は高度に特異的で、多くは血管形成中の領域に隣接していた。分布は、コルネリア・ド・ランゲ症候群において観察される骨格異常と一致していた。また発現は、胎児脳における発達中の側頭葉及び後頭葉でも観察されたが、他では観察されなかった。さらに、発達中の内耳の神経節で発現が見られた。
【０３０４】
（６）ＰＲＯ３４２（ＤＮＡ３８６４９）：
このＤＮＡは多くの組織及び多くの細胞型で発現された。胎児では、発現は網膜の内面、後根神経節、小腸上皮、胸腺髄質及び脾臓で見られた。成人では、発現は尿細管の上皮、肝臓の肝細胞及び膀胱で見られた。また発現は浸潤している炎症細胞及び骨肉腫にも存在した。チンパンジーでは、発現は胃腸上皮、唾液腺及び胸腺で見られた。試験した他の組織は特異的な発現の証拠を示さなかった。
試験した胎児組織（Ｅ１２−Ｅ１６週）は以下を含む：肝臓、腎臓、副腎、肺、心臓、大血管、食道、胃、脾臓、生殖腺、脊髄、及び体壁。試験したヒト組織は以下を含む：肝臓、腎臓、胃、膀胱、前立腺、胚、肝細胞癌、骨肉腫、肝炎及び肝硬変。試験したチンパンジー組織は以下を含む：副腎、神経、胸腺、副腎胃腸粘膜及び唾液腺。試験したアカゲザル組織はアカゲザル脳を含む。
さらに、肺の８つの扁平及び８つの腺癌を試験した。発現は全ての腫瘍で観察されたが、発現レベルは変動した。シグナル強度に基づいて、腫瘍を高及び低発現に分類した。３つの腫瘍（２つの腺癌：９６−２０１２５及び９６−３６８６及び１つの扁平癌９５−６７２７）を高発現として分類した。また中程度の発現が正常な良性気管支上皮及びリンパ性浸潤に見られ、この所見は、このレセプターが殆どの検体で広く発現されるという以前の観察と一致する。
【０３０５】
実施例１２
ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０のハイブリッド形成プローブとしての使用
以下の方法は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドをコードする核酸配列のハイブリッド形成プローブとしての使用を記述する。
ここに開示されるような全長又は成熟「ＰＲＯ１９７」、「ＰＲＯ２０７」、「ＰＲＯ２２６」、「ＰＲＯ２３２」、「ＰＲＯ２４３」、「ＰＲＯ２５６」、「ＰＲＯ２６９」、「ＰＲＯ２７４」、「ＰＲＯ３０４」、「ＰＲＯ３３９」、「ＰＲＯ１５５８」、「ＰＲＯ７７９」、「ＰＲＯ１１８５」、「ＰＲＯ１２４５」、「ＰＲＯ１７５９」、「ＰＲＯ５７７５」、「ＰＲＯ７１３３」、「ＰＲＯ７１６８」、「ＰＲＯ５７２５」、「ＰＲＯ２０２」、「ＰＲＯ２０６」、「ＰＲＯ２６４」、「ＰＲＯ３１３」、「ＰＲＯ３４２」、「ＰＲＯ５４２」、「ＰＲＯ７７３」、「ＰＲＯ８６１」、「ＰＲＯ１２１６」、「ＰＲＯ１６８６」、「ＰＲＯ１８００」、「ＰＲＯ３５６２」、「ＰＲＯ９８５０」、「ＰＲＯ５３９」、「ＰＲＯ４３１６」又は「ＰＲＯ４９８０」ポリペプチド又はその断片のコード化配列を含むＤＮＡは、ヒト組織ｃＤＮＡライブラリ又はヒト組織ゲノムライブラリにおける同種ＤＮＡ（ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチド、ＰＲＯ５３３、ＰＲＯ２１４、ＰＲＯ２４０、ＰＲＯ２１１、ＰＲＯ２３０、ＰＲＯ２６１、ＰＲＯ２４６又はＰＲＯ３１７の天然発生変異体をコードするもの等）のスクリーニングのためのプローブとして用いられ得る。
【０３０６】
ハイブリッド形成及びいずれかのライブラリを含むフィルターの洗浄は、以下の高い緊縮性条件下で実施される。放射性標識ＰＲＯ１９７−、ＰＲＯ２０７−、ＰＲＯ２２６−、ＰＲＯ２３２−、ＰＲＯ２４３−、ＰＲＯ２５６−、ＰＲＯ２６９−、ＰＲＯ２７４−、ＰＲＯ３０４−、ＰＲＯ３３９−、ＰＲＯ１５５８−、ＰＲＯ７７９−、ＰＲＯ１１８５−、ＰＲＯ１２４５−、ＰＲＯ１７５９−、ＰＲＯ５７７５−、ＰＲＯ７１３３−、ＰＲＯ７１６８−、ＰＲＯ５７２５−、ＰＲＯ２０２−、ＰＲＯ２０６−、ＰＲＯ２６４−、ＰＲＯ３１３−、ＰＲＯ３４２−、ＰＲＯ５４２−、ＰＲＯ７７３−、ＰＲＯ８６１−、ＰＲＯ１２１６−、ＰＲＯ１６８６−、ＰＲＯ１８００−、ＰＲＯ３５６２−、ＰＲＯ９８５０−、ＰＲＯ５３９−、ＰＲＯ４３１６−又はＰＲＯ４９８０−誘導プローブのフィルターへのハイブリッド形成は、５０％ホルムアミド、５ｘＳＳｃ、０．１％ピロリン酸ナトリウム、５０ｍＭリン酸ナトリウム、ｐＨ６．８、２ｘデンハード液、及び１０％デキストラン硫酸の溶液中で４２℃で２０時間実施した。フィルターの洗浄は、０．１ｘＳＳＣ及び０．１％ＳＤＳ水溶液中で、４２℃で実施した。
全長天然配列ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０をコードするＤＮＡと所望の同一性を持つＤＮＡは、次いでこの分野で知られた標準的技術を用いて同定できる。
【０３０７】
実施例２９
大腸菌におけるＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの発現
この実施例は、大腸菌での組換え発現による非グリコシル化形態のＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の調製を例示する。
対象とするＰＲＯポリペプチドをコードするＤＮＡ配列を、選択したＰＣＲプライマーを用いて最初に増幅した。プライマーは、選択された発現ベクターの制限酵素部位に対応する制限酵素部位を持たなければならない。種々の発現ベクターが用いられる。好適なベクターの例は、ｐＢＲ３２２（大腸菌から誘導されたもの；Ｂｏｌｉｖａｒ等，  Ｇｅｎｅ，  ２：９５  （１９７７）参照）であり、アンピシリン及びテトラサイクリン耐性についての遺伝子を含む。ベクターは、制限酵素で消化され脱リン酸される。ＰＣＲ増幅した配列は、次いでベクターに結合させる。ベクターは、好ましくは抗生物質耐性遺伝子、ｔｒｐプロモーター、ポリｈｉｓリーダー（最初の６つのＳＴＩＩコドン、ポリｈｉｓ配列、及びエンテロキナーゼ切断部位を含む）、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０コード化領域、ラムダ転写終結区、及びａｒｇＵ遺伝子を含む。
【０３０８】
ライゲーション混合物は、次いで、上掲のＳａｍｂｒｏｏｋ等に記載された方法を用いた選択した大腸菌の形質転換に使用される。形質転換体は、それらのＬＢプレートで成長する能力により同定され、次いで抗生物質耐性クローンが選択される。プラスミドＤＮＡが単離され、制限分析及びＤＮＡ配列決定で確認される。
選択されたクローンは、抗生物質を添加したＬＢブロスなどの液体培地で終夜成長させることができる。終夜培地は、続いて大規模培地の播種に用いられる。次に細胞を最適密度で成長させ、その間に発現プロモーターが作動する。
更に数時間の培養の後、細胞を採集して遠心分離できる。遠心分離で得られた細胞ペレットは、この分野で知られた種々の試薬を用いて可溶化され、可溶化ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０タンパク質を金属キレート化カラムを用いてタンパク質を緊密に結合させる条件下で精製した。
ＰＲＯ１９７、ＰＲＯ２０７、ＰＲＯ１１８５、ＰＲＯ５７２５、ＰＲＯ２０２、及びＰＲＯ３５６２は、以下の手法を用いて、大腸菌においてポリＨｉｓタグ形態で発現させた。ＰＲＯ１９７、ＰＲＯ２０７、ＰＲＯ１１８５、ＰＲＯ５７２５、ＰＲＯ２０２、及びＰＲＯ３５６２をコードするＤＮＡを選択したＰＣＲプライマーを用いて最初に増幅した。プライマーは、選択された発現ベクターの制限酵素部位に対応する制限酵素部位、及び効率的で信頼性のある翻訳開始、金属キレートカラムでの迅速な精製、及びエンテロキナーゼでのタンパク質分解的除去を与える他の有用な配列を含む。次いでＰＣＲ増幅された、ポリ−Ｈｉｓタグ配列を発現ベクターに結合させ、それを株５２（Ｗ３１１０  ｆｕｈＡ（ｔｏｎＡ）  ｌｏｎ  ｇａｌＥ  ｒｐｏＨｔｓ（ｈｔｐＲｔｓ）  ｃｌｌｐＰ（ｌａｃＩｑ））に基づく大腸菌宿主の形質転換に使用した。形質転換体は、最初に５０ｍｇ／ｍｌのカルベニシリンを含有するＬＢ中、３０℃で振盪しながら３−５のＯ．Ｄ．６００に達するまで成長させた。ついで培地をＣＲＡＰ培地（３．５７ｇの（ＮＨ４）２ＳＯ４、０．７１ｇのクエン酸ナトリウム・２Ｈ２Ｏ、１．０７ｇのＫＣｌ、５．３６ｇのＤｉｆｃｏ酵母抽出物、５００ｍＬ水中の５．３６ｇのＳｈｅｆｉｅｌｄ  ｈｙｃａｓｅ  ＳＦ、並びに１１０ｍＭのＭＰＯＳ、ｐＨ７．３、０．５５％（ｗ／ｖ）のグルコース及び７ｍＭのＭｇＳＯ４の混合で調製）中に５０−１００倍希釈し、３０℃で振盪させながら約２０−３０時間成長させた。試料を取り出してＳＤＳ−ＰＡＧＥにより発現を確認し、バルク培地を遠心分離して細胞のペレットとした。細胞細胞ペレットを精製及び再折りたたみまで凍結させた。
【０３０９】
０．５から１Ｌの発酵（６−１０ｇペレット）からの大腸菌ペーストを、７Ｍのグアニジン、２０ｍＭのトリス、ｐＨ８バッファー中で１０容量（ｗ／ｖ）で再懸濁させた。固体硫酸ナトリウム及びテトラチオン酸ナトリウムを添加して最終濃度を各々０．１Ｍ及び０．０２Ｍとし、溶液を４℃で終夜撹拌した。この工程により、亜硫酸によりブロックされたシステイン残基を持つ変性タンパク質がもたらされた。溶液をＢｅｃｋｍａｎ  Ｕｌｔｒａｃｅｎｔｒｉｆｕｇｅ中で４０，０００ｒｐｍで３０分間濃縮した。上清を金属キレートカラムバッファー（６Ｍのグアニジン、２０ｍＭのトリス、ｐＨ７．４）の３−５容量で希釈し、０．２２ミクロンフィルターを通して濾過して透明化した。透明化抽出物を、金属キレートカラムバッファーで平衡化させた５ｍｌのＱｉａｇｅｎ  Ｎｉ−ＮＴＡ金属キレートカラムに負荷した。カラムを５０ｍＭのイミダゾール（Ｃａｌｂｉｏｃｈｅｍ，  Ｕｔｒｏｌ  ｇｒａｄｅ）を含む添加バッファー、ｐＨ７．４で洗浄した。タンパク質を２５０ｍＭのイミダゾールを含有するバッファーで溶離した。所望のタンパク質を含有する画分をプールし、４℃で保存した。タンパク質濃度は、そのアミノ酸配列に基づいて計算した吸光係数を用いて２８０ｎｍにおけるその吸収により見積もった。
試料を、２０ｍＭのトリス、ｐＨ８．６、０．３ＭのＮａＣｌ、２．５Ｍの尿素、５ｍＭのシステイン、２０ｍＭのグリシン及び１ｍＭのＥＤＴＡからなる新たに調製した再折りたたみバッファー中に徐々に希釈することによりタンパク質を再折りたたみさせた。リフォールディング容量は、最終的なタンパク質濃度が５０〜１００マイクログラム／ｍｌとなるように選択した。リフォールデｌイング溶液を４℃で１２−３６時間ゆっくり撹拌した。リフォールディング反応はＴＦＡを採取濃度０．４％（約３のｐＨ）で添加することにより停止させた。タンパク質をさらに精製する前に、溶液を０．２２ミクロンフィルターを通して濾過し、アセトニトリルを最終濃度２−１０％で添加した。再折りたたみされたタンパク質を、Ｐｏｒｏｓ  Ｒ１／Ｈ逆相カラムで、０．１％ＴＦＡの移動バッファーと１０〜８０％のアセトニトリル勾配での溶離を用いてクロマトグラフにかけた。Ａ２８０吸収を持つ画分のアリコートをＳＤＳポリアクリルアミドゲルで分析し、相同な再折りたたみされたタンパク質を含有する画分をプールした。一般的に、殆どのタンパク質の正しく再折りたたみされた種は、これらの種が最もコンパクトであり、その疎水性内面が逆相樹脂との相互作用から遮蔽されているので、アセトニトリルの最低濃度で溶離される。凝集した種は通常、より高いアセトニトリル濃度で溶離される。タンパク質の誤って折りたたまれた形態を所望の形態から除くのに加えて、逆相工程は試料からエンドトキシンも除去する。
所望の折りたたまれたＰＲＯ１９７、ＰＲＯ２０７、ＰＲＯ１１８５、ＰＲＯ５７２５、ＰＲＯ２０２、及びＰＲＯ３５６２タンパク質各々を含有する画分をプールし、溶液に向けた窒素の弱い気流を用いてアセトニトリルを除去した。タンパク質を、透析又は調製バッファーで平衡化したＧ２５  Ｓｕｐｅｒｆｉｎｅ（Ｐｈａｒｍａｃｉａ）樹脂でのゲル濾過及び滅菌濾過により、０．１４Ｍの塩化ナトリウム及び４％のマンニトールを含む２０ｍＭのＨＥＰＥＳ、ｐＨ６．８に調製した。
【０３１０】
実施例３０
哺乳動物細胞におけるＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の発現
この実施例は、哺乳動物細胞での組換え発現によるグリコシル化形態のＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の調製を例示する。
発現ベクターとしてベクターｐＲＫ５（１９８９年３月１５日発行のＥＰ  ３０７，２４７参照）を用いた。場合によっては、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ＤＮＡを選択した制限酵素でｐＲＫ５に結合させ、上掲のＳａｍｂｒｏｏｋ等に記載されたような結合方法を用いてＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ＤＮＡの挿入を行う。得られたベクターは、ｐＲＫ５−ＰＲＯ１９７、ｐＲＫ５−ＰＲＯ２０７、ｐＲＫ５−ＰＲＯ２２６、ｐＲＫ５−ＰＲＯ２３２、ｐＲＫ５−ＰＲＯ２４３、ｐＲＫ５−ＰＲＯ２５６、ｐＲＫ５−ＰＲＯ２６９、ｐＲＫ５−ＰＲＯ２７４、ｐＲＫ５−ＰＲＯ３０４、ｐＲＫ５−ＰＲＯ３３９、ｐＲＫ５−ＰＲＯ１５５８、ｐＲＫ５−ＰＲＯ７７９、ｐＲＫ５−ＰＲＯ１１８５、ｐＲＫ５−ＰＲＯ１２４５、ｐＲＫ５−ＰＲＯ１７５９、ｐＲＫ５−ＰＲＯ５７７５、ｐＲＫ５−ＰＲＯ７１３３、ｐＲＫ５−ＰＲＯ７１６８、ｐＲＫ５−ＰＲＯ５７２５、ｐＲＫ５−ＰＲＯ２０２、ｐＲＫ５−ＰＲＯ２０６、ｐＲＫ５−ＰＲＯ２６４、ｐＲＫ５−ＰＲＯ３１３、ｐＲＫ５−ＰＲＯ３４２、ｐＲＫ５−ＰＲＯ５４２、ｐＲＫ５−ＰＲＯ７７３、ｐＲＫ５−ＰＲＯ８６１、ｐＲＫ５−ＰＲＯ１２１６、ｐＲＫ５−ＰＲＯ１６８６、ｐＲＫ５−ＰＲＯ１８００、ｐＲＫ５−ＰＲＯ３５６２、ｐＲＫ５−ＰＲＯ９８５０、ｐＲＫ５−ＰＲＯ５３９、ｐＲＫ５−ＰＲＯ４３１６又はｐＲＫ５−ＰＲＯ４９８０と呼ばれる。
【０３１１】
一実施態様では、選択された宿主細胞は２９３細胞とすることができる。ヒト２９３細胞（ＡＴＣＣ  ＣＣＬ  １５７３）は、ウシ胎児血清及び場合によっては滋養成分又は抗生物質を添加したＤＭＥＭなどの媒質中で組織培養プレートにおいて成長させて集密化した。約１０μｇのｐＲＫ５−ＰＲＯ１９７、ｐＲＫ５−ＰＲＯ２０７、ｐＲＫ５−ＰＲＯ２２６、ｐＲＫ５−ＰＲＯ２３２、ｐＲＫ５−ＰＲＯ２４３、ｐＲＫ５−ＰＲＯ２５６、ｐＲＫ５−ＰＲＯ２６９、ｐＲＫ５−ＰＲＯ２７４、ｐＲＫ５−ＰＲＯ３０４、ｐＲＫ５−ＰＲＯ３３９、ｐＲＫ５−ＰＲＯ１５５８、ｐＲＫ５−ＰＲＯ７７９、ｐＲＫ５−ＰＲＯ１１８５、ｐＲＫ５−ＰＲＯ１２４５、ｐＲＫ５−ＰＲＯ１７５９、ｐＲＫ５−ＰＲＯ５７７５、ｐＲＫ５−ＰＲＯ７１３３、ｐＲＫ５−ＰＲＯ７１６８、ｐＲＫ５−ＰＲＯ５７２５、ｐＲＫ５−ＰＲＯ２０２、ｐＲＫ５−ＰＲＯ２０６、ｐＲＫ５−ＰＲＯ２６４、ｐＲＫ５−ＰＲＯ３１３、ｐＲＫ５−ＰＲＯ３４２、ｐＲＫ５−ＰＲＯ５４２、ｐＲＫ５−ＰＲＯ７７３、ｐＲＫ５−ＰＲＯ８６１、ｐＲＫ５−ＰＲＯ１２１６、ｐＲＫ５−ＰＲＯ１６８６、ｐＲＫ５−ＰＲＯ１８００、ｐＲＫ５−ＰＲＯ３５６２、ｐＲＫ５−ＰＲＯ９８５０、ｐＲＫ５−ＰＲＯ５３９、ｐＲＫ５−ＰＲＯ４３１６又はｐＲＫ５−ＰＲＯ４９８０ＤＮＡを約１μｇのＶＡ  ＲＮＡ遺伝子をコードするＤＮＡ［Ｔｈｉｍｍａｐｐａｙａ等，  Ｃｅｌｌ，  ３１：５４３  （１９８２））］と混合し、５００μｌの１ｍＭトリス−ＨＣｌ、０．１ｍＭのＥＤＴＡ、０．２２７ＭのＣａＣｌ２に溶解させた。この混合物に、滴状の、５００μｌの５０ｍＭのＨＥＰＥＳ（ｐＨ７．３５）、２８０ｍｍのＮａＣｌ、１．５ｍＭのＮａＰＯ４を添加し、２５℃で１０分間析出物を形成させた。析出物を懸濁し、２９３細胞に加えて３７℃で約４時間定着させた。培養培地を吸引し、２ｍｌのＰＢＳ中２０％グリセロールを３０秒間添加した。２９３細胞は、次いで無血清培地で洗浄し、新鮮な培地を添加し、細胞を約５日間インキュベートした。
形質移入の約２４時間後、培養培地を除去し、培養培地（のみ）又は２００μＣｉ／ｍｌの３５Ｓ−システイン及び２００μＣｉ／ｍｌの３５Ｓ−メチオニンを含む培養培地で置換した。１２時間のインキュベーションの後、条件培地を回収し、スピンフィルターで濃縮し、１５％ＳＤＳゲルに添加した。処理したゲルを乾燥させ、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの存在を現す選択された時間にわたってフィルムに暴露した。形質転換した細胞を含む培地は、更なるインキュベーションを施し（無血清培地で）、培地を選択されたバイオアッセイで試験した。
【０３１２】
これに換わる技術において、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ＤＮＡは、Ｓｏｍｐａｒｙａｃ等，  Ｐｒｏｃ．  Ｎａｔｌ．  Ａｃａｄ．  Ｓｃｉ．，  １２：７５７５  （１９８１）に記載されたデキストラン硫酸法を用いて２９３細胞に一過的に導入される。２９３細胞は、スピナーフラスコ内で最大密度まで成長させ、７００μｇのｐＲＫ５−ＰＲＯ１９７、ｐＲＫ５−ＰＲＯ２０７、ｐＲＫ５−ＰＲＯ２２６、ｐＲＫ５−ＰＲＯ２３２、ｐＲＫ５−ＰＲＯ２４３、ｐＲＫ５−ＰＲＯ２５６、ｐＲＫ５−ＰＲＯ２６９、ｐＲＫ５−ＰＲＯ２７４、ｐＲＫ５−ＰＲＯ３０４、ｐＲＫ５−ＰＲＯ３３９、ｐＲＫ５−ＰＲＯ１５５８、ｐＲＫ５−ＰＲＯ７７９、ｐＲＫ５−ＰＲＯ１１８５、ｐＲＫ５−ＰＲＯ１２４５、ｐＲＫ５−ＰＲＯ１７５９、ｐＲＫ５−ＰＲＯ５７７５、ｐＲＫ５−ＰＲＯ７１３３、ｐＲＫ５−ＰＲＯ７１６８、ｐＲＫ５−ＰＲＯ５７２５、ｐＲＫ５−ＰＲＯ２０２、ｐＲＫ５−ＰＲＯ２０６、ｐＲＫ５−ＰＲＯ２６４、ｐＲＫ５−ＰＲＯ３１３、ｐＲＫ５−ＰＲＯ３４２、ｐＲＫ５−ＰＲＯ５４２、ｐＲＫ５−ＰＲＯ７７３、ｐＲＫ５−ＰＲＯ８６１、ｐＲＫ５−ＰＲＯ１２１６、ｐＲＫ５−ＰＲＯ１６８６、ｐＲＫ５−ＰＲＯ１８００、ｐＲＫ５−ＰＲＯ３５６２、ｐＲＫ５−ＰＲＯ９８５０、ｐＲＫ５−ＰＲＯ５３９、ｐＲＫ５−ＰＲＯ４３１６又はｐＲＫ５−ＰＲＯ４９８０ＤＮＡを添加する。細胞は、まずスピナーフラスコから遠心分離によって濃縮し、ＰＢＳで洗浄した。ＤＮＡ−デキストラン沈殿物を細胞ペレット上で４時間インキュベートした。細胞を２０％グリセロールで９０秒間処理し、組織培養培地で洗浄し、組織培養培地、５μｇ／ｍｌウシインシュリン及び０．１μｇ／ｍｌウシトランスフェリンを含むスピナーフラスコに再度導入した。約４日後に、条件培地を遠心分離して濾過し、細胞及び細胞片を除去した。次いで発現されたＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０を含む試料を濃縮し、透析又はカラムクロマトグラフィー等の選択した方法によって精製した。
【０３１３】
他の実施態様では、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０をＣＨＯ細胞で発現させることができる。ｐＲＫ５−ＰＲＯ１９７、ｐＲＫ５−ＰＲＯ２０７、ｐＲＫ５−ＰＲＯ２２６、ｐＲＫ５−ＰＲＯ２３２、ｐＲＫ５−ＰＲＯ２４３、ｐＲＫ５−ＰＲＯ２５６、ｐＲＫ５−ＰＲＯ２６９、ｐＲＫ５−ＰＲＯ２７４、ｐＲＫ５−ＰＲＯ３０４、ｐＲＫ５−ＰＲＯ３３９、ｐＲＫ５−ＰＲＯ１５５８、ｐＲＫ５−ＰＲＯ７７９、ｐＲＫ５−ＰＲＯ１１８５、ｐＲＫ５−ＰＲＯ１２４５、ｐＲＫ５−ＰＲＯ１７５９、ｐＲＫ５−ＰＲＯ５７７５、ｐＲＫ５−ＰＲＯ７１３３、ｐＲＫ５−ＰＲＯ７１６８、ｐＲＫ５−ＰＲＯ５７２５、ｐＲＫ５−ＰＲＯ２０２、ｐＲＫ５−ＰＲＯ２０６、ｐＲＫ５−ＰＲＯ２６４、ｐＲＫ５−ＰＲＯ３１３、ｐＲＫ５−ＰＲＯ３４２、ｐＲＫ５−ＰＲＯ５４２、ｐＲＫ５−ＰＲＯ７７３、ｐＲＫ５−ＰＲＯ８６１、ｐＲＫ５−ＰＲＯ１２１６、ｐＲＫ５−ＰＲＯ１６８６、ｐＲＫ５−ＰＲＯ１８００、ｐＲＫ５−ＰＲＯ３５６２、ｐＲＫ５−ＰＲＯ９８５０、ｐＲＫ５−ＰＲＯ５３９、ｐＲＫ５−ＰＲＯ４３１６又はｐＲＫ５−ＰＲＯ４９８０ベクターは、ＣａＰＯ４又はＤＥＡＥ−デキストランなどの公知の試薬を用いてＣＨＯ細胞に形質移入することができる。上記したように、細胞培地をインキュベートし、培地を培養培地（のみ）又は３５Ｓ−メチオニン等の放射性標識を含む培地に置換することができる。ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０ポリペプチドの存在を同定した後、培養培地を無血清培地に置換してもよい。好ましくは、培地を約６日間インキュベートし、次いで条件培地を収集する。次いで、発現されたＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０を含む培地を濃縮して、選択した方法にとって精製することができる。
【０３１４】
また、エピトープタグＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０は、宿主ＣＨＯ細胞において発現させてもよい。ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０はｐＲＫ５ベクターからサブクローニングした。サブクローン挿入物は、次いで、ＰＣＲを施してバキュロウイルス発現ベクター中のポリ−ｈｉｓタグ等の選択されたエピトープタグを持つ枠に融合できる。ポリ−ｈｉｓタグＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０挿入物は、次いで、安定なクローンの選択のためのＤＨＦＲ等の選択マーカーを含むＳＶ４０誘導ベクターにサブクローニングできる。最後に、ＣＨＯ細胞をＳＶ４０誘導ベクターで（上記のように）形質移入した。発現を確認するために、上記のように標識化を行ってもよい。発現されたポリ−ｈｉｓタグＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０を含む培養培地は、次いで濃縮し、Ｎｉ２＋−キレートアフィニティクロマトグラフィー等の選択された方法により精製できる。
【０３１５】
ＰＲＯ１９７、ＰＲＯ２２６、ＰＲＯ２５６、ＰＲＯ２０２、ＰＲＯ２６４、ＰＲＯ５４２、ＰＲＯ７７３及びＰＲＯ８６１は安定発現法でＣＨＯ細胞において発現された、ＰＲＯ２５６、ＰＲＯ２６４及びＰＲＯ８６１はＣＨＯ細胞で一過性発現された。ＣＨＯ細胞における安定な発現は以下の方法を用いて実施された。タンパク質は、それは対応するタンパク質の可溶化形態及び／又はポリ−Ｈｉｓタグ形態のコード化配列（例えば、細胞外ドメイン）がＩｇＧ１のヒンジ、ＣＨ２及びＣＨ２ドメインを含む定常領域配列に融合したＩｇＧ作成物（イムノアドヘシン）として発現された。
ＰＣＲ増幅に続いて、対応するＤＮＡを、Ａｕｓｕｂｅｌ等，  Ｃｕｒｒｅｎｔ  Ｐｒｏｔｏｃｏｌｓ  ｏｆ  Ｍｏｌｅｃｕｌａｒ  Ｂｉｏｌｏｇｙ，  Ｕｎｉｔ  ３．２６，  Ｊｏｈｎ  Ｗｉｌｅｙ  ａｎｄ  Ｓｏｎｓ  （１９９７）に記載されたような標準的技術を用いてＣＨＯ発現ベクターにサブクローニングした。ＣＨＯ発現ベクターは、対象とするＤＮＡの５’及び３’に適合する制限部位を有し、ｃＤＮＡの便利なシャトル化ができるように作成される。ベクターは、Ｌｕｃａｓ等，  Ｎｕｃｌ．  Ａｃｉｄｓ  ｒｅｓ．  ２４：  ９，  １７７４−１７７９  （１９９６）に記載されたようにＣＨＯ細胞での発現を用い、対象とするｃＤＮＡ及びジヒドロフォレートレダクターゼ（ＤＨＦＲ）の発現の制御にＳＶ４０初期プロモーター／エンハンサーを用いる。ＤＨＦＲ発現は、形質移入に続くプラスミドの安定な維持のための選択を可能にする。
所望のプラスミドＤＮＡの１２マイクログラムを、市販の形質移入試薬Ｓｕｐｅｒｆｅｃｔ（登録商標）（Ｑｕｉａｇｅｎ），  Ｄｏｓｐｅｒ（登録商標）及びＦｕｇｅｎｅ（登録商標）（Ｂｏｅｈｒｉｎｇｅｒ  Ｍａｎｎｈｅｉｍ）約一千万のＣＨＯ細胞に導入した。細胞は、上掲のＬｕｃａｓ等に記載されているように成長させた。約３ｘ１０７細胞を、下記のような更なる成長及び生産のためにアンプル中で凍結させた。
【０３１６】
プラスミドＤＮＡを含むアンプルを水槽に配して解凍し、ボルテックスにより混合した。内容物を１０ｍＬの媒質を含む遠心管にピペットして、１０００ｒｐｍで５分間遠心分離した。上清を吸引して細胞を１０ｍＬの選択培地（０．２μｍ濾過ＰＳ２０、５％の０．２μｍ透析濾過ウシ胎児血清を添加）中に懸濁させた。次いで細胞を９０ｍＬの選択培地を含む１００ｍｌスピナーに分けた１−２日後、細胞を１５０ｍＬの選択培地を満たした２５０ｍＬスピナーに移し、３７℃でインキュベートした。さらに２−３日後、２５０ｍＬ、５００ｍＬ及び２０００ｍＬのスピナーを３ｘ１０５細胞／ｍＬで播種した。細胞培地を遠心分離により新鮮培地に交換し、生産培地に再懸濁させた。任意の適切なＣＨＯ培地を用いてもよいが、実際には１９９２年６月１６日に発行の米国特許第５，１２２，４６９号に記載された生産培地を使用した。３Ｌの生産スピナーを１．２ｘ１０６細胞／ｍＬで播種した。０日目に、細胞数とｐＨを測定した。１日目に、スピナーをサンプルし、濾過空気での散布を実施した。２日目に、スピナーをサンプルし、温度を３３℃に変え、５００ｇ／Ｌのグルコース及び０．６ｍＬの１０％消泡剤（例えば３５％ポリジメチルシロキサンエマルション、Ｄｏｗ  Ｃｏｒｎｉｎｇ  ３６５  Ｍｅｄｉｃａｌ  Ｇｒａｄｅ  Ｅｍｕｌｓｉｏｎ）の３０ｍＬとした。生産を通して、ｐＨは７．２近傍に調節し維持した。１０日後、又は生存率が７０％を下回るまで、細胞培地を遠心分離で回収して０．２２μｍフィルターを通して濾過した。濾過物は、４℃で貯蔵するか、即座に精製用カラムに負荷した。
ポリ−Ｈｉｓタグ作成物について、タンパク質はＮｉ２＋−ＮＴＡカラム（Ｑｉａｇｅｎ）を用いて精製した。精製の前に、イミダゾールを条件培地に５ｍＭの濃度まで添加した。条件培地を、０．３ＭのＮａＣｌ及び５ｍＭイミダゾールを含む２０ｍＭのＨｅｐｅｓ，  ｐＨ７．４バッファーで平衡化した６ｍｌのＮｉ−ＮＴＡカラムに４−５ｍｌ／分の流速で４℃においてポンプ供給した。負荷後、カラムをさらに平衡バッファーで洗浄し、タンパク質を０．２５Ｍイミダゾールを含む平衡バッファーで溶離した。高度に精製されたタンパク質は、続いて１０ｍＭのＨｅｐｅｓ、０．１４ＭのＮａＣｌ及び４％のマンニトールを含む貯蔵バッファー中で２５ｍｌのＧ２５  Ｓｕｐｅｒｆｉｎｅ（Ｐｈａｒｍａｃｉａ）を用いて脱塩し、−８０℃で貯蔵した。
イムノアドヘシン（Ｆｃ含有）作成物を以下のようにして条件培地から精製した。条件培地を、２０ｍＭのリン酸ナトリウムバッファー，  ｐＨ６．８で平衡化した５ｍｌのプロテインＡカラム（Ｐｈａｒｍａｃｉａ）に負荷した。負荷後、カラムを平衡バッファーで強く洗浄した後、１００ｍＭのクエン酸，  ｐＨ３．５で溶離した。溶離したタンパク質は、１ｍｌの画分を２７５μｌの１Ｍトリスバッファー，  ｐＨ９を含む管に回収することにより即座に中性化した。高度に精製されたタンパク質は、続いてポリ−Ｈｉｓタグタンパク質について上記した貯蔵バッファー中で脱塩した。均一性はＳＤＳポリアクリルアミドゲルで試験し、エドマン（Ｅｄｍａｎ）分解によりＮ−末端アミノ酸配列決定した。
【０３１７】
実施例３２
酵母菌でのＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の発現
以下の方法は、酵母菌中でのＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の組換え発現を記載する。
第１に、ＡＤＨ２／ＧＡＰＤＨプロモーターからのＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の細胞内生産又は分泌のための酵母菌発現ベクターを作成する。ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０をコードするＤＮＡ及びプロモーターを選択したプラスミドの適当な制限酵素部位に挿入してＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の細胞内発現を指示する。分泌のために、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０をコードするＤＮＡを選択したプラスミドに、ＡＤＨ２／ＧＡＰＤＨプロモーター、天然ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０シグナルペプチド又は他の哺乳類シグナルペプチドをコードするＤＮＡ、又は、例えば酵母菌アルファ因子分泌シグナル／リーダー配列、及び（必要ならば）ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の発現のためのリンカー配列とともにクローニングすることができる。
【０３１８】
酵母菌株ＡＢ１１０等の酵母菌は、次いで上記の発現プラスミドで形質転換し、選択された発酵培地中で培養できる。形質転換した酵母菌上清は、１０％トリクロロ酢酸での沈降及びＳＤＳ−ＰＡＧＥによる分離で分析し、次いでクマシーブルー染色でゲルの染色をすることができる。
続いて組換えＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０は、発酵培地から遠心分離により酵母菌細胞を除去し、次いで選択されたカートリッジフィルターを用いて培地を濃縮することによって単離及び精製できる。ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０を含む濃縮物は、選択されたカラムクロマトグラフィー樹脂を用いてさらに精製してもよい。
【０３１９】
実施例３３
バキュロウイルス感染昆虫細胞でのＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の発現
以下の方法は、バキュロウイルス感染昆虫細胞中における組換え発現を記載する。
ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０は、バキュロウイルス発現ベクターに含まれるエピトープタグの上流に融合させた。このようなエピトープタグは、ポリ−ｈｉｓタグ及び免疫グロブリンタグ（ＩｇＧのＦｃ領域など）を含む。ｐＶＬ１３９３（Ｎａｖｏｇｅｎ）などの市販されているプラスミドから誘導されるプラスミドを含む種々のプラスミドを用いることができる。簡単には、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０あるいはＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０のコード化配列の所定部分（膜貫通タンパク質の細胞外ドメインをコードする配列など）が、５’及び３’領域に相補的なプライマーでのＰＣＲにより増幅される。５’プライマーは、隣接する（選択された）制限酵素部位を包含していてもよい。生成物は、次いで、選択された制限酵素で消化され、発現ベクターにサブクローニングされる。
【０３２０】
組換えバキュロウイルスは、上記のプラスミド及びＢａｃｕｌｏＧｏｌｄＴＭウイルスＤＮＡ（Ｐｈａｒｍｉｎｇｅｎ）を、Ｓｐｏｄｏｐｔｅｒａ  ｆｒｕｇｉｐｅｒｄａ（「Ｓｆ９」）細胞（ＡＴＣＣ  ＣＲＬ  １７１１）中にリポフェクチン（ＧＩＢＣＯ−ＢＲＬから市販）を用いて同時形質移入することにより作成される。２８℃で４−５日インキュベートした後、放出されたウイルスを回収し、更なる増幅に用いた。ウイルス感染及びタンパク質発現は、Ｏ’Ｒｅｉｌｌｅｙ等，  Ｂａｃｕｌｏｖｉｒｕｓ  ｅｘｐｒｅｓｓｉｏｎ  ｖｅｃｔｏｒｓ：  Ａ  ｌａｂｏｒａｔｏｒｙ  Ｍａｎｕａｌ，  Ｏｘｆｏｒｄ：  Ｏｘｆｏｒｄ  Ｕｎｉｖｅｒｓｉｔｙ  Ｐｒｅｓｓ  （１９９４）に記載されているように実施した。
次いで、発現されたポリ−ｈｉｓタグＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０は、例えば、Ｎｉ２＋−キレートアフィニティクロマトグラフィーにより以下のように精製される。抽出物は、Ｒｕｐｅｒｔ等，  Ｎａｔｕｒｅ，  ３６２：１７５−１７９  （１９９３）に記載されているように、ウイルス感染した組み換えＳｆ９細胞から調製した。簡単には、Ｓｆ９細胞を洗浄し、超音波処理用バッファー（２５ｍｌのＨｅｐｅｓ、ｐＨ７．９；１２．５ｍＭのＭｇＣｌ２；０．１ｍＭのＥＤＴＡ；１０％のグリセロール；０．１％のＮＰ−４０；０．４ＭのＫＣｌ）中に再懸濁し、氷上で２回２０秒間超音波処理した。超音波処理物を遠心分離で透明化し、上清を負荷バッファー（５０ｍＭリン酸塩、３００ｍＭＮａＣｌ、１０％のグリセロール、ｐＨ７．８）で５０倍希釈し、０．４５μｍフィルターで濾過した。Ｎｉ２＋−ＮＴＡアガロースカラム（Ｑｉａｇｅｎから市販）を５ｍｌの総容積で調製し、２５ｍｌの水で洗浄し、２５ｍｌの負荷バッファーで平衡させた。濾過した細胞抽出物は、毎分０．５ｍｌでカラムに負荷した。カラムを、分画回収が始まる点であるＡ２８０のベースラインまで負荷バッファーで洗浄した。次に、カラムを、結合タンパク質を非特異的に溶離する二次洗浄バッファー（５０ｍＭのリン酸塩；３００ｍＭのＮａＣｌ、１０％のグリセロール、ｐＨ６．０）で洗浄した。Ａ２８０のベースラインに再度到達した後、カラムを二次洗浄バッファー中で０から５００ｍＭのイミダゾール勾配で展開した。１ｍｌの分画を回収し、ＳＤＳ−ＰＡＧＥ及び銀染色又はアルカリホスファターゼ（Ｑｉａｇｅｎ）に複合したＮｉ２＋−ＮＴＡでのウェスタンブロットで分析した。溶離したＨｉｓ１０−タグＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０を含む分画をプールし、負荷バッファーで透析した。
【０３２１】
あるいは、ＩｇＧタグ（又はＦｃタグ）ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０の精製は、例えば、プロテインＡ又はプロテインＧカラムクロマトグラフィーを含む公知のクロマトグラフィー技術を用いて実施できる。
発現は実際には０．５−２Ｌのスケールであったが、容易により大きな（例えば８Ｌ）調製にスケールアップできる。タンパク質はＩｇＧ作成物（イムノアドヘシン）として発現され、そこではタンパク質細胞外領域がヒンジ、ＣＨ２及びＣＨ３ドメイン及び／又はポリ−Ｈｉｓタグ形態を含むＩｇＧ１定常領域配列に融合している。
【０３２２】
ＰＣＲ増幅に続いて、対応するコード化配列をバキュロウイルス発現ベクター（ＩｇＧ融合物に対するｐｂ．ＰＨ．ＩｇＧ及びポリＨｉｓタグに対するｐｂ．ＰＨ．Ｈｉｓ．ｃ）にサブクローニングし、そのベクター及びＢａｃｕｌｏｇｏｌｄ（登録商標）バキュロウイルスＤＮＡ（Ｐｈａｒｍｉｎｇｅｎ）を１０５スポドプテラグルヒペルダ（Ｓｐｏｄｏｐｔｅｒａ  ｆｒｕｇｉｐｅｒｄａ）（「Ｓｆ９」）細胞（ＡＴＣＣ  ＣＲＬ  １７１１）にリポフェクチン（Ｇｉｂｃｏ  ＢＲＬ）を用いて同時形質移入した。ｐｂ．ＰＨ．ＩｇＧ及びＰＨ．Ｈｉｓ．ｃは、市販のバキュロウイルス発現ベクターｐＶＬ１３９３（Ｐｈａｒｍｉｎｇｅｎ）の修飾物であり、Ｈｉｓ又はＦｃタグ配列を含むように修飾されたポリリンカー領域を持つ。細胞を、１０％のＦＢＳ（Ｈｙｃｌｏｎｅ）を添加したＨｉｎｋのＴＮＭ−ＦＭ培地で成長させた。細胞は、２８℃で５日間インキュベートした。上清を回収し、続いて１０％ＦＢＳを添加したＨｉｎｋのＴＮＭ−ＦＨ培地におけるＳｆ９細胞感染による約１０の感染効率（ＭＯＩ）での最初のウイルス増幅に用いた。細胞を２８℃で３日間インキュベートした。上清を回収し、バキュロウイルス発現ベクターにおける作成物の発現を、１ｍｌの上清の２５ｍＬのヒスチジンタグタンパク質用のＮｉ２＋−ＮＴＡビーズ（ＱＩＡＧＥＮ）又はＩｇＧタグタンパク質用のプロテインＡセファロースＣＬ−４Ｂビーズ（Ｐｈａｒｍａｃｉａ）へのバッチ結合、次いでクマシーブルー染色により周知の濃度のタンパク質標準と比較するＳＤＳ−ＰＡＧＥ分析により測定した。
第１の増幅ウイルス上清をＥＳＦ−９２１培地（Ｅｘｐｒｅｓｓｉｏｎ  Ｓｙｓｔｅｍ  ＬＬＣ）で成長させたＳｆ９細胞のスピナー培地（５００ｍｌ）の約０．１のＭＯＩでの感染に使用した。細胞は２８℃で３日間インキュベートした。上清を回収して濾過した。バッチ結合及びＳＤＳ−ＰＡＧＥを、スピナー培地の発現が確認されるまで、必要に応じて繰り返した。
【０３２３】
形質移入細胞からの条件培地（０．５〜３Ｌ）を、遠心分離により細胞を除去し０．２２ミクロンフィルターを通して濾過することにより回収した。ポリ−Ｈｉｓタグ作成物については、配列を含むタンパク質をＮｉ２＋−ＮＴＡカラム（Ｑｉａｇｅｎ）を用いて精製した。精製前に、イミダゾールを条件培地に５ｍＭの濃度まで添加した。条件培地を、０．３ＭのＮａＣｌ及び５ｍＭイミダゾールを含む２０ｍＭのＨｅｐｅｓ，  ｐＨ７．４バッファーで平衡化した６ｍｌのＮｉ２＋−ＮＴＡカラムに４−５ｍｌ／分の流速で４℃においてポンプ供給した。負荷後、カラムをさらに平衡バッファーで洗浄し、タンパク質を０．２５Ｍイミダゾールを含む平衡バッファーで溶離した。高度に精製されたタンパク質は、続いて１０ｍＭのＨｅｐｅｓ、０．１４ＭのＮａＣｌ及び４％のマンニトールを含む貯蔵バッファー，  ｐＨ６．８中で２５ｍｌのＧ２５  Ｓｕｐｅｒｆｉｎｅ（Ｐｈａｒｍａｃｉａ）を用いて脱塩し、−８０℃で貯蔵した。
タンパク質のイムノアドヘシン（Ｆｃ含有）作成物を以下のようにして条件培地から精製した。条件培地を、２０ｍＭのリン酸ナトリウムバッファー，  ｐＨ６．８で平衡化した５ｍｌのプロテインＡカラム（Ｐｈａｒｍａｃｉａ）に負荷した。負荷後、カラムを平衡バッファーで強く洗浄した後、１００ｍＭのクエン酸，  ｐＨ３．５で溶離した。溶離したタンパク質は、１ｍｌの画分を２７５ｍＬの１Ｍトリスバッファー，  ｐＨ９を含む管に回収することにより即座に中性化した。高度に精製されたタンパク質は、続いてポリ−Ｈｉｓタグタンパク質について上記した貯蔵バッファー中で脱塩した。ＰＲＯポリペプチドの均一性はＳＤＳポリアクリルアミドゲル（ＰＥＧ）電気泳動及びエドマン（Ｅｄｍａｎ）分解によるＮ−末端アミノ酸配列決定により評価できる。
ＰＲＯ２５６、ＰＲＯ２６９、ＰＲＯ１２４５、ＰＲＯ２６４及びＰＲＯ５４２は、バキュウロウイルス感染Ｓｆ９昆虫細胞において上記の手法により発現された。
【０３２４】
あるいは、修飾バキュロウイルス法をｈｉｇｈ５細胞取り込みに使用してもよい。この方法では、所望の配列をコードするＤＮＡは、Ｐｆｕ（Ｓｔｒａｔａｇｅｎｅ）等の適当な系で増幅されても、又はバキュロウイルス発現ベクターの含まれるエピトープタグの上流（５’−）に融合させてもよい。このようなエピトープタグは、ポリ−Ｈｉｓタグ及び免疫グロブリンタグ（ＩｇＧのＦｃ領域等）を含む。種々のプラスミドを用いることができ、ｐＩＥ−１（Ｎｏｖａｇｅｎ）等の市販のプラスミドから誘導されたプラスミドを含む。ｐＩＥ−１及びｐＩＥ−２ベクターは、安定に形質転換された昆虫細胞におけるバキュロウイルスｉｅ１プロモーターからの組換えタンパク質の構成的発現のために設計される。このプラスミドは複数のクローニング部位の方向においてのみ相違し、未感染昆虫細胞におけるｉｅ１媒介遺伝子発現に重要であることが知られた全てのプロモーター配列並びにｈｒ５エンハンサー成分を含む。ｐＩＥ−１及びｐＩＥ−２はｉｅ翻訳開始部位を含み、融合タンパク質の製造に使用できる。簡単には、所望の配列又は配列の所望の部分（膜貫通タンパク質の細胞外ドメインをコードする配列など）を、５’及び３’領域に相補的なプライマーでのＰＣＲにより増幅する。５’プライマーは隣接する（選択された）制限酵素部位を導入してもよい。生成物は、次いで、選択された制限酵素で消化して発現ベクターにサブクローニングされる。例えば、ｐＩＥｌ−１の誘導体はヒトＩｇＧ（ｐｂ．ＰＨ．ＩｇＧ）のＦｃ領域又は８ヒスチジン（ｐｂ．ＰＨ．Ｈｉｓ）タグ下流（３’−）を含むことができる。好ましくは、ベクター作成物は確認のために配列決定される。
Ｈｉｇｈ５細胞は、２７℃、ＣＯ２無し、ｐｅｎ／ｓｔｒｅｐ無しの条件下で５０％の集密度まで成長させた。１５０ｍｍプレート各々について、３０μｇのＰＲＯポリペプチドを含むｐＩＥベースベクターを１ｍｌのＥｘ−細胞培地（媒質：Ｅｘ−細胞４０１＋１／１００のＬ−Ｇｌｕ  ＪＲＨ  Ｂｉｏｓｃｉｅｎｃｅｓ  ＃１４４０１−７８Ｐ（注：この媒質は軽感受性））と混合し、別の管において、１００μｌのセルフェクチン（ＣｅｌｌＦＥＣＴＩＮ（Ｇｉｂｃｏ  ＢＲＬ  ＃１０３６２−０１０）（ボルテックスで混合））を１ｍｌのＥｘ−細胞培地と混合した。２つの溶液を混合し、室温で１５分間インキュベーションした。８ｍｌのＥｘ−細胞培地を２ｍｌのＤＮＡ／セルフェクチン混合物に添加し、Ｅｘ−細胞培地で１回洗浄したＨｉ５細胞上に層形成させた。次いでプレートを暗中室温でインキュベートした。次いでＤＮＡ／セルフェクチン混合物を吸引し、細胞をＥｘ−細胞で１回戦乗して過剰のセルフェクチンを除去した。３０ｍｌの新鮮なＥｘ−細胞培地を添加し、細胞を２８℃で３日間インキュベートした。上清を回収して、バキュロウイルス感染ベクターでのＰＲＯポリペプチドの発現を、１ｍｌの上清の２５ｍＬのヒスチジンタグタンパク質用のＮｉ２＋−ＮＴＡビーズ（ＱＩＡＧＥＮ）又はＩｇＧタグタンパク質用のプロテインＡセファロースＣＬ−４Ｂビーズ（Ｐｈａｒｍａｃｉａ）へのバッチ結合、次いでクマシーブルー染色により周知の濃度のタンパク質標準と比較するＳＤＳ−ＰＡＧＥ分析により測定した。
【０３２５】
形質移入細胞からの条件培地（０．５〜３Ｌ）を、遠心分離により細胞を除去し０．２２ミクロンフィルターを通して濾過することにより回収した。ポリ−Ｈｉｓタグ作成物については、タンパク質作成物をＮｉ２＋−ＮＴＡカラム（Ｑｉａｇｅｎ）を用いて精製した。精製前に、イミダゾールを条件培地に５ｍＭの濃度まで添加した。条件培地を、０．３ＭのＮａＣｌ及び５ｍＭイミダゾールを含む２０ｍＭのＨｅｐｅｓ，  ｐＨ７．４バッファーで平衡化した６ｍｌのＮｉ２＋−ＮＴＡカラムに４−５ｍｌ／分の流速で４８℃においてポンプ供給した。負荷後、カラムをさらに平衡バッファーで洗浄し、タンパク質を０．２５Ｍイミダゾールを含む平衡バッファーで溶離した。高度に精製されたタンパク質は、続いて１０ｍＭのＨｅｐｅｓ、０．１４ＭのＮａＣｌ及び４％のマンニトールを含む貯蔵バッファー，  ｐＨ６．８中で２５ｍｌのＧ２５  Ｓｕｐｅｒｆｉｎｅ（Ｐｈａｒｍａｃｉａ）を用いて脱塩し、−８０℃で貯蔵した。
タンパク質のイムノアドヘシン（Ｆｃ含有）作成物を以下のようにして条件培地から精製した。条件培地を、２０ｍＭのリン酸ナトリウムバッファー，  ｐＨ６．８で平衡化した５ｍｌのプロテインＡカラム（Ｐｈａｒｍａｃｉａ）に負荷した。負荷後、カラムを平衡バッファーで強く洗浄した後、１００ｍＭのクエン酸，  ｐＨ３．５で溶離した。溶離したタンパク質は、１ｍｌの画分を２７５ｍＬの１Ｍトリスバッファー，  ｐＨ９を含む管に回収することにより即座に中性化した。高度に精製されたタンパク質は、続いてポリ−Ｈｉｓタグタンパク質について上記した貯蔵バッファー中で脱塩した。ＰＲＯポリペプチドの均一性はＳＤＳポリアクリルアミドゲル及びエドマン（Ｅｄｍａｎ）分解によるＮ−末端アミノ酸配列決定及び所望又は必要に応じて他の分析手法により評価できる。
ＰＲＯ２２６、ＰＲＯ２３２、ＰＲＯ２４３、ＰＲＯ２６９、ＰＲＯ７７９、ＰＲＯ２０２、ＰＲＯ５４２及びＰＲＯ８６１は、ｈｉｇｈ５細胞を導入する上記の改変バキュロウイルス法により成功裏に発現された。
【０３２６】
実施例３４
ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０に結合する抗体の調製
この実施例は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０に特異的に結合できるモノクローナル抗体の調製を例示する。
モノクローナル抗体の生産のための技術は、この分野で知られており、例えば、Ｇｏｄｉｎｇ，上掲に記載されている。用いられ得る免疫原は、精製ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０含む融合タンパク質、細胞表面に組換えＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０を発現する細胞を含む。免疫原の選択は、当業者が過度の実験をすることなくなすことができる。
【０３２７】
Ｂａｌｂ／ｃ等のマウスを、完全フロイントアジュバントに乳化して皮下又は腹腔内に１−１００マイクログラムで注入したＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０免疫原で免疫化する。あるいは、免疫原をＭＰＬ−ＴＤＭアジュバント（Ｒｉｂｉ  Ｉｍｍｕｎｏｃｈｅｍｉｃａｌ  Ｒｅｓｅａｒｈ，  Ｈａｍｉｌｔｏｎ，  ＭＴ）に乳化し、動物の後足蹠に注入してもよい。免疫化したマウスは、次いで１０から１２日後に、選択したアジュバント中に乳化した付加的免疫源で追加免疫する。その後、数週間、マウスをさらなる免疫化注射で追加免疫する。抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０抗体の検出のためのＥＬＩＳＡアッセイで試験するために、レトロオービタル出血からの血清試料をマウスから周期的に採取してもよい。
適当な抗体力価が検出された後、抗体に「ポジティブ」な動物に、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０静脈内注射の最後の注入をすることができる。３から４日後、マウスを屠殺し、脾臓を取り出した。次いで脾臓細胞を（３５％ポリエチレングリコールを用いて）、ＡＣＴＴから番号ＣＲＬ１５９７で入手可能なＰ３Ｘ６３ＡｇＵ．１等の選択されたマウス骨髄腫細胞系に融合させた。融合によりハイブリドーマ細胞が生成され、次いで、ＨＡＴ（ヒポキサンチン、アミノプテリン、及びチミジン）培地を含む９６ウェル組織培養プレートに蒔き、非融合細胞、骨髄腫ハイブリッド、及び脾臓細胞ハイブリッドの増殖を阻害した。
【０３２８】
ハイブリドーマ細胞は、ＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０に対する反応性についてのＥＬＩＳＡでスクリーニングされる。所望のＰＲＯ１９７、ＰＲＯ２０７、ＰＲＯ２２６、ＰＲＯ２３２、ＰＲＯ２４３、ＰＲＯ２５６、ＰＲＯ２６９、ＰＲＯ２７４、ＰＲＯ３０４、ＰＲＯ３３９、ＰＲＯ１５５８、ＰＲＯ７７９、ＰＲＯ１１８５、ＰＲＯ１２４５、ＰＲＯ１７５９、ＰＲＯ５７７５、ＰＲＯ７１３３、ＰＲＯ７１６８、ＰＲＯ５７２５、ＰＲＯ２０２、ＰＲＯ２０６、ＰＲＯ２６４、ＰＲＯ３１３、ＰＲＯ３４２、ＰＲＯ５４２、ＰＲＯ７７３、ＰＲＯ８６１、ＰＲＯ１２１６、ＰＲＯ１６８６、ＰＲＯ１８００、ＰＲＯ３５６２、ＰＲＯ９８５０、ＰＲＯ５３９、ＰＲＯ４３１６又はＰＲＯ４９８０に対するモノクローナル抗体を分泌する「ポジティブ」ハイブリドーマ細胞の決定は、技術常識の範囲内である。
ポジティブハイブリドーマ細胞を同系のＢａｌｂ／ｃマウスに腹腔内注入し、抗−ＰＲＯ１９７、抗−ＰＲＯ２０７、抗−ＰＲＯ２２６、抗−ＰＲＯ２３２、抗−ＰＲＯ２４３、抗−ＰＲＯ２５６、抗−ＰＲＯ２６９、抗−ＰＲＯ２７４、抗−ＰＲＯ３０４、抗−ＰＲＯ３３９、抗−ＰＲＯ１５５８、抗−ＰＲＯ７７９、抗−ＰＲＯ１１８５、抗−ＰＲＯ１２４５、抗−ＰＲＯ１７５９、抗−ＰＲＯ５７７５、抗−ＰＲＯ７１３３、抗−ＰＲＯ７１６８、抗−ＰＲＯ５７２５、抗−ＰＲＯ２０２、抗−ＰＲＯ７７３、抗−ＰＲＯ８６１、抗−ＰＲＯ１２１６、抗−ＰＲＯ１６８６、抗−ＰＲＯ１８００、抗−ＰＲＯ３５６２、抗−ＰＲＯ９８５０、抗−ＰＲＯ５３９、抗−ＰＲＯ４３１６又は抗−ＰＲＯ４９８０モノクローナル抗体を含む腹水を生成させる。あるいは、ハイブリドーマ細胞を、組織培養フラスコ又はローラーボトルで成長させることもできる。腹水中に生成されたモノクローナル抗体の精製は、硫酸アンモニウム沈降、それに続くゲル排除クロマトグラフィ−を用いて行うことができる。あるいは、抗体のプロテインＡ又はプロテインＧへの親和性に基づくアフィニティクロマトグラフィーを用いることもできる。
【０３２９】
材料の寄託
次の細胞系をアメリカン・タイプ・カルチャー・コレクション，  １０８０１  ユニバーシティ  ブルバード  マナッサス、バージニア、２０１１０−２２０９米国（ＡＴＣＣ）に寄託した：
2004229504.tif 000061
【０３３０】
この寄託は、特許手続き上の微生物の寄託の国際的承認に関するブダペスト条約及びその規則（ブダペスト条約）の規定に従って行われた。これは、寄託の日付から３０年間、寄託の生存可能な培養が維持されることを保証するものである。寄託物はブダペスト条約の条項に従い、またジェネンテク社とＡＴＣＣとの間の合意に従い、ＡＴＣＣから入手することができ、これは、どれが最初であろうとも、関連した米国特許の発行時又は任意の米国又は外国特許出願の公開時に、寄託培養物の後代を永久かつ非制限的に入手可能とすることを保証し、米国特許法第１２２条及びそれに従う特許庁長官規則（特に参照番号８８６ＯＧ６３８の３７ＣＦＲ第１．１４条を含む）に従って権利を有すると米国特許庁長官が決定した者に子孫を入手可能とすることを保証するものである。
本出願の譲受人は、寄託した培養物が、適切な条件下で培養されていた場合に死亡もしくは損失又は破壊されたならば、材料は通知時に同一の他のものと即座に取り替えることに同意する。寄託物質の入手可能性は、特許法に従いあらゆる政府の権限下で認められた権利に違反して、本発明を実施するライセンスであるとみなされるものではない。
上記の文書による明細書は、当業者に本発明を実施できるようにするために十分であると考えられる。寄託した態様は、本発明のある側面の一つの説明として意図されており、機能的に等価なあらゆる作成物がこの発明の範囲内にあるため、寄託された作成物により、本発明の範囲が限定されるものではない。ここでの物質の寄託は、ここに含まれる文書による説明が、そのベストモードを含む、本発明の任意の側面の実施を可能にするために不十分であることを認めるものではないし、それが表す特定の例証に対して請求の範囲を制限するものと解釈されるものでもない。実際、ここに示し記載したものに加えて、本発明を様々に改変することは、前記の記載から当業者にとっては明らかなものであり、添付の請求の範囲内に入るものである。
【図面の簡単な説明】
【Ｆｉｇ１】天然配列ＰＲＯ１９７をコードするヌクレオチド配列を含むｃＤＮＡのヌクレオチド配列（配列番号：１）を示す図であり、当該ヌクレオチド配列（配列番号：１）はここでＤＮＡ２２７８０−１０７８と命名されるクローンである。また、太字及び下線フォントで示したのは、各々開始及び停止コドンである。
【Ｆｉｇ２】Ｆｉｇ１に示した配列番号：１のコード化配列から誘導された天然配列ＰＲＯ１９７ポリペプチドのアミノ酸配列（配列番号：２）を示す図である。
【Ｆｉｇ３】天然配列ＰＲＯ２０７をコードするヌクレオチド配列を含むｃＤＮＡのヌクレオチド配列（配列番号：３）を示す図であり、当該ヌクレオチド配列（配列番号：３）はここでＤＮＡ３０８７９−１１５２と命名されるクローンである。また、太字及び下線フォントで示したのは、各々開始及び停止コドンである。
【Ｆｉｇ４】Ｆｉｇ３に示した配列番号：３のコード化配列から誘導された天然配列ＰＲＯ２０７ポリペプチドのアミノ酸配列（配列番号：４）を示す図である。
【Ｆｉｇ５】天然配列ＰＲＯ２２６をコードするヌクレオチド配列を含むｃＤＮＡのヌクレオチド配列（配列番号：５）を示す図であり、当該ヌクレオチド配列（配列番号：５）はここでＤＮＡ３３４６０−１１６６と命名されるクローンである。また、太字及び下線フォントで示したのは、各々開始及び停止コドンである。
【Ｆｉｇ６】Ｆｉｇ５に示した配列番号：５のコード化配列から誘導された天然配列ＰＲＯ２２６ポリペプチドのアミノ酸配列（配列番号：６）を示す図である。
【Ｆｉｇ７】天然配列ＰＲＯ２３２をコードするヌクレオチド配列を含むｃＤＮＡのヌクレオチド配列（配列番号：７）を示す図であり、当該ヌクレオチド配列（配列番号：７）はここでＤＮＡ３４４３５−１１４０と命名されるクローンである。また、太字及び下線フォントで示したのは、各々開始及び停止コドンである。
【Ｆｉｇ８】Ｆｉｇ７に示した配列番号：７のコード化配列から誘導された天然配列ＰＲＯ２３２ポリペプチドのアミノ酸配列（配列番号：８）を示す図である。
【Ｆｉｇ９】天然配列ＰＲＯ２４３をコードするヌクレオチド配列を含むｃＤＮＡのヌクレオチド配列（配列番号：９）を示す図であり、当該ヌクレオチド配列（配列番号：９）はここでＤＮＡ３５９１７−１２０７と命名されるクローンである。また、太字及び下線フォントで示したのは、各々開始及び停止コドンである。
【Ｆｉｇ１０】Ｆｉｇ９に示した配列番号：９のコード化配列から誘導された天然配列ＰＲＯ２４３ポリペプチドのアミノ酸配列（配列番号：１０）を示す図である。
【Ｆｉｇ１１】天然配列ＰＲＯ２５６をコードするヌクレオチド配列を含むｃＤＮＡのヌクレオチド配列（配列番号：１１）を示す図であり、当該ヌクレオチド配列（配列番号：１１）はここでＤＮＡ３５８８０−１１６０と命名されるクローンである。また、太字及び下線フォントで示したのは、各々開始及び停止コドンである。
【Ｆｉｇ１２】Ｆｉｇ１１に示した配列番号：１１のコード化配列から誘導された天然配列ＰＲＯ２５６ポリペプチドのアミノ酸配列（配列番号：１２）を示す図である。
【Ｆｉｇ１３】天配列ＰＲＯ２６９をコードするヌクレオチド配列を含むｃＤＮＡのヌクレオチド配列（配列番号：１３）を示す図であり、当該ヌクレオチド配列（配列番号：１３）はここでＤＮＡ３８２６０−１１８０と命名されるクローンである。また、太字及び下線フォントで示したのは、各々開始及び停止コドンである。
【Ｆｉｇ１４】Ｆｉｇ１３に示した配列番号：１３のコード化配列から誘導された天然配列ＰＲＯ２６９ポリペプチドのアミノ酸配列（配列番号：１４）を示す図である。
【Ｆｉｇ１５】天然配列ＰＲＯ２７４をコードするヌクレオチド配列を含むｃＤＮＡのヌクレオチド配列（配列番号：１５）を示す図であり、当該ヌクレオチド配列（配列番号：１５）はここでＤＮＡ３９９８７−１１８４と命名されるクローンである。また、太字及び下線フォントで示したのは、各々開始及び停止コドンである。
【Ｆｉｇ１６】Ｆｉｇ１５に示した配列番号：１５のコード化配列から誘導された天然配列ＰＲＯ２７４ポリペプチドのアミノ酸配列（配列番号：１６）を示す図である。
【Ｆｉｇ１７】天然配列ＰＲＯ３０４をコードするヌクレオチド配列を含むｃＤＮＡのヌクレオチド配列（配列番号：１７）を示す図であり、当該ヌクレオチド配列（配列番号：１７）はここでＤＮＡ３９５２０−１２１７と命名されるクローンである。また、太字及び下線フォントで示したのは、各々開始及び停止コドンである。
【Ｆｉｇ１８】Ｆｉｇ１７に示した配列番号：１７のコード化配列から誘導された天然配列ＰＲＯ３０４ポリペプチドのアミノ酸配列（配列番号：１８）を示す図である。
【Ｆｉｇ１９】天然配列ＰＲＯ３３９をコードするヌクレオチド配列を含むｃＤＮＡのヌクレオチド配列（配列番号：１９）を示す図であり、当該ヌクレオチド配列（配列番号：１９）はここでＤＮＡ４３４６６−１２２５と命名されるクローンである。また、太字及び下線フォントで示したのは、各々開始及び停止コドンである。
【Ｆｉｇ２０】Ｆｉｇ１９に示した配列番号：１９のコード化配列から誘導された天然配列ＰＲＯ３３９ポリペプチドのアミノ酸配列（配列番号：２０）を示す図である。
【Ｆｉｇ２１】天然配列ＰＲＯ１５５８をコードするヌクレオチド配列を含むｃＤＮＡのヌクレオチド配列（配列番号：２１）を示す図であり、当該ヌクレオチド配列（配列番号：２１）はここでＤＮＡ７１２８２−１６６８と命名されるクローンである。また、太字及び下線フォントで示したのは、各々開始及び停止コドンである。
【Ｆｉｇ２２】Ｆｉｇ２１に示した配列番号：２１のコード化配列から誘導された天然配列ＰＲＯ１５５８ポリペプチドのアミノ酸配列（配列番号：２２）を示す図である。
【Ｆｉｇ２３】天然配列ＰＲＯ７７９をコードするヌクレオチド配列を含むｃＤＮＡのヌクレオチド配列（配列番号：２３）を示す図であり、当該ヌクレオチド配列（配列番号：２３）はここでＤＮＡ５８８０１−１０５２と命名されるクローンである。また、太字及び下線フォントで示したのは、各々開始及び停止コドンである。
【Ｆｉｇ２４】Ｆｉｇ２３に示した配列番号：２３のコード化配列から誘導された天然配列ＰＲＯ７７９ポリペプチドのアミノ酸配列（配列番号：２４）を示す図である。
【Ｆｉｇ２５】天然配列ＰＲＯ１１８５をコードするヌクレオチド配列を含むｃＤＮＡのヌクレオチド配列（配列番号：２５）を示す図であり、当該ヌクレオチド配列（配列番号：２５）はここでＤＮＡ６２８８１−１５１５と命名されるクローンである。また、太字及び下線フォントで示したのは、各々開始及び停止コドンである。
【Ｆｉｇ２６】Ｆｉｇ２５に示した配列番号：２５のコード化配列から誘導された天然配列ＰＲＯ１１８５ポリペプチドのアミノ酸配列（配列番号：２６）を示す図である。
【Ｆｉｇ２７】天然配列ＰＲＯ１２４５をコードするヌクレオチド配列を含むｃＤＮＡのヌクレオチド配列（配列番号：２７）を示す図であり、当該ヌクレオチド配列（配列番号：２７）はここでＤＮＡ６４８８４−１５２７と命名されるクローンである。また、太字及び下線フォントで示したのは、各々開始及び停止コドンである。
【Ｆｉｇ２８】Ｆｉｇ２７に示した配列番号：２７のコード化配列から誘導された天然配列ＰＲＯ１２４５ポリペプチドのアミノ酸配列（配列番号：２８）を示す図である。
【Ｆｉｇ２９】天然配列ＰＲＯ１７５９をコードするヌクレオチド配列を含むｃＤＮＡのヌクレオチド配列（配列番号：２９）を示す図であり、当該ヌクレオチド配列（配列番号：２９）はここでＤＮＡ７６５３１−１７０１と命名されるクローンである。また、太字及び下線フォントで示したのは、各々開始及び停止コドンである。
【Ｆｉｇ３０】Ｆｉｇ２９に示した配列番号：２９のコード化配列から誘導された天然配列ＰＲＯ１７５９ポリペプチドのアミノ酸配列（配列番号：３０）を示す図である。
【Ｆｉｇ３１】天然配列ＰＲＯ５７７５をコードするヌクレオチド配列を含むｃＤＮＡのヌクレオチド配列（配列番号：３１）を示す図であり、当該ヌクレオチド配列（配列番号：３１）はここでＤＮＡ９６８６９−２６７３と命名されるクローンである。また、太字及び下線フォントで示したのは、各々開始及び停止コドンである。
【Ｆｉｇ３２】Ｆｉｇ３１に示した配列番号：３１のコード化配列から誘導された天然配列ＰＲＯ５７７５ポリペプチドのアミノ酸配列（配列番号：３２）を示す図である。
【Ｆｉｇ３３】天然配列ＰＲＯ７１３３をコードするヌクレオチド配列を含むｃＤＮＡのヌクレオチド配列（配列番号：３３）を示す図であり、当該ヌクレオチド配列（配列番号：３３）はここでＤＮＡ１２８４５１−２７３９と命名されるクローンである。また、太字及び下線フォントで示したのは、各々開始及び停止コドンである。
【Ｆｉｇ３４】Ｆｉｇ３３に示した配列番号：３３のコード化配列から誘導された天然配列ＰＲＯ７１３３ポリペプチドのアミノ酸配列（配列番号：３４）を示す図である。
【Ｆｉｇ３５】天然配列ＰＲＯ７１６８をコードするヌクレオチド配列を含むｃＤＮＡのヌクレオチド配列（配列番号：３５）を示す図であり、当該ヌクレオチド配列（配列番号：３５）はここでＤＮＡ１０２８４６−２７４２と命名されるクローンである。また、太字及び下線フォントで示したのは、各々開始及び停止コドンである。
【Ｆｉｇ３６】Ｆｉｇ３５に示した配列番号：３５のコード化配列から誘導された天然配列ＰＲＯ７１６８ポリペプチドのアミノ酸配列（配列番号：３６）を示す図である。
【Ｆｉｇ３７】天然配列ＰＲＯ５７２５をコードするヌクレオチド配列を含むｃＤＮＡのヌクレオチド配列（配列番号：３７）を示す図であり、当該ヌクレオチド配列（配列番号：３７）はここでＤＮＡ９２２６５−２６６９と命名されるクローンである。また、太字及び下線フォントで示したのは、各々開始及び停止コドンである。
【Ｆｉｇ３８】Ｆｉｇ３７に示した配列番号：３７のコード化配列から誘導された天然配列ＰＲＯ５７２５ポリペプチドのアミノ酸配列（配列番号：３８）を示す図である。
【Ｆｉｇ３９】天然配列ＰＲＯ２０２をコードするヌクレオチド配列を含むｃＤＮＡのヌクレオチド配列（配列番号：３９）を示す図であり、当該ヌクレオチド配列（配列番号：３９）はここでＤＮＡ３０８６９と命名されるクローンである。また、太字及び下線フォントで示したのは、各々開始及び停止コドンである。
【Ｆｉｇ４０】Ｆｉｇ３９に示した配列番号：３９のコード化配列から誘導された天然配列ＰＲＯ２０２ポリペプチドのアミノ酸配列（配列番号：４０）を示す図である。
【Ｆｉｇ４１】天然配列ＰＲＯ２０６をコードするヌクレオチド配列を含むｃＤＮＡのヌクレオチド配列（配列番号：４１）を示す図であり、当該ヌクレオチド配列（配列番号：４１）はここでＤＮＡ３４４０５と命名されるクローンである。また、太字及び下線フォントで示したのは、各々開始及び停止コドンである。
【Ｆｉｇ４２】Ｆｉｇ４１に示した配列番号：４１のコード化配列から誘導された天然配列ＰＲＯ２０６ポリペプチドのアミノ酸配列（配列番号：４２）を示す図である。
【Ｆｉｇ４３】天然配列ＰＲＯ２６４をコードするヌクレオチド配列を含むｃＤＮＡのヌクレオチド配列（配列番号：４３）を示す図であり、当該ヌクレオチド配列（配列番号：４３）はここでＤＮＡ３６９９５と命名されるクローンである。また、太字及び下線フォントで示したのは、各々開始及び停止コドンである。
【Ｆｉｇ４４】Ｆｉｇ４３に示した配列番号：４３のコード化配列から誘導された天然配列ＰＲＯ２６４ポリペプチドのアミノ酸配列（配列番号：４４）を示す図である。
【Ｆｉｇ４５】天然配列ＰＲＯ３１３をコードするヌクレオチド配列を含むｃＤＮＡのヌクレオチド配列（配列番号：４５）を示す図であり、当該ヌクレオチド配列（配列番号：４５）はここでＤＮＡ４３３２０と命名されるクローンである。また、太字及び下線フォントで示したのは、各々開始及び停止コドンである。
【Ｆｉｇ４６】Ｆｉｇ４５に示した配列番号：４５のコード化配列から誘導された天然配列ＰＲＯ３１３ポリペプチドのアミノ酸配列（配列番号：４６）を示す図である。
【Ｆｉｇ４７】天然配列ＰＲＯ３４２をコードするヌクレオチド配列を含むｃＤＮＡのヌクレオチド配列（配列番号：４７）を示す図であり、当該ヌクレオチド配列（配列番号：４７）はここでＤＮＡ３８６４９と命名されるクローンである。また、太字及び下線フォントで示したのは、各々開始及び停止コドンである。
【Ｆｉｇ４８】Ｆｉｇ４７に示した配列番号：４７のコード化配列から誘導された天然配列ＰＲＯ３４２ポリペプチドのアミノ酸配列（配列番号：４８）を示す図である。
【Ｆｉｇ４９】天然配列ＰＲＯ５４２をコードするヌクレオチド配列を含むｃＤＮＡのヌクレオチド配列（配列番号：４９）を示す図であり、当該ヌクレオチド配列（配列番号：４９）はここでＤＮＡ５６５０５と命名されるクローンである。また、太字及び下線フォントで示したのは、各々開始及び停止コドンである。
【Ｆｉｇ５０】Ｆｉｇ４９に示した配列番号：４９のコード化配列から誘導された天然配列ＰＲＯ５４２ポリペプチドのアミノ酸配列（配列番号：５０）を示す図である。
【Ｆｉｇ５１】天然配列ＰＲＯ７７３をコードするヌクレオチド配列を含むｃＤＮＡのヌクレオチド配列（配列番号：５１）を示す図であり、当該ヌクレオチド配列（配列番号：５１）はここでＤＮＡ４８３０３と命名されるクローンである。また、太字及び下線フォントで示したのは、各々開始及び停止コドンである。
【Ｆｉｇ５２】Ｆｉｇ５１に示した配列番号：５１のコード化配列から誘導された天然配列ＰＲＯ７７３ポリペプチドのアミノ酸配列（配列番号：５２）を示す図である。
【Ｆｉｇ５３】天然配列ＰＲＯ８６１をコードするヌクレオチド配列を含むｃＤＮＡのヌクレオチド配列（配列番号：５３）を示す図であり、当該ヌクレオチド配列（配列番号：５３）はここでＤＮＡ５０７９８と命名されるクローンである。また、太字及び下線フォントで示したのは、各々開始及び停止コドンである。
【Ｆｉｇ５４】Ｆｉｇ５３に示した配列番号：５３のコード化配列から誘導された天然配列ＰＲＯ８６１ポリペプチドのアミノ酸配列（配列番号：５４）を示す図である。
【Ｆｉｇ５５】天然配列ＰＲＯ１２１６をコードするヌクレオチド配列を含むｃＤＮＡのヌクレオチド配列（配列番号：５５）を示す図であり、当該ヌクレオチド配列（配列番号：５５）はここでＤＮＡ６６４８９と命名されるクローンである。また、太字及び下線フォントで示したのは、各々開始及び停止コドンである。
【Ｆｉｇ５６】Ｆｉｇ５５に示した配列番号：５５のコード化配列から誘導された天然配列ＰＲＯ１２１６ポリペプチドのアミノ酸配列（配列番号：５６）を示す図である。
【Ｆｉｇ５７】天然配列ＰＲＯ１６８６をコードするヌクレオチド配列を含むｃＤＮＡのヌクレオチド配列（配列番号：５７）を示す図であり、当該ヌクレオチド配列（配列番号：５７）はここでＤＮＡ８０８９６と命名されるクローンである。また、太字及び下線フォントで示したのは、各々開始及び停止コドンである。
【Ｆｉｇ５８】Ｆｉｇ５７に示した配列番号：５７のコード化配列から誘導された天然配列ＰＲＯ１６８６ポリペプチドのアミノ酸配列（配列番号：５８）を示す図である。
【Ｆｉｇ５９】天然配列ＰＲＯ１８００をコードするヌクレオチド配列を含むｃＤＮＡのヌクレオチド配列（配列番号：５９）を示す図であり、当該ヌクレオチド配列（配列番号：５９）はここでＤＮＡ３５６７２−２５０８と命名されるクローンである。また、太字及び下線フォントで示したのは、各々開始及び停止コドンである。
【Ｆｉｇ６０】Ｆｉｇ５９に示した配列番号：５９のコード化配列から誘導された天然配列ＰＲＯ１８００ポリペプチドのアミノ酸配列（配列番号：６０）を示す図である。
【Ｆｉｇ６１】天然配列ＰＲＯ３５６２をコードするヌクレオチド配列を含むｃＤＮＡのヌクレオチド配列（配列番号：６１）を示す図であり、当該ヌクレオチド配列（配列番号：６１）はここでＤＮＡ９６７９１と命名されるクローンである。また、太字及び下線フォントで示したのは、各々開始及び停止コドンである。
【Ｆｉｇ６２】Ｆｉｇ６１に示した配列番号：６１のコード化配列から誘導された天然配列ＰＲＯ３５６２ポリペプチドのアミノ酸配列（配列番号：６２）を示す図である。
【Ｆｉｇ６３】天然配列ＰＲＯ９８５０をコードするヌクレオチド配列を含むｃＤＮＡのヌクレオチド配列（配列番号：６３）を示す図であり、当該ヌクレオチド配列（配列番号：６３）はここでＤＮＡ５８７２５と命名されるクローンである。また、太字及び下線フォントで示したのは、各々開始及び停止コドンである。
【Ｆｉｇ６４】Ｆｉｇ６３に示した配列番号：６３のコード化配列から誘導された天然配列ＰＲＯ９８５０ポリペプチドのアミノ酸配列（配列番号：６４）を示す図である。
【Ｆｉｇ６５】天然配列ＰＲＯ５３９をコードするヌクレオチド配列を含むｃＤＮＡのヌクレオチド配列（配列番号：６５）を示す図であり、当該ヌクレオチド配列（配列番号：６５）はここでＤＮＡ４７４６５−１５６１と命名されるクローンである。また、太字及び下線フォントで示したのは、各々開始及び停止コドンである。
【Ｆｉｇ６６】Ｆｉｇ６５に示した配列番号：６５のコード化配列から誘導された天然配列ＰＲＯ５３９ポリペプチドのアミノ酸配列（配列番号：６６）を示す図である。
【Ｆｉｇ６７】天然配列ＰＲＯ４３１６をコードするヌクレオチド配列を含むｃＤＮＡのヌクレオチド配列（配列番号：６７）を示す図であり、当該ヌクレオチド配列（配列番号：６７）はここでＤＮＡ９４７１３−２５６１と命名されるクローンである。また、太字及び下線フォントで示したのは、各々開始及び停止コドンである。
【Ｆｉｇ６８】Ｆｉｇ６７に示した配列番号：６７のコード化配列から誘導された天然配列ＰＲＯ４３１６ポリペプチドのアミノ酸配列（配列番号：６８）を示す図である。
【Ｆｉｇ６９】天然配列ＰＲＯ４９８０をコードするヌクレオチド配列を含むｃＤＮＡのヌクレオチド配列（配列番号：６９）を示す図であり、当該ヌクレオチド配列（配列番号：６９）はここでＤＮＡ９７００３−２６４９と命名されるクローンである。また、太字及び下線フォントで示したのは、各々開始及び停止コドンである。
【Ｆｉｇ７０】Ｆｉｇ６９に示した配列番号：６９のコード化配列から誘導された天然配列ＰＲＯ４８９０ポリペプチドのアミノ酸配列（配列番号：７０）を示す図である。
【図１】
2004229504.tif 000062
【図２】
2004229504.tif 000063
【図３】
2004229504.tif 000064
【図４】
2004229504.tif 000065
【図５】
2004229504.tif 000066
【図６】
2004229504.tif 000067
【図７】
2004229504.tif 000068
【図８】
2004229504.tif 000069
【図９】
2004229504.tif 000070
【図１０】
2004229504.tif 000071
【図１１】
2004229504.tif 000072
【図１２】
2004229504.tif 000073
【図１３】
2004229504.tif 000074
【図１４】
2004229504.tif 000075
【図１５】
2004229504.tif 000076
【図１６】
2004229504.tif 000077
【図１７】
2004229504.tif 000078
【図１８】
2004229504.tif 000079
【図１９】
2004229504.tif 000080
【図２０】
2004229504.tif 000081
【図２１】
2004229504.tif 000082
【図２２】
2004229504.tif 000083
【図２３】
2004229504.tif 000084
【図２４】
2004229504.tif 000085
【図２５】
2004229504.tif 000086
【図２６】
2004229504.tif 000087
【図２７】
2004229504.tif 000088
【図２８】
2004229504.tif 000089
【図２９】
2004229504.tif 000090
【図３０】
2004229504.tif 000091
【図３１】
2004229504.tif 000092
【図３２】
2004229504.tif 000093
【図３３】
2004229504.tif 000094
【図３４】
2004229504.tif 000095
【図３５】
2004229504.tif 000096
【図３６】
2004229504.tif 000097
【図３７】
2004229504.tif 000098
【図３８】
2004229504.tif 000099
【図３９】
2004229504.tif 000100
【図４０】
2004229504.tif 000101
【図４１】
2004229504.tif 000102
【図４２】
2004229504.tif 000103
【図４３】
2004229504.tif 000104
【図４４】
2004229504.tif 000105
【図４５】
2004229504.tif 000106
【図４６】
2004229504.tif 000107
【図４７】
2004229504.tif 000108
【図４８】
2004229504.tif 000109
【図４９】
2004229504.tif 000110
【図５０】
2004229504.tif 000111
【図５１】
2004229504.tif 000112
【図５２】
2004229504.tif 000113
【図５３】
2004229504.tif 000114
【図５４】
2004229504.tif 000115
【図５５】
2004229504.tif 000116
【図５６】
2004229504.tif 000117
【図５７】
2004229504.tif 000118
【図５８】
2004229504.tif 000119
【図５９】
2004229504.tif 000120
【図６０】
2004229504.tif 000121
【図６１】
2004229504.tif 000122
【図６２】
2004229504.tif 000123
【図６３】
2004229504.tif 000124
【図６４】
2004229504.tif 000125
【図６５】
2004229504.tif 000126
【図６６】
2004229504.tif 000127
【図６７】
2004229504.tif 000128
【図６８】
2004229504.tif 000129
【図６９】
2004229504.tif 000130
【図７０】
2004229504.tif 000131